(57)【要約】【課題】変動入賞装置への異常な超過入賞に対して警告することを目的とする。【解決手段】  ゲームの結果が所定の結果となった場合に遊技者に有利な所定遊技状態を発生可能である遊技機において、遊技制御手段は、変動入賞装置への遊技球の入賞が検出された場合に、遊技球の入賞に関する情報を演出制御手段へ送信し、演出制御手段は、変動入賞装置への遊技球の入賞回数が、変動入賞装置の１回の開状態において第１閾値に達した場合に、第１超過入賞報知を実行する第１報知手段と、変動入賞装置への遊技球の入賞回数が、変動入賞装置の１回の開状態において第１閾値より大きい第２閾値に達した場合に、第２超過入賞報知を実行する第２報知手段と、を備える。【選択図】図１０９
2018019999.tif 000002
【特許請求の範囲】
【請求項１】
ゲームを実行可能な遊技制御手段と、
前記遊技制御手段からの指令によって演出を制御する演出制御手段と、を備え、
前記ゲームの結果が所定の結果となった場合に遊技者に有利な所定遊技状態を発生可能である遊技機において、
前記所定遊技状態において開状態となり、当該開状態において閉状態よりも遊技球の入賞が容易になる変動入賞装置と、
前記変動入賞装置への遊技球の入賞を検出する検出手段と、を備え、
前記遊技制御手段は、
前記検出手段によって前記変動入賞装置への遊技球の入賞が検出された場合に、遊技球の入賞に関する情報を前記演出制御手段へ送信し、
前記演出制御手段は、
前記変動入賞装置への遊技球の入賞回数が、１回の開状態において第１閾値に達した場合に、第１超過入賞報知を実行する第１報知手段と、
前記変動入賞装置への遊技球の入賞回数が、前記１回の開状態において前記第１閾値より大きい第２閾値に達した場合に、第２超過入賞報知を実行する第２報知手段と、
を備えることを特徴とする遊技機。
【請求項２】
遊技者が操作可能な操作手段を備え、
前記演出制御手段は、
前記操作手段への操作に応じて、前記第２閾値を変更可能であることを特徴とする請求項１に記載の遊技機。
【請求項３】
遊技球が前記変動入賞装置に入賞すると定められた数の賞球を払い出し可能な払出制御手段を備え、
前記演出制御手段は、
前記所定遊技状態において、前記変動入賞装置への入賞回数が前記第１閾値以上である場合に払い出された賞球数を合計し、
当該所定遊技状態が終了するタイミングで、前記賞球数の合計を表示手段に表示することを特徴とする請求項１又は２に記載の遊技機。
【発明の詳細な説明】
【技術分野】
【０００１】
本発明は、ゲームを実行し、当該ゲームの結果が所定の結果となった場合に遊技者に有利な遊技状態を発生可能な遊技機に関する。
【背景技術】
【０００２】
従来の遊技機において、大入賞口を有する特別変動入賞装置で超過入賞（いわゆるオーバー入賞）が発生したことを、遊技者に対して報知するものが存在する（例えば、特許文献１）。
【先行技術文献】
【特許文献】
【０００３】
【特許文献１】特開２０１５−１５９９６２公報
【発明の概要】
【発明が解決しようとする課題】
【０００４】
しかしながら、従来の遊技機では、遊技の興趣を高めるために超過入賞の発生を報知するだけで、変動入賞装置の超過入賞を発生し易くする特殊な打法（特殊な球発射装置の操作）などによる異常な超過入賞に対して警告することができなかった。
【０００５】
本発明は、遊技の興趣を高めつつ、変動入賞装置への異常な超過入賞に対して警告することを目的とする。
【課題を解決するための手段】
【０００６】
本発明の代表的な一形態では、ゲームを実行可能な遊技制御手段と、前記遊技制御手段からの指令によって演出を制御する演出制御手段と、を備え、前記ゲームの結果が所定の結果となった場合に遊技者に有利な所定遊技状態を発生可能である遊技機において、前記所定遊技状態において開状態となり、当該開状態において閉状態よりも遊技球の入賞が容易になる変動入賞装置と、前記変動入賞装置への遊技球の入賞を検出する検出手段と、を備え、前記遊技制御手段は、前記検出手段によって前記変動入賞装置への遊技球の入賞が検出された場合に、遊技球の入賞に関する情報を前記演出制御手段へ送信し、前記演出制御手段は、前記変動入賞装置への遊技球の入賞回数が、１回の開状態において第１閾値に達した場合に、第１超過入賞報知を実行する第１報知手段と、前記変動入賞装置への遊技球の入賞回数が、前記１回の開状態において前記第１閾値より大きい第２閾値に達した場合に、第２超過入賞報知を実行する第２報知手段と、を備えることを特徴とする。
【発明の効果】
【０００７】
本発明の一形態によれば、遊技の興趣を高めつつ、変動入賞装置への異常な超過入賞に対して警告できる。
【図面の簡単な説明】
【０００８】
【図１】遊技機を前面側から見た斜視図である。
【図２Ａ】遊技盤の正面図である。
【図２Ｂ】排出球数表示部の表示態様について説明する図である。
【図２Ｃ】出玉率表示部の表示態様について説明する。
【図２Ｄ】役物比率表示部の表示態様について説明する。
【図３】遊技機の遊技制御系の構成例を示すブロック図である。
【図４】遊技機の演出制御系の構成例を示すブロック図である。
【図５Ａ】メイン処理の前半部分の手順を示すフローチャートである。
【図５Ｂ】メイン処理の後半部分の手順を示すフローチャートである。
【図６】チェックサム算出処理の手順を示すフローチャートである。
【図７】初期値乱数更新処理の手順を示すフローチャートである。
【図８】タイマ割込み処理の手順を示すフローチャートである。
【図９】入力処理の手順を示すフローチャートである。
【図１０】スイッチ読み込み処理の手順を示すフローチャートである。
【図１１】出力処理の手順を示すフローチャートである。
【図１２】払出コマンド送信処理の手順を示すフローチャートである。
【図１３】乱数更新処理１の手順を示すフローチャートである。
【図１４】乱数更新処理２の手順を示すフローチャートである。
【図１５Ａ】入賞口スイッチ／状態監視処理の手順を示すフローチャートである。
【図１５Ｂ】入賞口監視の優先順位を示すテーブルである。
【図１５Ｃ】入賞口スイッチ／状態監視処理の変形例の手順を示すフローチャートである。
【図１６】不正＆入賞監視処理の手順を示すフローチャートである。
【図１７Ａ】入賞数カウンタ更新処理の手順を示すフローチャートである。
【図１７Ｂ】排出球数領域、獲得球数領域、役物別獲得球数領域について説明する図である。
【図１８】出玉性能監視処理の手順を示すフローチャートである。
【図１９】遊技状態チェック処理の手順を示すフローチャートである。
【図２０】払出ビジー信号チェック処理の手順を示すフローチャートである。
【図２１】特図ゲーム処理の手順を示すフローチャートである。
【図２２】始動口スイッチ監視処理の手順を示すフローチャートである。
【図２３】ハード乱数取得処理の手順を示すフローチャートである。
【図２４】特図始動口スイッチ共通処理の手順を示すフローチャートである。
【図２５】特図保留情報判定処理の手順を示すフローチャートである。
【図２６】大入賞口スイッチ監視処理の手順を示すフローチャートである。
【図２７】特図普段処理の手順を示すフローチャートである。
【図２８】特図１変動開始処理の手順を示すフローチャートである。
【図２９】特図２変動開始処理の手順を示すフローチャートである。
【図３０】大当りフラグ１設定処理の手順を示すフローチャートである。
【図３１】大当りフラグ２設定処理の手順を示すフローチャートである。
【図３２】大当り判定処理の手順を示すフローチャートである。
【図３３】小当り判定処理の手順を示すフローチャートである。
【図３４】特図１停止図柄設定処理の手順を示すフローチャートである。
【図３５】特図２停止図柄設定処理の手順を示すフローチャートである。
【図３６】特図情報設定処理の手順を示すフローチャートである。
【図３７】変動パターン設定処理の手順を示すフローチャートである。
【図３８】２バイト振り分け処理の手順を示すフローチャートである。
【図３９】振り分け処理の手順を示すフローチャートである。
【図４０】変動開始情報設定処理の手順を示すフローチャートである。
【図４１】特図変動中処理の手順を示すフローチャートである。
【図４２Ａ】特図表示中処理の前半部分の手順を示すフローチャートである。
【図４２Ｂ】特図表示中処理の後半部分の手順を示すフローチャートである。
【図４３】高確率変動回数更新処理の手順を示すフローチャートである。
【図４４】演出モード情報チェック処理の手順を示すフローチャートである。
【図４５】ファンファーレ／インターバル中処理移行設定処理１の手順を示すフローチャートである。
【図４６】小当りファンファーレ中処理移行設定処理１の手順を示すフローチャートである。
【図４７】ファンファーレ／インターバル中処理の手順を示すフローチャートである。
【図４８】大入賞口開放中処理の手順を示すフローチャートである。
【図４９】大入賞口残存球処理の手順を示すフローチャートである。
【図５０】大当り終了処理の手順を示すフローチャートである。
【図５１】大当り終了設定処理１の手順を示すフローチャートである。
【図５２】大当り終了設定処理２の手順を示すフローチャートである。
【図５３】特図普段処理移行設定処理２の手順を示すフローチャートである。
【図５４】小当りファンファーレ中処理の手順を示すフローチャートである。
【図５５】小当り中処理の手順を示すフローチャートである。
【図５６】小当り動作移行設定処理の手順を示すフローチャートである。
【図５７】小当り残存球処理の手順を示すフローチャートである。
【図５８】小当り終了処理の手順を示すフローチャートである。
【図５９】演出コマンド設定処理の手順を示すフローチャートである。
【図６０】図柄変動制御処理の手順を示すフローチャートである。
【図６１】普図ゲーム処理の手順を示すフローチャートである。
【図６２】ゲートスイッチ監視処理の手順を示すフローチャートである。
【図６３】普電入賞スイッチ監視処理の手順を示すフローチャートである。
【図６４】普図普段処理の手順を示すフローチャートである。
【図６５】普図変動中処理移行設定処理の手順を示すフローチャートである。
【図６６】普図変動中処理の手順を示すフローチャートである。
【図６７】普図表示中処理の手順を示すフローチャートである。
【図６８】普図当り中処理の手順を示すフローチャートである。
【図６９】普電作動移行設定処理の手順を示すフローチャートである。
【図７０】普電残存球処理の手順を示すフローチャートである。
【図７１】普図当り終了処理の手順を示すフローチャートである。
【図７２】セグメントＬＥＤ編集処理の手順を示すフローチャートである。
【図７３】磁石不正監視処理の手順を示すフローチャートである。
【図７４】盤電波不正監視処理の手順を示すフローチャートである。
【図７５Ａ】外部情報編集処理の前半部分の手順を示すフローチャートである。
【図７５Ｂ】外部情報編集処理の後半部分の手順を示すフローチャートである。
【図７６】メイン賞球信号編集処理の手順を示すフローチャートである。
【図７７】始動口信号編集処理の手順を示すフローチャートである。
【図７８】演出制御装置のメイン処理を示すフローチャートである。
【図７９】受信コマンドチェック処理を示すフローチャートである。
【図８０】受信コマンド解析処理を示すフローチャートである。
【図８１】表示装置の表示画面のレイアウト例を示す図である。
【図８２】第２実施形態に係る遊技機の裏面図である。
【図８３】第２実施形態に係る払出コマンド（払出数コマンド）の構成例を示す図である。
【図８４】変形例に係る遊技機の裏面図である。
【図８５】第３実施形態に係る出玉性能監視処理の手順を示すフローチャートである。
【図８６】第３実施形態に係る出玉性能監視処理の変形例を示すフローチャートである。
【図８７】第３実施形態に係る特図普段処理移行設定処理２の手順を示すフローチャートである。
【図８８】第３実施形態に係る単発系コマンド処理の手順を示すフローチャートである。
【図８９】第３実施形態に係るカウント情報設定処理の手順を示すフローチャートである。
【図９０】第３実施形態に係る役物比率設定処理の手順を示すフローチャートである。
【図９１】第３実施形態に係る図柄系コマンド処理の手順を示すフローチャートである。
【図９２】第３実施形態に係る変動系コマンド処理の手順を示すフローチャートである。
【図９３】第３実施形態に係る大当り系コマンド処理の手順を示すフローチャートである。
【図９４】第３実施形態に係る演出ポイント制御処理の手順を示すフローチャートである。
【図９５】第３実施形態に係るホール・遊技者設定モード処理の手順を示すフローチャートである。
【図９６Ａ】第３実施形態において、表示装置の表示画面を時系列で示した画面遷移図の前半部分である。
【図９６Ｂ】第３実施形態において、表示装置の表示画面を時系列で示した画面遷移図の後半部分である。
【図９７】第３実施形態において、大当り状態終了の際のエンディングにおける表示装置の表示画面の一例を示す図である。
【図９８】第３実施形態において、客待ち中の遊技者設定モードでの表示画面の一例を示す図である。
【図９９】第３実施形態に係るサブ表示装置を備えた遊技盤の正面図である。
【図１００】第４実施形態に係る排出球数領域、獲得球数領域、役物別獲得球数領域について説明する図である。
【図１０１】第４実施形態に係る払出コマンド（払出数コマンド）の構成例を示す図である。
【図１０２】第４実施形態に係る単発系コマンド処理の手順を示すフローチャートである。
【図１０３】第４実施形態に係る役物比率設定処理の手順を示すフローチャートである。
【図１０４】第４実施形態に係る高確率（時短）終了処理の手順を示すフローチャートである。
【図１０５】第４実施形態に係る大当り系コマンド処理の手順を示すフローチャートである。
【図１０６Ａ】第４実施形態において、表示装置の表示画面を時系列で示した画面遷移図の前半部分である。
【図１０６Ｂ】第４実施形態において、表示装置の表示画面を時系列で示した画面遷移図の後半部分である。
【図１０７】第５実施形態に係る遊技盤の正面図である。
【図１０８】第５実施形態に係る出玉性能監視処理の手順を示すフローチャートである。
【図１０９】第６実施形態に係るオーバー入賞報知処理の手順を示すフローチャートである。
【図１１０Ａ】第６実施形態に係る第１オーバー入賞報知と第２オーバー入賞報知の報知態様の一例を示すテーブルである。
【図１１０Ｂ】第６実施形態に係る第１オーバー入賞報知と第２オーバー入賞報知の報知態様の他の例を示すテーブルである。
【図１１１】第６実施形態において、表示装置の表示画面を時系列で示した画面遷移図である。
【図１１２】第６実施形態に係るホール・遊技者設定モード処理の手順を示すフローチャートである。
【図１１３】第６実施形態に係るホール設定モードにおける表示装置の表示画面の一例を示す図である。
【図１１４】第７実施形態による飾り特図変動表示ゲームにおける各飾り特別図柄の動き状態を説明するタイミングチャートである。
【図１１５】第７実施形態において、表示装置の表示画面を時系列で示した画面遷移図である。
【図１１６】第７実施形態の変形例１による飾り特図変動表示ゲームにおける各飾り特別図柄の動き状態を説明するタイミングチャートである。
【図１１７】第７実施形態の変形例１において、表示装置の表示画面を時系列で示した画面遷移図である。
【図１１８】第７実施形態の変形例２による飾り特図変動表示ゲームにおける各飾り特別図柄の動き状態を説明するタイミングチャートである。
【図１１９】第７実施形態の変形例２において、表示装置の表示画面を示した図である。
【図１２０】第７実施形態の変形例２を、再抽選なしの大当りの場合と、再抽選ありの大当りの場合に適用した表示画面を示した図である。
【発明を実施するための形態】
【０００９】
［第１実施形態］
以下、本発明の好適な実施の形態を図面に基づいて説明する。なお、遊技機の説明における前後左右とは、遊技中の遊技者から見た方向を指すものとする。
【００１０】
〔遊技機全体図〕
図１は、遊技機を説明する図である。
【００１１】
遊技機１０は島設備に固定される枠１１に、ヒンジを介して開閉回動自在に取り付けられる開閉枠を備える。開閉枠は、前面枠１２（本体枠）及びガラス枠１５によって構成されている。
【００１２】
前面枠１２には、遊技盤３０（図２参照）が配設されるとともに、遊技盤３０の前面を覆うカバーガラス１４を有するガラス枠１５が取り付けられる。カバーガラス１４は、遊技盤３０に形成される遊技領域３２（図２参照）を視認可能とする遊技視認領域として機能する。
【００１３】
前面枠１２及びガラス枠１５は、それぞれ個別に開放することが可能となっている。例えば、ガラス枠１５のみを開放することで、遊技盤３０の遊技領域３２にアクセスすることができる。また、前面枠１２をガラス枠１５が開放されていない状態で開放することで、遊技盤３０の裏面側に配設された遊技制御装置（主基板）１００（図３参照）等にアクセスすることができる。
【００１４】
ガラス枠１５のカバーガラス１４周囲の縁部分には、種々の枠構成部材が配設されている。
【００１５】
ガラス枠１５の上部中央及び左側部には、遊技状態に応じて発光演出可能な装飾装置１８ａ，１８ｂが配設されている。装飾装置１８ａ，１８ｂは、内部にＬＥＤ等の照明部材を収容しており、遊技状態に応じた発光演出を行う。これら装飾装置１８ａ，１８ｂの内部に配設される照明部材は、枠装飾装置１８（図４参照）の一部を構成している。
【００１６】
ガラス枠１５の上右角部分及び上左角部分には、上スピーカ１９ａがそれぞれ配設される。これら上スピーカ１９ａとは別に遊技機１０の下部には、２つの下スピーカ１９ｂが設けられている。下スピーカ１９ｂは、ガラス枠１５の下左角部分及び前面枠１２の下右角部分に配設されている。これら上スピーカ１９ａ及び下スピーカ１９ｂは、効果音や警報音、報知音等を発するものである。
【００１７】
ガラス枠１５の右側部には、遊技機１０の上下方向に延設されるとともに、前方（遊技者側）に向かって突出する突出演出ユニット１３が配設されている。突出演出ユニット１３は、遊技の進行状態に応じて発光演出等を行う演出装置である。突出演出ユニット１３の内部に配設される照明部材も枠装飾装置１８（図４参照）の一部を構成している。
【００１８】
ガラス枠１５の下部には、遊技球を貯留可能な上皿２１を有する上皿ユニットが取り付けられている。上皿２１は、上面が開口した箱状に形成されている。上皿２１に貯留されている遊技球は、一球ずつ球発射装置（図示省略）に供給される。
【００１９】
上皿ユニットは、遊技者からの入力操作を受け付ける演出操作装置と、遊技者からの入力操作を受け付ける球貸操作装置と、遊技状態に応じて発光演出等を行う装飾装置２２と、をさらに備える。
【００２０】
演出操作装置は、演出ボタン２５にタッチパネル２５ｂを組み込んだ操作装置であり、遊技者が操作しやすいように上皿ユニットの上部中央に設けられている。
【００２１】
遊技者が演出操作装置を操作することによって、表示装置４１（図２参照）に表示される特図変動表示ゲーム等において遊技者の操作を介入させた演出を行うことができる。例えば、演出パターン（演出態様）を選択したり、始動記憶に対応する変動表示ゲームの結果を事前に予告する予告演出を実行したりすることができる。なお、変動表示ゲームには特図変動表示ゲームが含まれ、単に変動表示ゲームとした場合には、本明細書では特図変動表示ゲームを指すものとする。
【００２２】
また、変動表示ゲームの実行中だけでなく、非実行中に遊技者が演出操作装置を操作することによっても演出パターンを変更するようにしてもよい。
【００２３】
なお、変動表示ゲームが実行される際の遊技状態は、複数の遊技状態からなる。通常遊技状態（通常状態）とは、特別な遊技状態が発生していない遊技状態である。また、特別な遊技状態とは、例えば、特定遊技状態としての時短状態や変動表示ゲームにおいて特別結果（例えば大当り）の発生確率が高い状態（確変状態、確率変動状態）、大当り状態（特別遊技状態）、小当り遊技状態（小当り状態）である。
【００２４】
ここで、確変状態（特定遊技状態）は、次の大当りが発生するまで継続するもの（ループタイプ）、所定回数の変動表示ゲームが実行されるまで継続するもの（回数切りタイプ、ＳＴ）、及び所定の確率転落抽選に当選するまで継続するもの（転落抽選タイプ）等がある。
【００２５】
さらに、確変状態を発生させるか否かを大当り図柄乱数によって決定せずに、大当りが発生した場合に必ず確変状態を発生させるようにしてもよいし、特定領域を備える入賞装置等を設け、特定領域を遊技球が通過した場合に確変状態を発生させるようにしてもよい。
【００２６】
球貸操作装置は、遊技者が遊技球を借りる場合に操作する操作装置であって、上皿ユニットの上部右側に設けられている。球貸操作装置は、球貸ボタン２７と、返却ボタン２８と、残高表示部２６と、を備えている。球貸ボタン２７は遊技球を借りる場合に遊技者が操作するボタンであり、返却ボタン２８は遊技機１０に隣接するように配置されるカードユニット（図示省略）からプリペイドカード等を排出させる場合に遊技者が操作するボタンである。残高表示部２６は、プリペイドカード等の残高が表示される表示領域である。
【００２７】
装飾装置２２は、内部にＬＥＤ等の照明部材を収容しており、遊技状態に応じて発光演出等を行う装置であって、上皿ユニットの前側部分に設けられている。装飾装置２２の内部に配設される照明部材は、枠装飾装置１８（図４参照）の一部を構成している。
【００２８】
上記した上皿ユニット等を備えるガラス枠１５の下方であって、前面枠１２の下部には、球発射装置（図示省略）の動作を制御するための操作ハンドル２４と、遊技球を貯留可能な下皿２３とが設けられている。
【００２９】
操作ハンドル２４は、前面枠１２の右下部であって、右側の下スピーカ１９ｂの下方に配置されている。遊技者が操作ハンドル２４を回動操作することによって、球発射装置は上皿２１から供給された遊技球を遊技盤３０の遊技領域３２に発射する。球発射装置から発射される遊技球の発射速度は、操作ハンドル２４の回動操作量が大きくなるほど速くなるように設定されている。即ち、球発射装置は、遊技領域に遊技球を発射する勢（速度）である発射勢を、遊技者による操作ハンドル２４の操作に対応して変更でき、発射勢の異なる種々の発射態様で遊技球を発射できる。発射態様には、遊技領域３２の左側において遊技球を流下させる左打ち（通常打ち）と、遊技領域３２の右側において遊技球を流下させる右打ちが含まれる。
【００３０】
下皿２３は、上皿ユニットに対して所定の間隔をあけて、上皿ユニットの下方に配置されている。下皿２３は、当該下皿２３の底面を上下方向に貫通する球抜き穴２３ａと、球抜き穴２３ａを開閉するための開閉操作部２３ｂと、を有している。遊技者が開閉操作部２３ｂを操作して、球抜き穴２３ａを開くことによって、下皿２３に貯留されていた遊技球を球抜き穴２３ａを通じて外部に排出することができる。
【００３１】
〔遊技盤〕
続いて、図２Ａを参照して、遊技機１０の遊技盤３０について説明する。図２Ａは、遊技機１０に備えられる遊技盤３０の正面図である。
【００３２】
図２Ａに示すように、遊技盤３０は、各種部材の取付ベースとなる平板状の遊技盤本体３０ａを備える。遊技盤本体３０ａは木製又は合成樹脂製であって、当該遊技盤本体３０ａの前面にはガイドレール３１で囲まれた遊技領域３２が設けられている。遊技機１０は、ガイドレール３１で囲まれた遊技領域３２内に球発射装置から遊技球を発射して遊技を行うように構成されている。遊技領域３２には遊技球の流下方向を変換する部材として風車や障害釘等が配設されており、発射された遊技球はこれら部材により転動方向を変えながら遊技領域３２を流下する。
【００３３】
遊技領域３２の略中央には、変動表示ゲームの表示領域となる窓部を形成するセンターケース（前面構成体）４０が取り付けられている。センターケース４０に形成された窓部の後方には、複数の識別情報を変動表示（可変表示）する演出表示装置（変動表示装置）としての表示装置４１（表示手段）が配置されている。表示装置４１は、例えば、液晶ディスプレイを備え、センターケース４０の窓部を介して遊技盤３０の前面側から表示内容が視認可能となるように配置される。なお、表示装置４１は、液晶ディスプレイを備えるものに限らず、ＥＬやＣＲＴ等のディスプレイを備えるものであってもよい。
【００３４】
表示装置４１の表示画面（表示部）には、複数の変動表示領域が設けられており、各変動表示領域に識別情報（特別図柄）や変動表示ゲームを演出するキャラクタが表示される。その他、表示画面には遊技の進行に基づく画像（大当り表示やファンファーレ表示、エンディング表示等）が表示される。
【００３５】
また、センターケース４０には、遊技領域３２を流下する遊技球をセンターケース４０の内側に導くためのワープ通路４０ｅへの流入口４０ａと、ワープ通路４０ｅを通過した遊技球が転動可能なステージ部４０ｂとが設けられている。センターケース４０のステージ部４０ｂは、始動入賞口３６及び普通変動入賞装置３７の上方に配置されているため、ステージ部４０ｂ上で転動した遊技球は始動入賞口３６又は普通変動入賞装置３７に入賞しやすくなっている。
【００３６】
センターケース４０の上部及び右側部には、それぞれ上部演出ユニット４０ｃ及び側部演出ユニット４０ｄが設けられる。上部演出ユニット４０ｃ及び側部演出ユニット４０ｄは、盤装飾装置４６（図４参照）及び盤演出装置４４（図４参照）の一部を構成している。
【００３７】
センターケース４０の右側方の遊技領域３２には、普通図柄始動ゲート（普図始動ゲート）３４が設けられている。普図始動ゲート３４の内部には、当該普図始動ゲート３４を通過した遊技球を検出するためのゲートスイッチ（ＳＷ）３４ａ（図３参照）が設けられている。遊技領域３２内に打ち込まれた遊技球が普図始動ゲート３４を通過すると、普図変動表示ゲームが実行される。
【００３８】
センターケース４０の左下方の遊技領域３２には一般入賞口３５（一般入賞領域）が配置されており、センターケース４０の右下方の遊技領域３２にも一般入賞口３５が配置されている。これら一般入賞口３５への遊技球の入賞は、一般入賞口３５に備えられた入賞口スイッチ（ＳＷ）３５ａ〜３５ｎ（図３参照）によって検出される。本実施形態では、左の一般入賞口３５の入賞口スイッチ３５ａと右の一般入賞口３５の入賞口スイッチ３５ｂの二つがある。
【００３９】
センターケース４０の下方の遊技領域３２には、特図変動表示ゲームの開始条件を付与する始動入賞口（第１始動入賞領域）３６が設けられ、その直下には第２始動入賞口（第２始動入賞領域）を備えた普通変動入賞装置３７が設けられる。普通変動入賞装置３７は、上端側が手前側に倒れる方向に回動することで、遊技球が流入し易い状態に変換する可動部材（可動片）３７ｂを備える。可動部材３７ｂが閉状態である場合には遊技球が普通変動入賞装置３７に入賞できないようになっている。遊技球が始動入賞口３６又は普通変動入賞装置３７に入賞した場合には、補助遊技として特図変動表示ゲームが実行される。
【００４０】
可動部材３７ｂは、所謂ベロ型の普通電動役物であり、普図変動表示ゲームの結果が所定の停止表示態様となった場合に、普電ソレノイド３７ｃ（図３参照）を介して回動して開いて、遊技球が普通変動入賞装置３７に流入しやすい開状態（遊技者にとって有利な入賞容易状態）に変化する。
【００４１】
なお、可動部材３７ｂは、後述する遊技制御装置１００によって制御される。遊技制御装置１００は、普図変動表示ゲームの変動時間を短縮したり普図変動表示ゲームの当り確率を通常よりも高確率としたりすることで入賞容易状態の発生頻度を高めたり、通常遊技状態で発生する入賞容易状態よりも入賞容易状態の発生時間を長くしたりすることで、前述の特定遊技状態として時短状態（普電サポート状態）を発生させる。なお、確変状態（潜伏確変状態を除く）においても、重複して時短状態（普電サポート状態）が発生する。
【００４２】
普通変動入賞装置３７の右下方の遊技領域３２には、大入賞口ソレノイド（３９ｂ）（図３参照）によって上端側が手前側に倒れる方向に回動することで大入賞口を開放するアタッカ形式の開閉扉３９ｃを有する特別変動入賞装置３９が設けられている。特別変動入賞装置３９は、特図変動表示ゲームの結果によって大入賞口を閉じた状態（遊技者にとって不利な閉塞状態）から開放状態（遊技者にとって有利な特別遊技状態）に変換し、大入賞口内への遊技球の流入を容易にさせることで、遊技者に所定の遊技価値（賞球）を付与するようになっている。なお、大入賞口内には、当該大入賞口に入った遊技球を検出する検出手段としてカウントスイッチ３９ａ（図３参照）が配設されている。
【００４３】
以上のように、遊技領域３２には、特に条件なく遊技球が入賞可能な複数の入賞領域として、一般入賞口３５と始動入賞口３６（第１始動入賞口）が設けられている。また、所定の条件（特図変動表示ゲームや普図変動表示ゲームの所定の結果）が成立することによって作動して遊技球が入賞可能となる変動入賞装置として、普通変動入賞装置３７（第２始動入賞口）と特別変動入賞装置３９（大入賞口）が設けられている。
【００４４】
一般入賞口３５、始動入賞口３６、普通変動入賞装置３７、及び、特別変動入賞装置３９（大入賞口）に遊技球が入賞すると、払出制御装置２００（図３参照）は、入賞した入賞口の種類に応じた数の賞球を払出装置から上皿２１に排出する。なお、本実施形態では、普通変動入賞装置３７（第２始動入賞口）、始動入賞口３６（第１始動入賞口）、一般入賞口３５、及び特別変動入賞装置３９（大入賞口）の賞球数は、それぞれ、２個、３個、１０個、１４個であり、この順番に大きくなる。
【００４５】
また、普通変動入賞装置３７の下方の遊技領域３２には、入賞口等に入賞しなかった遊技球を回収するアウト口３０ｂが設けられている。アウト口３０ｂに入って遊技領域３２の外部に排出される遊技球を検出する検出手段としてアウト球検出スイッチ６５（図３参照）が配設されている。
【００４６】
また、遊技領域３２の外側であって遊技盤本体３０ａの右下角部には、特図変動表示ゲーム（特図１変動表示ゲーム、特図２変動表示ゲーム）及び普図変動表示ゲームを実行する一括表示装置５０が設けられている。一括表示装置５０は、現在の遊技状態等の情報を表示する表示部５１〜６０を備える。
【００４７】
一括表示装置５０は、７セグメント型の表示器（ＬＥＤランプ）等で構成された変動表示ゲーム用の第１特図変動表示部５１（特図１表示器、ランプＤ１）及び第２特図変動表示部５２（特図２表示器、ランプＤ２）と、普図変動表示ゲーム用の変動表示部５３（普図表示器、ランプＤ１０、Ｄ１８）と、各変動表示ゲームの始動（保留）記憶数報知用の記憶表示部（特図１保留表示器５４、特図２保留表示器５５、普図保留表示器５６）と、を有している。特図１保留表示器５４はランプＤ１１、Ｄ１２により構成される。特図２保留表示器５５は、ランプＤ１３、Ｄ１４により構成される。普図保留表示器５６は、ランプＤ１５、Ｄ１６により構成される。
【００４８】
また、一括表示装置５０には、右打ち時（右打ちすべき時）又は左打ち時（通常打ち時）であることを報知する第１遊技状態表示部５７（第１遊技状態表示器、ランプＤ８）、時短状態が発生すると点灯して時短状態発生を報知する第２遊技状態表示部５８（第２遊技状態表示器、ランプＤ９）、遊技機１０の電源投入時に大当りの確率状態が高確率状態となっていることを表示する第３遊技状態表示部５９（第３遊技状態表示器、確率状態表示部、ランプＤ１７）、大当り時のラウンド数（特別変動入賞装置３９の開閉回数）を表示するラウンド表示部６０（ランプＤ３−Ｄ７）が設けられている。
【００４９】
特図１表示器５１と特図２表示器５２において、変動表示ゲームは、識別情報（例えば、中央のセグメント）の点灯消灯（点滅）を繰り返す変動表示によって実行される。なお、特図１表示器５１、特図２表示器５２は、このようなセグメント型の表示部に限らず、複数のＬＥＤの集合体により構成されていてもよいし、変動表示を実行する場合に、表示器として設けられるすべてのＬＥＤにより全点灯全消灯（全ＬＥＤの同時点滅）や、循環点灯（何れか１のＬＥＤから所定時間毎に所定の順序で点灯し、消灯する）、または複数のＬＥＤのうちの所定数のＬＥＤによる点灯消灯（点滅）や循環点灯によって行ってもよい。普図表示器５３においても、変動表示ゲームは、ランプＤ１０、Ｄ１８の点灯消灯を繰り返す変動表示（点滅）によって実行される。また、普図表示器５３も特図１表示器５１、特図２表示器５２と同様に適宜構成することが可能である。
【００５０】
さらに、一括表示装置５０には、遊技機１０の排出球数を表示する排出球数表示部６６、遊技機１０の出玉率を表示する出玉率表示部６７、遊技機１０の役物比率を表示する役物比率表示部６８が設けられている。排出球数表示部６６、出玉率表示部６７、役物比率表示部６８は、各々、複数（一つでも可）の７セグメント型の表示器（ＬＥＤランプ）等で構成されており、これら表示部は、排出球数、出玉率、役物比率を表示する表示手段を構成する。
【００５１】
なお、排出球数表示部６６、出玉率表示部６７、役物比率表示部６８は、それぞれ、排出球数、出玉率、役物比率を直接的に表示するものに限られずに、排出球数、出玉率、役物比率を間接的に表示するものでもよい（例えば、後述の排出球数のカウントダウン表示など）。即ち、排出球数表示部６６、出玉率表示部６７、役物比率表示部６８は、それぞれ、排出球数、出玉率、役物比率に関する情報を表示できればよい。また、排出球数表示部６６、出玉率表示部６７、役物比率表示部６８は、排出球数、出玉率、役物比率を、７セグメント型の表示器により数値で表示するのではなく、レベルメータなどで表示してよい。
【００５２】
ここで、排出球数は、遊技領域３２から排出された遊技球の数であり、入賞口を通過した遊技球の数とアウト口３０ｂを通過した遊技球の数との合計である。排出球数は、球発射装置から遊技領域３２に発射された遊技球の個数である発射球数と基本的に同じになる。本実施形態では、入賞口には、一般入賞口３５、始動入賞口３６（第１始動入賞口、始動口１）、普通変動入賞装置３７（第２始動入賞口、始動口２）、及び、特別変動入賞装置３９（大入賞口）が含まれる。なお、後述のように、排出球数（発射球数）をカウントするカウント手段が設けられる。そして、排出球数表示部６６（排出球数表示手段）が、排出球数を表示することで、遊技者は遊技領域３２に発射された遊技球の個数を把握でき、利便性が向上する。
【００５３】
出玉率は、排出球数（或は発射球数）に対する賞球数の合計の比率（割合）であり、（獲得球数÷排出球数）×１００（％）で計算される。即ち、出玉率は、排出球数１００個当りの獲得球数（賞球数の合計）となる。この定義による出玉率は、入賞時に賞球数がカウントされるので、球切れ等で実際の賞球の払い出しが行われなくても得ることができる。なお、出玉率は、本実施形態のように排出球数が１００個になる度に、排出球数が０から１００個になるまでの間の獲得球数から簡易に求めてもよいし、遊技機の電源投入から現在まで積算した獲得球数（賞球数の合計）と排出球数を用いて、上記の定義から正確に算出してもよい。なお、従来は出玉率を表示することは行われていなかったが、本実施形態では、出玉率表示部６７（出玉率表示手段）が出玉率を表示することで、遊技者に一般入賞口３５への興味と関心を抱かせることができる。そして、遊技の興趣を高めることができる。
【００５４】
また、役物比率は、遊技機１０の電源投入から現在までに入賞口に入賞したことで得られた全賞球数（賞球の合計数）のうち、大当り状態中（即ちファンファーレ、エンディング中は除外）に大入賞口に入賞したことで得られた賞球数（役物別獲得球数）の割合（％）（いわゆる連続役物比率）である。なお、役物比率は、全賞球数（賞球の合計数）のうち、大入賞口に入賞したことで得られた賞球数（大当り状態中と小当り状態中）の割合（大入賞口比率）でもよいし、或は、大入賞口及び普通変動入賞装置３７（第２始動入賞口）に入賞したことで得られた賞球数の割合（一般的に使用されるいわゆる役物比率（全役物比率））でもよい。役物比率は、入賞時に賞球数がカウントされるので、球切れ等で実際の賞球の払い出しが行われなくても計算できる。本実施形態では、役物比率表示部６８（役物比率表示手段）が役物比率を表示することで、遊技の興趣が向上するとともに、遊技者は変動入賞装置へ入賞し易い印象（開状態が多く発生する印象）を持つため、遊技者が継続して遊技を行う動機となる。また、役物比率表示は、遊技者が継続して遊技を行うべきか判断するための指標となる。さらに、役物比率に一般入賞口３５への入賞が影響するため、役物比率表示を通して、遊技者に一般入賞口３５への興味と関心を抱かせることができる。
【００５５】
図２Ｂを参照して、排出球数表示部６６の表示態様について説明する。排出球数表示部６６は、２つの７セグメント型（点部分を含めると８セグメント型）の表示器（ＬＥＤランプ）から構成される。図２Ｂ（Ｉ）のように、排出球数表示部６６において、排出球数は、カウントダウン表示され、（１００−排出球数）が表示される。また、排出球数は、１００個（所定個数）までしかカウントされない。なお、後述のように、排出球数が１００個（所定個数）になる度に、出玉率表示部６７に表示される出玉率は、排出球数が１から１００個に変化するまでの間の最新の出玉率へと更新される。これにより、出玉率表示部６７に獲得球数（賞球数の合計）をそのまま表示すれば、出玉率が表示されることになる。
【００５６】
本実施形態では、排出球数表示部６６において、排出球数は「９９」から「００」へとカウントダウン表示されるが、「００」から「９９」へとカウントアップ表示する構成でもよい。なお、排出球数が１００個になると、排出球数表示部６６に「００」が表示される。本実施形態では、排出球数表示部６６に「００」を表示するタイミングで、出玉率表示部６７の出玉率表示が最新のものに更新される。なお、排出球数表示部６６は、電源投入後（停電復旧含む）は、「００」の表示からカウントダウン表示を開始する。また、排出球数は大当り終了のタイミングで０クリアされ、排出球数表示部６６は大当り終了後に「００」の表示からカウントダウン表示を開始する。
【００５７】
図２Ｂ（ＩＩ）のように、遊技球の発射中以外の状態や客待ちデモ状態で、排出球数表示部６６は表示器のセグメント（発光部）が消灯して非表示の状態となってよい。なお、遊技球の発射中以外の状態や客待ちデモ状態をまとめて「客待ち状態」と呼ぶ。遊技球の発射中以外の状態とは、操作ハンドル２４に設けられたタッチスイッチからのタッチスイッチ信号がオフ信号となった状態である。また、遊技制御装置１００（図３）が演出制御装置３００（図４）に客待ちデモコマンドを送信した場合に、遊技機１０は客待ちデモ状態（客待ちデモ中の状態）となる。一方、客待ちデモ中でない状態や遊技球の発射中の状態では、排出球数表示部６６において、遊技中の遊技者が認識できるよう表示器のセグメント（発光部）が点灯してカウントダウン表示を実行する。これは、遊技中の遊技者に対する特典となるため、遊技機１０の稼働を上げることができる。
【００５８】
図２Ｂ（ＩＩＩ）のように、排出球数表示部６６は、遊技に影響のあるエラーや不正の発生中に、遊技者に報知するためにエラー表示（「ＥＥ」表示）を実行する。ここで、遊技に影響のあるエラーや不正とは、ガラス枠開放や前面枠開放に関するエラーや不正（後述のガラス枠開放エラー、前面枠開放エラー）であり、球切れやオーバーフロー（満杯）に関するエラー（後述のシュート球切れエラー、オーバーフローエラー）は含まない。なお、枠開放中は手で遊技球を入賞口に入れることは可能なので、排出球数表示部６６の表示は更新されないが、遊技機内部の遊技制御装置１００で排出球数をカウントしている。
【００５９】
図２Ｃを参照して、出玉率表示部６７の表示態様について説明する。出玉率表示部６７は、２つの７セグメント型（点部分を含めると８セグメント型）の表示器（ＬＥＤランプ）から構成される。図２Ｃ（Ｉ）のように、出玉率表示部６７において、出玉率は０から９９までしか表示されず、出玉率が１００以上になると「９９」を点滅表示又は点灯表示させるか「ＦＦ」と表示する。
【００６０】
なお、前述のように、出玉率表示部６７の出玉率表示は、排出球数が１００個（所定個数）になる度に、排出球数が１から１００個に変化するまでの間の最新の出玉率へと更新される。出玉率表示部６７は、出玉率表示を更新する毎に、セグメント（発光部）の発光色を変化させて、出玉率表示を更新したことを明示する。この場合、遊技者は、出玉率の更新を認識しやすくなる。例えば、出玉率表示部６７は、出玉率表示を更新する毎に、赤から緑或は緑から赤へ変化する。なお、色を変化させずに、出玉率表示部６７は、常に単色で出玉率表示をする構成も可能である。
【００６１】
また、出玉率表示部６７は、設計値（例えば、通常遊技状態でのベース値４０）を基準として、出玉率に応じて出玉率表示の色を変化させてよい。これにより、出玉率の設計値からの乖離を報知警告できる。例えば、出玉率は、３０〜５０の範囲で緑色に表示し、１０〜２９と５１〜６０の範囲で黄色に表示し、０〜９と６１以上の範囲で赤色に表示する。また、大当り中は、出玉率が非常に大きくなるため、赤色でなく別の色（白やレインボー）などで表示してもよい。なお、色を変化させずに単色で出玉率を表示する構成では、出玉率が設計値から大きく乖離した場合（所定値以上又は所定値以下の場合）に、出玉率表示を点滅表示してよい。
【００６２】
さらに、出玉率表示部６７は、電源投入後（停電復旧含む）は「００」の表示となる。また、出玉率は大当り終了するタイミングで０クリアし、出玉率表示部６７は「００」の表示となる。
【００６３】
図２Ｃ（ＩＩ）のように、遊技球の発射中以外の状態や客待ちデモ状態（即ち客待ち状態）で、出玉率表示部６７は表示器のセグメントが消灯して非表示の状態となってよい。一方、客待ちデモ中でない状態や遊技球の発射中の状態では、出玉率表示部６７において表示器のセグメントは点灯し、遊技中の遊技者が認識できるよう出玉率を表示する。これは、遊技中の遊技者に対する特典となるため、遊技機１０の稼働を上げることができる。さらに、遊技機１０の電源投入後に排出球数が１００個になるまで、出玉率が得られないため、出玉率表示部６７は非表示の状態となってよい。
【００６４】
なお、逆に、遊技球の発射中以外の状態や客待ちデモ状態で、出玉率表示部６７は出玉率を表示し、客待ちデモ中でない状態や遊技球の発射中の状態で出玉率を非表示にする構成としてもよい。これにより、遊技者は、出玉率を考慮して、遊技する遊技機や遊技台を選択することができる。
【００６５】
図２Ｃ（ＩＩＩ）のように、出玉率表示部６７は、遊技に影響のあるエラーや不正の発生中に、遊技者に報知するためにエラー表示（「ＥＥ」表示）を実行する。ここで、遊技に影響のあるエラーや不正とは、ガラス枠開放や前面枠開放に関するエラーや不正（後述のガラス枠開放エラー、前面枠開放エラー）であり、球切れやオーバーフロー（満杯）に関するエラー（後述のシュート球切れエラー、オーバーフローエラー）は含まない。なお、枠開放中は手で遊技球を入賞口に入れることは可能なので、出玉率表示部６７の表示は更新されないが、遊技機内部の遊技制御装置１００で出玉率を計算（更新）している。
【００６６】
図２Ｄを参照して、役物比率表示部６８の表示態様について説明する。役物比率表示部６８は、３つの７セグメント型（点部分を含めると８セグメント型）の表示器（ＬＥＤランプ）から構成される。図２Ｄ（Ｉ）のように、役物比率表示部６８は、「００．０」から「９９．９」の小数第１位までの役物比率（％）の値を表示する。役物比率が１００％の時は「１００」と表示とする。なお、例えば、役物比率表示部６８が４つの７セグメント型の表示器（ＬＥＤランプ）から構成される場合には、小数第２位までの役物比率（％）の値を表示する。
【００６７】
また、役物比率表示部６８は、規則で定まった基準値（例えば、役物連続作動による賞球である連続役物比率６０％）を基準として、役物比率に応じて役物比率表示の色を変化させてよい。これにより、役物比率の基準値からの乖離を報知警告できる。例えば、役物比率が連続役物比率に相当する場合、役物比率は、００．０％〜５５．０％の範囲で緑色に表示し、５５．１％〜６０．０％の範囲で黄色に表示し、６０．１％〜１００％の範囲で赤色に表示する。また、大当り中は、役物比率が大きくなるため、別の色（白やレインボー）などで表示してもよい。また、例えば、役物比率が、一般的に使用されるいわゆる役物比率（全賞球数のうち、全役物（特別変動入賞装置３９及び普通変動入賞装置３７）に入賞したことで得られた賞球数の割合）に相当する場合、基準値を７０％として、役物比率は、００．０％〜６５．０％の範囲で緑色に表示し、６５．１％〜７０．０％の範囲で黄色に表示し、７０．１％〜１００％の範囲で赤色に表示する。なお、色を変化させずに単色で役物比率を表示する構成では、役物比率が設計値から大きく乖離した場合（所定値以上又は所定値以下の場合）に、役物比率表示を点滅表示してよい。
【００６８】
役物比率表示部６８の役物比率を計算するための役物別賞球数（役物別獲得球数）は、遊技機１０の電源を切るまで累積し、電源投入でクリアされる。電源投入後（停電復旧含む）に、役物比率表示は「００．０」と表示される。その後、役物比率表示部６８において、入賞の発生する度に役物比率が随時更新される。なお、所定回数（例えば４００回）の特図変動表示ゲームを１セットとして、１セットごとの役物別獲得球数（役物獲得球数とも呼ぶ）を複数のブロック（所定バイトの記憶領域）からなるリングバッファに順番に記憶する構成も可能であるが、この場合には、役物別獲得球数は電源投入時にもクリアせず保持される。
【００６９】
図２Ｄ（ＩＩ）のように、遊技球の発射中以外の状態や客待ちデモ状態（即ち客待ち状態）で、役物比率表示部６８は表示器のセグメント（発光部）が消灯して非表示の状態となってよい。一方、客待ちデモ中でない状態や遊技球の発射中の状態では、役物比率表示部６８において表示器のセグメント（発光部）は点灯し、遊技中の遊技者が認識できるよう役物比率を表示する。これは、遊技中の遊技者に対する特典となるため、遊技機１０の稼働を上げることができる。
【００７０】
なお、逆に、遊技球の発射中以外の状態や客待ちデモ状態で、役物比率表示部６８は役物比率を表示し、客待ちデモ中でない状態や遊技球の発射中の状態で役物比率を非表示にする構成としてもよい。これにより、遊技者は、役物比率を考慮して、遊技する遊技機や遊技台を選択することができる。
【００７１】
図２Ｄ（ＩＩＩ）のように、役物比率表示部６８は、遊技に影響のあるエラーや不正の発生中に、遊技者に報知するためにエラー表示（「ＥＥＥ」表示）を実行する。ここで、遊技に影響のあるエラーや不正とは、ガラス枠開放や前面枠開放に関するエラーや不正（後述のガラス枠開放エラー、前面枠開放エラー）であり、球切れやオーバーフロー（満杯）に関するエラー（後述のシュート球切れエラー、オーバーフローエラー）は含まない。なお、枠開放中は手で遊技球を入賞口に入れることは可能なので、役物比率表示部６８の表示は更新されないが、遊技機内部の遊技制御装置１００で役物比率を計算（更新）している。
【００７２】
次に、遊技機１０における遊技の流れ、普図変動表示ゲーム及び特図変動表示ゲームの詳細について説明する。
【００７３】
遊技機１０では、図示しない球発射装置から遊技領域３２に向けて遊技球が打ち出されることによって遊技が行われる。打ち出された遊技球は、遊技領域３２内の各所に配置された障害釘や風車等によって転動方向を変えながら遊技領域３２を流下し、普図始動ゲート３４、一般入賞口３５、始動入賞口３６、普通変動入賞装置３７、又は特別変動入賞装置３９に入賞するか、遊技領域３２の最下部に設けられたアウト口３０ｂへ流入し、遊技領域３２から排出される。そして、一般入賞口３５、始動入賞口３６、普通変動入賞装置３７、又は特別変動入賞装置３９に遊技球が入賞すると、入賞した入賞口の種類に応じた数の賞球が払出装置を介して上皿２１に排出される。
【００７４】
普図始動ゲート３４には、当該普図始動ゲート３４を通過した遊技球を検出するゲートスイッチ３４ａ（図３参照）が設けられている。遊技球が普図始動ゲート３４を通過すると、ゲートスイッチ３４ａによって検出され、このときに抽出された当り判定用乱数値の判定結果に基づき普図変動表示ゲームが実行される。
【００７５】
普図変動表示ゲームを開始できない状態、例えば、既に普図変動表示ゲームが行われており当該普図変動表示ゲームが終了していない場合や、普図変動表示ゲームの結果が当りとなって普通変動入賞装置３７が開放状態に変換されている場合に、遊技球が普図始動ゲート３４を通過すると、普図始動記憶数が上限数未満ならば当該記憶数が加算（＋１）される。
【００７６】
普図始動記憶には普図変動表示ゲームの当りはずれを決定するための当り判定用乱数値が記憶されており、この当り判定用乱数値が判定値と一致した場合に、当該普図変動表示ゲームが当りとなって特定の結果態様（特定結果）が導出される。
【００７７】
普図変動表示ゲームは、一括表示装置５０に設けられた普図表示器５３で実行されるようになっている。普図表示器５３は、普通識別情報（普図）として点灯状態の場合に当りを示し、消灯状態の場合にはずれを示すＬＥＤから構成され、このＬＥＤを点滅表示することで普通識別情報の変動表示を行い、所定の変動表示時間の経過後、ＬＥＤを点灯又は消灯することで結果を表示するようになっている。
【００７８】
普図始動ゲート３４通過時に抽出された普図乱数値が当り値である場合には、普図表示器５３に表示される普通図柄が当り状態で停止し、当り状態となる。このとき、普電ソレノイド３７ｃ（図３参照）が駆動されることにより、可動部材３７ｂが所定の時間（例えば０．３秒間）だけ開状態に変換され、普通変動入賞装置３７への遊技球の入賞が許容される。
【００７９】
遊技球の始動入賞口３６への入賞及び普通変動入賞装置３７への入賞は、始動口１スイッチ３６ａ（図３参照）及び始動口２スイッチ３７ａ（図３参照）によって検出される。始動入賞口３６に入賞した遊技球は特図１変動表示ゲームの始動入賞球として検出され、所定の上限数を限度に記憶されるとともに、普通変動入賞装置３７に入賞した遊技球は特図２変動表示ゲームの始動入賞球として検出され、所定の上限数を限度に記憶される。
【００８０】
特図変動表示ゲームの始動入賞球の検出時には、大当り乱数値や大当り図柄乱数値、各変動パターン乱数値等が抽出される。これら乱数値は、遊技制御装置１００の特図保留記憶領域（ＲＡＭの一部）に特図始動入賞記憶として各々所定回数分（例えば最大で８回分）を限度に記憶される。特図始動入賞記憶の記憶数は、一括表示装置５０の始動入賞数報知用の特図１保留表示器５４や特図２保留表示器５５に表示されるとともに、表示装置４１の表示画面にも表示される。
【００８１】
遊技制御装置１００は、始動入賞口３６への入賞若しくは第１始動記憶に基づいて、特図１表示器５１で特図１変動表示ゲームを実行する。また、遊技制御装置１００は、普通変動入賞装置３７への入賞若しくは第２始動記憶に基づいて、特図２表示器５２で特図２変動表示ゲームを実行する。
【００８２】
特図１変動表示ゲーム（第１特図変動表示ゲーム）及び特図２変動表示ゲーム（第２特図変動表示ゲーム）は、特図１表示器５１及び特図２表示器５２において識別情報（特別図柄、特図）を変動表示した後に所定の結果態様を停止表示することで行われる。また、表示装置４１では、各特図変動表示ゲームに対応して複数種類の識別情報（例えば、数字、記号、キャラクタ図柄など）を変動表示させる飾り特図変動表示ゲームが実行される。
【００８３】
表示装置４１における飾り特図変動表示ゲームは、前述した数字等で構成される飾り特別図柄（識別情報）が左（第一特別図柄）、右（第二特別図柄）、中（第三特別図柄）の順に変動表示（スクロール表示）を開始して、所定時間後に変動している図柄を順次停止させて、特図変動表示ゲームの結果を表示することで行われる。また、表示装置４１では、興趣向上のためにキャラクタの出現等の多様な演出表示が行われる。
【００８４】
始動入賞口３６又は普通変動入賞装置３７への遊技球の入賞が所定のタイミングでなされた場合（入賞検出時の大当り乱数値が大当り値である場合）には、特図変動表示ゲームの結果として表示図柄により特定の結果態様（特別結果態様）が導出され、大当り状態（特別遊技状態）となる。これに対応して、表示装置４１の表示態様は特別結果態様（例えば「７，７，７」等の数字が揃った状態）となる。
【００８５】
このとき、特別変動入賞装置３９は、大入賞口ソレノイド（３９ｂ）（図３参照）への通電によって、大入賞口が所定の時間（例えば３０秒）だけ閉状態から開状態に変換される。すなわち、特別変動入賞装置３９に備えられた大入賞口が所定の時間又は所定数の遊技球が入賞するまで大きく開き、この間遊技者は多くの遊技球を獲得することができるという特典が付与される。
【００８６】
第１始動入賞口３６又は普通変動入賞装置３７への遊技球の入賞が所定のタイミングでなされた場合（入賞検出時の大当り乱数値が小当り値である場合）には、特図変動表示ゲームの結果として表示図柄により特定結果態様（小当り結果態様）が導出され、小当り状態となる。これに対応して、表示装置４１の表示態様は小当り結果態様となる。なお、本実施形態では、小当りの判定にも大当り乱数値が使用されるが、小当り値（小当り判定値）は、大当り値（大当り判定値）と異なる。
【００８７】
このとき、特別変動入賞装置３９は、大入賞口ソレノイド３９ｂ（図３参照）への通電によって、大入賞口が所定の短時間だけ閉状態から開状態に変換される。
【００８８】
ここで、大当りと小当りとの違いについて説明する。
【００８９】
大当りとは条件装置の作動を伴う特別結果であり、小当りとは条件装置の作動を伴わない特定結果である。条件装置とは、特図変動表示ゲームで大当りが発生（大当り図柄の停止表示）した場合に作動するもので、条件装置が作動するとは、例えば大当り状態が発生して特別電動役物としての特別変動入賞装置３９を連続して作動させるための特定のフラグがセットされることを意味する。条件装置が作動しないとは、例えば小当り抽選に当選した場合のように上述の特定のフラグがセットされないことを意味する。なお、「条件装置」は、上記のようなソフトウェア的にオンオフされるフラグのようなソフトウェア手段であっても良いし、電気的にオンオフされるスイッチのようなハードウェア手段であっても良い。また、「条件装置」は、その作動が電動役物の連続作動に必要条件とされる装置として、パチンコ遊技機の分野においては一般的に使用されている用語であり、本明細書においても同様の意味を有する用語として使用している。
【００９０】
具体的には、大当りの場合は、大当りフラグが設定されることにより特別変動入賞装置が開放されるのに対して、小当りの場合は、小当りフラグが設定されることにより特別変動入賞装置が開放される。
【００９１】
なお、特図１表示器５１及び特図２表示器５２は、別々の表示器として構成してもよいし同一の表示器として構成してもよいが、各特図変動表示ゲームが同時に実行されないように設定される。
【００９２】
表示装置４１における飾り特図変動表示ゲームについては、特図１変動表示ゲームと特図２変動表示ゲームとを別々の表示装置や別々の表示領域で実行するようにしてもよいし、同一の表示装置や表示領域で実行するようにしてもよい。この場合、特図１変動表示ゲーム及び特図２変動表示ゲームに対応する飾り特図変動表示ゲームが同時に実行されないようにする。なお、特図２変動表示ゲームは、特図１変動表示ゲームよりも優先して実行されるようになっており、特図１変動表示ゲームと特図２変動表示ゲームの始動記憶があり、特図変動表示ゲームの実行が可能な状態になった場合は特図２変動表示ゲームが実行される。
【００９３】
なお、以下の説明において、特図１変動表示ゲームと特図２変動表示ゲームを区別しない場合は、単に特図変動表示ゲームと称する。
【００９４】
また、特に限定されるわけではないが、上記始動入賞口３６内の始動口１スイッチ３６ａ、普通変動入賞装置３７内の始動口２スイッチ３７ａ、ゲートスイッチ３４ａ、入賞口スイッチ３５ａ〜３５ｎ、カウントスイッチ（３９ａ）には、磁気検出用のコイルを備え該コイルに金属が近接すると磁界が変化する現象を利用して遊技球を検出する非接触型の磁気近接センサ（以下、近接スイッチと称する）が使用されている。また、遊技機１０のガラス枠１５等に設けられたガラス枠開放検出スイッチ６３や前面枠（遊技枠）１２等に設けられた前面枠開放検出スイッチ６４（本体枠開放検出スイッチ）には、機械的な接点を有するマイクロスイッチを用いることができる。
【００９５】
〔遊技制御装置〕
図３は、遊技機１０の遊技制御系のブロック図である。遊技機１０は遊技制御装置１００（主基板）を備え、遊技制御装置１００は、遊技を統括的に制御する主制御装置（主基板）であって、遊技用マイクロコンピュータ（以下、遊技用マイコンと称する）１１１を有するＣＰＵ部１１０と、入力ポートを有する入力部１２０と、出力ポートやドライバなどを有する出力部１３０、ＣＰＵ部１１０と入力部１２０と出力部１３０との間を接続するデータバス１４０などからなる。
【００９６】
ＣＰＵ部１１０は、アミューズメントチップ（ＩＣ）と呼ばれる遊技用マイコン（ＣＰＵ）１１１と、水晶振動子のような発振子を備え、ＣＰＵの動作クロックやタイマ割込み、乱数生成回路の基準となるクロックを生成する発振回路（水晶発振器）１１３などを有する。遊技制御装置１００及び該遊技制御装置１００によって駆動されるソレノイドやモータなどの電子部品には、電源装置４００で生成されたＤＣ３２Ｖ，ＤＣ１２Ｖ，ＤＣ５Ｖなど所定のレベルの直流電圧が供給されて動作可能にされる。
【００９７】
電源装置４００は、２４Ｖの交流電源からＤＣ３２Ｖの直流電圧を生成するＡＣＤＣコンバータやＤＣ３２Ｖの電圧からＤＣ１２Ｖ，ＤＣ５Ｖなどのより低いレベルの直流電圧を生成するＤＣ−ＤＣコンバータなどを有する通常電源部４１０と、遊技用マイコン１１１の内部のＲＡＭに対して停電時に電源電圧を供給するバックアップ電源部４２０と、停電監視回路を有し、遊技制御装置１００に停電の発生、回復を知らせる停電監視信号やリセット信号などの制御信号を生成して出力する制御信号生成部４３０などを備える。
【００９８】
本実施形態では、電源装置４００は、遊技制御装置１００と別個に構成されているが、バックアップ電源部４２０及び制御信号生成部４３０は、別個の基板上あるいは遊技制御装置１００と一体、すなわち、主基板上に設けるように構成してもよい。遊技盤３０及び遊技制御装置１００は機種変更の際に交換の対象となるので、実施例のように、電源装置４００若しくは主基板とは別の基板にバックアップ電源部４２０及び制御信号生成部４３０を設けることにより、交換の対象から外しコストダウンを図ることができる。
【００９９】
バックアップ電源部４２０は、電解コンデンサのような大容量のコンデンサ１つで構成することができる。バックアップ電源は、遊技制御装置１００の遊技用マイコン１１１（特に内蔵ＲＡＭ）に供給され、停電中あるいは電源遮断後もＲＡＭに記憶されたデータが保持されるようになっている。制御信号生成部４３０は、例えば通常電源部４１０で生成された３２Ｖの電圧を監視してそれが例えば１７Ｖ以下に下がると停電発生を検出して停電監視信号を変化させるとともに、所定時間後にリセット信号を出力する。また、電源投入時や停電回復時にもその時点から所定時間経過後にリセット信号を出力する。
【０１００】
また、遊技制御装置１００には初期化スイッチ１１２が設けられている。初期化スイッチ１１２が操作されると初期化スイッチ信号が生成され、これに基づき遊技用マイコン１１１内のＲＡＭ１１１ｃ及び払出制御装置２００内のＲＡＭに記憶されている情報を強制的に初期化する処理が行われる。特に限定されるわけではないが初期化スイッチ信号は電源投入時に読み込まれ、停電監視信号は遊技用マイコン１１１が実行するメインプログラムのメインループの中で繰り返し読み込まれる。リセット信号は強制割込み信号の一種であり、制御システム全体をリセットさせる。
【０１０１】
遊技用マイコン１１１は、ＣＰＵ（中央処理ユニット：マイクロプロセッサ）１１１ａ、読出し専用のＲＯＭ（リードオンリメモリ）１１１ｂ及び随時読出し書込み可能なＲＡＭ（ランダムアクセスメモリ）１１１ｃを備える。
【０１０２】
ＲＯＭ１１１ｂは、遊技制御のための不変の情報（プログラム、固定データ、各種乱数の判定値等）を不揮発的に記憶し、ＲＡＭ１１１ｃは、遊技制御時にＣＰＵ１１１ａの作業領域や各種信号や乱数値の記憶領域として利用される。ＲＯＭ１１１ｂ又はＲＡＭ１１１ｃとして、ＥＥＰＲＯＭのような電気的に書換え可能な不揮発性メモリを用いてもよい。
【０１０３】
また、ＲＯＭ１１１ｂは、例えば、特図変動表示ゲームの実行時間、演出内容、リーチ状態の発生の有無などを規定する変動パターン（変動態様）を決定するための変動パターンテーブルを記憶している。変動パターンテーブルとは、始動記憶として記憶されている変動パターン乱数１〜３をＣＰＵ１１１ａが参照して変動パターンを決定するためのテーブルである。また、変動パターンテーブルには、結果がはずれとなる場合に選択されるはずれ変動パターンテーブル、結果が大当りとなる場合に選択される大当り変動パターンテーブル等が含まれる。さらに、これらのパターンテーブルには、リーチ状態となった後の変動パターンである後半変動パターンを決定するためのテーブル（後半変動グループテーブルや後半変動パターン選択テーブル等）、リーチ状態となる前の変動パターンである前半変動パターンを決定するためのテーブル（前半変動グループテーブルや前半変動パターン選択テーブル等）が含まれている。
【０１０４】
ここでリーチ（リーチ状態）とは、表示状態が変化可能な表示装置を有し、該表示装置が時期を異ならせて複数の表示結果を導出表示し、該複数の表示結果が予め定められた特別結果態様となった場合に、遊技状態が遊技者にとって有利な遊技状態（特別遊技状態）となる遊技機１０において、複数の表示結果の一部がまだ導出表示されていない段階で、既に導出表示されている表示結果が特別結果態様となる条件を満たしている表示状態をいう。また、別の表現をすれば、リーチ状態とは、表示装置の変動表示制御が進行して表示結果が導出表示される前段階にまで達した時点でも、特別結果態様となる表示条件からはずれていない表示態様をいう。そして、例えば、特別結果態様が揃った状態を維持しながら複数の変動表示領域による変動表示を行う状態（いわゆる全回転リーチ）もリーチ状態に含まれる。また、リーチ状態とは、表示装置の表示制御が進行して表示結果が導出表示される前段階にまで達した時点での表示状態であって、表示結果が導出表示される以前に決定されている複数の変動表示領域の表示結果の少なくとも一部が特別結果態様となる条件を満たしている場合の表示状態をいう。
【０１０５】
よって、例えば、特図変動表示ゲームに対応して表示装置に表示される飾り特図変動表示ゲームが、表示装置における左、中、右の変動表示領域の各々で所定時間複数の識別情報を変動表示した後、左、右、中の順で変動表示を停止して結果態様を表示するものである場合、左、右の変動表示領域で、特別結果態様となる条件を満たした状態（例えば、同一の識別情報）で変動表示が停止した状態がリーチ状態となる。他に、すべての変動表示領域の変動表示を一旦停止した時点で、左、中、右のうちいずれか二つの変動表示領域で特別結果態様となる条件を満たした状態（例えば、同一の識別情報となった状態、ただし特別結果態様は除く）をリーチ状態とし、リーチ状態から残りの一つの変動表示領域を変動表示するようにしてもよい。
【０１０６】
そして、リーチ状態には複数のリーチ演出が含まれ、特別結果態様が導出される可能性が異なる（期待値が異なる）リーチ演出の系統として、ノーマルリーチ（Ｎリーチ）、スペシャル１リーチ（ＳＰ１リーチ）、スペシャル２リーチ（ＳＰ２リーチ）、スペシャル３リーチ（ＳＰ３リーチ）、プレミアリーチが設定されている。なお、期待値は、リーチなし＜ノーマルリーチ＜スペシャル１リーチ＜スペシャル２リーチ＜スペシャル３リーチ＜プレミアリーチの順に高くなるようになっている。また、リーチ状態は、少なくとも特図変動表示ゲームで特別結果態様が導出される場合（大当りとなる場合）における変動表示態様に含まれるようになっている。すなわち、特図変動表示ゲームで特別結果態様が導出されないと判定する場合（はずれとなる場合）における変動表示態様に含まれることもある。よって、リーチ状態が発生した状態は、リーチ状態が発生しない場合と比較して大当りとなる可能性の高い状態である。
【０１０７】
ＣＰＵ１１１ａは、ＲＯＭ１１１ｂ内の遊技制御用プログラムを実行して、払出制御装置２００や演出制御装置３００に対する制御信号（コマンド）を生成したりソレノイドや表示装置の駆動信号を生成して出力して遊技機１０全体の制御を行う。また、図示しないが、遊技用マイコン１１１は、特図変動表示ゲームの大当りを判定するための大当り乱数や大当りの図柄を決定するための大当り図柄乱数、小当りの図柄を決定するための小当り図柄乱数、特図変動表示ゲームでの変動パターン（各種リーチやリーチなしの変動表示における変動表示ゲームの実行時間等を含む）を決定するための変動パターン乱数等を生成するための乱数生成回路と、発振回路１１３からの発振信号（原クロック信号）に基づいてＣＰＵ１１１ａに対する所定周期（例えば、４ｍｓｅｃ（ミリ秒））のタイマ割込み信号や乱数生成回路の更新タイミングを与えるクロックを生成するクロックジェネレータを備えている。
【０１０８】
また、ＣＰＵ１１１ａは、特図変動表示ゲームに関する処理において、ＲＯＭ１１１ｂに記憶されている複数の変動パターンテーブルの中から、いずれか一の変動パターンテーブルを取得する。具体的には、ＣＰＵ１１１ａは、特図変動表示ゲームの遊技結果（大当りあるいははずれ）や、現在の遊技状態としての特図変動表示ゲームの確率状態（通常確率状態あるいは高確率状態）、始動記憶数などに基づいて、複数の変動パターンテーブルの中から、いずれか一の変動パターンテーブルを選択して取得する。ここで、ＣＰＵ１１１ａは、特図変動表示ゲームを実行する場合に、ＲＯＭ１１１ｂに記憶された複数の変動パターンテーブルのうち、いずれか一の変動パターンテーブルを取得する変動振り分け情報取得手段をなす。
【０１０９】
払出制御装置２００は、ＣＰＵ、ＲＯＭ、ＲＡＭ、入力インタフェース、出力インタフェース等を備え、遊技制御装置１００からの賞球払出し指令（コマンドやデータ）に従って、払出ユニットの払出モータ９１を駆動させ、賞球を払い出させるための制御を行う。また、払出制御装置２００は、カードユニット６００からの貸球要求信号に基づいて払出ユニットの払出モータ９１を駆動させ、貸球を払い出させるための制御を行う。
【０１１０】
遊技用マイコン１１１の入力部１２０には、遊技機に対する電波の発射を検出する電波センサ６２（盤電波センサ）、普図始動ゲート３４のゲートスイッチ３４ａ、第１始動入賞口３６内の始動口１スイッチ３６ａ、第２始動入賞口３７内の始動口２スイッチ３７ａ、入賞口スイッチ３５ａ〜３５ｎ、特別変動入賞装置３９の大入賞口スイッチ３９ａに接続され、これらのスイッチから供給されるハイレベルが１１Ｖでロウレベルが７Ｖのような負論理の信号が入力され、０Ｖ−５Ｖの正論理の信号に変換するインタフェースチップ（近接Ｉ／Ｆ）１２１が設けられている。
【０１１１】
近接Ｉ／Ｆ１２１の出力は、第２入力ポート１２３又は第３入力ポート１２４に供給されデータバス１４０を介して遊技用マイコン１１１に読み込まれる。なお、近接Ｉ／Ｆ１２１の出力のうち、ゲートスイッチ３４ａ、始動口１スイッチ３６ａ、始動口２スイッチ３７ａ、入賞口スイッチ３５ａ〜３５ｎ、大入賞口スイッチ３９ａの検出信号は第３入力ポート１２４に入力される。
【０１１２】
また、近接Ｉ／Ｆ１２１の出力のうち、電波センサ６２の検出信号及びセンサやスイッチの異常を検出した際に出力される異常検知信号は第２入力ポート１２３に入力される。
【０１１３】
また、第２入力ポート１２３には、遊技機１０の前面枠１２等に設けられた不正検出用の磁気センサスイッチ６１の検出信号、アウト口３０ｂに入った遊技球を検出するアウト球検出スイッチ６５の検出信号、払出制御装置２００から出力される枠電波不正信号、払出ビジー信号が入力される。なお、振動を検出する振動センサスイッチを遊技機に設け、検出信号が第２入力ポート１２３に入力されるようにしてもよい。枠電波不正信号は前面枠１２（本体枠）に設けられた枠電波センサが電波を検出することに基づき出力される信号であり、払出ビジー信号は払出制御装置２００がコマンドを受付可能な状態か否かを示す信号である。
【０１１４】
また、近接Ｉ／Ｆ１２１の出力のうち、第３入力ポート１２４への出力は、遊技制御装置１００から中継基板７０を介して図示しない試射試験装置へも供給されるようになっている。さらに、近接Ｉ／Ｆ１２１の出力のうち始動口１スイッチ３６ａと始動口２スイッチ３７ａの検出信号は、第３入力ポート１２４の他、遊技用マイコン１１１に入力されるように構成されている。
【０１１５】
前述のように近接Ｉ／Ｆ１２１は、信号のレベル変換機能を有する。このようなレベル変換機能を可能にするため、近接Ｉ／Ｆ１２１には、電源装置４００から通常のＩＣの動作に必要な例えば５Ｖのような電圧の他に、１２Ｖの電圧が供給されるようになっている。
【０１１６】
第３入力ポート１２４が保持しているデータは、遊技用マイコン１１１が第３入力ポート１２４に割り当てられているアドレスをデコードすることによってイネーブル信号ＣＥ２をアサート（有効レベルに変化）することよって、読み出すことができる。第２入力ポート１２３や後述の第１入力ポート１２２も同様である。
【０１１７】
また、入力部１２０には、遊技機１０のガラス枠１５等に設けられたガラス枠開放検出スイッチ６３、前面枠１２等に設けられた前面枠開放検出スイッチ６４からの信号、払出異常を示すステータス信号、払出前の遊技球の不足を示すシュート球切れスイッチ信号、オーバーフローを示すオーバーフロースイッチ信号、操作ハンドル２４に設けられたタッチスイッチの入力に基づくタッチスイッチ信号を取り込んでデータバス１４０を介して遊技用マイコン１１１に供給する第１入力ポート１２２が設けられている。オーバーフロースイッチ信号は、下皿２３に遊技球が所定量以上貯留されていること（満杯になったこと）を検出したときに出力される信号である。
【０１１８】
また、入力部１２０には、電源装置４００からの停電監視信号やリセット信号などの信号を遊技用マイコン１１１等に入力するためのシュミットバッファ１２５が設けられており、シュミットバッファ１２５はこれらの入力信号からノイズを除去する機能を有する。電源装置４００からの停電監視信号や、初期化スイッチ１１２からの初期化スイッチ信号は、一旦第１入力ポート１２２に入力され、データバス１４０を介して遊技用マイコン１１１に取り込まれる。つまり、前述の各種スイッチからの信号と同等の信号として扱われる。遊技用マイコン１１１に設けられている外部からの信号を受ける端子の数には制約があるためである。
【０１１９】
一方、シュミットバッファ１２５によりノイズ除去されたリセット信号ＲＳＴは、遊技用マイコン１１１に設けられているリセット端子に直接入力されるとともに、出力部１３０の各ポートに供給される。また、リセット信号ＲＳＴは出力部１３０を介さずに直接中継基板７０に出力することで、試射試験装置に出力するために中継基板７０のポート（図示省略）に保持される試射試験信号をオフするように構成されている。
【０１２０】
また、リセット信号ＲＳＴを中継基板７０を介して試射試験装置に出力可能に構成するようにしてもよい。なお、リセット信号ＲＳＴは入力部１２０の各ポート１２２，１２３，１２４には供給されない。リセット信号ＲＳＴが入る直前に遊技用マイコン１１１によって出力部１３０の各ポートに設定されたデータはシステムの誤動作を防止するためリセットする必要があるが、リセット信号ＲＳＴが入る直前に入力部１２０の各ポートから遊技用マイコン１１１が読み込んだデータは、遊技用マイコン１１１のリセットによって廃棄されるためである。
【０１２１】
出力部１３０には、遊技用マイコン１１１から演出制御装置３００への通信経路及び遊技用マイコン１１１から払出制御装置２００への通信経路に配されるシュミットバッファ１３２が設けられている。遊技制御装置１００から演出制御装置３００及び払出制御装置２００へは、シリアル通信でデータが送信される。なお、演出制御装置３００の側から遊技制御装置１００へ信号を入力できないようにした片方向通信とされている。
【０１２２】
さらに、出力部１３０には、データバス１４０に接続され図示しない認定機関の試射試験装置へ変動表示ゲームの特図図柄情報を知らせるデータや大当りの確率状態を示す信号などを中継基板７０を介して出力するバッファ１３３が実装可能に構成されている。バッファ１３３は遊技店に設置される実機（量産販売品）としてのパチンコ遊技機の遊技制御装置（主基板）には実装されない部品である。なお、前記近接Ｉ／Ｆ１２１から出力される始動口スイッチなど加工の必要のないスイッチの検出信号は、バッファ１３３を通さずに中継基板７０を介して試射試験装置に供給される。
【０１２３】
一方、磁気センサスイッチ６１や電波センサ６２のようにそのままでは試射試験装置に供給できない検出信号は、一旦遊技用マイコン１１１に取り込まれて他の信号若しくは情報に加工されて、例えば遊技機が遊技制御できない状態であることを示すエラー信号としてデータバス１４０からバッファ１３３、中継基板７０を介して試射試験装置に供給される。
【０１２４】
なお、中継基板７０には、バッファ１３３から出力された信号を取り込んで試射試験装置に供給するポートや、バッファを介さないスイッチの検出信号の信号線を中継して伝達するコネクタなどが設けられている。中継基板７０上のポートには、遊技用マイコン１１１から出力されるチップイネーブル信号ＣＥも供給され、該信号ＣＥにより選択制御されたポートの信号が試射試験装置に供給されるようになっている。
【０１２５】
また、出力部１３０には、データバス１４０に接続され普通変動入賞装置３７を開放させるソレノイド（普電ソレノイド）３７ｃ、特別変動入賞装置３９を開放させるソレノイド（大入賞口ソレノイド）３９ｂの開閉データを出力するための第２出力ポート１３４が設けられている。
【０１２６】
また、出力部１３０には、一括表示装置５０に表示する内容に応じてＬＥＤのアノード端子が接続されているセグメント線のオン／オフデータを出力するための第３出力ポート１３５−１、１３５−２、一括表示装置５０のＬＥＤのカソード端子が接続されているデジット線のオン／オフデータを出力するための第４出力ポート１３６が設けられている。
【０１２７】
また、出力部１３０には、大当り情報など遊技機１０に関する情報を外部情報端子７１に出力するための第５出力ポート１３７が設けられている。外部情報端子７１にはフォトリレーが備えられ、例えば遊技店に設置された外部装置（情報収集端末や遊技場内部管理装置（ホールコンピュータ）など）に接続可能であり、遊技機１０に関する情報を外部装置に供給することができるようになっている。また、第５出力ポート１３７からはシュミットバッファ１３２を介して払出制御装置２００に発射許可信号も出力される。
【０１２８】
さらに、出力部１３０には、第２出力ポート１３４から出力される普電ソレノイド３７ｃや大入賞口ソレノイド３９ｂの開閉データ信号を受けてソレノイド駆動信号を生成し出力する第１ドライバ（駆動回路）１３８ａ、第３出力ポート１３５−１、１３５−２から出力される一括表示装置５０の電流供給側のセグメント線のオン／オフ駆動信号を出力する第２ドライバ１３８ｂ−１、１３８ｂ−２、第４出力ポート１３６から出力される一括表示装置５０の電流引き込み側のデジット線のオン／オフ駆動信号を出力する第３ドライバ１３８ｃ、第５出力ポート１３７から管理装置等の外部装置に供給する外部情報信号を外部情報端子７１に出力する第４ドライバ１３８ｄが設けられている。なお、第２ドライバ１３８ｂ−２は、一括表示装置５０のうち、排出球数表示部６６、出玉率表示部６７、及び、役物比率表示部６８用のセグメント線のオン／オフ駆動信号を出力し、第２ドライバ１３８ｂ−１は、一括表示装置５０のその他の表示部（表示器）用のセグメント線のオン／オフ駆動信号を出力する。
【０１２９】
第１ドライバ１３８ａには、３２Ｖで動作するソレノイドを駆動できるようにするため、電源電圧としてＤＣ３２Ｖが電源装置４００から供給される。また、一括表示装置５０のセグメント線を駆動する第２ドライバ１３８ｂには、ＤＣ１２Ｖが供給される。デジット線を駆動する第３ドライバ１３８ｃは、表示データに応じたデジット線を電流で引き抜くためのものであるため、電源電圧は１２Ｖ又は５Ｖのいずれであってもよい。
【０１３０】
１２Ｖを出力する第２ドライバ１３８ｂによりセグメント線を介してＬＥＤのアノード端子に電流を流し込み、接地電位を出力する第３ドライバ１３８ｃによりカソード端子よりセグメント線を介して電流を引き抜くことで、ダイナミック駆動方式で順次選択されたＬＥＤに電源電圧が流れて点灯される。外部情報信号を外部情報端子７１に出力する第４ドライバ１３８ｄは、外部情報信号に１２Ｖのレベルを与えるため、ＤＣ１２Ｖが供給される。なお、バッファ１３３や第２出力ポート１３４、第１ドライバ１３８ａ等は、遊技制御装置１００の出力部１３０、すなわち、主基板ではなく、中継基板７０側に設けるようにしてもよい。
【０１３１】
さらに、出力部１３０には、外部の検査装置２５０へ各遊技機の識別コードやプログラムなどの情報を送信するためのフォトカプラ１３９が設けられている。フォトカプラ１３９は、遊技用マイコン１１１が検査装置５００との間でシリアル通信によってデータの送受信を行えるように双方通信可能に構成されている。なお、かかるデータの送受信は、通常の汎用マイクロプロセッサと同様に遊技用マイコン１１１が有するシリアル通信端子を利用して行われるため、入力ポート１２２，１２３，１２４のようなポートは設けられていない。
【０１３２】
〔演出制御装置〕
次に、図４を用いて、演出制御装置３００（サブ基板）の構成について説明する。図４は、遊技機１０の演出制御系のブロック図である。
【０１３３】
演出制御装置３００は、遊技用マイコン１１１と同様にアミューズメントチップ（ＩＣ）からなる主制御用マイコン（ＣＰＵ）３１１と、主制御用マイコン３１１からのコマンドやデータに従って表示装置４１への映像表示のための画像処理を行うグラフィックプロセッサとしてのＶＤＰ（Video Display Processor）３１２と、各種のメロディや効果音などをスピーカ１９から再生させるため音の出力を制御する音源ＬＳＩ３１４を備えている。
【０１３４】
主制御用マイコン３１１には、ＣＰＵが実行するプログラムや各種データを格納したＰＲＯＭ（プログラマブルリードオンリメモリ）からなるプログラムＲＯＭ３２１、作業領域を提供するＲＡＭ３２２、停電時に電力が供給されなくとも記憶内容を保持可能なＦｅＲＡＭ３２３、現在の日時（年月日や曜日、時刻など）を示す情報を生成する計時手段をなすＲＴＣ（リアルタイムクロック）３３８が接続されている。なお、主制御用マイコン３１１の内部にも作業領域を提供するＲＡＭが設けられている。
【０１３５】
また、主制御用マイコン３１１にはＷＤＴ（ウォッチドッグ・タイマ）回路３２４が接続されている。主制御用マイコン３１１は、遊技用マイコン１１１からのコマンドを解析し、演出内容を決定してＶＤＰ３１２に出力映像の内容を指示したり、音源ＬＳＩ３１４への再生音の指示、装飾ランプの点灯、モータやソレノイドの駆動制御、演出時間の管理などの処理を実行する。
【０１３６】
ＶＤＰ３１２には、作業領域を提供するＲＡＭ３１２ａや、画像を拡大、縮小処理するためのスケーラ３１２ｂが設けられている。また、ＶＤＰ３１２にはキャラクタ画像や映像データが記憶された画像ＲＯＭ３２５や、画像ＲＯＭ３２５から読み出されたキャラクタなどの画像データを展開したり加工したりするのに使用される超高速なＶＲＡＭ（ビデオＲＡＭ）３２６が接続されている。
【０１３７】
特に限定されるわけではないが、主制御用マイコン３１１とＶＤＰ３１２との間は、パラレル方式でデータの送受信が行われるように構成されている。パラレル方式でデータを送受信することで、シリアルの場合よりも短時間にコマンドやデータを送信することができる。
【０１３８】
ＶＤＰ３１２から主制御用マイコン３１１へは、表示装置４１の映像とガラス枠１５や遊技盤３０に設けられている装飾ランプの点灯を同期させるための垂直同期信号ＶＳＹＮＣ、データの送信タイミングを与える同期信号ＳＴＳが入力される。なお、ＶＤＰ３１２から主制御用マイコン３１１へは、ＶＲＡＭへの描画の終了等処理状況を知らせるため割込み信号ＩＮＴ０〜ｎ及び主制御用マイコン３１１からのコマンドやデータの受信待ちの状態にあることを知らせるためのウェイト信号ＷＡＩＴなども入力される。
【０１３９】
演出制御装置３００には、ＬＶＤＳ（小振幅信号伝送）方式で表示装置４１に送信する映像信号を生成する信号変換回路３１３が設けられている。ＶＤＰ３１２から信号変換回路３１３へは、映像データ、水平同期信号ＨＳＹＮＣ及び垂直同期信号ＶＳＹＮＣが入力されるようになっており、ＶＤＰ３１２で生成された映像は、信号変換回路３１３を介して表示装置４１に表示される。
【０１４０】
音源ＬＳＩ３１４には音声データが記憶された音ＲＯＭ３２７が接続されている。主制御用マイコン３１１と音源ＬＳＩ３１４は、アドレス／データバス３４０を介して接続されている。また、音源ＬＳＩ３１４から主制御用マイコン３１１へは割込み信号ＩＮＴが入力されるようになっている。演出制御装置に３００には、ガラス枠１５に設けられた上スピーカ１９ａ及び前面枠１２に設けられた下スピーカ１９ｂを駆動するオーディオパワーアンプなどからなるアンプ回路３３７が設けられており、音源ＬＳＩ３１４で生成された音声はアンプ回路３３７を介して上スピーカ１９ａ及び下スピーカ１９ｂから出力される。
【０１４１】
また、演出制御装置３００には、遊技制御装置１００から送信されるコマンドを受信するインタフェースチップ（コマンドＩ／Ｆ）３３１が設けられている。コマンドＩ／Ｆ３３１を介して、遊技制御装置１００から演出制御装置３００に送信された飾り特図保留数コマンド、飾り特図コマンド、変動コマンド、停止情報コマンド等を、演出制御指令信号（演出コマンド）として受信する。遊技制御装置１００の遊技用マイコン１１１はＤＣ５Ｖで動作し、演出制御装置３００の主制御用マイコン３１１はＤＣ３．３Ｖで動作するため、コマンドＩ／Ｆ３３１には信号のレベル変換の機能が設けられている。
【０１４２】
また、演出制御装置３００には、遊技盤３０（センターケース４０を含む）に設けられているＬＥＤ（発光ダイオード）を有する盤装飾装置４６を駆動制御する盤装飾ＬＥＤ制御回路３３２、ガラス枠１５に設けられているＬＥＤ（発光ダイオード）を有する枠装飾装置（例えば枠装飾装置１８等）を駆動制御する枠装飾ＬＥＤ制御回路３３３、遊技盤３０（センターケース４０を含む）に設けられている盤演出装置４４（例えば表示装置４１における演出表示と協働して演出効果を高める可動役物等）を駆動制御する盤演出可動体制御回路３３４が設けられている。
【０１４３】
ランプやモータ及びソレノイドなどを駆動制御するこれらの制御回路３３２〜３３４は、アドレス／データバス３４０を介して主制御用マイコン３１１と接続されている。なお、ガラス枠１５に設けられているモータ等の枠演出装置を駆動制御する枠演出可動体制御回路を備えていてもよい。
【０１４４】
さらに、演出制御装置３００には、ガラス枠１５に設けられた演出ボタン２５に内蔵されている演出ボタンスイッチ２５ａ、演出ボタン２５の表面に設けられているタッチパネル２５ｂ、盤演出装置４４内のモータの初期位置等を検出する演出役物スイッチ４７（演出モータスイッチ）のオン／オフ状態を検出して主制御用マイコン３１１に検出信号を入力する機能や、演出制御装置３００に設けられた音量調節スイッチ３３５の状態を検出して主制御用マイコン３１１に検出信号を入力するスイッチ入力回路３３６が設けられている。
【０１４５】
電源装置４００の通常電源部４１０は、前述のような構成を有する演出制御装置３００やそれによって制御される電子部品に対して所望のレベルの直流電圧を供給するため、モータやソレノイドを駆動するためのＤＣ３２Ｖ、液晶パネルからなる表示装置４１、モータやＬＥＤを駆動するためのＤＣ１２Ｖ、コマンドＩ／Ｆ３３１の電源電圧となるＤＣ５Ｖの他に、モータやＬＥＤ、スピーカを駆動するためのＤＣ１５Ｖの電圧を生成するように構成されている。
【０１４６】
さらに、主制御用マイコン３１１として、３．３Ｖあるいは１．２Ｖのような低電圧で動作するＬＳＩを使用する場合には、ＤＣ５Ｖに基づいてＤＣ３．３ＶやＤＣ１．２Ｖを生成するためのＤＣ−ＤＣコンバータが演出制御装置３００に設けられる。なお、ＤＣ−ＤＣコンバータは通常電源部４１０に設けるようにしてもよい。
【０１４７】
電源装置４００の制御信号生成部４３０により生成されたリセット信号は、主制御用マイコン３１１に供給され、当該デバイスをリセット状態にする。また、主制御用マイコン３１１から出力される形で、ＶＤＰ３１２（ＶＤＰＲＥＳＥＴ信号）、音源ＬＳＩ３１４、スピーカを駆動するアンプ回路３３７（ＳＮＤＲＥＳＥＴ信号）、ランプやモータなどを駆動制御する制御回路３３２〜３３４（ＩＯＲＥＳＥＴ信号）に供給され、これらをリセット状態にする。また、演出制御装置３００には遊技機１０の各所を冷却する冷却ＦＡＮ４５が接続され、演出制御装置３００の電源が投入された状態では冷却ＦＡＮ４５が駆動するようにされている。
【０１４８】
次に、これらの制御回路において行われる遊技制御について説明する。遊技制御装置１００の遊技用マイコン１１１のＣＰＵ１１１ａでは、普図始動ゲート３４に備えられたゲートスイッチ３４ａからの遊技球の検出信号の入力に基づき、普図の当り判定用乱数値を抽出してＲＯＭ１１１ｂに記憶されている判定値と比較し、普図変動表示ゲームの当り外れを判定する。
【０１４９】
そして、普図表示器に、識別図柄を所定時間変動表示した後、停止表示する普図変動表示ゲームを表示する。普図変動表示ゲームの結果が当りの場合は、普図表示器に特別の結果態様を表示するとともに、普電ソレノイド３７ｃを動作させ、普通変動入賞装置３７の可動部材３７ｂを所定時間（例えば、０．３秒間）前述のように開放する制御を行う。すなわち、遊技制御装置１００が、変換部材（可動部材３７ｂ）の変換制御を行う変換制御実行手段をなす。なお、普図変動表示ゲームの結果がはずれの場合は、普図表示器にはずれの結果態様を表示する制御を行う。
【０１５０】
また、始動入賞口３６に備えられた始動口１スイッチ３６ａからの遊技球の検出信号の入力に基づき始動入賞（始動記憶）を記憶し、始動記憶に基づき、特図１変動表示ゲームの大当り判定用乱数値を抽出してＲＯＭ１１１ｂに記憶されている判定値と比較し、特図１変動表示ゲームの当り外れを判定する。
【０１５１】
また、普通変動入賞装置３７に備えられた始動口２スイッチ３７ａからの遊技球の検出信号の入力に基づき始動記憶を記憶し、始動記憶に基づき、特図２変動表示ゲームの大当り判定用乱数値を抽出してＲＯＭ１１１ｂに記憶されている判定値と比較し、特図２変動表示ゲームの当り外れを判定する。
【０１５２】
そして、遊技制御装置１００のＣＰＵ１１１ａは、特図１変動表示ゲームや特図２変動表示ゲームの判定結果を含む制御信号（演出制御コマンド）を、演出制御装置３００に出力する。そして、特図１表示器５１や特図２表示器５２に、識別図柄を所定時間変動表示した後、停止表示する特図変動表示ゲームを表示する。すなわち、遊技制御装置１００が、遊技領域３２を流下する遊技球の始動入賞領域（第１始動入賞口３６、普通変動入賞装置３７）への入賞に基づき変動表示ゲームの進行制御を行う遊技制御手段をなす。
【０１５３】
また、演出制御装置３００では、遊技制御装置１００からの制御信号に基づき、表示装置４１で特図変動表示ゲームに対応した飾り特図変動表示ゲームを表示する。さらに、演出制御装置３００では、遊技制御装置１００からの制御信号に基づき、演出状態の設定や、スピーカ１９ａ，１９ｂからの音の出力、各種ＬＥＤの発光を制御する処理等を行う。すなわち、演出制御装置３００が、遊技（変動表示ゲーム等）に関する演出を制御する演出制御手段をなす。
【０１５４】
そして、遊技制御装置１００のＣＰＵ１１１ａは、特図変動表示ゲームの結果が当りの場合は、特図１表示器５１や特図２表示器５２に特別結果態様を表示するとともに、特別遊技状態を発生させる。特別遊技状態を発生させる処理においては、ＣＰＵ１１１ａは、例えば、大入賞口ソレノイド３９ｂにより特別変動入賞装置３９の開閉扉３９ｃを開放させ、大入賞口内への遊技球の流入を可能とする制御を行う。
【０１５５】
そして、大入賞口に所定個数（例えば、１０個）の遊技球が入賞するか、大入賞口の開放から所定の開放可能時間（例えば、２７秒又は０．０５秒）が経過するかのいずれかの条件が達成されるまで大入賞口を開放することを１ラウンド（Ｒ）とし、これを所定ラウンド回数（例えば、１６回又は４回）継続する（繰り返す）制御（サイクル遊技）を行う。すなわち、遊技制御装置１００が、停止結果態様が特別結果態様となった場合に、大入賞口を開閉する制御を行う大入賞口開閉制御手段をなす。また、特図変動表示ゲームの結果がはずれの場合は、特図１表示器５１や特図２表示器５２にはずれの結果態様を表示する制御を行う。
【０１５６】
また、遊技制御装置１００は、特図変動表示ゲームの結果態様に基づき、特別遊技状態の終了後に、遊技状態として高確率状態を発生可能となっている。高確率状態（確変状態）は、特図変動表示ゲームにて当り結果となる確率が、通常確率状態と比較して高い状態である。また、特図１変動表示ゲーム及び特図２変動表示ゲームのどちらの特図変動表示ゲームの結果態様に基づき高確率状態となっても、特図１変動表示ゲーム及び特図２変動表示ゲームの両方が高確率状態となる。
【０１５７】
また、遊技制御装置１００は、特図変動表示ゲームの結果態様に基づき、特別遊技状態の終了後に、遊技状態として時短状態（特定遊技状態）を発生可能となっている。時短状態においては、普図変動表示ゲーム及び普通変動入賞装置３７を時短動作状態とする制御を行い、普通変動入賞装置３７が通常動作状態である場合よりも、単位時間当りの普通変動入賞装置３７の開放時間が実質的に多くなるように制御するため、普電サポート状態となる。なお、潜伏確変状態を除く高確率状態（通常の確変状態）でも、重複して時短状態にして普電サポートを実行する。
【０１５８】
例えば、時短状態においては、前述の普図変動表示ゲームの実行時間（普図変動時間）を通常の第１変動表示時間よりも短い第２変動表示時間にする時間短縮変動が可能である（例えば、１００００ｍｓｅｃが１０００ｍｓｅｃ）。なお、時短状態においては、特図変動表示ゲームの実行時間（特図変動時間）も通常より短縮され、特図変動表示ゲームの時間短縮変動も実行する。
【０１５９】
また、時短状態においては、普図変動表示ゲームの結果を表示する普図停止時間を第１停止時間（例えば１６０４ｍｓｅｃ）よりも短い第２停止時間（例えば７０４ｍｓｅｃ）となるように制御することが可能である。
【０１６０】
また、時短状態においては、普図変動表示ゲームが当り結果となって普通変動入賞装置３７が開放される場合に、開放時間（普電開放時間）が通常状態の第１開放時間（例えば１００ｍｓｅｃ）よりも長い第２開放時間（例えば１３５２ｍｓｅｃ）となるように制御することが可能である。
【０１６１】
また、時短状態においては、普図変動表示ゲームの１回の当り結果に対して、普通変動入賞装置３７の開放回数（普電開放回数）を第１開放回数（例えば２回）よりも多い回数（例えば、４回）の第２開放回数に設定することが可能である。また、時短状態においては、普図変動表示ゲームの当り結果となる確率（普図確率）を通常動作状態である場合の通常確率（低確率）よりも高い高確率とすることが可能である。
【０１６２】
時短状態においては、普図変動時間、普図停止時間、普電開放回数、普電開放時間、普図確率のいずれか一つ又は複数を変化させることで普通変動入賞装置３７を開状態に状態変換する時間を通常よりも延長するようにする。これにより、時短状態では、通常遊技状態よりも普通変動入賞装置３７への入賞が容易化して、単位時間当たりの特図変動表示ゲームの実行回数が通常遊技状態よりも増加可能である。また、変化させるものが異なる複数種類の時短状態を設定することも可能である。また、通常動作状態において可動部材３７ｂを開放しないように設定（普図確率が０）してもよい。また、当りとなった場合に第１開放態様と第２開放態様のいずれかを選択するようにしてもよい。この場合、第１開放態様と第２開放態様の選択確率を異ならせてもよい。また、高確率状態と時短状態は、それぞれ独立して発生可能であり、両方を同時に発生することも可能であるし一方のみを発生させることも可能である。
【０１６３】
［遊技制御装置の制御］
以下、このような遊技を行う遊技機の制御について説明する。まず、上記遊技制御装置１００の遊技用マイクロコンピュータ（遊技用マイコン）１１１によって実行される制御について説明する。遊技用マイコン１１１による制御処理は、主に図５Ａ及び図５Ｂに示すメイン処理と、所定時間周期（例えば４ｍｓｅｃ）で行われる図９に示すタイマ割込み処理とからなる。
【０１６４】
〔メイン処理（遊技制御装置）〕
まず、メイン処理について説明する。図５Ａ及び図５Ｂは、遊技制御装置１００によるメイン処理の手順を示すフローチャートである。メイン処理は、電源が投入されることで開始される。なお、遊技制御装置１００が実行する処理のフローチャートにおいて、ステップの符号（番号）は「Ａ＊＊＊＊」と表されている。
【０１６５】
図５Ａに示すように、遊技制御装置１００は、メイン処理を開始すると、まず、割込みを禁止する処理を実行する（Ａ１００１）。さらに、割込み発生時にレジスタ等の値を退避する領域の先頭アドレスであるスタックポインタを設定するスタックポインタ設定処理を実行する（Ａ１００２）。
【０１６６】
続いて、使用するレジスタバンクとしてレジスタバンク０を指定し（Ａ１００３）、所定のレジスタにＲＡＭ先頭アドレスの上位アドレスをセットする（Ａ１００４）。例えば、ＲＡＭのアドレスが００００ｈ〜０１ＦＦｈの範囲である場合に、上位アドレスとして００ｈをセットする。
【０１６７】
次に、遊技制御装置１００は、発射禁止の信号を出力して発射許可信号を禁止状態に設定する（Ａ１００５）。発射許可信号は遊技制御装置１００と払出制御装置２００の少なくとも一方が発射禁止の信号を出力している場合に禁止状態に設定され、遊技球の発射が禁止されるようになっている。その後、遊技制御装置１００は、入力ポート１（第１入力ポート１２２）の状態を読み込む（Ａ１００６）。
【０１６８】
さらに、遊技制御装置１００は、電源ディレイタイマを設定する（Ａ１００７）。電源ディレイタイマに所定の初期値を設定することにより、主制御手段をなす遊技制御装置１００からの指示に従い種々の制御を行う従制御手段（例えば、払出制御装置２００や演出制御装置３００）のプログラムが正常に起動するまで待機するための待機時間（例えば３秒）が設定される。これにより、電源投入の際に仮に遊技制御装置１００が先に立ち上がって従制御装置（例えば払出制御装置２００や演出制御装置３００）が立ち上がる前にコマンドを従制御装置に送ってしまい、従制御装置がコマンドを取りこぼすことを回避することができる。すなわち、遊技制御装置１００が、電源投入時において、主制御手段（遊技制御装置１００）の起動を遅らせて従制御装置（払出制御装置２００、演出制御装置３００等）の起動を待つための所定の待機時間を設定する待機手段をなす。
【０１６９】
また、電源ディレイタイマの計時は、ＲＡＭの正当性判定（チェックサム算出）の対象とならない記憶領域（正当性判定対象外のＲＡＭ領域又はレジスタ等）を用いて行われる。これにより、ＲＡＭ領域のチェックサム等のチェックデータを算出する際に、一部のＲＡＭ領域を除外して算出する必要がないため電源投入時の制御が複雑になることを防止することができる。
【０１７０】
なお、第１入力ポート１２２には初期化スイッチ信号が入力されるようになっており、待機時間の開始前に第１入力ポート１２２の状態を読み込むことで、初期化スイッチ１１２の操作を確実に検出できる。すなわち、待機時間の経過後に初期化スイッチ１１２の状態を読み込むようにすると、待機時間の経過を待ってから初期化スイッチ１１２を操作したり、電源投入から待機時間の経過まで初期化スイッチ１１２を操作し続けたりする必要がある。しかし、待機時間の開始前に状態を読み込むことで、このような煩わしい操作を行わなくても電源投入後すぐに操作を行うことで検出されるようになり、電源投入時に行った初期化の操作が受け付けられないような事態を防止できる。
【０１７１】
電源ディレイタイマを設定すると（Ａ１００７）、遊技制御装置１００は、待機時間の計時と、待機時間中における停電の発生を監視する処理とを実行する（Ａ１００８からＡ１０１２）。
【０１７２】
停電監視処理が開始されると、遊技制御装置１００は、まず、電源装置４００から入力されている停電監視信号をポート及びデータバスを介して読み込んでチェックする回数（例えば２回）を設定し（Ａ１００８）、停電監視信号がオンである否かを判定する（Ａ１００９）。
【０１７３】
遊技制御装置１００は、停電監視信号がオンである場合には（Ａ１００９の結果が「Ｙ」）、ステップＡ１００８の処理で設定したチェック回数分停電監視信号のオン状態が継続しているか否かを判定する（Ａ１０１０）。そして、チェック回数分停電監視信号のオン状態が継続していない場合には（Ａ１０１０の結果が「Ｎ」）、ステップＡ１００９の停電監視信号がオンであるか否かを判定する処理に戻る。
【０１７４】
また、遊技制御装置１００は、チェック回数分停電監視信号のオン状態が継続している場合（Ａ１０１０の結果が「Ｙ」）、すなわち、停電が発生していると判定した場合には、遊技機の電源が遮断されるまで待機する。このように、所定期間に亘り停電監視信号を受信し続けた場合に停電が発生したと判定することで、ノイズなどにより停電を誤検知することを防止でき、電源投入時における不具合に適切に対処することができる。
【０１７５】
すなわち、遊技制御装置１００が、所定の待機時間において停電の発生を監視する停電監視手段をなす。これにより、主制御手段をなす遊技制御装置１００の起動を遅らせている期間において発生した停電に対応することが可能となり、電源投入時における不具合に適切に対処することができる。なお、待機時間の終了まではＲＡＭへのアクセスが許可されておらず、前回の電源遮断時の記憶内容が保持されたままとなっているため、ここでの停電発生時にはバックアップの処理等は行う必要がない。したがって、待機時間中に停電が発生してもＲＡＭのバックアップを取る必要がなく、制御の負担を軽減することができる。
【０１７６】
一方、遊技制御装置１００は、停電監視信号がオンでない場合（Ａ１００９の結果が「Ｎ」）、すなわち、停電が発生していない場合には、電源投入ディレイタイマを−１更新し（Ａ１０１１）、タイマの値が０であるか否かを判定する（Ａ１０１２）。タイマの値が０でない場合（Ａ１０１２の結果が「Ｎ」）、すなわち、待機時間が終了していない場合には、ステップＡ１００８の停電監視信号のチェック回数を設定する処理に戻る。
【０１７７】
また、遊技制御装置１００は、タイマの値が０である場合（Ａ１０１２の結果が「Ｙ」）、すなわち、待機時間が終了した場合には、ＲＡＭやＥＥＰＲＯＭ等の読出し書込み可能なＲＷＭ（リードライトメモリ）のアクセスを許可し（Ａ１０１３）、全出力ポートにオフデータを出力（出力が無い状態に設定）する（Ａ１０１４）。
【０１７８】
次に、遊技制御装置１００は、シリアルポート（遊技用マイコン１１１に予め搭載されているポートで、本実施形態では、演出制御装置３００や払出制御装置２００との通信に使用）を設定する（Ａ１０１５）。さらに、先に読み込んだ第１入力ポート１２２の状態から初期化スイッチがオンにされたか否かを判定する（Ａ１０１６）。
【０１７９】
遊技制御装置１００は、初期化スイッチがオフである場合には（Ａ１０１６の結果が「Ｎ」）、ＲＷＭ内の停電検査領域１の値が正常な停電検査領域チェックデータであるか否かを判定する（Ａ１０１７）。そして、正常であれば（Ａ１０１７の結果が「Ｙ」）、ＲＷＭ内の停電検査領域２の値が正常な停電検査領域チェックデータであるか否かを判定する（Ａ１０１８）。
【０１８０】
さらに、遊技制御装置１００は、停電検査領域２の値が正常であれば（Ａ１０１８の結果が「Ｙ」）、ＲＷＭ内の所定領域のチェックサムを算出するチェックサム算出処理を実行し（Ａ１０１９）、正当性判定として、算出されたチェックサムと電源断時のチェックサムが一致するか否かを判定する（Ａ１０２０）。なお、出玉や獲得球数に関する情報を記憶する領域（例えば、排出球数領域、獲得球数領域、役物別獲得球数領域）を正当性判定の対象から外してもよい。チェックサムが一致する場合には（Ａ１０２０の結果が「Ｙ」）、図５ＢのステップＡ１０２１の処理に移行し、停電から正常に復旧した場合の処理を実行する。
【０１８１】
また、遊技制御装置１００は、初期化スイッチがオンである場合（Ａ１０１６の結果が「Ｙ」）、停電検査領域のチェックデータが正常なデータでないと判定された場合（Ａ１０１７の結果が「Ｎ」、又は、Ａ１０１８の結果が「Ｎ」）、チェックサムが正常でない場合には（Ａ１０２０の結果が「Ｎ」）、図５ＢのステップＡ１０２６の処理に移行して初期化処理を実行する。すなわち、初期化スイッチが外部からの操作が可能な初期化操作部をなし、遊技制御装置１００が、初期化操作部が操作されたことに基づきＲＡＭに記憶されたデータを初期化する初期化手段をなす。
【０１８２】
遊技制御装置１００は、初期化すべき領域に停電復旧時（電源投入時）の初期値をセーブする（Ａ１０２１）。初期化すべき領域とは、停電検査領域、チェックサム領域及びエラー不正監視に係る領域である。また、初期化すべき領域は、後述の排出球数領域、獲得球数領域、役物別獲得球数領域を含み、これら領域は０クリア（初期値＝０）によって初期化される。これにより、排出球数、獲得球数、役物別獲得球数、さらには、獲得球数から得られる出玉率、役物別獲得球数から計算される役物比率も０クリアされることになる。なお、役物別獲得球数領域（ひいては役物比率）は、０クリアしない構成も可能である。また、払出制御装置２００がコマンドを受付可能な状態か否かを示す信号である払出ビジー信号の状態を記憶するビジー信号ステータス領域もクリアされ、払出ビジー信号の状態を確定していないことを示す不定状態とされる。その後、遊技制御装置１００は、ＲＷＭ内の遊技状態を記憶する領域を調べて遊技状態が高確率状態であるか否かを判定する（Ａ１０２２）。
【０１８３】
ここで、遊技制御装置１００は、遊技状態が高確率状態でない場合には（Ａ１０２２の結果が「Ｎ」）、ステップＡ１０２３及びステップＡ１０２４の処理をスキップして、ステップＡ１０２５の処理に移行する。また、遊技状態が高確率状態である場合には（Ａ１０２２の結果が「Ｙ」）、高確率報知フラグ領域にオン情報をセーブし（Ａ１０２３）、例えば一括表示装置５０に設けられる高確率報知ＬＥＤ（エラー表示器）のオン（点灯）データをセグメント領域にセーブする（Ａ１０２４）。そして、後述の特図ゲーム処理を合理的に実行するために用意されている処理番号に対応する停電復旧時のコマンドを演出制御基板（演出制御装置３００）に送信し（Ａ１０２５）、ステップＡ１０３１の処理を実行する。
【０１８４】
一方、ステップＡ１０１６，Ａ１０１７，Ａ１０１８，Ａ１０２０の実行後にステップＡ１０２６の処理を実行する場合には、遊技制御装置１００は、ＲＡＭアクセス禁止領域をアクセス許可に設定する（Ａ１０２６）。さらに、ビジー信号ステータス領域を含むすべてのＲＡＭ領域を０クリアし（Ａ１０２７）、ＲＡＭアクセス禁止領域をアクセス禁止に設定する（Ａ１０２８）。
【０１８５】
そして、遊技制御装置１００は、初期化すべき領域にＲＡＭ初期化時の初期値をセーブする（Ａ１０２９）。初期化すべき領域とは、客待ちデモ領域及び演出モードの設定に係る領域である。さらに、遊技制御装置１００は、ＲＡＭ初期化時のコマンドを演出制御基板に送信し（Ａ１０３０）、ステップＡ１０３１の処理を実行する。
【０１８６】
なお、ステップＡ１０２５の処理で送信される停電復旧時のコマンド及びステップＡ１０３０の処理で送信されるＲＡＭ初期化時のコマンドには、遊技機の種類を示す機種指定コマンド、特図１，２の保留数を示す飾り特図１保留数コマンド及び飾り特図２保留数コマンド、確率の状態を示す確率情報コマンドが含まれる。また、電源遮断時や電源投入時の状態に応じて、電源遮断時に特図変動表示ゲームの実行中であった場合は復旧画面コマンド、電源遮断時に客待ち中であった場合は客待ちデモコマンド、電源投入時に初期化された場合は電源投入コマンドが含まれる。さらに、機種によって演出モードの状態を示す演出モード情報コマンド、時短状態での残りゲーム数を示す時短回数情報コマンドが含まれる。ＲＡＭ初期化時のコマンドには、ＲＡＭ初期化のコマンドも含まれる。
【０１８７】
遊技制御装置１００は、遊技用マイコン１１１（クロックジェネレータ）内のタイマ割込み信号及び乱数更新トリガ信号（ＣＴＣ）を発生するＣＴＣ（Counter／Timer Circuit）回路を起動する（Ａ１０３１）。なお、ＣＴＣ回路は、遊技用マイコン１１１内のクロックジェネレータに設けられている。クロックジェネレータは、発振回路１１３からの発振信号（原クロック信号）を分周する分周回路と、分周された信号に基づいてＣＰＵ１１１ａに対して所定周期（例えば、４ミリ秒）のタイマ割込み信号及び乱数生成回路に供給する乱数更新のトリガを与える信号ＣＴＣを発生するＣＴＣ回路とを備えている。
【０１８８】
ステップＡ１０３１のＣＴＣ起動処理の実行後、遊技制御装置１００は、乱数生成回路を起動設定する（Ａ１０３２）。具体的には、乱数生成回路内の所定のレジスタ（ＣＴＣ更新許可レジスタ）に乱数生成回路を起動させるためのコード（指定値）の設定などがＣＰＵ１１１ａによって行われる。また、乱数生成回路のハードウェアで生成されるハード乱数（ここでは大当り乱数）のビット転置パターンの設定も行われる。
【０１８９】
ビット転置パターンとは、抽出した乱数のビット配置（上段のビット転置前の配置）を、予め定められた順で入れ替えて異なるビット配置（下段のビット転置後の配置）として格納する際の入れ替え方を定めるパターンである。
【０１９０】
本実施形態では、ビット転置パターンに従い乱数のビットを入れ替えることで、乱数の規則性を崩すことができるとともに、乱数の秘匿性を高めることができる。なお、ビット転置パターンは、固定された単一のパターンであってもよいし、予め用意された複数のパターンから選択するようにしてもよい。また、ユーザーが任意に設定できるようにしてもよい。
【０１９１】
その後、遊技制御装置１００は、電源投入時の乱数生成回路内の所定のレジスタ（ソフト乱数レジスタ１〜ｎ）の値を抽出し、対応する各種初期値乱数（大当り図柄を決定する乱数（大当り図柄乱数１、大当り図柄乱数２）、小当り図柄を決定する乱数（小当り図柄乱数）、普図の当りを決定する乱数（当り乱数）、普図の当り図柄を決定する乱数（当り図柄乱数）等）の初期値（スタート値）としてＲＷＭの所定領域にセーブし（Ａ１０３３）、割込みを許可する（Ａ１０３４）。本実施形態で使用するＣＰＵ１１１ａ内の乱数生成回路においては、電源投入ごとにソフト乱数レジスタの初期値が変わるように構成されているため、この値を各種初期値乱数の初期値（スタート値）とすることで、ソフトウェアで生成される乱数の規則性を崩すことができ、遊技者による不正な乱数の取得を困難にすることができる。
【０１９２】
続いて、遊技制御装置１００は、各種初期値乱数の値を更新して乱数の規則性を崩すための初期値乱数更新処理を実行する（Ａ１０３５）。なお、特に限定されるわけではないが、本実施形態においては、大当り乱数、大当り図柄乱数、当り乱数は乱数生成回路において生成される乱数を使用して生成するように構成されている。ただし、大当り乱数はＣＰＵの動作クロックと同等以上の速度のクロックを基にして更新される所謂「高速カウンタ」であり、大当り図柄乱数、当り乱数はプログラムの処理単位であるタイマ割込み処理と同周期となるＣＴＣ出力（タイマ割込み処理のＣＴＣ（ＣＴＣ０）とは別のＣＴＣ（ＣＴＣ２））を基にして更新される「低速カウンタ」である。
【０１９３】
また、大当り図柄乱数、当り図柄乱数においては、乱数が一巡するごとに各々の初期値乱数（ソフトウェアで生成）を用いてスタート値を変更する所謂「初期値変更方式」を採用している。なお、前記各乱数は、＋１あるいは１によるカウンタ式更新でもよいし、一巡するまで範囲内のすべての値が重複なくバラバラに出現するランダム式更新でもよい。つまり、大当り乱数はハードウェアのみで更新される乱数であり、大当り図柄乱数、当り乱数はハードウェア及びソフトウェアで更新される乱数である。
【０１９４】
ステップＡ１０３５の初期値乱数更新処理の後、遊技制御装置１００は、電源装置４００から入力されている停電監視信号をポート及びデータバスを介して読み込んでチェックする回数を設定し（Ａ１０３６）、停電監視信号がオンであるか否かを判定する（Ａ１０３７）。停電監視信号がオンでない場合には（Ａ１０３７の結果が「Ｎ」）、ステップＡ１０３５の初期値乱数更新処理に戻る。すなわち、停電が発生していない場合には、初期値乱数更新処理と停電監視信号のチェック（ループ処理）を繰り返し行う。初期値乱数更新処理（Ａ１０３５）の前に割込みを許可する（Ａ１０３４）ことによって、初期値乱数更新処理中にタイマ割込みが発生すると割込み処理が優先して実行されるようになり、タイマ割込みが初期値乱数更新処理によって待機させられることで割込み処理が圧迫されることを回避することができる。
【０１９５】
なお、ステップＡ１０３５の初期値乱数更新処理は、メイン処理のほか、タイマ割込み処理の中においても初期値乱数更新処理を行う方法もあり、そのような方法を採用した場合には両方で初期値乱数更新処理が実行されることを回避するため、メイン処理で初期値乱数更新処理を行う場合には割込みを禁止してから更新して割込みを解除する必要がある。一方、本実施形態のようにタイマ割込み処理の中での初期値乱数更新処理はせず、メイン処理内のみにした場合には初期値乱数更新処理の前に割込みを解除しても何ら問題はなく、それによってメイン処理が簡素化されるという利点がある。
【０１９６】
停電監視信号がオンである場合には（Ａ１０３７の結果が「Ｙ」）、遊技制御装置１００は、ステップＡ１０３６の処理で設定したチェック回数分停電監視信号のオン状態が継続しているか否かを判定する（Ａ１０３８）。そして、チェック回数分停電監視信号のオン状態が継続していない場合には（Ａ１０３８の結果が「Ｎ」）、ステップＡ１０３７に戻り、停電監視信号がオンであるか否かを判定する。
【０１９７】
また、遊技制御装置１００は、チェック回数分停電監視信号のオン状態が継続している場合（Ａ１０３８の結果が「Ｙ」）、すなわち、停電が発生していると判定した場合には、一旦割込みを禁止し（Ａ１０３９）、全出力ポートにオフデータを出力する（Ａ１０４０）。
【０１９８】
その後、遊技制御装置１００は、停電検査領域１に停電検査領域チェックデータ１をセーブし（Ａ１０４１）、停電検査領域２に停電検査領域チェックデータ２をセーブする（Ａ１０４２）。さらに、ＲＷＭの電源遮断時のチェックサムを算出するチェックサム算出処理を実行し（Ａ１０４３）、さらに、算出したチェックサムをセーブする（Ａ１０４４）。最後に、ＲＷＭへのアクセスを禁止する処理を実行し（Ａ１０４５）、遊技機の電源が遮断されるまで待機する。
【０１９９】
このように、停電検査領域にチェックデータをセーブするとともに、電源遮断時のチェックサムを算出することで、電源の遮断の前にＲＷＭに記憶されていた情報が正しくバックアップされているか否かを電源再投入時に判断することができる。
【０２００】
以上のことから、遊技を統括的に制御する主制御手段（遊技制御装置１００）と、該主制御手段からの指示に従い種々の制御を行う従制御手段（払出制御装置２００、演出制御装置３００等）と、を備える遊技機において、主制御手段は、電源投入時において、当該主制御手段の起動を遅らせて従制御装置の起動を待つための所定の待機時間を設定する待機手段（遊技制御装置１００）と、当該所定の待機時間において停電の発生を監視する停電監視手段（遊技制御装置１００）と、を備えていることとなる。
【０２０１】
また、各種装置に電力を供給する電源装置４００を備え、当該電源装置４００は、停電の発生を検出した際に停電監視信号を出力するように構成され、停電監視手段（遊技制御装置１００）は、所定期間に亘り停電監視信号を受信し続けた場合に停電が発生したと判定するようにしていることとなる。
【０２０２】
また、主制御手段（遊技制御装置１００）は、データを記憶可能なＲＡＭ１１１ｃと、外部からの操作が可能な初期化操作部（初期化スイッチ）と、初期化操作部が操作されたことに基づきＲＡＭ１１１ｃに記憶されたデータを初期化する初期化手段（遊技制御装置１００）と、を備え、当該初期化手段の操作状態を待機時間の開始前に読み込むようにしていることとなる。
【０２０３】
また、主制御手段（遊技制御装置１００）は、待機時間の経過後にＲＡＭ１１１ｃへのアクセスを許可するようにしていることとなる。
【０２０４】
〔チェックサム算出処理〕
図６は、チェックサム算出処理の手順を示すフローチャートである。チェックサム算出処理は、図５Ａ及び図５Ｂに示したメイン処理のステップＡ１０１９及びＡ１０４３にて実行される。
【０２０５】
遊技制御装置１００は、まず、算出アドレスの開始値としてＲＷＭの先頭アドレスを設定する（Ａ１１０１）。そして、繰り返し数を設定し（Ａ１１０２）、さらに、算出値として「０」を設定する（Ａ１１０３）。繰り返し数には使用しているＲＡＭのバイト数が設定される。
【０２０６】
その後、遊技制御装置１００は、算出アドレスの内容に算出値を加算した値を新たな算出値とし（Ａ１１０４）、算出アドレスを＋１更新し（Ａ１１０５）、繰り返し数を−１更新する（Ａ１１０６）。そして、チェックサムの算出が終了したか否かを判定する（Ａ１１０７）。
【０２０７】
遊技制御装置１００は、チェックサムの算出が終了していない場合には（Ａ１１０７の結果が「Ｎ」）、ステップＡ１１０４からステップＡ１１０７までの処理を繰り返す。また、チェックサムの算出が終了した場合には（Ａ１１０７の結果が「Ｙ」）、チェックサム算出処理を終了する。
【０２０８】
〔初期値乱数更新処理〕
図７は、初期値乱数更新処理の手順を示すフローチャートである。初期値乱数更新処理は、図５Ａ及び図５Ｂに示したメイン処理のステップＡ１０３５にて実行される。
【０２０９】
遊技制御装置１００は、まず、大当り図柄初期値乱数を＋１更新（１だけ増加）し（Ａ１２０１）、小当り図柄初期値乱数を＋１更新する（Ａ１２０２）。続いて、当り初期値乱数を＋１更新し（Ａ１２０３）、当り図柄初期値乱数を＋１更新し（Ａ１２０４）、初期値乱数更新処理を終了する。
【０２１０】
ここで、「大当り図柄初期値乱数」は特図の大当り停止図柄を決定する乱数の初期値となる乱数のことであり、「小当り図柄初期値乱数」は特図の小当り停止図柄を決定する乱数の初期値となる乱数のことである。また、「当り初期値乱数」は、普図変動ゲームの当りを決定する乱数の初期値となる乱数のことであり、「当り図柄初期値乱数」は普図の当り停止図柄を決定する乱数の初期値となる乱数のことである。
【０２１１】
以上のように、メイン処理において時間が許す限り初期値乱数をインクリメントし続けることによって、乱数のランダム性を高めることができるようにしている。
【０２１２】
〔タイマ割込み処理〕
次に、タイマ割込み処理について説明する。図８は、タイマ割込み処理の手順を示すフローチャートである。タイマ割込み処理は、クロックジェネレータ内のＣＴＣ回路で生成される周期的なタイマ割込み信号がＣＰＵ１１１ａに入力されることで開始される。遊技用マイコン１１１においてタイマ割込みが発生すると、タイマ割込み処理が開始される。
【０２１３】
タイマ割込み処理が開始されると、遊技制御装置１００は、まず、使用するレジスタバンクとしてレジスタバンク１を指定し（Ａ１３０１）、所定のレジスタにＲＡＭ先頭アドレスの上位アドレスをセットする（Ａ１３０２）。タイマ割込み処理の開始時にメイン処理で使用するレジスタバンク０からレジスタバンク１に切り替えることで、メイン処理で使っているレジスタを退避したのと同等になる。なお、タイマ割込み処理が開始されると、自動的に割込み禁止状態になる。
【０２１４】
次に、遊技制御装置１００は、各種センサやスイッチからの入力や、信号の取り込み、すなわち、各入力ポートの状態を読み込む入力処理を実行する（Ａ１３０３）。さらに、各種処理でセットされた出力データに基づき、ソレノイド（大入賞口ソレノイド３９ｂ）等のアクチュエータの駆動制御などを行うための出力処理を実行する（Ａ１３０４）。なお、メイン処理におけるステップＡ１００５の処理で発射禁止の信号を出力した場合は、この出力処理が行われることで発射許可の信号が出力され、発射許可信号を許可状態に設定可能な状態とされる。
【０２１５】
次に、遊技制御装置１００は、各種処理で送信バッファにセットされたコマンドを払出制御装置２００に出力する払出コマンド送信処理を実行し（Ａ１３０５）、さらに、乱数更新処理１（Ａ１３０６）、乱数更新処理２（Ａ１３０７）を実行する。その後、始動口１スイッチ３６ａ、始動口２スイッチ３７ａ、ゲートスイッチ３４ａ、入賞口スイッチ３５ａ〜３５ｎ、大入賞口スイッチ３９ａから正常な信号の入力があるか否かの監視や、エラーの監視（前面枠やガラス枠が開放されていないかなど）を行う入賞口スイッチ／状態監視処理を実行する（Ａ１３０８）。
【０２１６】
さらに、特図変動表示ゲームに関する処理を行う特図ゲーム処理を実行し（Ａ１３０９）、次に、普図変動表示ゲームに関する処理を行う普図ゲーム処理を実行する（Ａ１３１０）。
【０２１７】
次に、遊技制御装置１００は、遊技機１０に設けられ、特図変動ゲームの表示や遊技に関する各種情報を表示するセグメントＬＥＤを所望の内容を表示するように駆動するセグメントＬＥＤ編集処理を実行する（Ａ１３１１）。
【０２１８】
さらに、遊技制御装置１００は、磁気センサスイッチ６１からの検出信号をチェックして異常がないか否かを判定する磁石不正監視処理を実行する（Ａ１３１２）。さらに、遊技盤の電波センサ６２からの検出信号をチェックして異常がないか否かを判定する電波不正監視処理（盤電波不正監視処理）を実行する（Ａ１３１３）。
【０２１９】
その後、遊技制御装置１００は、外部の各種装置に出力する信号を出力バッファにセットする外部情報編集処理を実行する（Ａ１３１４）。その後、タイマ割込み処理を終了する。なお、タイマ割込み処理のリターンの際、割込み禁止状態の復元やレジスタバンクの指定の復元は、自動的に行われる構成とするが、使用するＣＰＵによっては、外部情報編集処理の後に、割込みを許可する処理やレジスタバンクの指定をレジスタバンク０に戻す処理を行ってもよい。
【０２２０】
〔入力処理〕
次に、タイマ割込み処理における入力処理（Ａ１３０３）の詳細について説明する。図９は、入力処理の手順を示すフローチャートである。
【０２２１】
遊技制御装置１００は、まず、入力ポート１、すなわち、第１入力ポート１２２に取り込まれたスイッチの検出信号の状態を読み込む（Ａ１４０１）。そして、８ビットのポートのうち未使用ビットがあればそのビットの状態をクリアする（Ａ１４０２）。
【０２２２】
次に、遊技制御装置１００は、読み込まれた入力ポート１、すなわち、第１入力ポート１２２の状態をＲＷＭ内のスイッチ制御領域１にセーブ（格納）する（Ａ１４０３）。続いて、入力ポート２、すなわち、第２入力ポート１２３のアドレスを準備した後（Ａ１４０４）、ＲＷＭ内のスイッチ制御領域２のアドレスを準備する（Ａ１４０５）。続いて、未使用のビットデータを準備し（Ａ１４０６）、さらに、反転するビットデータを準備する（Ａ１４０７）。そして、スイッチ読込み処理を実行する（Ａ１４０８）。ここで、本実施形態において「準備」とは、レジスタに値をセットすることを意味するが、これに限らず、ＲＷＭ、その他のメモリに値をセットするようにしてもよい。
【０２２３】
次に、遊技制御装置１００は、ＲＷＭ内のスイッチ制御領域３のアドレスを準備し（Ａ１４０９）、入力ポート３、すなわち、第３入力ポート１２４のアドレスを準備する（Ａ１４１０）。さらに、未使用のビットデータを準備し（Ａ１４１１）、反転するビットデータを準備する（Ａ１４１２）。さらに、その後、スイッチ読込み処理を実行し（Ａ１４１３）、入力処理を終了する。
【０２２４】
〔スイッチ読込み処理〕
次に、前述の入力処理におけるスイッチ読込み処理（Ａ１４０８、Ａ１４１３）の詳細について説明する。図１０は、スイッチ読込み処理の手順を示すフローチャートである。
【０２２５】
遊技制御装置１００は、まず、対象の入力ポートに取り込まれた信号の状態を読み込む（Ａ１５０１）。そして、８ビットのポートのうち未使用ビットがあればそのビットの状態をクリアし（Ａ１５０２）、反転の必要なビットを反転し（Ａ１５０３）、対象のスイッチ制御領域のポート入力状態にセーブ（格納）する（Ａ１５０４）。その後、２回目の読込みまでのディレイ時間（０．１ｍｓ）が経過するまで待機する（Ａ１５０５）。
【０２２６】
ディレイ時間（０．１ｍｓ）が経過すると、遊技制御装置１００は、対象の入力ポートに取り込まれた信号の状態の２回目の読込みを行う（Ａ１５０６）。そして、８ビットのポートのうち未使用ビットがあればそのビットの状態をクリアし（Ａ１５０７）、反転の必要なビットを反転し（Ａ１５０８）、対象のスイッチ制御領域のポート入力状態（１回目データ）をロードし、反転後データ（２回目データ）をセーブする（Ａ１５０９）。その後、１回目と２回目の読込みで状態が同じビットを１、違うビットを０とした確定ビットパターンを作成し（Ａ１５１０）、確定ビットパターンとポート入力状態２との論理積をとり、今回確定ビットとする（Ａ１５１１）。
【０２２７】
次に、遊技制御装置１００は、１回目と２回目の読込みで状態が同じビットを０、違うビットを１とした未確定ビットパターンを作成し（Ａ１５１２）、未確定ビットパターンと前回割込み時の確定状態との論理積をとり、前回保持ビットとする（Ａ１５１３）。これにより、スイッチのチャタリング等によるノイズを除去した信号の状態を得ることができる。
【０２２８】
そして、遊技制御装置１００は、今回確定ビットと前回保持ビットとを合成し、今回確定状態としてセーブする（Ａ１５１４）。さらに、前回と今回の確定状態との排他的論理和をとり、立上りエッジとしてセーブする（Ａ１５１５）。その後、スイッチ読み込み処理を終了する。
【０２２９】
なお、スイッチの読込みは、タイマ割込みの周期が短い場合（例えば２ｍｓ）には、各割込みの処理ごとにそれぞれ１回ずつスイッチの読込みを行って前回の読込みの結果と比較することで信号が変化したか否か判定する方法があるが、そのようにすると次の割込み処理までに前回の割込みで読み込んだスイッチの状態が失われた場合、正しく判定できないおそれがある。これに対し、本実施形態のように、所定の時間差をおいて１回の割込み処理の中で２回のスイッチ読込み処理を行うことで、上記のような不具合を回避することが可能となる。
【０２３０】
〔出力処理〕
次に、前述のタイマ割込み処理における出力処理（Ａ１３０４）の詳細について説明する。図１１は、出力処理の手順を示すフローチャートである。
【０２３１】
遊技制御装置１００は、まず、一括表示装置（ＬＥＤ）５０のセグメントのデータを出力するポート１３５−１、１３５−２（図３参照）にオフデータを出力（リセット）する（Ａ１６０１）。次に、大入賞口ソレノイド３９ｂのデータを出力するソレノイド出力ポート１３４に出力するデータを合成して出力する（Ａ１６０２）。
【０２３２】
そして、遊技制御装置１００は、一括表示装置（ＬＥＤ）５０のデジット線を順次スキャンするためのデジットカウンタの値を、例えば０〜４の範囲で、＋１更新する（Ａ１６０３）。さらに、デジットカウンタの値に対応するＬＥＤのデジット線の出力データを取得する（Ａ１６０４）。そして、取得したデータと外部情報データを合成し（Ａ１６０５）、合成したデータをデジット出力・外部情報出力ポート１３６に出力する（Ａ１６０６）。その後、デジットカウンタの値に対応するＲＷＭ内のセグメント領域からセグメント線の出力データをロードし（Ａ１６０７）、ロードしたデータをセグメント出力用のポート１３５−１に出力する（Ａ１６０８）。
【０２３３】
その後、遊技制御装置１００は、操作ハンドル２４に設けられたタッチスイッチ（発射タッチスイッチ）からのタッチスイッチ信号がオン信号であるか否かを判定する（Ａ１６０９）。即ち、操作ハンドル２４が操作されているか否かを判定する。タッチスイッチからのタッチスイッチ信号がオン信号である場合（Ａ１６０９の結果が「Ｙ」）、デジットカウンタに対応するセグメント領域からセグメント出力データをロードし（Ａ１６１０）、セグメント出力データをセグメント出力ポート２（ポート１３５−２）に出力する（Ａ１６１２）。ここで出力するセグメント出力データは、排出球数表示部６６、出玉率表示部６７、及び、役物比率表示部６８用のセグメント出力データである。これにより、操作ハンドル２４が操作されている場合に、排出球数表示部６６での排出球数表示、出玉率表示部６７での出玉率表示、及び、役物比率表示部６８での役物比率表示が可能になる。
【０２３４】
一方、遊技制御装置１００は、タッチスイッチからのタッチスイッチ信号がオフ信号である場合（Ａ１６０９の結果が「Ｎ」）、７セグメント型の表示器（ＬＥＤランプ）を消灯（ＬＥＤオフ）するためのセグメント出力データを設定し（Ａ１６１１）、セグメント出力データをセグメント出力ポート２（ポート１３５−２）に出力する（Ａ１６１２）。これにより、操作ハンドル２４が操作されていない場合に、排出球数表示部６６での排出球数表示、出玉率表示部６７での出玉率表示、及び、役物比率表示部６８での役物比率表示は非表示になる。
【０２３５】
なお、ステップＡ１６０９では、操作ハンドル２４のタッチスイッチがオンであるか否か判定する代わりに、客待ちデモ中（客待ちデモ状態）であるか否かを判定してよい。そして、客待ちでデモ中である場合に、排出球数表示部６６、出玉率表示部６７、及び、役物比率表示部６８で表示を実行し（Ａ１６１０、Ａ１６１２）、客待ちでデモ中でない場合に、排出球数表示部６６、出玉率表示部６７、及び、役物比率表示部６８を非表示としてよい（Ａ１６１１、Ａ１６１２）。なお、後述のように、客待ちデモ状態（客待ちデモ中の状態）であることを示す客待ちデモ中フラグがセットされている場合（図２７のＡ３２１０）、即ち、遊技制御装置１００が演出制御装置３００に客待ちデモコマンドを送信した場合に、客待ちデモ中であると判定できる。
【０２３６】
続いて、遊技制御装置１００は、外部情報端子７１に出力するデータをロードして合成し（Ａ１６１３）、さらに、合成したデータと発射許可の出力データを合成し（Ａ１６１４）、最終的に合成したデータを外部情報・発射許可信号出力ポート１３７に出力する（Ａ１６１５）。次に、試射試験装置への試験信号を出力する中継基板７０上の試験端子出力ポート１に出力するデータをロードして合成し、中継基板７０上の試験端子出力ポート１に合成したデータを出力する（Ａ１６１６）。その後、試射試験装置への試験信号を出力する中継基板７０上の試験端子出力ポート２に出力するデータをロードして合成し、中継基板７０上の試験端子出力ポート２に合成したデータを出力する（Ａ１６１７）。
【０２３７】
次に、遊技制御装置１００は、試射試験装置への試験信号を出力する中継基板７０上の試験端子出力ポート３に出力するデータをロードして合成し、中継基板７０上の試験端子出力ポート３へ合成したデータを出力する（Ａ１６１８）。さらに、試射試験装置の試験信号を出力する中継基板７０上の試験端子出力ポート４に出力するデータをロードして合成し、中継基板７０上の試験端子出力ポート４に合成したデータを出力する（Ａ１６１９）。そして、試射試験装置への試験信号を出力する中継基板７０上の試験端子出力ポート５に出力するデータをロードして合成し、中継基板７０上の試験端子出力ポート５に合成したデータを出力する（Ａ１６２０）。次に、試射試験装置への試験信号を出力する中継基板７０上の試験端子出力ポート６、７に出力するデータをロードして合成し、中継基板７０上の試験端子出力ポート６、７に合成したデータを出力する（Ａ１６２１）。ステップＡ１６２１のデータは、出玉率のデータである。そして、試射試験装置への試験信号を出力する中継基板７０上の試験端子出力ポート８、９に出力するデータをロードして合成し、中継基板７０上の試験端子出力ポート８、９に合成したデータを出力し（Ａ１６２２）、出力処理を終了する。ステップＡ１６２２のデータは、役物比率のデータである。
【０２３８】
〔払出コマンド送信処理〕
次に、前述のタイマ割込み処理における払出コマンド送信処理（Ａ１３０５）の詳細について説明する。図１２は、払出コマンド送信処理の手順を示すフローチャートである。
【０２３９】
遊技制御装置１００は、まず、入賞数カウンタ領域２にカウントがあるか否かをチェックする（Ａ１７０１）。入賞数カウンタ領域は遊技制御装置１００のＲＡＭ１１１ｃに設けられ、入賞数カウンタ領域１と入賞数カウンタ領域２が設けられている。入賞数カウンタ領域１は、払出制御装置２００に対して賞球の払い出しを指示するための払出コマンド（賞球指令）を送信するために用いる領域であって、払出コマンドを未だ送信していない賞球に対応する入賞のデータが記憶される。すなわち、入賞数カウンタ領域１が、賞球指令に関する情報を記憶可能な賞球指令カウンタをなす。
【０２４０】
入賞数カウンタ領域２は、入賞口への入賞により発生した賞球数（払出予定数）が所定数（ここでは１０個）になる毎に外部装置に出力するメイン賞球信号を送信するために用いる領域であって、メイン賞球信号の生成処理を行っていない賞球に対応する入賞のデータが記憶される。すなわち、入賞数カウンタ領域２が、メイン賞球信号に関する情報を記憶可能なメイン賞球信号カウンタをなす。なお、外部装置には、このメイン賞球信号の他に、払出制御装置２００からも実際に払い出した賞球数が所定数（ここでは１０個）になる毎に払出賞球信号が出力されるようになっており、この二つの信号を照合することで、不正な払い出しを監視することが可能となっている。
【０２４１】
これらの入賞数カウンタ領域にはそれぞれ、各入賞口に対して設定された賞球数別（例えば、２個賞球、３個賞球、１０個賞球、１４個賞球）に入賞数カウンタ領域が設けられており、入賞口への入賞に基づき対応する入賞数カウンタ領域のカウント数が１加算されるようになっている。つまり、入賞領域への一の入賞を単位として当該入賞の情報を記憶可能とされている。なお、入賞数カウンタ領域１は入賞数カウンタ領域２よりも広い領域が割り当てられ、より多くの入賞のデータを記憶できるようにされている。これは、メイン賞球信号が送信先の状態に関係なく送信可能であることに対し、払出コマンドが送信先である払出制御装置２００の状態により送信を保留する場合もあり、より多くの未送信データが蓄積される可能性があるためである。
【０２４２】
遊技制御装置１００は、ステップＡ１７０１の入賞数カウンタ領域２にカウントがあるか否かをチェックする処理においては、賞球数別に設けられた複数の入賞数カウンタ領域のうち、チェック対象とされた入賞数カウンタ領域に「０」でないカウント数があるか否かを判定する。
【０２４３】
遊技制御装置１００は、入賞数カウンタ領域２にカウント数がない場合には（Ａ１７０１の結果が「Ｎ」）、チェック対象となる入賞数カウンタ領域２のアドレスを更新する（Ａ１７０２）。さらに、すべての入賞数カウンタ領域のカウント数のチェックが終了したか否かを判定する（Ａ１７０３）。
【０２４４】
遊技制御装置１００は、すべてのチェックが終了した場合には（Ａ１７０３の結果が「Ｙ」）、ステップＡ１７１２の処理に移行する。一方、すべてのチェックが終了していない場合には（Ａ１７０３の結果が「Ｎ」）、ステップＡ１７０１の処理に戻り、ステップＡ１７０１からステップＡ１７０３までの処理を繰り返す。
【０２４５】
また、遊技制御装置１００は、カウント数がある場合には（Ａ１７０１の結果が「Ｙ」）、対象の入賞数カウンタ領域のカウント数を減算（−１）し（Ａ１７０４）、入賞数カウンタ領域２のアドレスに対応する払出数を取得する（Ａ１７０５）。そして、賞球残数領域の値と払出数を加算して（Ａ１７０６）、加算結果を新たな賞球残数として賞球残数領域にセーブする（Ａ１７０７）。なお、ステップＡ１７０７の処理の前における賞球残数領域の値としては、メイン賞球信号の出力の基準となる所定数に満たなかった端数が記憶されている。
【０２４６】
その後、遊技制御装置１００は、加算結果から１０を減算し（Ａ１７０８）、減算結果が０以上か否かを判定する（Ａ１７０９）。そして、０以上でない場合には（Ａ１７０９の結果が「Ｎ」）、ステップＡ１７１２の処理に移行する。一方、０以上である場合には（Ａ１７０９の結果が「Ｙ」）、メイン賞球信号出力回数領域の値を＋１更新し（Ａ１７１０）、減算結果を賞球残数領域にセーブし（Ａ１７１１）、さらに、ステップＡ１７０８の処理に戻る。
【０２４７】
以上の処理により、ホールコンピュータなどの外部の装置にメイン賞球信号が出力されるようになる。すなわち、遊技制御装置１００が、所定の入賞領域への遊技球の入賞に伴い払い出しが決定された賞球数に関する情報を含むメイン賞球信号を遊技機の外部に出力する外部情報出力手段をなす。なお、メイン賞球信号を出力するようにすることで、大当り中などの遊技球の払い出しが集中する場合に、遊技球の払い出しとともに賞球信号の出力が遅延して、大当り中に発生した正確な賞球数が計数することができないといった不具合を防止することができる。
【０２４８】
遊技制御装置１００は、払出コマンド送信タイマが０でなければ−１更新し（Ａ１７１２）、払出コマンド送信タイマが０になったか否かを判定する（Ａ１７１３）。払出コマンド送信タイマが０でない場合には（Ａ１７１３の結果が「Ｎ」）、払出コマンド送信処理を終了する。また、払出コマンド送信タイマが０である場合には（Ａ１７１３の結果が「Ｙ」）、払出ビジー信号ステータス（フラグ）がビジー状態（ビジー状態フラグ）であるか否かを判定する（Ａ１７１４）。
【０２４９】
払出ビジー信号は、払出制御装置２００が払出制御を即座に開始可能な状態か否かを示す信号であって、払出制御を即座に開始可能でない場合には払出ビジー信号がオン状態（ビジー状態）とされる。つまり、払出ビジー信号は、払出コマンド（賞球指令）を受付可能な状態であるか否かを示す信号ともいえる。すなわち、払出ビジー信号が、払出制御手段（払出制御装置２００）が払出制御を開始可能であるか否を示す状態信号をなす。払出ビジー信号ステータス（フラグ）は、払出ビジー信号の状態に基づき払出制御装置２００が払出制御を即座に開始可能な状態か否かを設定した情報であって、払出制御を即座に開始可能なアイドル状態、払出制御を即座に開始可能でないビジー状態、状態が不定である不定状態のいずれかが設定される。
【０２５０】
遊技制御装置１００は、払出ビジー信号ステータスがビジー状態である場合には（Ａ１７１４の結果が「Ｙ」）、払出コマンド送信処理を終了する。ビジー状態でない場合には、アイドル状態である場合と不定状態である場合が含まれる。このように払出制御装置２００が払出制御を即座に開始可能でなく、払出コマンドを送信しない場合は、払出コマンドの送信に関する以降の処理を行わないようにすることで、無駄な処理を行うことを防止し制御の負担を軽減するようにしている。
【０２５１】
なお、不定状態は、例えば電源投入時の処理でビジー信号ステータス領域がクリアされることで設定される。この不定状態は、払出ビジー信号の状態が、払出制御を即座に開始可能なこと又は不能なことを示す状態に所定期間に亘り維持されることに基づき、アイドル状態又はビジー状態が設定されることで解消する。つまり、停電が発生し該停電から復帰した場合には、払出制御装置２００から払出制御を開始可能であることを示す状態信号が出力されていたとしても、直ちに賞球指令を払出制御装置２００に送信せず、払出制御装置２００から払出制御を開始可能であることを示す状態信号が所定期間に亘って継続して出力されたことに対応して賞球指令を払出制御装置２００に送信する。これにより、払出制御装置２００が賞球指令を受信して即座に払出処理が可能なことを確実に把握してから賞球指令を送信するようになり、賞球指令に対応する払出制御が行われないことを防止できる。
【０２５２】
遊技制御装置１００は、払出ビジー信号ステータスがビジー状態でない場合には（Ａ１７１４の結果が「Ｎ」）、入賞数カウンタ領域１にカウントがあるか否かをチェックする（Ａ１７１５）。入賞数カウンタ領域１にカウントがあるかをチェックする処理においては、賞球数別に設けられた複数の入賞数カウンタ領域のうち、チェック対象とされた入賞数カウンタ領域に「０」でないカウント数があるか否かを判定する。
【０２５３】
そして、遊技制御装置１００は、カウント数がない場合には（Ａ１７１５の結果が「Ｎ」）、チェック対象となる入賞数カウンタ領域１のアドレスを更新し（Ａ１７１６）、すべての入賞数カウンタ領域のカウント数のチェックが終了したか否かを判定する（Ａ１７１７）。すべてのチェックが終了した場合には（Ａ１７１７の結果が「Ｙ」）、払出コマンド送信処理を終了する。一方、すべてのチェックが終了していない場合には（Ａ１７１７の結果が「Ｎ」）、ステップＡ１７１５の処理に戻り、ステップＡ１７１５からＡ１７１７までの処理を繰り返す。
【０２５４】
また、遊技制御装置１００は、カウント数がある場合には（Ａ１７１５の結果が「Ｙ」）、対象の入賞数カウンタ領域のカウント数を減算（−１）し（Ａ１７１８）、対象の入賞数カウンタ領域に対応する払出コマンドを取得する（Ａ１７１９）。そして、払出コマンド（払出数コマンド）を払出用シリアル送信バッファに格納し（Ａ１７２０）、払出コマンド送信タイマに初期値を設定し（Ａ１７２１）、その後、払出コマンド送信処理を終了する。払出コマンド送信タイマは送信間隔を管理するためのもので、初期値として例えば２００ｍｓが設定される。
【０２５５】
これにより、入賞領域への一の入賞を単位とした払出コマンド（賞球指令）が生成され、払出制御装置２００に送信されるようになる。払出制御装置２００はこの払出コマンドに基づき所定数の賞球を払い出す制御を行う。すなわち、遊技制御装置１００が、払出制御手段（払出制御装置２００）から出力される当該払出制御手段が払出制御を開始可能であるか否かを示す状態信号が払出制御を開始可能であることを示している場合に賞球指令を払出制御手段に送信する賞球指令送信手段をなす。
【０２５６】
このように遊技制御装置１００が、払出制御装置２００から出力される状態信号に基づいて賞球指令を送信する制御を行うので、払出制御装置２００が即座に払出制御を実行可能な場合にのみ賞球指令が送信されることとなる。これにより、未だ払い出しが行われていない入賞に対応するデータは遊技制御装置１００側で保持されるようになるので停電発生時には遊技制御装置１００でバックアップされるようになり、払出制御装置２００にバックアップするための機能を備えなくとも正確な払出制御を実現できる。
【０２５７】
従来の遊技機（例えば、特開２０００−３１２７５９号公報の遊技機）では、何らかの原因により電源の遮断状態が発生した場合、払出制御装置２００は自身の記憶手段にデータをバックアップし、電源遮断直前のデータによる払出制御状態を維持するようにしている。しかしながら、従来の遊技機では、バックアップするための機能が必要となるため、コストアップにつながるという問題があった。本実施形態によれば、払出制御装置２００にバックアップするための機能を備えなくとも正確な払出制御を実現できるようにすることができる。
【０２５８】
また、外部の装置に送信されるメイン賞球信号は払出ビジー信号の状態に関係なく出力されるので、遅滞なくメイン賞球信号を出力でき、ホールコンピュータなどの外部の装置では賞球の払い出しの時期を正確に把握でき、例えばベース値を正確に把握できるようになる。また、賞球指令に関する情報を記憶可能な賞球指令カウンタと、メイン賞球信号に関する情報を記憶可能なメイン賞球信号カウンタとを別々に備えるので、送信タイミングが異なる賞球指令とメイン賞球信号の情報を別々に管理でき、情報を確実に管理することができる。
【０２５９】
以上のことから、統括的に遊技制御を行うとともに、遊技領域３２に設けられた入賞領域（第１始動入賞口３６、第２始動入賞口３７、一般入賞口３５、特別変動入賞装置３９）への遊技球の入賞に基づいて賞球指令を送信する遊技制御手段（遊技制御装置１００）と、遊技制御手段から送信される賞球指令に基づいて、遊技球の払出制御を行う払出制御手段（払出制御装置２００）と、を備え、遊技制御手段は、払出制御手段から出力される当該払出制御手段が払出制御を開始可能であるか否を示す状態信号（ビジー信号）に基づいて賞球指令を払出制御手段に送信する制御を行い、停電が発生し該停電から復帰した場合には、払出制御手段から払出制御を開始可能であることを示す状態信号が出力されていたとしても、直ちに賞球指令を払出制御手段に送信せず、払出制御手段から払出制御を開始可能であることを示す状態信号が所定期間に亘って継続して出力されたことに対応して賞球指令を払出制御手段に送信するようにしていることとなる。
【０２６０】
また、遊技領域３２に賞球数の異なる入賞領域（第１始動入賞口３６、第２始動入賞口３７、一般入賞口３５、特別変動入賞装置３９）を複数設け、遊技制御手段（遊技制御装置１００）は、賞球数毎に、遊技球の払出制御を指示する賞球指令の未送信の有無を特定可能な賞球指令カウンタ（遊技制御装置１００）を備え、状態信号が払出制御を開始可能であることを示し、かつ、各賞球指令カウンタに未送信の賞球指令がある場合に、賞球指令を払出制御手段（払出制御装置２００）に送信するようにし、状態信号が当該払出制御手段が払出制御を開始可能であるか否かの特定を、各賞球指令カウンタに未送信の賞球指令があるか否かの特定よりも先に行うようにしていることとなる。
【０２６１】
また、統括的に遊技制御を行うとともに、所定の入賞領域（第１始動入賞口３６、第２始動入賞口３７、一般入賞口３５、特別変動入賞装置３９）への遊技球の入賞に基づいて賞球指令を送信する遊技制御手段（遊技制御装置１００）と、遊技制御手段から送信される賞球指令に基づいて、遊技球の払出制御を行う払出制御手段（払出制御装置２００）と、を備え、遊技制御手段は、払出制御手段から出力される当該払出制御手段が払出制御を開始可能であるか否を示す状態信号が払出制御を開始可能であることを示している場合に賞球指令を払出制御手段に送信する賞球指令送信手段（遊技制御装置１００）と、所定の入賞領域への遊技球の入賞に伴い払い出しが決定された賞球数に関する情報を含む賞球信号（メイン賞球信号）を遊技機の外部に出力する外部情報出力手段（遊技制御装置１００）と、を備え、外部情報出力手段は、払出制御手段から出力される状態信号が、払出制御手段が払出制御を開始可能であるか否かに関係なく賞球信号の出力を行うようにしたこととなる。
【０２６２】
また、賞球指令送信手段（遊技制御装置１００）は、停電が発生し該停電から復帰した場合には、状態信号が払出制御を開始可能であることを示していたとしても、直ちに賞球指令を払出制御手段（払出制御装置２００）に送信せず、状態信号が払出制御を開始可能であることを示している状態が所定期間に亘って継続していることに対応して賞球指令を払出制御手段に送信するようにしたこととなる。
【０２６３】
また、遊技制御手段（遊技制御装置１００）は、賞球指令に関する情報を記憶可能な賞球指令カウンタ（遊技制御装置１００）と、賞球信号（メイン賞球信号）に関する情報を記憶可能な賞球信号カウンタ（遊技制御装置１００）と、を備え、賞球指令送信手段（遊技制御装置１００）は、所定の入賞領域（第１始動入賞口３６、第２始動入賞口３７、一般入賞口３５、特別変動入賞装置３９）への一の入賞を単位として賞球指令を生成し、状態信号が払出制御を開始可能であることを示している場合に一の賞球指令を払出制御手段（払出制御装置２００）に送信するように構成され、賞球指令カウンタ（遊技制御装置１００）は、所定の入賞領域への一の入賞を単位として当該入賞の情報を記憶可能であり、所定の入賞領域への遊技球の入賞時に更新を行うとともに、払出制御手段への賞球指令への送信に対応させて更新を行うことで、送信していない賞球指令の数を記憶可能とし、外部情報出力手段は、所定の入賞領域への遊技球の入賞に伴い払い出しが決定された賞球数を累積し、累積値が所定数に達する毎に賞球信号を遊技機の外部に出力するように構成され、賞球信号カウンタは、所定の入賞領域への一の入賞を単位として当該入賞の情報を記憶可能であり、所定の入賞領域への遊技球の入賞時に更新を行うとともに、外部情報出力手段による賞球数の累積処理に対応させて更新を行うことで、未だ累積処理を行っていない賞球数を記憶可能であることとなる。
【０２６４】
〔乱数更新処理１〕
図１３は、乱数更新処理１の手順を示すフローチャートである。乱数更新処理１は、タイマ割込処理のステップＡ１３０６にて実行される。乱数更新処理１は、初期値乱数更新処理の対象となっている大当り図柄乱数、小当り図柄乱数、当り乱数、当り図柄乱数の初期値（スタート値）を更新するための処理である。
【０２６５】
遊技制御装置１００は、まず、大当り図柄乱数が次回の初期値（スタート値）設定待ちであるか否かを判定する（Ａ１８０１）。
【０２６６】
遊技制御装置１００は、大当り図柄乱数が初期値設定待ちでない場合には（Ａ１８０１の結果が「Ｎ」）、ステップＡ１８０４以降の処理を実行する。一方、大当り図柄乱数が初期値設定待ちである場合には（Ａ１８０１の結果が「Ｙ」）、次回初期値として大当り図柄初期値乱数をロードする（Ａ１８０２）。そして、ロードした大当り図柄乱数の次回初期値を対応する乱数カウンタ（乱数領域）のスタート値を保持するレジスタ（スタート値設定レジスタ）に設定する（Ａ１８０３）。
【０２６７】
次に、遊技制御装置１００は、小当り図柄乱数が次回の初期値（スタート値）設定待ちであるか否かを判定する（Ａ１８０４）。小当り図柄乱数が初期値設定待ちでない場合には（Ａ１８０４の結果が「Ｎ」）、ステップＡ１８０７以降の処理を実行する。
【０２６８】
一方、遊技制御装置１００は、小当り図柄乱数が初期値設定待ちである場合には（Ａ１８０４の結果が「Ｙ」）、次回初期値として小当り図柄初期値乱数をロードする（Ａ１８０５）。そして、ロードした小当り図柄乱数の次回初期値を対応する乱数カウンタ（乱数領域）のスタート値を保持するレジスタ（スタート値設定レジスタ）に設定する（Ａ１８０６）。
【０２６９】
次に、遊技制御装置１００は、当り乱数が次回の初期値（スタート値）設定待ちであるか否かを判定する（Ａ１８０７）。当り乱数が初期値設定待ちでない場合には（Ａ１８０７の結果が「Ｎ」）、ステップＡ１８１０以降の処理を実行する。
【０２７０】
一方、遊技制御装置１００は、当り乱数が初期値設定待ちである場合には（Ａ１８０７の結果が「Ｙ」）、次回初期値として当り初期値乱数をロードする（Ａ１８０８）。そして、ロードした当り乱数の次回初期値を対応する乱数カウンタ（乱数領域）のスタート値を保持するレジスタ（スタート値設定レジスタ）に設定する（Ａ１８０９）。
【０２７１】
次に、遊技制御装置１００は、当り図柄乱数が次回の初期値（スタート値）設定待ちであるか否かを判定する（Ａ１８１０）。当り図柄乱数が初期値設定待ちでない場合には（Ａ１８１０の結果が「Ｎ」）、乱数更新処理１を終了する。
【０２７２】
一方、遊技制御装置１００は、当り図柄乱数が初期値設定待ちである場合には（Ａ１８１０の結果が「Ｙ」）、次回初期値として当り図柄初期値乱数をロードする（Ａ１８１１）。そして、ロードした当り図柄乱数の次回初期値を対応する乱数カウンタ（乱数領域）のスタート値を保持するレジスタ（スタート値設定レジスタ）に設定し（Ａ１８１２）、乱数更新処理１を終了する。
【０２７３】
〔乱数更新処理２〕
図１４は、乱数更新処理２の手順を示すフローチャートである。乱数更新処理２は、タイマ割込処理のステップＡ１３０７にて実行される。乱数更新処理２は、特図１，特図２の変動表示ゲームにおける変動パターンを決定するための変動パターン乱数を更新する処理である。
【０２７４】
なお、本実施形態の遊技機では、変動パターン乱数として１バイトの乱数（変動パターン乱数２、３）と、２バイトの乱数（変動パターン乱数１）があり、乱数更新処理２は、両方を更新対象とし、割込みが発生するごとに更新対象を切り替えて処理する。さらに、更新対象の乱数が２バイトの場合には、上位のバイトと下位のバイトに対して異なる割込み時に更新処理を行うようになっている。すなわち、メイン処理に対する一の割込み処理において実行される乱数更新処理２による２バイトの変動パターン乱数１（リーチ変動態様決定用乱数）の更新は、上位１バイト若しくは下位１バイトのいずれかについて実行されるように構成されている。
【０２７５】
遊技制御装置１００は、まず、更新すべき複数の乱数のうちいずれの乱数を今回の更新処理の対象とするかを順番に指定するための乱数更新スキャンカウンタを更新する（Ａ１９０１）。次に、乱数更新スキャンカウンタの値に対応する演出乱数更新テーブルのアドレスを算出する（Ａ１９０２）。そして、算出されたアドレスに基づいて参照したテーブルから乱数の上限判定値を取得する（Ａ１９０３）。このとき参照するテーブルには、乱数の種類ごとに上限判定値、すなわち、乱数が一巡したか否かを判定するための値が格納されている。
【０２７６】
続いて、遊技制御装置１００は、ランダムな値が設定されるＭ１カウンタの値をロードする（Ａ１９０４）。
【０２７７】
次に、遊技制御装置１００は、Ｍ１カウンタの値をマスクするためのマスク値を取得し、Ｍ１カウンタの値をマスクする（Ａ１９０５）。なお、マスク値は、更新対象の乱数によって異なるビット数、例えば、変動パターン乱数１の下位１バイトを更新する場合には、Ｍ１カウンタの下位３ビットに、また、変動パターン乱数１の上位１バイトを更新する場合には、Ｍ１カウンタの下位４ビットに設定されている。乱数の種類によって上限値が異なるためである。なお、マスク値として、変動パターン乱数１の下位１バイトを更新する場合には、Ｍ１カウンタの下位３ビットを、また、変動パターン乱数１の上位１バイトを更新する場合には、Ｍ１カウンタの下位４ビットを例示したが、数値は一例であってこれに限られるものではない。
【０２７８】
次に、遊技制御装置１００は、更新する乱数領域（乱数カウンタ）が２バイト乱数の上位１バイトであるか否かを判定する（Ａ１９０６）。そして、乱数領域が２バイト乱数の上位１バイトである場合には（Ａ１９０６の結果が「Ｙ」）、加算値として上位１バイトをマスク値によってＭ１カウンタの値をマスクすることによって残った値（以下、これを「マスクした値」と称する）に「１」を加算したマスク更新値に設定し、下位１バイトを「０」に設定し（Ａ１９０７）、ステップＡ１９０９の処理に移行する。
【０２７９】
また、遊技制御装置１００は、乱数領域が２バイト乱数の上位１バイトでない場合には（Ａ１９０６の結果が「Ｎ」）、加算値として上位１バイトを「０」に設定し、下位１バイトを上記マスク更新値に設定し（Ａ１９０８）、ステップＡ１９０９の処理に移行する。なお、マスクした値に「１」を加算する理由は、マスクした値が「０」になる場合があり、「０」を加算して値が変化しないことを避けるためである。
【０２８０】
続いて、遊技制御装置１００は、更新する乱数が２バイト乱数か否かを判定する（Ａ１９０９）。そして、２バイト乱数である場合には（Ａ１９０９の結果が「Ｙ」）、更新する乱数領域の値（２バイト）を設定し（Ａ１９１０）、ステップＡ１９１２の処理に移行する。一方、更新する乱数が２バイト乱数でない場合には（Ａ１９０９の結果が「Ｎ」）、乱数値の上位１バイトとして「０」を設定し、乱数値の下位１バイトとして、更新する乱数領域の値（１バイト）を設定し（Ａ１９１１）、ステップＡ１９１２の処理に移行する。
【０２８１】
遊技制御装置１００は、乱数値にステップＡ１９０７又はＡ１９０８の処理で決定された加算値を加算した値を新たな乱数値とし、新たな乱数値がＡ１９０３の処理で取得した上限判定値よりも大きいか否かを判定する（Ａ１９１３）。
【０２８２】
そして、遊技制御装置１００は、新たな乱数値が上限判定値より大きくない場合には（Ａ１９１３の結果が「Ｎ」）、新たな乱数値を１バイト乱数又は２バイト乱数の下位の乱数領域にセーブする（Ａ１９１５）。また、新たな乱数値が上限判定値より大きい場合には（Ａ１９１３の結果が「Ｙ」）、新たな乱数値から上限判定値を減算した値を再度の新たな乱数値とし（Ａ１９１４）、新たな乱数値を１バイト乱数又は２バイト乱数の下位の乱数領域にセーブする（Ａ１９１５）。
【０２８３】
次に、遊技制御装置１００は、更新した乱数が２バイト乱数であるか否かを判定する（Ａ１９１６）。そして、２バイト乱数でない場合には（Ａ１９１６の結果が「Ｎ」）、乱数更新処理２を終了する。一方、２バイト乱数である場合には（Ａ１９１６の結果が「Ｙ」）、新たな乱数値（再度の新たな乱数値を算出した場合はその値）を２バイト乱数の上位の乱数領域にセーブし（Ａ１９１７）、乱数更新処理２を終了する。
【０２８４】
このように、ＣＰＵ１１１ａは、特図１，特図２の変動表示ゲームにおける変動パターンを決定するための変動パターン乱数を更新する。したがって、ＣＰＵ１１１ａは、第１始動入賞口３６や第２始動入賞口３７の始動領域への遊技球の流入に基づいて抽出される各種乱数のうち、特図変動表示ゲームの変動態様（変動パターン）を決定するための変動パターン乱数を更新する乱数更新手段をなす。
【０２８５】
〔入賞口スイッチ／状態監視処理〕
図１５Ａは、入賞口スイッチ／状態監視処理の手順を示すフローチャートである。入賞口スイッチ／状態監視処理は、タイマ割込み処理におけるステップＡ１３０８にて実行される。入賞口スイッチ／状態監視処理は、各入賞口への入賞を監視して、入賞があった場合には所定の処理を実行する監視手段を構成する。所定の処理としては、排出球数を＋１更新（１だけ加算）したり、当該入賞による賞球数に関して加算処理を実行して出玉率（賞球数の合計）や役物比率を算出することなどがある。
【０２８６】
遊技制御装置１００は、まず、大入賞口（特別変動入賞装置３９）内の大入賞口スイッチ３９ａ（２個）の一方に対応する入賞口監視テーブル１を準備する（Ａ２００１）。そして、大入賞口が開いていないにもかかわらず大入賞口に不正な入賞がないかを監視するとともに正常な入賞を検出する不正＆入賞監視処理を実行する（Ａ２００２）。不正＆入賞監視処理の詳細については、後述する。
【０２８７】
その後、遊技制御装置１００は、大入賞口（特別変動入賞装置３９）内の大入賞口スイッチ３９ａ（２個）の他方に対応する入賞口監視テーブル２を準備する（Ａ２００３）。そして、不正入賞を監視するとともに正常な入賞を検出する不正＆入賞監視処理を実行する（Ａ２００４）。次に、普電サポート状態中であるか否か、即ち、時短状態又は確変状態（潜伏確変状態を除く）中であるか否かを判定する（Ａ２００５）。
【０２８８】
そして、遊技制御装置１００は、普電サポート状態中である場合（Ａ２００５の結果が「Ｙ」）、普通変動入賞装置３７内の始動口２スイッチ３７ａに対応する入賞口監視テーブルを準備する（Ａ２００６）。そして、不正入賞を監視するとともに正常な入賞を検出する不正＆入賞監視処理を実行する（Ａ２００７）。続いて、不正監視が不要な入賞口スイッチの入賞口監視テーブルを準備する（Ａ２００８）。不正監視が不要な入賞口スイッチは、本実施形態では、左右の一般入賞口３５の入賞口スイッチ（ＳＷ）３５ａ、３５ｂ、及び、始動口１スイッチ３６ａである。次に、入賞数を更新する入賞数カウンタ更新処理を実行する（Ａ２００９）。
【０２８９】
一方、遊技制御装置１００は、普電サポート状態中でない場合（Ａ２００５の結果が「Ｎ」）、不正監視が不要な入賞口スイッチの入賞口監視テーブルを準備する（Ａ２０１０）。不正監視が不要な入賞口スイッチは、本実施形態では、左右の一般入賞口３５の入賞口スイッチ（ＳＷ）３５ａ、３５ｂ、及び、始動入賞口３６（第１始動入賞口）の始動口１スイッチ３６ａである。次に、入賞数を更新する入賞数カウンタ更新処理を実行する（Ａ２０１１）。普通変動入賞装置３７内の始動口２スイッチ３７ａに対応する入賞口監視テーブルを準備する（Ａ２０１２）。そして、不正入賞を監視するとともに正常な入賞を検出する不正＆入賞監視処理を実行する（Ａ２０１３）。
【０２９０】
図１５Ｂは、遊技状態ごとに、入賞口監視に関する優先順位を示すテーブルである。この優先順位は、入賞口スイッチ／状態監視処理（図１５Ａ）と後述の入賞数カウンタ更新処理（図１７Ａ）における入賞口監視の順番によって実現されるものである。
【０２９１】
ここで、入賞口監視とは、不正＆入賞監視処理又は入賞数カウンタ更新処理（不正＆入賞監視処理でも実行される）において、入賞数のカウント、排出球数の更新（計算）、出玉率の計算、役物比率の計算などを実行することである。特に、同時に入賞口への入賞があった場合でも、図１５Ｂのように予め定められた優先順位に基づいて、所定の入賞口への入賞を優先して出玉率や役物比率の計算が行われる。なお、通常遊技状態と普電サポート状態の場合には、不正がない限り大入賞口は開放されないので、優先順位のテーブルには加えていない。
【０２９２】
図１５Ｂ（Ｉ）のように、遊技状態に応じて、入賞口監視に関する優先順位を変更できる（ステップＡ２００５〜Ａ２０１３）。即ち、普電サポート状態であるか否かの判定（Ａ２００５）に応じて、入賞数カウンタ更新処理（不正＆入賞監視処理でも実行される）を、普通変動入賞装置３７（第２始動入賞口）と不正監視が不要な入賞口（一般入賞口３５、始動入賞口３６（第１始動入賞口））のどちらに対して先に行うかが設定（決定）できる。
【０２９３】
特に、普電サポート状態中である場合（Ａ２００５の結果が「Ｙ」）、普通変動入賞装置３７（第２始動入賞口）に対して、不正監視が不要な入賞口スイッチ（始動口１スイッチ３６ａ）を有する始動入賞口３６（第１始動入賞口）よりも先に、入賞口監視（即ち、入賞数のカウント、排出球数の更新、獲得球数の加算など）を実行できる。なお、後述のように、不正監視が不要な入賞口スイッチを有する入賞口のうちでは、一般入賞口３５の入賞口監視を始動入賞口３６（第１始動入賞口）よりも先に優先的に実行するものとする。また、普電サポート状態中でない場合（Ａ２００５の結果が「Ｎ」）、即ち、通常遊技状態や特別遊技状態等では、不正監視が不要な入賞口スイッチ（始動口１スイッチ３６ａ）を有する始動入賞口３６（第１始動入賞口）に対して、普通変動入賞装置３７（第２始動入賞口）よりも先に、入賞口監視を実行できる。
【０２９４】
なお、図１５Ｂ（ＩＩ）のように、普電サポート状態中である場合（Ａ２００５の結果が「Ｙ」）に、不正監視が不要な入賞口スイッチの始動入賞口のうち、一般入賞口３５に対する入賞口監視だけ（入賞数カウンタ更新処理）を普通変動入賞装置３７（第２始動入賞口）の入賞口監視（Ａ２００６、Ａ２００７）よりも先に実行すれば、普通変動入賞装置３７（第２始動入賞口）よりも賞球数の多い一般入賞口３５に対する入賞口監視を普通変動入賞装置３７（第２始動入賞口）の入賞口監視よりも優先的に実行できる。
【０２９５】
また、普電サポート状態以外の遊技状態（特別遊技状態や通常遊技状態など）では、得られる賞球（賞球数）の多い入賞口の順に、入賞口監視を優先的に行う。これにより、可能な限り大きな出玉率が優先的に求められ、遊技者の遊技に対する期待感を向上できる。
【０２９６】
さらに、変形例として、図１５Ｃに示すように、図１５Ａの入賞口スイッチ／状態監視処理のステップＡ２００５〜Ａ２００９の処理を削除して、ステップＡ２０１０〜Ａ２０１３の処理をステップＡ２００４の後に実行してもよい。この場合には、全ての遊技状態で（遊技状態に依存せずに）、得られる賞球（賞球数）の多い入賞口の順（大入賞口→一般入賞口→第１始動入賞口→第２始動入賞口の順）に、入賞口監視を優先して実行できる。この場合には、可能な限り大きな出玉率が優先的に求められ、遊技者の遊技に対する期待感を向上できる。図１５Ｃの入賞口スイッチ／状態監視処理は、得られる賞球数の多い順に各入賞口への入賞を監視して入賞があった場合には当該入賞の賞球数を加算して出玉率（賞球数の合計）や役物比率を算出する監視手段を構成する。
【０２９７】
そして、遊技制御装置１００は、ステップＡ２００９又はＡ２０１３の後、アウト球検出スイッチ６５に入力があるか否かを判定する（Ａ２０１４）。アウト球検出スイッチ６５に入力がある場合（Ａ２０１４の結果が「Ｙ」）、排出球数を１だけ加算するために排出球数を記憶する排出球数領域の値を＋１更新し（Ａ２０１５）、後述の出玉性能監視処理を実行する（Ａ２０１６）。そして、アウト口３０ｂへの入球があったことを示すアウト球検出コマンドを払出用シリアル送信バッファに書き込む（Ａ２０１７）。その後、エラーが発生しているかなどの状態を監視すべき複数のスイッチ並びに信号のうちいずれのスイッチ又は信号を今回の監視の対象とするかを順番に指定するための状態スキャンカウンタを更新する（Ａ２０１８）。
【０２９８】
なお、本実施形態では、アウト球検出スイッチ６５と各入賞口スイッチが遊技領域３２の外部に排出される遊技球を検出することにより、排出球数を＋１更新してカウントする（Ａ２０１５、Ａ２２１０）。しかし、球発射装置から発射される発射球の数が遊技領域３２の外部に排出される遊技球の数に基本的に等しいため、球発射装置からの発射球を直接的に検出するスイッチ（センサ）を設けて、排出球数をカウントしてもよい。なお、球発射装置からの発射球には球発射装置への戻りがあるため、本実施形態のように、アウト球検出スイッチ６５と各入賞口スイッチを使用した方が、排出球数は正確にカウントできる。
【０２９９】
遊技制御装置１００は、アウト球検出スイッチ６５に入力がない場合（Ａ２０１４の結果が「Ｎ」）、状態スキャンカウンタを更新する（Ａ２０１８）。状態スキャンカウンタは０から３の範囲で更新される。状態スキャンカウンタの値に応じて、監視する状態を設定するための遊技機状態監視テーブル１を準備する（Ａ２０１９）。そして、エラーが発生しているかなどの状態を判定する遊技機状態チェック処理を実行する（Ａ２０２０）。なお、遊技機状態チェック処理の詳細は、後述する。
【０３００】
状態スキャンカウンタの値を遊技機状態監視テーブル１に参照することで、状態スキャンカウンタの値が０である場合はスイッチのコネクタ抜けなどの発生により出力される異常検知信号１に基づく状態（スイッチ異常１エラー）の監視が設定され、状態スキャンカウンタの値が１である場合は払出制御装置２００からのシュート玉切れスイッチ信号に基づく状態（シュート球切れエラー）の監視が設定される。状態スキャンカウンタの値が２である場合はオーバーフロースイッチ信号に基づく状態（オーバーフローエラー）の監視が設定され、状態スキャンカウンタの値が３である場合は払出異常ステータス信号に基づく状態（払い出し異常エラー）の監視が設定される。
【０３０１】
次に、遊技制御装置１００は、状態スキャンカウンタの値に応じて、監視する状態を設定するための遊技機状態監視テーブル２を準備する（Ａ２０２１）。そして、エラーが発生しているかなどの状態を判定する遊技機状態チェック処理を実行する（Ａ２０２２）。
【０３０２】
状態スキャンカウンタの値を遊技機状態監視テーブル２に参照することで、状態スキャンカウンタの値が０である場合はガラス枠開放検出スイッチから出力される信号に基づく状態（ガラス枠開放エラー）の監視が設定され、状態スキャンカウンタの値が１である場合は前面枠開放検出スイッチから出力される信号に基づく状態（本体枠開放エラー、前面枠開放エラー）の監視が設定される。また、状態スキャンカウンタの値が２である場合は枠電波不正信号に基づく状態（枠電波不正）の監視が設定され、状態スキャンカウンタの値が３である場合はタッチスイッチ信号に基づく状態の監視が設定される。
【０３０３】
次に、遊技制御装置１００は、状態スキャンカウンタの値が０であるか否かを判定する（Ａ２０２３）。そして、エラースキャンカウンタの値が０でない場合には（Ａ２０２３の結果が「Ｎ」）、入賞口スイッチ／状態監視処理を終了する。この場合は、次に参照する遊技機状態監視テーブル３に状態の監視対象がない場合である。
【０３０４】
また、遊技制御装置１００は、エラースキャンカウンタの値が０である場合には（Ａ２０２３の結果が「Ｙ」）、遊技機状態監視テーブル３を準備し（Ａ２０２４）、エラーが発生しているかなどの状態を判定する遊技機状態チェック処理を実行する（Ａ２０２５）。
【０３０５】
状態スキャンカウンタの値を遊技機状態監視テーブル３に参照することで、状態スキャンカウンタの値が０である場合はスイッチのコネクタ抜けなどの発生により出力される異常検知信号２に基づく状態（スイッチ異常２エラー）の監視が設定される。なお、遊技機状態監視テーブル３には状態スキャンカウンタが１から３の場合は定義されていない。
【０３０６】
その後、遊技制御装置１００は、払出制御装置２００が払出制御を開始可能であるかを示す払出ビジー信号に基づきビジー信号ステータス（払出ビジー信号フラグ）を設定する払出ビジー信号チェック処理を実行し（Ａ２０２６）、入賞口スイッチ／状態監視処理を終了する。なお、払出ビジー信号チェック処理の詳細は、後述する。
【０３０７】
なお、ステップＡ２０２４からＡ２０２６までの処理は、タイマ割込み毎に更新される状態スキャンカウンタの値が０の場合のみ実行されるため、４回のタイマ割込みに１回の割合で実行されることとなる。すなわち、タイマ割込みが４ｍｓ毎に行われる場合は、１６ｍｓ毎にＡ２０２４からＡ２０２６までの処理が行われることとなる。
【０３０８】
〔不正＆入賞監視処理〕
図１６は、不正＆入賞監視処理の手順を示すフローチャートである。不正＆入賞監視処理は、図１５Ａに示した入賞口スイッチ／状態監視処理におけるステップＡ２００２、Ａ２００４、Ａ２００７、Ａ２０１３にて実行される。
【０３０９】
不正＆入賞監視処理は、特別変動入賞装置３９の大入賞口スイッチ３９ａ、普通変動入賞装置３７内の入賞口スイッチ（始動口２スイッチ３７ａ）に対して行われる処理である。第２始動入賞口（普通変動入賞装置３７）や大入賞口（特別変動入賞装置３９）については、ピアノ線や不正用の機材等を用いて無理やり開閉部材を開いて遊技球を入れて賞球を払い出させる不正が行われ易いため、入賞の検出の他に不正の監視をする。
【０３１０】
遊技制御装置１００は、まず、エラー監視対象の入賞口スイッチの不正監視期間フラグをチェックし（Ａ２１０１）、不正監視期間中であるか否かを判定する（Ａ２１０２）。例えば、不正監視期間とは、エラー監視対象の入賞口スイッチが大入賞口スイッチ３９ａである場合に特別変動入賞装置３９を開放する特別遊技状態中以外の期間である。
【０３１１】
そして、遊技制御装置１００は、不正監視期間である場合には（Ａ２１０２の結果が「Ｙ」）、対象の入賞口スイッチに入力があるか否かを判定する（Ａ２１０３）。対象の入賞口スイッチに入力がない場合には（Ａ２１０３の結果が「Ｎ」）、対象の報知タイマ更新情報をロードする（Ａ２１１２）。また、対象の入賞口スイッチに入力がある場合には（Ａ２１０３の結果が「Ｙ」）、対象の不正入賞数を＋１更新し（Ａ２１０４）、加算後の不正入賞数が監視対象の不正発生判定個数（例えば５個）以上であるか否かを判定する（Ａ２１０５）。
【０３１２】
判定個数を５個としている理由は、例えば、開状態にある大入賞口が閉状態に変換した際に遊技球が大入賞口の扉部材に挟まり、その遊技球がカウントスイッチの有効期間を過ぎて入賞した場合や信号にノイズがのった場合などを不正と判断しないようにするためであり、不正でないにもかかわらず容易にエラーと判定しないようにするためである。
【０３１３】
そして、遊技制御装置１００は、判定個数以上でない場合には（Ａ２１０５の結果が「Ｎ」）、対象の入賞口スイッチの入賞口監視テーブルを準備する（Ａ２１１０）。また、判定個数以上の場合には（Ａ２１０５の結果が「Ｙ」）、不正入賞数を不正発生判定個数に留め（Ａ２１０６）、対象の不正入賞報知タイマ領域に初期値（例えば６００００ｍｓ）をセーブする（Ａ２１０７）。
【０３１４】
次に、遊技制御装置１００は、対象の不正発生コマンドを演出コマンドとして準備し（Ａ２１０８）、さらに、不正フラグとして不正入賞発生フラグを準備する（Ａ２１０９）。そして、準備した不正フラグを対象の不正フラグ領域の値と比較する（Ａ２１２０）。
【０３１５】
一方、遊技制御装置１００は、不正監視期間でない場合には（Ａ２１０２の結果が「Ｎ」）、対象の入賞口スイッチの入賞口監視テーブルを準備し（Ａ２１１０）、賞球の設定を行う入賞数カウンタ更新処理を実行する（Ａ２１１１）。入賞数カウンタ更新処理の詳細については、後述する。
【０３１６】
そして、遊技制御装置１００は、対象の報知タイマ更新情報をロードし（Ａ２１１２）、報知タイマの更新許可の有無を判定する（Ａ２１１３）。報知タイマの更新が許可されない場合には（Ａ２１１３の結果が「Ｎ」）、不正＆入賞監視処理を終了する。一方、報知タイマの更新が許可される場合には（Ａ２１１３の結果が「Ｙ」）、対象の報知タイマが０でなければ−１更新する（Ａ２１１４）。なお、報知タイマの最小値は０に設定されている。
【０３１７】
報知タイマの更新は、エラー監視対象の入賞口スイッチが普通変動入賞装置３７内の入賞口スイッチ（始動口２スイッチ３７ａ）である場合は許可される。また、報知タイマの更新は、エラー監視対象の入賞口スイッチが一方の大入賞口スイッチ３９ａである場合は許可され、エラー監視対象の入賞口スイッチが他方の大入賞口スイッチ３９ａである場合は許可されない。これにより、特別変動入賞装置３９についての不正報知について、報知タイマの更新が倍の頻度で行われてしまい、規定時間（例えば６００００ｍｓ）の半分でタイムアップしてしまうことを防止している。
【０３１８】
その後、遊技制御装置１００は、報知タイマの値が０であるか否かを判定し（Ａ２１１５）、値が０でない場合（Ａ２１１５の結果が「Ｎ」）、すなわち、タイムアップしていない場合には、不正＆入賞監視処理を終了する。また、報知タイマの値が０である場合（Ａ２１１５の結果が「Ｙ」）、すなわち、タイムアップした又は既にタイムアップしていた場合は、対象の不正解除コマンドを演出コマンドとして準備し（Ａ２１１６）、不正フラグとして不正入賞解除フラグを準備する（Ａ２１１７）。そして、報知タイマの値が０になった瞬間であるか否かを判定する（Ａ２１１８）。
【０３１９】
遊技制御装置１００は、報知タイマの値が０になった瞬間である場合（Ａ２１１８の結果が「Ｙ」）、すなわち、今回の不正＆入賞監視処理で報知タイマの値が０になった場合には、対象の不正入賞数をクリアする（Ａ２１１９）。
【０３２０】
また、遊技制御装置１００は、ステップＡ２１１９の処理が終了後、又は、報知タイマの値が０になった瞬間でない場合（Ａ２１１８の結果が「Ｎ」）、すなわち、前回以前の不正＆入賞監視処理で報知タイマの値が０になった場合には、準備した不正フラグを対象の不正フラグ領域の値と比較する（Ａ２１２０）。
【０３２１】
そして、遊技制御装置１００は、準備した不正フラグと対象の不正フラグ領域の値が一致した場合には（Ａ２１２０の結果が「Ｙ」）、不正＆入賞監視処理を終了する。また、準備した不正フラグと対象の不正フラグ領域の値が一致しない場合には（Ａ２１２０の結果が「Ｎ」）、準備した不正フラグを対象の不正フラグ領域にセーブし（Ａ２１２１）、演出コマンド設定処理を実行する（Ａ２１２２）。その後、不正＆入賞監視処理を終了する。
【０３２２】
以上の処理により、不正の発生に伴い不正発生コマンドが演出制御装置３００に送信され、不正の解除に伴い不正解除コマンドが演出制御装置３００に送信されて、不正の報知の開始、終了が設定されることとなる。
【０３２３】
〔入賞数カウンタ更新処理〕
図１７Ａは、入賞数カウンタ更新処理の手順を示すフローチャートである。入賞数カウンタ更新処理は、図１５Ａに示した入賞口スイッチ／状態監視処理のステップＡ２００９、Ａ２０１１、及び、図１６に示した不正＆入賞監視処理のステップＡ２１１１にて実行される。
【０３２４】
遊技制御装置１００は、まず、入賞口監視テーブルから監視する入賞口スイッチの個数を取得し（Ａ２２０１）、対象の入賞口スイッチに入力（正確には入力の変化）があるか否かを判定する（Ａ２２０２）。入力がない場合には（Ａ２２０２の結果が「Ｎ」）、テーブルアドレスを次レコードのアドレスに更新し（Ａ２２１６）、全スイッチの監視が終了したか否かを判定する（Ａ２２１７）。なお、対象の入賞口スイッチが、左の入賞口スイッチ３５ａ、右の入賞口スイッチ３５ｂ、始動口１スイッチ３６ａの順番に変わるように、テーブルアドレスが更新されていき、一般入賞口３５の入賞口監視が、始動入賞口３６（第１始動入賞口）よりも先に優先的に実行される。
【０３２５】
一方、遊技制御装置１００は、対象の入賞口スイッチに入力がある場合には（Ａ２２０２の結果が「Ｙ」）、対象の入賞数カウンタ領域１の値をロードし（Ａ２２０３）、ロードした値を＋１更新する（Ａ２２０４）。なお、入賞数カウンタ領域では、対象の入賞口への入賞ごとにカウント数が＋１更新（１だけ加算）され、対象の入賞口の入賞数（入賞回数）が記憶される。さらに、更新された値によってオーバーフローが発生するか否かを判定する（Ａ２２０５）。
【０３２６】
遊技制御装置１００は、オーバーフローが発生していない場合には（Ａ２２０５の結果が「Ｎ」）、更新後の値を入賞数カウンタ領域１にセーブする（Ａ２２０６）。次に、対象の入賞数カウンタ領域１（対象の入賞口）に対応する賞球数を設定する（Ａ２２０７）。そして、設定した賞球数を獲得球数領域の値に加算し（Ａ２２０８）、設定した賞球数を対象の役物別獲得球数領域の値に加算し（Ａ２２０９）、排出球数領域の値を＋１更新する（Ａ２２１０）。その後、出玉率と役物比率の算出や、排出球数表示部６６、出玉率表示部６７、役物比率表示部６８の表示制御などを実行する出玉性能監視処理（後述）を実行する。
【０３２７】
ステップＡ２２０４とＡ２２０９の処理では、所定期間（例えば、１分間）における一般入賞口３５又は始動入賞口３６、３７への入賞数の変化が所定数（例えば、５個）を超えた場合、入賞数（入賞数カウンタ領域の値）を＋１更新しないとともに、賞球数を役物別獲得球数領域の値に加算しない構成としてよい。即ち、このような場合、所定数を超えた分の入賞に関しては、役物比率を算出するための賞球数や入賞数のカウントを停止してよい。この構成によって、例えば、何等かの不具合の発生によって遊技者に適切に賞球を付与できなかった場合に、ホール（遊技店）の係員の補填処理によって極端に入賞数が増加してしまったとしても、役物比率を適切に算出することが可能となる。また、悪意のある者が一般入賞口３５への入賞数を操作するために短時間で一般入賞口３５等へ多数の遊技球を入賞させるような不正を未然に防止することができる。
【０３２８】
なお、本実施形態では、アウト球検出スイッチ６５と各入賞口スイッチが遊技領域３２の外部に排出される遊技球を検出し、遊技制御装置１００が排出球数を＋１更新しカウントすることによって（Ａ２０１５、Ａ２２１０）、排出球数をカウントする排出球数カウント手段が構成されている。しかし、球発射装置から発射される遊技球の発射球数が遊技領域３２の外部に排出される遊技球の排出球数に基本的に等しいため、球発射装置からの発射球を検出するスイッチ（センサ）を設けて、遊技制御装置１００が発射球数をカウントすることによって、発射球数をカウントする排出球数カウント手段が、排出球数カウント手段の代わりに構成されてもよい。なお、球発射装置からの発射球には球発射装置への戻りがあるため、アウト球検出スイッチ６５と各入賞口スイッチで遊技球を使用した方が、排出球数は正確にカウントできる。
【０３２９】
遊技制御装置１００は、ステップＡ２２１１の処理の終了後、又は、オーバーフローが発生した場合には（Ａ２２０５の結果が「Ｙ」）、対象の入賞数カウンタ領域２の値をロードする（Ａ２２１２）。その後、遊技制御装置１００は、ロードした値を＋１更新し（Ａ２２１３）、更新した値によってオーバーフローが発生するか否かを判定する（Ａ２２１４）。
【０３３０】
遊技制御装置１００は、オーバーフローが発生しない場合には（Ａ２２１４の結果が「Ｎ」）、更新後の値を入賞数カウンタ領域２にセーブする（Ａ２２１５）。ステップＡ２２１５の処理の終了後、又は、オーバーフローが発生した場合には（Ａ２２１４の結果が「Ｙ」）、テーブルアドレスを次レコードのアドレスに更新する（Ａ２２１６）。そして、全スイッチの監視が終了したか否かを判定する（Ａ２２１７）。
【０３３１】
遊技制御装置１００は、全スイッチの監視が終了していない場合には（Ａ２２１７の結果が「Ｎ」）、対象の入賞口スイッチに入力があるか否かを判定するステップＡ２２０２の処理に戻る。また、全スイッチの監視が終了した場合には（Ａ２２１７の結果が「Ｙ」）、入賞数カウンタ更新処理を終了する。以上の処理により、入賞領域への入賞に基づき入賞数カウンタ領域１及び２が更新されて入賞の情報（入賞数、入賞回数）が記憶されることとなる。
【０３３２】
次に、図１７Ｂを参照して、排出球数を記憶する排出球数領域、排出球数１００個当りにおける獲得球数（賞球数の合計）を記憶する獲得球数領域、電源投入からの役物別獲得球数を記憶する役物別獲得球数領域について説明する。排出球数領域、獲得球数領域、役物別獲得球数領域は、遊技制御装置１００のＲＷＭ（リードライトメモリ：ＲＡＭやＥＥＰＲＯＭ等）に設けられる。
【０３３３】
獲得球数は、出玉率を得るために使用される。役物別獲得球数は、役物比率を計算するために使用される。各役物別獲得球数は、入賞口（役物）ごとの獲得球数である（ただし、大入賞口に関しては大当り状態中と小当り状態中を区別している）。また、各役物別獲得球数の合計値（合計数）を算出すると、入賞口に入賞したことで得られた全賞球数が得られる。役物比率は、例えば、各役物別獲得球数の合計値に対して、大当り中の大入賞口への入賞による賞球数の合計が占める割合である。
【０３３４】
図１７Ｂ（Ｉ）のように、排出球数領域は、１バイトのサイズの記憶領域であり、本実施形態では、０〜９９の値を記憶するために用いられる。図１７Ｂ（ＩＩ）のように、獲得球数領域は、２バイトのサイズの記憶領域であり、０〜１５００の値を記憶するために用いられる。
【０３３５】
図１７Ｂ（ＩＩＩ）のように、各役物別獲得球数領域は、２バイトのサイズの記憶領域であり、０〜６５５３５の値を記憶するために用いられる。なお、各役物別獲得球数領域は、３バイトのサイズ以上の記憶領域としてもよい。また、上限を超える場合は上限値（６５５３５）に留める。各役物別獲得球数領域は、複数の一般入賞口３５への入賞による賞球数の合計を記憶する領域、第１始動入賞口３６（始動口１）への入賞による賞球数の合計を記憶する領域、普通変動入賞装置３７（始動口２）への入賞による賞球数の合計を記憶する領域、大当り中の大入賞口への入賞による賞球数の合計を記憶する領域、小当り中（大当り中以外）の大入賞口への入賞による賞球数の合計を記憶する領域に対応する。
【０３３６】
〔出玉性能監視処理〕
図１８は、出玉性能監視処理の手順を示すフローチャートである。出玉性能監視処理は、入賞数カウンタ更新処理のステップＡ２２１１にて実行される。
【０３３７】
遊技制御装置１００は、まず、排出球数が１００個（所定個数）以上であるか否かを判定する（Ａ２３０１）。排出球数が１００個より小さい場合（Ａ２３０１の結果が「Ｎ」）、ステップＡ２３１３の処理に移行する。排出球数が１００個以上の場合（Ａ２３０１の結果が「Ｙ」）、出玉率表示部６７に表示される出玉率を最新の出玉率へ更新するために、獲得球数領域（ＲＷＭ内）の値をロードする（Ａ２３０２）。獲得球数領域には、排出球数１００個当りの獲得球数（賞球数の合計）、即ち、出玉率が記憶されている。そして、獲得球数が１００以上であるか否か判定する（Ａ２３０３）。
【０３３８】
遊技制御装置１００は、獲得球数が１００より小さい場合（Ａ２３０３の結果が「Ｎ」）、出玉率表示部６７のセグメント（発光部）の発光色（本実施形態では赤又は緑）を示すカラーナンバーを記憶するセグメントカラーナンバー領域（ＲＷＭ内）の値を更新し（Ａ２３０４）、獲得球数（即ち出玉率％）に対応するセグメントデータをカラーナンバーに対応するセグメント領域にセーブする（Ａ２３０５）。なお、カラーナンバーに対応しないセグメント領域は０クリアする。このようにして、出玉率表示部６７において、発光色を変化させて出玉率表示を更新表示することができ（例えば赤から緑へと）、出玉率を更新したことを遊技者に認識させることができる。
【０３３９】
このように、ステップＡ２３０１〜Ａ２３０５の処理によって、排出球数が１００個（所定個数）になる毎に出玉率（獲得球数、賞球数の合計）を出玉率表示部６７に更新表示できる。なお、排出球数が１００個になるタイミングで複数の入賞口に同時に複数の入賞があった場合には、図１５Ｂのように各入賞口に対して予め定めた優先順位に基づいて、複数の入賞のうち優先順位の高い入賞口への入賞を採用し、採用された入賞の賞球数を加算して出玉率（獲得球数、賞球数の合計）が算出される（優先算出手段）。これにより、特に通常遊技状態と特別遊技状態において、排出球数が１００個（所定個数）になるタイミングで、可能な限り大きな出玉率が求められ、遊技者の遊技に対する期待感を向上できる。また、特定遊技状態（普電サポート状態）では、普通変動入賞装置３７への入賞が多いため、普通変動入賞装置３７への入賞が優先して採用される。なお、複数の入賞のうち採用されなかった入賞による賞球数は、次回のタイマ割込み処理における出玉性能監視処理において出玉率（獲得球数、賞球数の合計）に加算される。
【０３４０】
また、図１５Ｃのように、得られる賞球（賞球数）の多い入賞口の順（大入賞口→一般入賞口→第１始動入賞口→第２始動入賞口の順）に、入賞口監視（出玉率の計算）を優先する場合には、排出球数が１００個になるタイミングで、可能な限り大きな出玉率が求められ、遊技者の遊技に対する期待感を向上できる。
【０３４１】
遊技制御装置１００は、獲得球数が１００以上である場合（Ａ２３０３の結果が「Ｙ」）、セグメントカラーナンバー領域の値を初期値（例えば赤に対応）に設定し（Ａ２３０６）、「９９」の点滅表示用のセグメントデータをカラーナンバーに対応するセグメント領域にセーブする（Ａ２３０７）。出玉率表示部６７において出玉率は０から９９までしか表示できないため、このようにして獲得球数（出玉率）が１００以上になると「９９」を一色（例えば赤）だけで点滅表示させる。特に、特別遊技状態（大当り）中において出玉率が１００以上になるが、出玉率表示を更新する場合も一色にして頻繁に出玉率表示の色が変化することを防止する。なお、特別遊技状態（大当り）中において、出玉率表示部６７を消灯して出玉率を非表示にする構成も可能であるが、この場合には、獲得球数（出玉率）が１００以上で出玉率表示を更新する場合に、出玉率表示の色変化を行ってもよい。
【０３４２】
遊技制御装置１００は、獲得球数に対応するコマンドを演出コマンドとして準備し（Ａ２３０８）、演出コマンド設定処理を実行する（Ａ２３０９）。これにより、演出制御装置３００は、表示装置４１において、出玉率（獲得球数）を表示できる。なお、ここでのコマンドは、出玉率表示部６７において表示する１００未満の数値の出玉率（獲得球数）（１バイトの範囲）に対応する。
【０３４３】
次に、遊技制御装置１００は、出玉率に関する信号データをＲＷＭ内の試験信号出力データ領域にセーブする（Ａ２３１０）。これにより、遊技情報出力手段としての出力処理（図１１のＡ１６２１）を介して、中継基板７０さらに外部の試射試験装置へ出玉率に関する信号データが出力される。そして、試射試験装置に出力した出玉率と試射試験装置で求めた出玉率を比較してエラー（不一致）が生じていないか確認できる。ここでの出玉率は、獲得球数領域からロードされた値をそのまま用い、１００以上の値であってよい。なお、出玉率に関する信号データとして、特定の入賞口へ入賞があったことを示す情報と排出球数のデータをそのまま外部の試射試験装置に出力して、試射試験装置で出玉率を算出する構成も可能である。また、出玉率が所定値以上又は所定値以下の異常値である場合に、出玉率に関する信号データ（数値）ではなく、異常を報知する信号データ（オン信号）を試験信号出力データ領域にセーブして試射試験装置へ出力する構成も可能である（正常値である場合にはオフ信号）。次に、獲得球数領域を０クリアし（Ａ２３１１）、排出球数領域を０クリアする（Ａ２３１２）。
【０３４４】
遊技制御装置１００は、ステップＡ２３１２の後、又は、排出球数が１００個より小さい場合（Ａ２３０１の結果が「Ｎ」）、図１７Ｂ（ＩＩＩ）に示した各役物別獲得球数領域の値の合計値（全賞球数）を算出する（Ａ２３１３）。次に、大当り状態中の大入賞口への入賞による賞球数の合計である役物獲得球数（大入賞口（大当り分））をロードし（Ａ２３１４）、役物獲得球数（大入賞口（大当り分））に基づいて、役物比率として（役物獲得球数÷合計値）×１００（％）を算出する（Ａ２３１５）。ここで、合計値は、各役物別獲得球数を合計したもので、入賞口に入賞したことで得られた全賞球数に対応する。役物比率は小数第１位まで算出するが、小数が扱い難いため、役物比率の１０倍の値を算出してよい。
【０３４５】
なお、役物比率の算出に用いる役物獲得球数には、役物獲得球数（大入賞口（大当り分））だけでなく、役物獲得球数（大入賞口（小当り分））及び／又は役物獲得球数（普通変動入賞装置）を含めてよい。なお、役物獲得球数（大入賞口（小当り分））は、小当り状態中に大入賞口に入賞したことで得られた賞球数の合計であり、役物獲得球数（普通変動入賞装置）は、普通変動入賞装置３７（第２始動入賞口）に入賞したことで得られた賞球数の合計である。
【０３４６】
その後、遊技制御装置１００は、算出結果に対応するセグメントデータを、役物比率表示部６８のセグメントに対応するセグメント領域にセーブする（Ａ２３１６）。これにより、出力処理（図１１のＡ１６１０）を介して、役物比率表示部６８において役物比率を表示することができる。次に、役物比率の算出結果（Ａ２３１５）に対応するコマンドを演出コマンドとして準備し（Ａ２３１７）、演出コマンド設定処理を実行する（Ａ２３１８）。これにより、演出制御装置３００は、表示装置４１において、役物比率を表示できる。なお、ここでのコマンドは、役物比率の１０倍の値（０〜１０００）（２バイトの範囲）に対応させてよい。
【０３４７】
次に、遊技制御装置１００は、役物比率に関する信号データを試験信号出力データ領域にセーブする（Ａ２３１９）。これにより、遊技情報出力手段としての出力処理（図１１のＡ１６２２）を介して、中継基板７０さらに外部の試射試験装置へ役物比率に関する信号データが出力し、役物比率に関する情報が報知（表示）できる。そして、試射試験装置に出力した役物比率と試射試験装置で求めた役物比率を比較してエラー（不一致）が生じていないか確認できる。なお、役物比率に関する信号データとして、各役物獲得球数のデータをそのまま外部の試射試験装置に出力して、試射試験装置で役物比率を算出する構成も可能である。
【０３４８】
次に、遊技制御装置１００は、排出球数領域の値をロードし（Ａ２３２０）、（１００−排出球数）の値を算出し（Ａ２３２１）、この算出結果に対応するセグメントデータを、排出球数表示部６６のセグメントに対応するセグメント領域にセーブする（Ａ２３２２）。これにより、出力処理（図１１のＡ１６１０）を介して、排出球数表示部６６において排出球数がカウントダウン表示で表示される。なお、カウントアップ表示する場合には、排出球数領域の値に対応するセグメントデータをそのままセグメント領域にセーブすればよい。また、この算出結果に対応するコマンドを演出コマンドとして準備し（Ａ２３２３）、演出コマンド設定処理を実行する（Ａ２３２４）。これにより、演出制御装置３００は、表示装置４１において、排出球数をカウントダウン表示によって表示できる。なお、ここでのコマンドは、排出球数表示部６６において表示する１００未満の数値の排出球数（１バイトの範囲）に対応する。その後、出玉性能監視処理を終了する。
【０３４９】
なお、変形例として、排出球数の値、獲得球数の値、各役物別獲得球数領域の値をデータとして演出制御装置３００に送信し、演出制御装置３００において、出玉率や役物比率を計算してもよい。また、ステップＡ２３１０とＡ２３１９において、出玉率や役物比率に関する信号データや、出玉率や役物比率が異常値（所定値以上又は所定値以下の値）であることを報知する信号データなどを、外部情報信号として、遊技店に設置された外部装置（情報収集端末や遊技場内部管理装置（ホールコンピュータ）など）に出力し、出玉率や役物比率に関する情報や異常値であることを報知（表示）可能としてもよい。
【０３５０】
〔遊技機状態チェック処理〕
図１９は、遊技機状態チェック処理の手順を示すフローチャートである。遊技機状態チェック処理は、図１５Ａに示した入賞口スイッチ／状態監視処理におけるステップＡ２０２０、Ａ２０２２及びＡ２０２５にて実行される。
【０３５１】
遊技制御装置１００は、まず、状態スキャンカウンタに対応する状態監視テーブルを取得する（Ａ２４０１）。状態スキャンカウンタは遊技状態に対応して０から３の範囲の値が設定されている。なお、状態監視テーブルと状態スキャンカウンタとの関係については、図１５Ａに示した入賞口スイッチ／状態監視処理にて説明した通りである。
【０３５２】
続いて、遊技制御装置１００は、チェック対象の信号がオンであるか否かを判定する（Ａ２４０２）。チェック対象の信号がオンでない場合（Ａ２４０２の結果が「Ｎ」）、すなわち、チェック対象の信号がオフの場合には、状態フラグとして状態オフフラグを準備し（Ａ２４０３）、対象の状態オフコマンドを取得し、準備する（Ａ２４０４）。さらに、対象の状態オフ監視タイマ比較値を取得する（Ａ２４０５）。状態オフフラグは、エラー系の信号に関しては、正常状態を示し、タッチスイッチ信号に関しては、タッチ無しの状態を示す。
【０３５３】
一方、遊技制御装置１００は、チェック対象の信号がオンの場合には（Ａ２４０２の結果が「Ｙ」）、状態フラグとして状態オンフラグを準備し（Ａ２４０６）、対象の状態オンコマンドを取得し、準備する（Ａ２４０７）。さらに、対象の状態オン監視タイマ比較値を取得する（Ａ２４０８）。状態オンフラグは、エラー系の信号に関しては、異常又は不正状態を示し、タッチスイッチ信号に関しては、タッチ有りの状態を示す。
【０３５４】
ステップＡ２４０５又はステップＡ２４０８の処理が終了すると、遊技制御装置１００は、対象の信号制御領域の値が取得された信号の状態と一致するか否かを判定する（Ａ２４０９）。一致する場合には（Ａ２４０９の結果が「Ｙ」）、ステップＡ２４１２の処理に移行する。一致していない場合には（Ａ２４０９の結果が「Ｎ」）、対象の信号制御領域に取得した信号状態をセーブし（Ａ２４１０）、対象の状態監視タイマをクリアする（Ａ２４１１）。
【０３５５】
続いて、遊技制御装置１００は、対象の状態監視タイマを＋１更新する（Ａ２４１２）。さらに、更新された状態監視タイマの値が対応するタイマ比較値以上であるか否かを判定する（Ａ２４１３）。更新された状態監視タイマの値が対応するタイマ比較値未満の場合には（Ａ２４１３の結果が「Ｎ」）、遊技機状態チェック処理を終了する。
【０３５６】
一方、遊技制御装置１００は、更新された状態監視タイマの値が対応するタイマ比較値以上の場合には（Ａ２４１３の結果が「Ｙ」）、状態監視タイマを−１更新し、タイマ比較値−１の値に留める（Ａ２４１４）。さらに、準備した状態フラグが対象の状態フラグ領域の値と一致するか否かを判定する（Ａ２４１５）。一致している場合には（Ａ２４１５の結果が「Ｙ」）、遊技機状態チェック処理を終了する。
【０３５７】
一方、遊技制御装置１００は、準備した状態フラグが対象の状態フラグ領域の値と一致していない場合には（Ａ２４１５の結果が「Ｎ」）、準備した状態フラグを対象の状態フラグ領域にセーブする（Ａ２４１６）。最後に、演出コマンドを設定する演出コマンド設定処理を実行し（Ａ２４１７）、遊技機状態チェック処理を終了する。ここでの演出コマンドは、状態オフコマンドか状態オンコマンドの何れかである。状態オンコマンドがエラー系のコマンドであれば、演出制御装置３００にエラー報知を開始させる。
【０３５８】
〔払出ビジー信号チェック処理〕
図２０は、払出ビジー信号チェック処理の手順を示すフローチャートである。払出ビジー信号チェック処理は、図１５Ａに示した入賞口スイッチ／状態監視処理におけるステップＡ２０２６にて実行される。
【０３５９】
遊技制御装置１００は、まず、払出制御装置２００から入力される払出ビジー信号がオンであるか否かを判定する（Ａ２５０１）。なお、払出ビジー信号は、払出制御装置２００が払出制御を開始できない場合にオン状態とされるようになっている。
【０３６０】
遊技制御装置１００は、払出ビジー信号がオンでない場合には（Ａ２５０１の結果が「Ｎ」）、判定ステータスとしてアイドル状態フラグを準備し（Ａ２５０２）、オフ確定監視タイマ比較値（例えば３２ｍｓｅｃ）を設定する（Ａ２５０３）。一方、払出ビジー信号がオンである場合には（Ａ２５０１の結果が「Ｙ」）、判定ステータスとしてビジー状態フラグを準備し（Ａ２５０４）、オン確定監視タイマ比較値（例えば３２ｍｓｅｃ）を設定する（Ａ２５０５）。
【０３６１】
その後、遊技制御装置１００は、ビジー信号状態領域の値が今回の払出ビジー信号の状態（オン／オフ）に一致するものであるか否かを判定する（Ａ２５０６）。一致する場合（Ａ２５０６の結果が「Ｙ」）、ステップＡ２５０９の処理に移行する。一致しない場合（Ａ２５０６の結果が「Ｎ」）、ビジー信号状態領域に今回の払出ビジー信号の状態をセーブし（Ａ２５０７）、ビジー信号監視タイマを０クリアする（Ａ２５０８）。
【０３６２】
次に、遊技制御装置１００は、ビジー信号監視タイマを＋１更新し（Ａ２５０９）、監視タイマはタイマ比較値以上であるか否かを判定する（Ａ２５１０）。監視タイマがタイマ比較値未満である場合（Ａ２５１０の結果が「Ｎ」）、払出ビジー信号チェック処理を終了する。
【０３６３】
遊技制御装置１００は、監視タイマはタイマ比較値以上である場合（Ａ２５１０の結果が「Ｙ」）、ビジー信号監視タイマを−１更新して、タイマ比較値より１だけ小さい値に留め（Ａ２５１１）、準備した状態フラグを払出ビジー信号フラグ領域（ビジー信号ステータス領域）にセーブし（Ａ２５１２）、払出ビジー信号チェック処理を終了する。
【０３６４】
払出ビジー信号チェック処理により、払出ビジー信号に基づき払出ビジー信号フラグ（ビジー信号ステータス）が設定される。この際に、払出ビジー信号の状態が変化してもすぐにはビジー信号フラグを変更せず、タイマ比較値に亘り変化した状態が継続した場合にビジー信号フラグを変更するようにしており、ノイズ等の影響を受け難くしている。
【０３６５】
また、電源投入時にビジー信号フラグがクリアされるので、いずれかの信号状態がタイマ比較値に亘り継続するまではビジー信号フラグは設定されず不定状態となる。これにより、停電が発生し該停電から復帰した場合には、払出制御装置２００から払出制御を開始可能であることを示す状態信号が出力されていたとしても、直ちに賞球指令が払出制御装置２００に送信されないようになり、払出制御装置２００から払出制御を開始可能であることを示す状態信号が所定期間に亘って継続して出力されたことに対応して賞球指令が払出制御装置２００に送信されるようになる。これにより、払出制御装置２００が賞球指令を受信して即座に払出処理が可能なことを確実に把握してから賞球指令を送信するようになり、賞球指令に対応する払出制御が行われないことを防止できる。
【０３６６】
〔特図ゲーム処理〕
次に、前述のタイマ割込み処理における特図ゲーム処理（Ａ１３０９）の詳細について説明する。図２１は、特図ゲーム処理の手順を示すフローチャートである。特図ゲーム処理では、始動口１スイッチ３６ａ及び始動口２スイッチ３７ａの入力の監視と、特図変動表示ゲームに関する処理全体の制御、特図の表示の設定を行う。
【０３６７】
遊技制御装置１００は、まず、始動口１スイッチ３６ａ及び始動口２スイッチ３７ａの入賞を監視する始動口スイッチ監視処理を実行する（Ａ２６０１）。始動口スイッチ監視処理では、始動入賞口３６、第２始動入賞口をなす普通変動入賞装置３７に遊技球が入賞すると、各種乱数（大当り乱数など）を抽出し、当該入賞に基づく特図変動表示ゲームの開始前の段階で入賞に基づく遊技結果を事前に判定する遊技結果事前判定を行う。なお、始動口スイッチ監視処理の詳細については後述する。
【０３６８】
次に、遊技制御装置１００は、大入賞口スイッチ監視処理を実行する（Ａ２６０２）。大入賞口スイッチ監視処理では、特別変動入賞装置３９内に設けられたカウントスイッチ３９ａでの遊技球の検出を監視する。なお、大入賞口スイッチ監視処理の詳細については後述する。
【０３６９】
次に、遊技制御装置１００は、特図ゲーム処理タイマが０でなければ−１更新する（１だけ減算する）（Ａ２６０３）。特図ゲーム処理タイマは、−１更新によって、タイマ割込み処理の割込み周期（４ｍｓｅｃ）の分だけ計時されることになる。なお、特図ゲーム処理タイマの最小値は０に設定されている。次に、特図ゲーム処理タイマが０であるか否かを判定する（Ａ２６０４）。特図ゲーム処理タイマが０でない場合（Ａ２６０４の結果が「Ｎ」）、ステップＡ２６１９の処理に移行する。
【０３７０】
遊技制御装置１００は、特図ゲーム処理タイマが０である場合（Ａ２６０４の結果が「Ｙ」）、すなわち、タイムアップした又は既にタイムアップしていた場合には、特図ゲーム処理番号に対応する処理に分岐させるために参照する特図ゲームシーケンス分岐テーブルをレジスタに設定する（Ａ２６０５）。さらに、特図ゲームシーケンス分岐テーブルを用いて特図ゲーム処理番号に対応する処理の分岐先アドレスを取得する（Ａ２６０６）。続いて、特図ゲーム処理番号によるサブルーチンコールを行って、特図ゲーム処理番号に応じたゲーム分岐処理を実行する（Ａ２６０７）。
【０３７１】
遊技制御装置１００は、ステップＡ２６０７にてゲーム処理番号が「０」の場合には、特図変動表示ゲームの変動開始を監視し、特図変動表示ゲームの変動開始の設定、演出の設定や、特図変動中処理を行うために必要な情報の設定等を行う特図普段処理を実行する（Ａ２６０８）。なお、特図普段処理の詳細については、図２７にて後述する。
【０３７２】
遊技制御装置１００は、ステップＡ２６０７にてゲーム処理番号が「１」の場合には、特図の停止表示時間の設定や、特図表示中処理を行うために必要な情報の設定等を行う特図変動中処理を実行する（Ａ２６０９）。なお、特図変動中処理の詳細については、図４１にて後述する。
【０３７３】
遊技制御装置１００は、ステップＡ２６０７にてゲーム処理番号が「２」の場合には、特図変動表示ゲームの遊技結果が大当りであれば、大当りの種類に応じたファンファーレコマンドの設定や、各大当りの大入賞口開放パターンに応じたファンファーレ時間の設定、ファンファーレ／インターバル中処理を行うために必要な情報の設定等を行う特図表示中処理を実行する（Ａ２６１０）。なお、特図表示中処理の詳細については、図４２にて後述する。
【０３７４】
遊技制御装置１００は、ステップＡ２６０７にてゲーム処理番号が「３」の場合には、大入賞口の開放時間の設定や開放回数の更新、大入賞口開放中処理を行うために必要な情報の設定等を行うファンファーレ／インターバル中処理を実行する（Ａ２６１１）。なお、ファンファーレ／インターバル中処理の詳細については、図４７にて後述する。
【０３７５】
遊技制御装置１００は、ステップＡ２６０７にてゲーム処理番号が「４」の場合には、大当りラウンドが最終ラウンドでなければインターバルコマンドを設定する一方で最終ラウンドであればエンディングコマンドを設定する処理や、大入賞口残存球処理を行うために必要な情報の設定等を行う大入賞口開放中処理を実行する（Ａ２６１２）。なお、大入賞口開放中処理の詳細については、図４８にて後述する。
【０３７６】
遊技制御装置１００は、ステップＡ２６０７にてゲーム処理番号が「５」の場合には、大当りラウンドが最終ラウンドであれば大入賞口内にある残存球が排出されるための時間を設定する処理や、大当り終了処理を行うために必要な情報の設定等を行う大入賞口残存球処理を実行する（Ａ２６１３）。なお、大入賞口残存球処理の詳細については、図４９にて後述する。
【０３７７】
遊技制御装置１００は、ステップＡ２６０７にてゲーム処理番号が「６」の場合には、特図普段処理を実行するために必要な情報の設定等を行う大当り終了処理を実行する（Ａ２６１４）。なお、大当り終了処理の詳細については、図５０にて後述する。
【０３７８】
遊技制御装置１００は、ステップＡ２６０７にてゲーム処理番号が「７」の場合には、大入賞口の開放時間の設定や開放回数の更新、小当り中処理を行うために必要な情報の設定等を行う小当りファンファーレ中処理を実行する（Ａ２６１５）。なお、小当りファンファーレ中処理の詳細については、図５４にて後述する。
【０３７９】
遊技制御装置１００は、ステップＡ２６０７にてゲーム処理番号が「８」の場合には、小当り残存球処理を行うために必要な情報の設定等を行う小当り中処理を実行する（Ａ２６１６）。なお、小当り中処理の詳細については、図５５にて後述する。
【０３８０】
遊技制御装置１００は、ステップＡ２６０７にてゲーム処理番号が「９」の場合には、小当り終了処理を行うために必要な情報の設定等を行う小当り残存球処理を実行する（Ａ２６１７）。なお、小当り残存球処理の詳細については、図５７にて後述する。
【０３８１】
遊技制御装置１００は、ステップＡ２６０７にてゲーム処理番号が「１０」の場合には、特図普段処理を実行するために必要な情報の設定等を行う小当り終了処理を実行する（Ａ２６１８）。なお、小当り終了処理の詳細については、図５８にて後述する。
【０３８２】
特図ゲーム処理番号に基づく処理が終了すると、遊技制御装置１００は、特図１表示器５１の変動を制御するための特図１変動制御テーブルを準備した後（Ａ２６１９）、特図１表示器５１に係る図柄変動制御処理を実行する（Ａ２６２０）。そして、特図２表示器５２の変動を制御するための特図２変動制御テーブルを準備した後（Ａ２６２１）、特図２表示器５２に係る図柄変動制御処理を実行する（Ａ２６２２）。なお、図柄変動制御処理の詳細については、図６０にて後述する。
【０３８３】
〔始動口スイッチ監視処理〕
次に、特図ゲーム処理における始動口スイッチ監視処理（Ａ２６０１）の詳細について説明する。図２２は、始動口スイッチ監視処理の手順を示すフローチャートである。
【０３８４】
遊技制御装置１００は、まず、始動入賞口３６（始動口１）に対する入賞監視テーブルを準備し（Ａ２７０１）、ハード乱数取得処理を実行し（Ａ２７０２）、始動入賞口３６への入賞があるか否かを判定する（Ａ２７０３）。始動入賞口３６への入賞がない場合（Ａ２７０３の結果が「Ｎ」）には、ステップＡ２７０９以降の処理を実行する。一方、始動入賞口３６への入賞がある場合（Ａ２７０３の結果が「Ｙ」）、特図時短中（普電サポート状態中）であるか否かを判定する（Ａ２７０４）。
【０３８５】
遊技制御装置１００は、特図時短中（普電サポート状態中）でないと判定した場合（Ａ２７０４の結果が「Ｎ」）、ステップＡ２７０７以降の処理を実行する。一方、特図時短中（普電サポート状態中）である場合（Ａ２７０４の結果が「Ｙ」）、右打ち指示報知コマンドを演出コマンドとして準備して（Ａ２７０５）、演出コマンド設定処理を実行する（Ａ２７０６）。
【０３８６】
即ち、普電サポート状態（時短状態）であれば、変動表示ゲームの確率状態（高確率状態／低確率状態）にかかわらず、右打ち指示報知コマンドを準備して、演出コマンド設定処理を実行する。本実施形態の場合、始動入賞口３６へは左打ちでないと入賞せず、普通変動入賞装置３７へは右打ちでないと入賞しない。また、右打ちでないと、遊技球が普図始動ゲート３４を通過しない。したがって、普電サポート状態（時短状態）は、左打ちよりも右打ちの方が有利となるが、普電サポート状態中に始動入賞口３６に入賞があった場合（すなわち、普電サポート状態中に左打ちされた場合）には、右打ち指示報知コマンドを演出制御装置３００に送信し、演出制御装置３００は、右打ちするよう指示する報知（警告）を表示装置４１等によって実行する。
【０３８７】
次に、遊技制御装置１００は、始動入賞口３６（始動口１）による保留の情報を設定するテーブルを準備した後（Ａ２７０７）、特図始動口スイッチ共通処理を実行する（Ａ２７０８）。そして、第２始動入賞口（普通変動入賞装置３７）に対する入賞監視テーブルを準備し（Ａ２７０９）、ハード乱数取得処理を実行し（Ａ２７１０）、第２始動入賞口への入賞があるか否かを判定する（Ａ２７１１）。第２始動入賞口への入賞がない場合（Ａ２７１１の結果が「Ｎ」）には、始動口スイッチ監視処理を終了する。
【０３８８】
一方、遊技制御装置１００は、第２始動入賞口への入賞がある場合（Ａ２７１１の結果が「Ｙ」）には、普通電動役物（普通変動入賞装置３７）が作動中であるか否か、すなわち、普通変動入賞装置３７が作動して遊技球の入賞が可能な開状態となっているか否かを判定する（Ａ２７１２）。普通電動役物が作動中である場合（Ａ２７１２の結果が「Ｙ」）、ステップＡ２７１４の処理に移行する。
【０３８９】
一方、遊技制御装置１００は、普通電動役物が作動中でない場合（Ａ２７１２の結果が「Ｎ」）、普電不正発生中であるかを判定する（Ａ２７１３）。普通変動入賞装置３７への不正入賞数が不正発生判定個数（例えば５個）以上である場合に普電不正発生中であると判定する。普通変動入賞装置３７は、閉状態では遊技球が入賞不可能であり、開状態でのみ遊技球が入賞可能である。従って、閉状態で遊技球が入賞した場合は何らかの異常や不正が発生した場合であり、このような閉状態で入賞した遊技球があった場合はその数を不正入賞数として計数する。そして、このように計数された不正入賞数が所定の不正発生判定個数（上限値）以上である場合に不正発生中と判定する。
【０３９０】
遊技制御装置１００は、普電不正発生中でない場合（Ａ２７１３の結果が「Ｎ」）、第２始動入賞口（普通変動入賞装置３７）による保留の情報を設定するテーブルを準備した後（Ａ２７１４）、特図始動口スイッチ共通処理を実行し（Ａ２７１５）、始動口スイッチ監視処理を終了する。また、Ａ２７１３にて、普電不正発生中である（Ａ２７１３の結果が「Ｙ」）と判定した場合にも、始動口スイッチ監視処理を終了する。すなわち、第２始動記憶をそれ以上発生させないようにする。
【０３９１】
〔ハード乱数取得処理〕
次に、始動口スイッチ監視処理におけるハード乱数取得処理（Ａ２７０２、Ａ２７１０）の詳細について説明する。図２３は、ハード乱数取得処理の手順を示すフローチャートである。
【０３９２】
遊技制御装置１００は、まず、始動口入賞がないことを示す始動口入賞なし情報を設定する（Ａ２８０１）。次に、対象のスイッチに入力があった否かを判定し（Ａ２８０２）、対象のスイッチに入力がなかった場合（Ａ２８０２の結果が「Ｎ」）、ハード乱数取得処理を終了する。なお、対象のスイッチは、ステップＡ２７０２のハード乱数取得処理では、始動口１スイッチ３６ａであり、ステップＡ２７１０のハード乱数取得処理では、始動口２スイッチ３７ａである。
【０３９３】
遊技制御装置１００は、対象のスイッチに入力があった場合（Ａ２８０２の結果が「Ｙ」）、乱数ラッチレジスタステータス（乱数ラッチレジスタの状態）を読み込み、対象の乱数ラッチレジスタにラッチデータあるか否かを判定する（Ａ２８０３、Ａ２８０４）。対象の乱数ラッチレジスタにラッチデータない場合（Ａ２８０４の結果が「Ｎ」）、ハード乱数取得処理を終了する。
【０３９４】
遊技制御装置１００は、対象の乱数ラッチレジスタにラッチデータある場合（Ａ２８０４の結果が「Ｙ」）、対象のハード乱数ラッチレジスタに抽出された大当り乱数をロードして準備し（Ａ２８０５）、始動口入賞があることを示す始動口入賞あり情報を設定する（Ａ２８０６）。なお、準備した大当り乱数は、特図始動口スイッチ共通処理で使用される。
【０３９５】
〔特図始動口スイッチ共通処理〕
次に、始動口スイッチ監視処理における特図始動口スイッチ共通処理（Ａ２７０８、Ａ２７１５）の詳細について説明する。図２４は、特図始動口スイッチ共通処理の手順を示すフローチャートである。特図始動口スイッチ共通処理は、始動口１スイッチ３６ａや始動口２スイッチ３７ａの入力があった場合に、各々の入力について共通して行われる処理である。
【０３９６】
遊技制御装置１００は、まず、始動口１スイッチ３６ａ及び始動口２スイッチ３７ａのうち、監視対象の始動口スイッチへの入賞の回数に関する情報を遊技機１０の外部の管理装置に対して出力する回数である始動口信号出力回数をロードし（Ａ２９０１）、ロードした値を＋１更新して（Ａ２９０２）、出力回数がオーバーフローするか否かを判定する（Ａ２９０３）。出力回数がオーバーフローしない場合（Ａ２９０３の結果が「Ｎ」）、更新後の値をＲＷＭの始動口信号出力回数領域にセーブして（Ａ２９０４）、ステップＡ２９０５の処理に移行する。一方、出力回数がオーバーフローする場合（Ａ２９０３の結果が「Ｙ」）、ステップＡ２９０５の処理に移行する。本実施形態では、始動口信号出力回数領域に「０」から「２５５」までの値を記憶することができる。そして、ロードした値が「２５５」である場合には＋１更新によって更新後の値は「０」になり、出力回数がオーバーフローすると判定するよう構成されている。
【０３９７】
次に、遊技制御装置１００は、始動口１スイッチ３６ａ及び始動口２スイッチ３７ａのうち、監視対象の始動口スイッチに対応する更新対象の特図保留数（始動記憶数）が上限値未満か否かを判定する（Ａ２９０５）。更新対象の特図保留数が上限値未満でない場合（Ａ２９０５の結果が「Ｎ」）は、特図始動口スイッチ共通処理を終了する。また、更新対象の特図保留数が上限値未満である場合（Ａ２９０５の結果が「Ｙ」）は、更新対象の特図保留数（特図１保留数又は特図２保留数）を＋１更新して（Ａ２９０６）、対象の始動口入賞フラグをセーブする（Ａ２９０７）。
【０３９８】
次に、遊技制御装置１００は、監視対象の始動口スイッチ及び特図保留数に対応する乱数格納領域のアドレスを算出して（Ａ２９０８）、ステップＡ２８０５にて準備した大当り乱数をＲＷＭの大当り乱数格納領域にセーブする（Ａ２９０９）。次に、監視対象の始動口スイッチの大当り図柄乱数を抽出し、準備して（Ａ２９１０）、ＲＷＭの大当り図柄乱数格納領域にセーブする（Ａ２９１１）。
【０３９９】
次に、遊技制御装置１００は、始動入賞口３６（始動口１）への入賞であるか否かを判定する（Ａ２９１２）。始動入賞口３６への入賞でない場合（Ａ２９１２の結果が「Ｎ」）には、ステップＡ２９１５の処理に移行する。一方、始動入賞口３６への入賞である場合（Ａ２９１２の結果が「Ｙ」）、小当り図柄乱数を抽出し、準備して（Ａ２９１３）、ＲＷＭの小当り図柄乱数格納領域にセーブする（Ａ２９１４）。
【０４００】
次に、遊技制御装置１００は、変動パターン乱数１から３を対応するＲＷＭの変動パターン乱数格納領域にセーブして（Ａ２９１５）、特図保留情報判定処理を実行する（Ａ２９１６）。そして、監視対象の始動口スイッチ及び特図保留数に対応する飾り特図保留数コマンドを演出コマンドとして準備し（Ａ２９１７）、演出コマンド設定処理（Ａ２９１８）を実行して、特図始動口スイッチ共通処理を終了する。
【０４０１】
ここで、遊技制御装置１００（ＲＡＭ１１１ｃ）は、始動入賞口３６や普通変動入賞装置３７の始動入賞領域への遊技球の流入に基づき、所定の乱数を抽出し前記変動表示ゲームの実行権利となる始動記憶として所定数を上限に記憶する始動記憶手段をなす。また、始動記憶手段（遊技制御装置１００）は、第１始動入賞口（始動入賞口３６）への遊技球の入賞に基づき抽出した各種の乱数値を、所定数を上限に第１始動記憶として記憶し、第２始動入賞口（普通変動入賞装置３７）への遊技球の入賞に基づき抽出した各種の乱数値を、所定数を上限に第２始動記憶として記憶する。
【０４０２】
〔特図保留情報判定処理〕
次に、始動口スイッチ共通処理における特図保留情報判定処理（Ａ２９１６）の詳細について説明する。図２５は、特図保留情報判定処理の手順を示すフローチャートである。特図保留情報判定処理は、対応する始動記憶に基づく特図変動表示ゲームの開始タイミングより前に当該始動記憶に対応した結果関連情報の判定を行う先読み（事前判定）処理である。
【０４０３】
遊技制御装置１００は、まず、ステップＡ２９０７にてセーブした始動口入賞フラグをチェックして、始動入賞口３６（始動口１）への入賞であるか否かを判定する（Ａ３００１）。始動入賞口３６への入賞でない場合（Ａ３００１の結果が「Ｎ」）、ステップＡ３００４の処理に移行する。一方、始動入賞口３６への入賞である場合（Ａ３００１の結果が「Ｙ」）には、特図時短中（普電サポート状態中）であるか否かを判定する（Ａ３００２）。
【０４０４】
遊技制御装置１００は、特図時短中（普電サポート状態中）である場合（Ａ３００２の結果が「Ｙ」）、特図保留情報判定処理を終了する。一方、特図時短中でない場合（Ａ３００２の結果が「Ｎ」）には、大当り中または小当り中であるか否かを判定する（Ａ３００３）。大当り中または小当り中である場合（Ａ３００３の結果が「Ｙ」）、特図保留情報判定処理を終了する。
【０４０５】
一方、遊技制御装置１００は、大当り中または小当り中でない場合（Ａ３００３の結果が「Ｎ」）、大当り乱数値が大当り判定値と一致するか否かにより大当りであるかを判定する大当り判定処理を実行する（Ａ３００４）。そして、判定結果が大当りである場合（Ａ３００５の結果が「Ｙ」）は、対象の始動口スイッチに対応する大当り図柄乱数チェックテーブルを設定し（Ａ３００６）、ステップＡ２９１０にて準備した大当り図柄乱数に対応する停止図柄情報を取得して（Ａ３００７）、ステップＡ３０１４の処理に移行する。
【０４０６】
遊技制御装置１００は、判定結果が大当りでない場合（Ａ３００５の結果が「Ｎ」）は、第１始動口（始動入賞口３６）への入賞であるか否かを判定する（Ａ３００８）。始動入賞口３６への入賞でない場合（Ａ３００８の結果が「Ｎ」）、はずれの停止図柄情報を設定して（Ａ３０１３）、ステップＡ３０１４の処理に移行する。
【０４０７】
遊技制御装置１００は、始動入賞口３６への入賞である場合（Ａ３００８の結果が「Ｙ」）、大当り乱数値が小当り判定値と一致するか否かにより小当りであるかを判定する小当り判定処理を実行する（Ａ３００９）。そして、判定結果が小当りでない場合（Ａ３０１０の結果が「Ｎ」）、はずれの停止図柄情報を設定して（Ａ３０１３）、ステップＡ３０１４の処理に移行する。一方、判定結果が小当りである場合（Ａ３０１０の結果が「Ｙ」）には、小当り図柄乱数チェックテーブルを設定し（Ａ３０１１）、ステップＡ１４３にて準備した小当り図柄乱数に対応する停止図柄情報を取得して（Ａ３０１２）、ステップＡ３０１４の処理に移行する。
【０４０８】
次に、遊技制御装置１００は、対象の始動口スイッチ及び停止図柄情報に対応する先読み停止図柄コマンドを演出コマンドとして準備し（Ａ３０１４）、演出コマンド設定処理を実行する（Ａ３０１５）。次に、変動パターンを設定するためのパラメータである特図情報を設定する特図情報設定処理を行い（Ａ３０１６）、特図変動表示ゲームの変動態様を設定する変動パターン設定処理を実行する（Ａ３０１７）。
【０４０９】
その後、遊技制御装置１００は、特図変動表示ゲームの変動態様における前半変動パターンを示す前半変動番号及び後半変動パターンを示す後半変動番号に対応する先読み変動パターンコマンドを演出コマンドとして準備して（Ａ３０１８）、演出コマンド設定処理を行い（Ａ３０１９）、特図保留情報判定処理を終了する。なお、ステップＡ３０１６における特図情報設定処理、ステップＡ３０１７における変動パターン設定処理は、特図普段処理で特図変動表示ゲームの開始時に実行される処理と同様である。
【０４１０】
以上の処理により、先読み対象の始動記憶に基づく特図変動表示ゲームの結果を含む先読み図柄コマンドと、当該始動記憶に基づく特図変動表示ゲームでの変動パターンの情報を含む先読み変動パターンコマンドが準備され、演出制御装置３００に送信される。これにより、始動記憶に対応した結果関連情報（大当りか否かや変動パターンの種類）の判定結果（先読み結果）を、対応する始動記憶に基づく特図変動表示ゲームの開始タイミングより前に演出制御装置３００に対して知らせることができ、特に表示装置４１に表示される飾り特図始動記憶表示を変化させるなどして、その特図変動表示ゲームの開始タイミングより前に遊技者に結果関連情報を報知することが可能となる。
【０４１１】
すなわち、遊技制御装置１００が、始動記憶手段（遊技制御装置１００）に始動記憶として記憶される乱数を、当該始動記憶に基づく変動表示ゲームの実行前に判定する（例えば特別結果となるか否か等を判定）事前判定手段をなす。なお、始動記憶に対応して記憶された乱数値を事前に判定する時期は、当該始動記憶が発生した始動入賞時だけではなく、当該始動記憶に基づく変動表示ゲームが行われる前であればいつでもよい。
【０４１２】
〔大入賞口スイッチ監視処理〕
次に、特図ゲーム処理における大入賞口スイッチ監視処理（Ａ２６０２）の詳細について説明する。図２６は、大入賞口スイッチ監視処理の手順を示すフローチャートである。
【０４１３】
遊技制御装置１００は、まず、特図ゲーム処理番号の値が「４」であるか、すなわち大入賞口開放中処理中であるか否かを判定する（Ａ３１０１）。大入賞口開放中処理中である場合（Ａ３１０１の結果が「Ｙ」）、ステップＡ３１０５の処理に移行する。また、大入賞口開放中処理中でない場合（Ａ３１０１の結果が「Ｎ」）、特図ゲーム処理番号の値が「５」であるか、すなわち大入賞口残存球処理中であるか否かを判定する（Ａ３１０２）。
【０４１４】
遊技制御装置１００は、大入賞口残存球処理中である場合（Ａ３１０２の結果が「Ｙ」）、ステップＡ３１０５の処理に移行する。また、大入賞口残存球処理中でない場合（Ａ３１０５の結果が「Ｎ」）、特図ゲーム処理番号の値が「８」であるか、すなわち小当り中処理中であるか否かを判定する（Ａ３１０３）。小当り中処理中である場合（Ａ３１０４の結果が「Ｙ」）、ステップＡ３１０５の処理に移行する。また、小当り中処理中でない場合（Ａ３１０３の結果が「Ｎ」）、特図ゲーム処理番号の値が「９」であるか、すなわち小当り残存球処理中であるか否かを判定する（Ａ３１０４）。特図ゲーム処理タイマが０になるまで特図ゲーム処理番号は次に移行しないため、このように特図ゲーム処理番号によって遊技の進行状態をチェックすることができる。
【０４１５】
遊技制御装置１００は、小当り残存球処理中でない場合（Ａ３１０４の結果が「Ｎ」）、大入賞口スイッチ監視処理を終了する。また、小当り残存球処理中である場合（Ａ３１０４の結果が「Ｙ」）は、ステップＡ３１０５の処理に移行する。そして、入賞カウンタに０をセットして（Ａ３１０５）、大入賞口スイッチ１（一方の大入賞口スイッチ３９ａ）に入力があるか否かを判定する（Ａ３１０６）。
【０４１６】
遊技制御装置１００は、大入賞口スイッチ１に入力がない場合（Ａ３１０６の結果が「Ｎ」）、大入賞口スイッチ２（他方の大入賞口スイッチ３９ａ）に入力があるか否かを判定する（Ａ３１１０）。また、大入賞口スイッチ１に入力がある場合（Ａ３１０６の結果が「Ｙ」）、大入賞口カウントコマンドを演出コマンドとして準備して（Ａ３１０７）、演出コマンド設定処理（Ａ３１０８）を実行する。そして、入賞カウンタを＋１更新し（Ａ３１０９）、大入賞口スイッチ２（他方の大入賞口スイッチ３９ａ）に入力があるか否かを判定する（Ａ３１１０）。
【０４１７】
遊技制御装置１００は、大入賞口スイッチ２に入力がない場合（Ａ３１１０の結果が「Ｎ」）、入賞カウンタの値が０であるか否かを判定する（Ａ３１１４）。また、大入賞口スイッチ２に入力がある場合（Ａ３１１０の結果が「Ｙ」）、大入賞口カウントコマンドを演出コマンドとして準備して（Ａ３１１１）、演出コマンド設定処理（Ａ３１１２）を実行する。そして、入賞カウンタを＋１更新し（Ａ３１１３）、入賞カウンタの値が０であるか否かを判定する（Ａ３１１４）。
【０４１８】
遊技制御装置１００は、入賞カウンタの値が０である場合（Ａ３１１４の結果が「Ｙ」）は、大入賞口スイッチ監視処理を終了する。また、入賞カウンタの値が０でない場合（Ａ３１１４の結果が「Ｎ」）、大入賞口残存球処理中であるか否かを判定する（Ａ３１１５）。大入賞口残存球処理中である場合（Ａ３１１５の結果が「Ｙ」）、大入賞口スイッチ監視処理を終了し、大入賞口残存球処理中でない場合（Ａ３１１５の結果が「Ｎ」）、小当り残存球処理中であるか否かを判定する（Ａ３１１６）。
【０４１９】
遊技制御装置１００は、小当り残存球処理中である場合（Ａ３１１６の結果が「Ｙ」）は、大入賞口スイッチ監視処理を終了し、小当り残存球処理中でない場合（Ａ３１１６の結果が「Ｎ」）、入賞カウンタの値（１又は２）を大入賞口カウント数に加算し（Ａ３１１７）、大入賞口カウント数が上限値（一のラウンドで入賞可能な遊技球数。例えば「９」）以上となったか否かを判定する（Ａ３１１８）。
【０４２０】
遊技制御装置１００は、大入賞口カウント数が上限値以上となっていない場合（Ａ３１１８の結果が「Ｎ」）、大入賞口スイッチ監視処理を終了する。また、大入賞口カウント数が上限値以上となった場合（Ａ３１１８の結果が「Ｙ」）、大入賞口カウント数を上限値に留め（Ａ３１１９）、特図ゲーム処理タイマ領域を０クリアして（Ａ３１２０）、小当り中処理中であるかを判定する（Ａ３１２１）。
【０４２１】
遊技制御装置１００は、小当り中処理中でない場合（Ａ３１２１の結果が「Ｎ」）、大入賞口スイッチ監視処理を終了し、小当り中処理中である場合（Ａ３１２１の結果が「Ｙ」）、大入賞口制御ポインタ領域に小当り開放動作終了の値をセーブして（Ａ３１２２）、大入賞口スイッチ監視処理を終了する。これにより大入賞口が閉鎖されて一のラウンドが終了することとなる。
【０４２２】
〔特図普段処理〕
次に、特図ゲーム処理における特図普段処理（Ａ２６０８）の詳細について説明する。図２７は、特図普段処理の手順を示すフローチャートである。
【０４２３】
遊技制御装置１００は、まず、特図２保留数（第２始動記憶数）が０であるか否かを判定する（Ａ３２０１）。特図２保留数が０である場合（Ａ３２０１の結果が「Ｙ」）、特図１保留数（第１始動記憶数）が０であるか否かを判定する（Ａ３２０５）。そして、特図１保留数が０である場合（Ａ３２０５の結果が「Ｙ」）、客待ちデモが開始済みであるか否かを判定し（Ａ３２０９）、客待ちデモが開始済みでない場合（Ａ３２０９の結果が「Ｎ」）は、客待ちデモフラグ領域に、客待ちデモ状態（客待ちデモ中の状態）であることを示す客待ちデモ中フラグをセットする（Ａ３２１０）。
【０４２４】
続けて、遊技制御装置１００は、客待ちデモコマンドを演出コマンドとして準備して（Ａ３２１１）、演出コマンド設定処理を行い（Ａ３２１２）、処理番号として特図普段処理に係る「０」を設定する（Ａ３２１３）。一方、ステップＡ３２０９にて、客待ちデモが開始済みである場合（Ａ３２０９の結果が「Ｙ」）も、処理番号として特図普段処理に係る「０」を設定する（Ａ３２１３）。その後、特図ゲーム処理番号領域に処理番号をセーブして（Ａ３２１４）、変動図柄判別フラグ領域をクリアする（Ａ３２１５）。そして、大入賞口不正監視期間フラグ領域に不正監視期間中フラグをセーブして（Ａ３２１６）、特図普段処理を終了する。
【０４２５】
このように、客待ちデモコマンドは、特図１保留数（第１始動記憶数）と特図２保留数（第２始動記憶数）が０である場合に送信され、客待ちデモコマンドを受信した演出制御装置３００は、表示装置４１等に客待ちデモを表示する設定を行う。なお、遊技制御装置１００は、操作ハンドル２４のタッチスイッチからのタッチスイッチ信号がオフ信号となった場合にのみ、客待ちデモコマンドを送信する構成も可能である。
【０４２６】
また、遊技制御装置１００は、特図２保留数が０でない場合（Ａ３２０１の結果が「Ｎ」）、特図２変動開始処理を実行し（Ａ３２０２）、特図２保留数に対応する飾り特図保留数コマンド（飾り特図２保留数コマンド）を演出コマンドとして準備して（Ａ３２０３）、演出コマンド設定処理を実行し（Ａ３２０４）、特図普段処理を終了する。
【０４２７】
また、遊技制御装置１００は、特図１保留数が０でない場合（Ａ３２０５の結果が「Ｎ」）、特図１変動開始処理を実行し（Ａ３２０６）、特図１保留数に対応する飾り特図保留数コマンド（飾り特図１保留数コマンド）を演出コマンドとして準備して（Ａ３２０７）、演出コマンド設定処理を実行し（Ａ３２０８）、特図普段処理を終了する。
【０４２８】
このように、特図２保留数のチェックを特図１保留数のチェックよりも先に行うことで、特図２保留数が０でない場合には特図２変動開始処理（Ａ３２０２）が実行されることとなる。すなわち、特図２変動表示ゲームが特図１変動表示ゲームに優先して実行されることとなる。つまり、遊技制御装置１００が、第２始動記憶手段（遊技制御装置１００）に第２始動記憶がある場合には、当該第２始動記憶に基づく変動表示ゲームを、第１始動記憶に基づく変動表示ゲームよりも優先的に実行する優先制御手段をなす。
【０４２９】
〔特図１変動開始処理〕
次に、特図普段処理における特図１変動開始処理（Ａ３２０６）の詳細について説明する。図２８は、特図１変動開始処理の手順を示すフローチャートである。特図１変動開始処理は、特図１変動表示ゲームの開始時に行う処理である。
【０４３０】
遊技制御装置１００は、実行する特図変動表示ゲームの種別（ここでは特図１）を示す特図１変動フラグを変動図柄判別フラグ領域にセーブする（Ａ３４０１）。続いて、特図１変動表示ゲームが大当りであるか否かを判別するための大当りフラグ１にはずれ情報や大当り情報を設定する大当りフラグ１設定処理を実行する（Ａ３４０２）。大当りフラグ１設定処理の詳細については後述する。
【０４３１】
次に、遊技制御装置１００は、特図１停止図柄（図柄情報）の設定に係る特図１停止図柄設定処理を実行する（Ａ３４０３）。特図１停止図柄設定処理の詳細については後述する。さらに、遊技制御装置１００は、変動パターンを設定するためのパラメータである特図情報を設定する特図情報設定処理を実行する（Ａ３４０４）。特図情報設定処理の詳細については後述する。
【０４３２】
続いて、遊技制御装置１００は、特図１変動表示ゲームの変動パターンの設定に関する種々の情報を参照するための情報が設定されたテーブルである特図１変動パターン設定情報テーブルを準備する（Ａ３４０５）。その後、遊技制御装置１００は、特図１変動表示ゲームにおける変動態様である変動パターンを設定する変動パターン設定処理を実行する（Ａ３４０６）。変動パターン設定処理の詳細については後述する。
【０４３３】
次に、遊技制御装置１００は、特図１変動表示ゲームの変動開始の情報を設定する変動開始情報設定処理を実行し（Ａ３４０７）、特図１変動開始処理を終了する。変動開始情報設定処理の詳細については後述する。
【０４３４】
そして、遊技制御装置１００は、処理番号として特図変動中処理に係る「１」を設定し（Ａ３４０８）、特図ゲーム処理番号領域に処理番号をセーブする（Ａ３４０９）。
【０４３５】
そして、遊技制御装置１００は、客待ちデモフラグ領域をクリアし（Ａ３４１０）、特図１の変動開始に関する信号を試験信号出力データ領域にセーブする（Ａ３４１１）。その後、特図１変動制御フラグ領域に変動中フラグをセーブし（Ａ３４１２）、特図１点滅制御タイマ領域に点滅制御タイマ（特図１表示器５１の点滅の周期のタイマ）の初期値（例えば１００ｍｓ）を設定する（Ａ３４１３）。続いて、特図１変動図柄番号領域に初期値（例えば０）をセーブし（Ａ３４１４）、特図１変動開始処理を終了する。
【０４３６】
〔特図２変動開始処理〕
次に、特図普段処理における特図２変動開始処理（Ａ３２０２）の詳細について説明する。図２９は、特図２変動開始処理の手順を示すフローチャートである。特図２変動開始処理は、特図２変動表示ゲームの開始時に行う処理であって、図２８に示した特図１変動開始処理での処理と同様の処理を、第２始動記憶を対象として行うものである。
【０４３７】
遊技制御装置１００は、まず、実行する特図変動表示ゲームの種別（ここでは特図２）を示す特図２変動フラグを変動図柄判別フラグ領域にセーブする（Ａ３５０１）。続いて、特図２変動表示ゲームが大当りであるか否かを判別するための大当りフラグ２にはずれ情報や大当り情報を設定する大当りフラグ２設定処理を実行する（Ａ３５０２）。
【０４３８】
次に、遊技制御装置１００は、特図２停止図柄（図柄情報）の設定に係る特図２停止図柄設定処理を実行する（Ａ３５０３）。さらに、変動パターンを設定するためのパラメータである特図情報を設定する特図情報設定処理を実行する（Ａ３５０４）。続いて、特図２変動表示ゲームの変動パターンの設定に関する種々の情報を参照するための情報が設定されたテーブルである特図２変動パターン設定情報テーブルを準備する（Ａ３５０５）。
【０４３９】
その後、遊技制御装置１００は、特図２変動表示ゲームの変動パターンを設定する変動パターン設定処理を実行する（Ａ３５０６）。そして、特図２変動表示ゲームの変動開始の情報を設定する変動開始情報設定処理を実行する（Ａ３５０７）。
【０４４０】
次に、遊技制御装置１００は、まず、処理番号として特図変動中処理に係る「１」を設定し（Ａ３５０８）、特図ゲーム処理番号領域に処理番号をセーブする（Ａ３５０９）。
【０４４１】
そして、遊技制御装置１００は、客待ちデモフラグ領域をクリアし（Ａ３５１０）、特図２の変動開始に関する信号を試験信号出力データ領域にセーブする（Ａ３５１１）。その後、特図２変動制御フラグ領域に変動中フラグをセーブし（Ａ３５１２）、特図２点滅制御タイマ領域に点滅制御タイマ（特図２表示器５２の点滅の周期のタイマ）の初期値（例えば１００ｍｓ）を設定する（Ａ３５１３）。続いて、特図２変動図柄番号領域に初期値（例えば０）をセーブし（Ａ３４１４）、特図２変動開始処理を終了する。
【０４４２】
〔大当りフラグ１設定処理〕
次に、特図１変動開始処理における大当りフラグ１設定処理（Ａ３４０２）の詳細について説明する。図３０は、大当りフラグ１設定処理の手順を示すフローチャートである。
【０４４３】
遊技制御装置１００は、まず、小当りフラグ領域にはずれ情報をセーブして（Ａ３６０１）、大当りフラグ１領域にはずれ情報をセーブする（Ａ３６０２）。次に、ＲＷＭの特図１大当り乱数格納領域（保留数１用）から大当り乱数をロードし、準備して（Ａ３６０３）、当該特図１大当り乱数格納領域（保留数１用）を０クリアする（Ａ３６０４）。なお、保留数１用とは、消化順序が最先（ここでは特図１のうちで最先）の特図始動記憶についての情報（乱数等）を格納する領域である。その後、準備した大当り乱数値が大当り判定値と一致するか否かに応じて大当りであるか否かを判定する大当り判定処理を実行する（Ａ３６０５）。
【０４４４】
遊技制御装置１００は、大当り判定処理（Ａ３６０５）の判定結果が大当りである場合（Ａ３６０６の結果が「Ｙ」）、ステップＡ３６０２にてはずれ情報をセーブした大当りフラグ１領域に大当り情報を上書きしてセーブし（Ａ３６０７）、大当りフラグ１設定処理を終了する。一方、大当り判定処理（Ａ３６０５）の判定結果が大当りでない場合（Ａ３６０６の結果が「Ｎ」）、準備した大当り乱数値が小当り判定値と一致するか否かに応じて小当りであるか否かを判定する小当り判定処理を実行する（Ａ３６０８）。
【０４４５】
遊技制御装置１００は、小当り判定処理（Ａ３６０８）の判定結果が小当りである場合（Ａ３６０９の結果が「Ｙ」）、ステップＡ３６０１にてはずれ情報をセーブした小当りフラグ領域に小当り情報を上書きしてセーブし（Ａ３６１０）、大当りフラグ１設定処理を終了する。一方、小当り判定処理（Ａ３６０８）の判定結果が小当りでない場合（Ａ３６０９の結果が「Ｎ」）は、大当りフラグ１領域にも小当りフラグ領域にもはずれ情報をセーブしたまま大当りフラグ１設定処理を終了する。このように、本実施形態において、特図１変動表示ゲームの結果は、「大当り」、「小当り」、及び「はずれ」のうちの何れかとなる。
【０４４６】
〔大当りフラグ２設定処理〕
次に、特図２変動開始処理における大当りフラグ２設定処理（Ａ３５０２）の詳細について説明する。図３１は、大当りフラグ２設定処理の手順を示すフローチャートである。この処理は、図３０に示した大当りフラグ１設定処理での処理と同様の処理を、第２始動記憶を対象として行うものである。
【０４４７】
遊技制御装置１００は、まず、大当りフラグ２領域にはずれ情報をセーブする（Ａ３７０１）。次に、ＲＷＭの特図２大当り乱数格納領域（保留数１用）から大当り乱数をロードし、準備して（Ａ３７０２）、当該特図２大当り乱数格納領域（保留数１用）を０クリアする（Ａ３７０３）。なお、保留数１用とは、消化順序が最先（ここでは特図２のうちで最先）の特図始動記憶についての情報（乱数等）を格納する領域である。その後、準備した大当り乱数値が大当り判定値と一致するか否かに応じて大当りであるか否かを判定する大当り判定処理を実行する（Ａ３７０４）。
【０４４８】
遊技制御装置１００は、大当り判定処理（Ａ３７０４）の判定結果が大当りである場合（Ａ３７０５の結果が「Ｙ」）、ステップＡ３７０１にてはずれ情報をセーブした大当りフラグ２領域に大当り情報を上書きしてセーブし（Ａ３７０６）、大当りフラグ２設定処理を終了する。一方、大当り判定処理（Ａ３７０４）の判定結果が大当りでない場合（Ａ３７０５の結果が「Ｎ」）、大当りフラグ２にはずれ情報をセーブしたまま大当りフラグ２設定処理を終了する。このように、本実施形態において、特図２変動表示ゲームの結果は、「大当り」及び「はずれ」のうちの何れかとなる。
【０４４９】
〔大当り判定処理〕
次に、大当りフラグ１設定処理と大当りフラグ２設定処理等における大当り判定処理（Ａ３６０５、Ａ３７０４）の詳細について説明する。図３２は、大当り判定処理の手順を示すフローチャートである。なお、大当り判定処理は、タイマ割込み処理中に実行される他の処理における大当り判定処理に共通する処理であり、特図保留情報判定処理のステップＡ３００４などでも実行される。
【０４５０】
遊技制御装置１００は、まず、大当り判定値の下限判定値を設定し（Ａ３８０１）、対象の大当り乱数の値が下限判定値未満であるか否かを判定する（Ａ３８０２）。なお、大当りであるとは大当り乱数が大当り判定値と一致することである。大当り判定値は連続する複数の値であり、大当り乱数が、大当り判定値の下限の値である下限判定値以上で、かつ、大当り判定値の上限の値である上限判定値以下である場合に、大当りであると判定される。
【０４５１】
遊技制御装置１００は、対象の大当り乱数の値が下限判定値未満である場合（Ａ３８０２の結果が「Ｙ」）、判定結果としてはずれ（大当り以外）を設定し（Ａ３８０７）、大当り判定処理を終了する。
【０４５２】
また、遊技制御装置１００は、大当り乱数の値が下限判定値未満でない場合には（Ａ３８０２の結果が「Ｎ」）、大当りの発生確率が高確率状態（確変状態）であるか否かを判定する（Ａ３８０３）。そして、高確率状態である場合には（Ａ３８０３の結果が「Ｙ」）、高確率中の上限判定値を設定する（Ａ３８０４）。一方、高確率状態でない場合には（Ａ３８０３の結果が「Ｎ」）、低確率中の上限判定値を設定する（Ａ３８０５）。
【０４５３】
遊技制御装置１００は、大当り乱数の値の上限判定値を設定すると、対象の大当り乱数の値が上限判定値より大きいか否かを判定する（Ａ３８０６）。大当り乱数の値が上限判定値より大きい場合（Ａ３８０６の結果が「Ｙ」）、判定結果としてはずれ（大当り以外）を設定する（Ａ３８０７）。一方、大当り乱数の値が上限判定値より大きくない場合（Ａ３８０６の結果が「Ｎ」）、判定結果として大当りを設定する（Ａ３８０８）。判定結果を設定すると、大当り判定処理を終了する。
【０４５４】
〔小当り判定処理〕
次に、大当りフラグ１設定処理における小当り判定処理（Ａ３６０８）の詳細について説明する。図３３は、小当り判定処理の手順を示すフローチャートである。なお、小当り判定処理は、タイマ割込み処理中に実行される他の処理における小当り判定処理に共通する処理であり、特図保留情報判定処理のステップＡ３００９などでも実行される。
【０４５５】
遊技制御装置１００は、まず、対象（特図１）の大当り乱数の値が小当り下限判定値未満であるか否かを判定する（Ａ３９０１）。なお、小当りであるとは大当り乱数が小当り判定値と一致することである。小当り判定値は連続する複数の値であり、大当り乱数が、小当り判定値の下限の値である小当り下限判定値以上で、かつ、小当り判定値の上限の値である小当り上限判定値以下である場合に、小当りであると判定される。
【０４５６】
当然ながら、同じ特図変動表示ゲームの結果が小当り且つ大当りとなることを避けるべく、小当り判定値の範囲（小当り下限判定値と小当り上限判定値の間）は、前述の大当り判定値の範囲（下限判定値と上限判定値の間）とは重ならない。なお、本実施形態では、独自に小当り乱数を設けることはせず、小当りの判定にも大当り乱数を利用するが、独自の小当り乱数を設ける構成も可能である。
【０４５７】
遊技制御装置１００は、対象（特図１）の大当り乱数の値が小当り下限判定値未満である場合（Ａ３９０１の結果が「Ｙ」）、判定結果としてはずれを設定し（Ａ３９０３）、小当り判定処理を終了する。
【０４５８】
また、遊技制御装置１００は、大当り乱数の値が小当り下限判定値未満でない場合には（Ａ３９０１の結果が「Ｎ」）、対象（特図１）の大当り乱数の値が小当り上限判定値より大きいか否かを判定する（Ａ３９０２）。大当り乱数の値が小当り上限判定値より大きい場合（Ａ３９０２の結果が「Ｙ」）、判定結果としてはずれを設定する（Ａ３９０３）。一方、大当り乱数の値が小当り上限判定値より大きくない場合（Ａ３９０２の結果が「Ｎ」）、判定結果として小当りを設定する（Ａ３９０４）。判定結果を設定すると、小当り判定処理を終了する。
【０４５９】
〔特図１停止図柄設定処理〕
次に、特図１変動開始処理における特図１停止図柄設定処理（Ａ３４０３）の詳細について説明する。図３４は、特図１停止図柄設定処理の手順を示すフローチャートである。
【０４６０】
遊技制御装置１００は、まず、大当りフラグ１が大当りか否かを判定し（Ａ４００１）、大当りである場合（Ａ４００１の結果が「Ｙ」）、特図１大当り図柄乱数格納領域（保留数１用）から大当り図柄乱数をロードする（Ａ４００２）。次に、特図１大当り図柄テーブルを設定する（Ａ４００３）。
【０４６１】
続いて、ロードした大当り図柄乱数に対応する停止図柄番号を取得し、特図１停止図柄番号領域にセーブする（Ａ４００４）。この処理により特別結果の種類（大当りの種類）が選択される。
【０４６２】
その後、遊技制御装置１００は、特図１大当り停止図柄情報テーブルを設定して（Ａ４００５）、停止図柄番号に対応する停止図柄パターンを取得し、停止図柄パターン領域にセーブする（Ａ４００６）。停止図柄パターンとは、特図表示器（ここでは特図１表示器５１）での停止図柄や表示装置４１での停止図柄を設定するためのものである。次に、停止図柄番号に対応するラウンド数上限値情報を取得し、ラウンド数上限値情報領域にセーブする（Ａ４００７）。
【０４６３】
次に、遊技制御装置１００は、停止図柄番号に対応する時間短縮判定データを取得し、時間短縮判定データ領域にセーブする（Ａ４００８）。時間短縮判定データには、大当り状態終了後の普電サポート状態（時短状態）の有無の情報が含まれる。
【０４６４】
その後、遊技制御装置１００は、停止図柄パターン及び確率状態に対応する演出モード移行情報をセーブする（Ａ４００９）。そして、遊技制御装置１００は、停止図柄パターンに対応する飾り特図コマンドを準備する（Ａ４０１８）。
【０４６５】
なお、演出モード移行情報は、演出モードを移行させるための情報である。ここでの演出モード移行情報は、大当りの場合（Ａ４００１の結果が「Ｙ」）に設定され後述の大当り終了処理で使用される。即ち、演出モード移行情報によって、大当りを契機に演出モードを移行させることができる。また、上記のように演出モード移行情報は大当りの停止図柄パターン（確変大当り図柄／通常大当り図柄であるか等）に応じて設定されるため、大当り図柄の種類（大当りの種類）で、大当り終了後に移行する演出モードの移行先が変化することになる。また、上記のように演出モード移行情報は確率状態に応じて設定されるため、現在特図高確率状態（確変状態）中か否かによっても、演出モードの移行先が影響を受ける。
【０４６６】
一方、遊技制御装置１００は、大当りフラグ１が大当りでない場合（Ａ４００１の結果が「Ｎ」）、小当りフラグが小当りか否かを判定し（Ａ４０１０）、小当りである場合（Ａ４０１１の結果が「Ｙ」）、特図１小当り図柄乱数格納領域（保留数１用）から小当り図柄乱数をロードする（Ａ４０１１）。次に、特図１小当り図柄テーブルを設定し（Ａ４０１２）、ロードした小当り図柄乱数に対応する停止図柄番号を取得し、特図１停止図柄番号領域にセーブする（Ａ４０１３）。
【０４６７】
その後、遊技制御装置１００は、停止図柄番号に対応する停止図柄パターンを取得し、停止図柄パターン領域にセーブして（Ａ４０１４）、停止図柄パターンに対応する演出モード移行情報をセーブする（Ａ４０１５）。ここでの演出モード移行情報は、小当りの場合（Ａ４０１０の結果が「Ｙ」）に設定され、小当りを契機に演出モードを移行させることができる。そして、停止図柄パターンに対応する飾り特図コマンドを準備する（Ａ４０１８）。
【０４６８】
また、小当りフラグが小当りでない場合（Ａ４０１０の結果が「Ｎ」）は、はずれ時の停止図柄番号を特図１停止図柄番号領域にセーブし（Ａ４０１６）、はずれ停止図柄パターンを停止図柄パターン領域にセーブして（Ａ４０１７）、停止図柄パターンに対応する飾り特図コマンドを準備する（Ａ４０１８）。以上の処理により、特図変動表示ゲームの結果に対応した停止図柄が設定される。
【０４６９】
その後、飾り特図コマンドを飾り特図コマンド領域にセーブし（Ａ４０１９）、演出コマンド設定処理を実行する（Ａ４０２０）。この飾り特図コマンドは、後に演出制御装置３００に送信される。そして、停止図柄番号に対応する図柄データを試験信号出力データ領域にセーブし（Ａ４０２１）、特図１大当り図柄乱数格納領域（保留数１用）を０クリアし（Ａ４０２２）、特図１小当り図柄乱数格納領域（保留数１用）を０クリアして（Ａ４０２３）、特図１停止図柄設定処理を終了する。
【０４７０】
〔特図２停止図柄設定処理〕
次に、特図２変動開始処理における特図２停止図柄設定処理（Ａ３５０３）の詳細について説明する。図３５は、特図２停止図柄設定処理の手順を示すフローチャートである。
【０４７１】
遊技制御装置１００は、まず、大当りフラグ２が大当りか否かを判定し（Ａ４１０１）、大当りである場合（Ａ４１０１の結果が「Ｙ」）、特図２大当り図柄乱数格納領域（保留数１用）から大当り図柄乱数をロードする（Ａ４１０２）。次に、特図２大当り図柄テーブルを設定する（Ａ４１０３）。続いて、ロードした大当り図柄乱数に対応する停止図柄番号を取得し、特図２停止図柄番号領域にセーブする（Ａ４１０４）。この処理により特別結果の種類（大当りの種類）が選択される。
【０４７２】
その後、遊技制御装置１００は、特図２大当り停止図柄情報テーブルを設定して（Ａ４１０５）、停止図柄番号に対応する停止図柄パターンを取得し、停止図柄パターン領域にセーブする（Ａ４１０６）。停止図柄パターンとは、特図表示器（ここでは特図２表示器５２）での停止図柄や表示装置４１での停止図柄を設定するためのものである。次に、停止図柄番号に対応するラウンド数上限値情報を取得し、ラウンド数上限値情報領域にセーブする（Ａ４１０７）。
【０４７３】
次に、遊技制御装置１００は、停止図柄番号に対応する時間短縮判定データを取得し、
時間短縮判定データ領域にセーブする（Ａ４１０８）。時間短縮判定データには、大当り状態終了後の普電サポート状態（時短状態）の有無の情報が含まれる。
【０４７４】
その後、遊技制御装置１００は、停止図柄パターン及び確率状態に対応する演出モード移行情報をセーブする（Ａ４１０９）。ここでの演出モード移行情報は、大当りの場合（Ａ４１０１の結果が「Ｙ」）に設定され後述の大当り終了処理で使用される。そして、遊技制御装置１００は、停止図柄パターンに対応する飾り特図コマンドを準備する（Ａ４１１２）。
【０４７５】
一方、遊技制御装置１００は、大当りフラグ２が大当りでない場合（Ａ４１０１の結果が「Ｎ」）、はずれ時の停止図柄番号を特図２停止図柄番号領域にセーブし（Ａ４１１０）、はずれ停止図柄パターンを停止図柄パターン領域にセーブして（Ａ４１１１）、停止図柄パターンに対応する飾り特図コマンドを準備する（Ａ４１１２）。以上の処理により、特図変動表示ゲームの結果に対応した停止図柄が設定される。
【０４７６】
その後、飾り特図コマンドを飾り特図コマンド領域にセーブし（Ａ４１１３）、演出コマンド設定処理を実行する（Ａ４１１４）。この飾り特図コマンドは、後に演出制御装置３００に送信される。そして、停止図柄番号に対応する図柄データを試験信号出力データ領域にセーブし（Ａ４１１５）、特図２大当り図柄乱数格納領域（保留数１用）を０クリアし（Ａ４１１６）、特図２停止図柄設定処理を終了する。
【０４７７】
〔特図情報設定処理〕
次に、特図１変動開始処理と特図２変動開始処理における特図情報設定処理（Ａ３４０４、Ａ３５０４）の詳細について説明する。図３６は、特図情報設定処理の手順を示すフローチャートである。本実施形態において、確率状態（低確率／高確率、時短あり／なし）は変動の振り分けに直接影響せず、遊技制御装置１００が管理している演出モードが変動の振り分けに影響する。演出モードは、確率状態、時短状態の有無、特図変動表示ゲームの進行状況などに応じて、複数の演出モードから一の演出モードが設定されるようになっている。
【０４７８】
遊技制御装置１００は、まず、前半変動グループ選択ポインタテーブルを設定して（Ａ４２０１）、演出モード情報に対応する前半変動グループ選択ポインタを取得する（Ａ４２０２）。次いで、前半変動グループ選択オフセットテーブルを設定して（Ａ４２０３）、対象の特図保留数（特図１保留数又は特図２保留数）と停止図柄パターンに対応するオフセットデータを取得する（Ａ４２０４）。
【０４７９】
次に、遊技制御装置１００は、前半変動グループ選択ポインタとオフセットデータを加算して（Ａ４２０５）、加算して得た値を変動振分情報１領域にセーブする（Ａ４２０６）。これにより変動振分情報１領域には、停止図柄の種類、保留数、及び演出モードに基づいて生成された変動振分情報１がセーブされる。この変動振分情報１は、前半変動（リーチ開始前までの変動態様）を振り分けるためのテーブルポインタであり、後に変動グループを選択するために用いられる。ただし、機種の仕様次第であるが、保留数が多い時に変動時間を短くするのははずれの場合のみであるため、はずれ以外の場合には、結果として保留数は前半変動の振り分けに影響しない。なお、変動グループとは複数の変動パターンが含まれたもので、変動パターンを決定する際には、まず変動グループを選択し、さらにこの変動グループの中から一の変動パターンを選択するようになっている。
【０４８０】
次に、遊技制御装置１００は、後半変動グループ選択ポインタテーブルを設定して（Ａ４２０７）、演出モード情報に対応する後半変動グループ選択ポインタを取得する（Ａ４２０８）。次いで、後半変動グループ選択オフセットテーブルを設定して（Ａ４２０９）、対象の特図保留数と停止図柄パターンに対応するオフセットデータを取得する（Ａ４２１０）。
【０４８１】
次に、遊技制御装置１００は、後半変動グループ選択ポインタとオフセットデータを加算して（Ａ４２１１）、加算して得た値を変動振分情報２領域にセーブして（Ａ４２１２）、特図情報設定処理を終了する。これにより変動振分情報２領域には、停止図柄の種類、保留数、及び演出モードに基づいて生成された変動振分情報２がセーブされる。この変動振分情報２は、後半変動（リーチの種類（リーチなしも含む。））を振り分けるためのテーブルポインタであり、後に変動グループを選択するために用いられる。ただし、はずれの場合のみ保留数に応じてリーチの発生率が変化する（保留数が多い時にリーチの発生率が低くなる）ため、はずれ以外の場合には、結果として保留数は後半変動の振り分けに影響しない。
【０４８２】
〔変動パターン設定処理〕
次に、特図１変動開始処理及び特図２変動開始処理における変動パターン設定処理（Ａ３４０６、Ａ３５０６）の詳細について説明する。図３７は、変動パターン設定処理の手順を示すフローチャートである。
【０４８３】
変動パターンは、特図変動表示ゲームの開始からリーチ状態となるまでの変動態様である前半変動パターンと、リーチ状態となってから特図変動表示ゲームの終了までの変動態様である後半変動パターンとからなり、先に後半変動パターンを設定してから前半変動パターンを設定する。
【０４８４】
遊技制御装置１００は、まず、変動グループ選択アドレステーブルを設定し（Ａ４３０１）、変動振分情報２に対応する後半変動グループテーブルのアドレスを取得し、準備して（Ａ４３０２）、対象の変動パターン乱数１格納領域（保留数１用）から変動パターン乱数１をロードし、準備する（Ａ４３０３）。本実施形態において、後半変動グループテーブルの構造は、当り用とはずれ用とで構造が異なる。具体的には、当り用は１バイトサイズ、はずれ用は２バイトサイズとなっている。はずれの発生率よりも当りの発生率が低く、１バイトでも足りるため、データ容量の節約の観点から、当り用は１バイトサイズになっている。したがって、当り時は、２バイトの変動パターン乱数１の下位の値だけを使用している。また、当りの発生率よりもはずれの発生率は高く、より多様な演出を出現させたいため、はずれ用は２バイトサイズになっている。
【０４８５】
そして、遊技制御装置１００は、特図変動表示ゲームの結果がはずれであるかを判定し（Ａ４３０４）、はずれである場合（Ａ４３０４の結果が「Ｙ」）、２バイト振り分け処理（Ａ４３０５）を行って、ステップＡ４３０７の処理に移行する。また、はずれでない場合（Ａ４３０４の結果が「Ｎ」）、振り分け処理（Ａ４３０６）を行って、ステップＡ４３０７の処理に移行する。
【０４８６】
次に、遊技制御装置１００は、振り分けられた結果得られた後半変動選択テーブル（後半変動パターン選択テーブル）のアドレスを取得し、準備して（Ａ４３０７）、対象の変動パターン乱数２格納領域（保留数１用）から変動パターン乱数２をロードし、準備する（Ａ４３０８）。そして、振り分け処理を実行し（Ａ４３０９）、振り分けられた結果得られた後半変動番号を取得し、後半変動番号領域にセーブする（Ａ４３１０）。この処理により、後半変動パターンが設定されることとなる。
【０４８７】
次に、遊技制御装置１００は、前半変動グループテーブルを設定し（Ａ４３１１）、変動振分情報１と後半変動番号を基にテーブル選択ポインタを算出する（Ａ４３１２）。そして、算出したポインタに対応する前半変動選択テーブル（前半変動パターン選択テーブル）のアドレスを取得し、準備して（Ａ４３１３）、対象の変動パターン乱数３格納領域（保留数１用）から変動パターン乱数３をロードし、準備する（Ａ４３１４）。その後、振り分け処理（Ａ４３１５）を行い、振り分けられた結果得られた前半変動番号を取得し、前半変動番号領域にセーブして（Ａ４３１６）、変動パターン設定処理を終了する。この処理により、前半変動パターンが設定され、特図変動表示ゲームの変動パターンが設定されることとなる。すなわち、遊技制御装置１００が、ゲームの実行態様である変動パターンを複数のうちから設定する変動パターン設定手段をなす。
【０４８８】
〔２バイト振り分け処理〕
次に、変動パターン設定処理における２バイト振り分け処理（Ａ４３０５）の詳細について説明する。図３８は、２バイト振り分け処理の手順を示すフローチャートである。２バイト振り分け処理は、変動パターン乱数１に基づいて後半変動グループテーブルから特図変動表示ゲームの後半変動選択テーブルを選択するための処理である。
【０４８９】
遊技制御装置１００は、まず、選択テーブル（Ａ４３０２にて準備した後半変動グループテーブル）の先頭のデータが振り分けなしのコード（すなわち「０」）であるかをチェックする（Ａ４４０１）。ここで、後半変動グループテーブルは、少なくとも一の後半変動選択テーブルと対応付けて所定の振り分け値を記憶しているが、後半変動パターンが「リーチなし」となる後半変動選択テーブルのみを規定する後半変動グループテーブル（例えば、結果がはずれの場合の一部の変動グループテーブル）にあっては、振り分けの必要がないため、振り分け値「０」、すなわち、振り分けなしのコードが先頭に規定されている。
【０４９０】
そして、遊技制御装置１００は、選択テーブル（後半変動グループテーブル）の先頭のデータが振り分けなしのコードである場合（Ａ４４０２の結果が「Ｙ」）は、振り分けた結果に対応するデータのアドレスに更新して（Ａ４４０７）、２バイト振り分け処理を終了する。一方、選択テーブル（後半変動グループテーブル）の先頭のデータが振り分けなしのコードでない場合（Ａ４４０２の結果が「Ｎ」）は、選択テーブル（後半変動グループテーブル）に最初に規定されている一の振り分け値を取得する（Ａ４４０３）。
【０４９１】
続けて、ステップＡ４３０３にて準備した乱数値（変動パターン乱数１の値）からステップＡ４４０３にて取得した振り分け値を減算して新たな乱数値を算出し（Ａ４４０４）、当該算出した新たな乱数値が「０」よりも小さいかを判定する（Ａ４４０５）。そして、新たな乱数値が「０」よりも小さくない場合（Ａ４４０５の結果が「Ｎ」）は、次の振り分け値のアドレスに更新した後（Ａ４４０６）、ステップＡ４４０３の処理に移行して、それ以降の処理を行う。すなわち、選択テーブル（後半変動グループテーブル）に次に規定されている振り分け値を取得し（Ａ４４０３）、その後、前回のステップＡ４４０５にて判定済みの乱数値から振り分け値を減算することで新たな乱数値を算出して（Ａ４４０４）、算出した新たな乱数値が「０」よりも小さいか否かを判定する（Ａ４４０５）。
【０４９２】
上記の処理をステップＡ４４０５にて新たな乱数値が「０」よりも小さいと判定（Ａ４４０５の結果が「Ｙ」）するまで実行する。これにより、選択テーブル（後半変動グループテーブル）に規定されている少なくとも一の後半変動選択テーブルの中から何れか一の後半変動選択テーブルが選択される。そして、ステップＡ４４０５にて、新たな乱数値が「０」よりも小さいと判定すると（Ａ４４０５の結果が「Ｙ」）、振り分けた結果に対応するデータのアドレスに更新して（Ａ４４０７）、２バイト振り分け処理を終了する。
【０４９３】
〔振り分け処理〕
次に、変動パターン設定処理における振り分け処理（Ａ４３０６、Ａ４３０９、Ａ４３１５）の詳細について説明する。図３９は、振り分け処理の手順を示すフローチャートである。振り分け処理は、変動パターン乱数２に基づいて、後半変動選択テーブル（後半変動パターングループ）から特図変動表示ゲームの後半変動パターンを選択したり、変動パターン乱数３に基づいて、前半変動選択テーブル（前半変動パターングループ）から特図変動表示ゲームの前半変動パターンを選択したりするための処理である。
【０４９４】
遊技制御装置１００は、まず、対象の選択テーブル（Ａ４３０２にて準備した後半変動グループテーブル、ステップＡ４３０７にて準備した後半変動選択テーブル、又はステップＡ４３１３にて準備した前半変動選択テーブル）の先頭のデータが振り分けなしのコード（すなわち「０」）であるかをチェックする（Ａ４５０１）。ここで、後半変動グループテーブル、後半変動選択テーブル、及び前半変動選択テーブルは、少なくとも一の後半変動選択テーブルや後半変動パターン（後半変動番号）や前半変動パターン（前半変動番号）と対応付けて所定の振り分け値を記憶しているが、振り分けの必要がない選択テーブルの場合、振り分け値「０」、すなわち、振り分けなしのコードが先頭に規定されている。
【０４９５】
そして、遊技制御装置１００は、対象の選択テーブル（後半変動グループテーブルや後半変動選択テーブルや前半変動選択テーブル）の先頭のデータが振り分けなしのコードである場合（Ａ４５０２の結果が「Ｙ」）、振り分けた結果に対応するデータのアドレスに更新して（Ａ４５０７）、振り分け処理を終了する。一方、対象の選択テーブル（後半変動グループテーブルや後半変動選択テーブルや前半変動選択テーブル）の先頭のデータが振り分けなしのコードでない場合（Ａ４５０２の結果が「Ｎ」）、対象の選択テーブル（後半変動グループテーブルや後半変動選択テーブルや前半変動選択テーブル）に最初に規定されている一の振り分け値を取得する（Ａ４５０３）。
【０４９６】
続けて、遊技制御装置１００は、ステップＡ４３０３やＡ４３０８やＡ４３１４にて準備した乱数値（変動パターン乱数１や変動パターン乱数２や変動パターン乱数３の値）からステップＡ４５０３にて取得した振り分け値を減算して新たな乱数値を算出し（Ａ４５０４）、当該算出した新たな乱数値が「０」よりも小さいかを判定する（Ａ４５０５）。そして、新たな乱数値が「０」よりも小さくない場合（Ａ４５０５の結果が「Ｎ」）は、次の振り分け値のアドレスに更新した後（Ａ４５０６）、ステップＡ４５０３の処理に移行して、それ以降の処理を行う。
【０４９７】
すなわち、対象の選択テーブル（後半変動グループテーブルや後半変動選択テーブルや前半変動選択テーブル）に次に規定されている振り分け値を取得し（Ａ４５０３）、その後、前回のステップＡ４５０５にて判定済みの乱数値から振り分け値を減算することで新たな乱数値を算出して（Ａ４５０４）、算出した新たな乱数値が「０」よりも小さいか否かを判定する（Ａ４５０５）。上記の処理をステップＡ４５０５にて新たな乱数値が「０」よりも小さいと判定（Ａ４５０５の結果が「Ｙ」）するまで実行する。これにより、対象の選択テーブル（後半変動グループテーブルや後半変動選択テーブルや前半変動選択テーブル）に規定されている少なくとも一の後半変動選択テーブルや後半変動パターン（後半変動番号）や前半変動パターン（前半変動番号）の中から何れか一の後半変動選択テーブルや後半変動パターン（後半変動番号）や前半変動パターン（前半変動番号）が選択される。
【０４９８】
そして、遊技制御装置１００は、ステップＡ４５０５にて、新たな乱数値が「０」よりも小さいと判定すると（Ａ４５０５の結果が「Ｙ」）、振り分けた結果に対応するデータのアドレスに更新して（Ａ４５０７）、振り分け処理を終了する。
【０４９９】
〔変動開始情報設定処理〕
次に、特図１変動開始処理及び特図２変動開始処理における変動開始情報設定処理（Ａ３４０７、Ａ３５０７）の詳細について説明する。図４０は、変動開始情報設定処理の手順を示すフローチャートである。
【０５００】
遊技制御装置１００は、まず、対象の変動パターン乱数１〜３の乱数格納領域をクリアする（Ａ４６０１）。次に、前半変動時間値テーブルを設定し（Ａ４６０２）、前半変動番号に対応する前半変動時間値を取得する（Ａ４６０３）。さらに、後半変動時間値テーブルを設定し（Ａ４６０４）、後半変動番号に対応する後半変動時間値を取得する（Ａ４６０５）。
【０５０１】
そして、遊技制御装置１００は、前半変動時間値と後半変動時間値を加算し（Ａ４６０６）、加算値を特図ゲーム処理タイマ領域にセーブする（Ａ４６０７）。その後、前半変動番号に対応する変動コマンド（ＭＯＤＥ）を準備し（Ａ４６０８）、後半変動番号に対応する変動コマンド（ＡＣＴＩＯＮ）を演出コマンドとして準備して（Ａ４６０９）、演出コマンド設定処理を行う（Ａ４６１０）。次に、変動図柄判別フラグに対応する特図保留数を−１更新して（Ａ４６１１）、変動図柄判別フラグに対応する乱数格納領域のアドレスを設定する（Ａ４６１２）。次いで、乱数格納領域をシフトし（Ａ４６１３）、シフト後の空き領域をクリアして（Ａ４６１４）、変動開始情報設定処理を終了する。
【０５０２】
以上の処理により、特図変動表示ゲームの開始に関する情報が設定される。すなわち、遊技制御装置１００が、始動記憶手段（遊技制御装置１００）に記憶された各種の乱数値の判定を行う判定手段をなす。また、遊技制御装置１００が、始動記憶の判定情報に基づいて、変動表示ゲームで実行する識別情報の変動パターンを決定することが可能な変動パターン決定手段をなす。
【０５０３】
そして、これらの特図変動表示ゲームの開始に関する情報は後に演出制御装置３００に送信され、演出制御装置３００では、特図変動表示ゲームの開始に関する情報の受信に基づき、決定された変動パターンに応じて飾り特図変動表示ゲームでの詳細な演出内容を設定する。これらの特図変動表示ゲームの開始に関する情報としては、始動記憶数（保留数）に関する情報を含む飾り特図保留数コマンド、停止図柄に関する情報を含む飾り特図コマンド、特図変動表示ゲームの変動パターンに関する情報を含む変動コマンド、停止時間の延長に関する情報を含む停止情報コマンドが挙げられ、この順でコマンドが演出制御装置３００に送信される。特に、飾り特図コマンドを変動コマンドよりも先に送信することで、演出制御装置３００での処理を効率よく進めることができる。
【０５０４】
〔特図変動中処理〕
次に、特図ゲーム処理における特図変動中処理（Ａ２６０９）の詳細について説明する。図４１は、特図変動中処理の手順を示すフローチャートである。
【０５０５】
遊技制御装置１００は、まず、変動中の図柄に対応する図柄停止コマンド（特図１図柄停止コマンド又は特図２図柄停止コマンド）を演出コマンドとして準備し（Ａ４７０１）、演出コマンド設定処理を実行する（Ａ４７０２）。変動中の図柄は、変動図柄判別フラグ（特図１変動フラグ又は特図２変動フラグ）から判別できる。図柄停止コマンドを受信した演出制御装置３００は、対応する飾り特図変動表示ゲーム（飾り特図１変動表示ゲーム又は飾り特図２変動表示ゲーム）を停止する。
【０５０６】
次に、遊技制御装置１００は、停止図柄パターンを示す停止図柄パターン番号に対応する表示時間を設定して（Ａ４７０３）、設定した表示時間を特図ゲーム処理タイマ領域にセーブする（Ａ４７０４）。本実施形態の場合、停止図柄パターンがはずれ図柄パターンである場合には表示時間として８００ｍｓｅｃを設定し、停止図柄パターンが大当り図柄パターンである場合には表示時間として２０００ｍｓｅｃを設定する。
【０５０７】
次いで、遊技制御装置１００は、特図表示中処理に係る処理番号「２」を設定し（Ａ４７０５）、特図ゲーム処理番号領域に処理番号をセーブする（Ａ４７０６）。
【０５０８】
次に、遊技制御装置１００は、特図１の変動終了に関する信号を試験信号出力データ領域にセーブし（Ａ４７０７）、さらに、特図２の変動終了に関する信号を試験信号出力データ領域にセーブする（Ａ４７０８）。
【０５０９】
続いて、遊技制御装置１００は、特図変動表示ゲームの実行回数に係る図柄確定回数信号を外部情報端子に出力する際に使用する図柄確定回数信号制御タイマ領域に制御タイマ初期値（例えば２５６ｍｓｅｃ）をセーブする（Ａ４７０９）。
【０５１０】
その後、遊技制御装置１００は、特図１表示器５１における特図１変動表示ゲームの制御用の情報として、特図１表示器５１での変動停止に係る停止フラグを特図１変動制御フラグ領域にセーブする（Ａ４７１０）。さらに、特図２表示器５２における特図２変動表示ゲームの制御用の情報として、特図２表示器５２での変動停止に係る停止フラグを特図２変動制御フラグ領域にセーブし（Ａ４７１１）、特図変動中処理移行設定処理を終了する。
【０５１１】
〔特図表示中処理〕
次に、特図ゲーム処理における特図表示中処理（Ａ２６１０）の詳細について説明する。図４２は、特図表示中処理の手順を示すフローチャートである。図４２Ａは、特図表示中処理の前半部分を示し、図４２Ｂは、特図表示中処理の後半部分を示す。
【０５１２】
遊技制御装置１００は、まず、特図１変動開始処理における大当りフラグ１設定処理にて設定された小当りフラグをロードして（Ａ５１０１）、ＲＷＭの小当りフラグ領域をクリアする（Ａ５１０２）。続いて、特図１変動開始処理における大当りフラグ１設定処理にて設定された大当りフラグ１と、特図２変動開始処理における大当りフラグ２設定処理にて設定された大当りフラグ２と、をロードして（Ａ５１０３）、ＲＷＭの大当りフラグ１領域及び大当りフラグ２領域をクリアする（Ａ５１０４）。
【０５１３】
そして、遊技制御装置１００は、ロードされた大当りフラグ２が大当りか否かを判定して（Ａ５１０５）、大当りである場合（Ａ５１０５の結果が「Ｙ」）、第２特図変動表示ゲームの大当り（特図２大当り）の開始に関する試験信号（例えば、条件装置作動中信号をオン、役物連続作動装置作動中信号をオン、特別図柄２当り信号をオン）をＲＷＭの試験信号出力データ領域にセーブして（Ａ５１０８）、ラウンド数上限値テーブルを設定する（Ａ５１０９）。
【０５１４】
一方、遊技制御装置１００は、大当りフラグ２のチェックの結果、大当りでない場合（Ａ５１０５の結果が「Ｎ」）、ロードされた大当りフラグ１が大当りか否かを判定して（Ａ５１０６）、大当りである場合（Ａ５１０６の結果が「Ｙ」）、第１特図変動表示ゲームの大当り（特図１大当り）の開始に関する試験信号（例えば、条件装置作動中信号をオン、役物連続作動装置作動中信号をオン、特別図柄１当り信号をオン）をＲＷＭの試験信号出力データ領域にセーブし（Ａ５１０７）、ラウンド数上限値テーブルを設定する処理を実行する（Ａ５１０９）。
【０５１５】
その後、遊技制御装置１００は、ラウンド数上限値情報に対応するラウンド数上限値（例えば、４、１６）を取得し、ＲＷＭのラウンド数上限値領域にセーブする（Ａ５１１０）。続けて、ラウンド数上限値情報に対応するラウンドＬＥＤポインタを取得し、ＲＷＭのラウンドＬＥＤポインタ領域にセーブする（Ａ５１１１）。
【０５１６】
次に、遊技制御装置１００は、停止図柄パターンに対応した飾り特図コマンドをＲＷＭの飾り特図コマンド領域からロードし、演出コマンドとして準備して（Ａ５１１２）、演出コマンド設定処理を実行する（Ａ５１１３）。その後、普図変動表示ゲーム及び特図変動表示ゲームにて当り結果となる確率を通常確率状態（低確率状態）とする情報に係る確率情報コマンドを演出コマンドとして準備して（Ａ５１１４）、演出コマンド設定処理を実行する（Ａ５１１５）。続けて、ラウンド数上限値に対応するファンファーレコマンドを演出コマンドとして準備して（Ａ５１１６）、演出コマンド設定処理を実行する（Ａ５１１７）。
【０５１７】
次に、遊技制御装置１００は、停止図柄番号に対応する大入賞口開放情報と、普図変動表示ゲーム及び特図変動表示ゲームにて当り結果となる確率の状態に対応する信号をＲＷＭの外部情報出力データ領域にセーブする（Ａ５１１８）。本実施形態において、大入賞口開放情報と確率の状態に対応する信号として、大当り２信号と大当り３信号をセーブする。なお、大当り２信号と大当り３信号のオン／オフは大入賞口開放情報と確率の状態とで決まる。例えば、大当り２信号は、出玉のある大当り（大入賞口開放情報が大入賞口開放情報１以外）である場合にはオン、出玉のない大当り（所謂、突確大当りなど。大入賞口開放情報が大入賞口開放情報１）である場合には、時短状態中での大当り時であればオン、それ以外ではオフとなる。また、大当り３信号は、出玉のある大当りである場合にはオン、出玉のない大当りである場合にはオフとなる。
【０５１８】
その後、遊技制御装置１００は、大入賞口開放情報と、普図変動表示ゲーム及び特図変動表示ゲームにて当り結果となる確率の状態に対応する大当りファンファーレ時間（例えば５０００ｍｓｅｃ、４７００ｍｓｅｃ、７７００ｍｓｅｃ又は３００ｍｓｅｃ）を設定して（Ａ５１１９）、設定した大当りファンファーレ時間を特図ゲーム処理タイマ領域にセーブする（Ａ５１２０）。そして、特図ゲームモードフラグをロードし、ロードしたフラグを特図ゲームモードフラグ退避領域にセーブする（Ａ５１２１）。これにより特別結果が発生した際における特図の確率状態、時短状態（普電サポート状態）の情報が記憶される。そして、後に記憶した情報に基づき特別遊技状態の終了後の演出モードが決定される。
【０５１９】
そして、遊技制御装置１００は、大入賞口開放情報に対応する大入賞口（特別変動入賞装置３９）の大入賞口不正入賞数領域をクリアし（Ａ５１２２）、大入賞口開放情報に対応する大入賞口の大入賞口不正監視期間フラグ領域に不正監視期間外フラグをセーブする（Ａ５１２３）。その後、ファンファーレ／インターバル中処理移行設定処理１を実行し（Ａ５１２４）、特図表示中処理を終了する。すなわち、遊技制御装置１００が、第１特図変動表示ゲームと第２特図変動表示ゲームの何れかで結果が特別結果となることに基づき、特別変動入賞装置３９を開状態に変換する特別遊技状態を発生する特別遊技状態発生手段をなす。
【０５２０】
一方、遊技制御装置１００は、大当りフラグ１が大当りでない場合（Ａ５１０６の結果が「Ｎ」）、ロードした小当りフラグが小当りか否かを判定する（Ａ５１２５）。小当りフラグが小当りである場合（Ａ５１２５の結果が「Ｙ」）、特図高確率状態における特図変動表示ゲームの実行回数を管理する高確率変動回数を更新する高確率変動回数更新処理を実行する（Ａ５１２６）。続いて、演出モードの設定に関する演出モード情報チェック処理を実行して（Ａ５１２７）、特図高確率中（特図変動表示ゲームの特別結果（大当り）の発生確率が高確率状態中）であるか否かを判定する（Ａ５１２８）。
【０５２１】
遊技制御装置１００は、特図高確率中でない場合（Ａ５１２８の結果が「Ｎ」）、飾り特図コマンド領域から飾り特図コマンドをロードし、演出コマンドとして準備して（Ａ５１２９）、演出コマンド設定処理を実行する（Ａ５１３０）。次いで、小当りファンファーレコマンドを演出コマンドとして準備し（Ａ５１３１）、演出コマンド設定処理を実行し（Ａ５１３２）、ステップＡ５１３３の処理に移行する。
【０５２２】
また、遊技制御装置１００は、特図高確率中である場合（Ａ５１２８の結果が「Ｙ」）、ステップＡ５１３３の処理に移行する。このように、本実施形態の遊技機１０においては、特図高確率中（確変状態中）である場合には、小当りの発生で大入賞口は開くが、小当りの発生を遊技者に意識させないようにするために、表示装置４１に表示される画面を変化させないようになっている。
【０５２３】
そして、遊技制御装置１００は、特図ゲームモードフラグをロードし、ロードしたフラグを特図ゲームモードフラグ退避領域にセーブする（Ａ５１３３）。その後、小当りファンファーレ中処理移行設定処理１（Ａ５１３４）を行い、特図表示中処理を終了する。
【０５２４】
一方、遊技制御装置１００は、小当りフラグが小当りでない場合（Ａ５１２５の結果が「Ｎ」）、高確率変動回数更新処理（Ａ５１３５）、演出モードの設定に関する演出モード情報チェック処理を実行する（Ａ５１３６）。そして、演出モード番号に対応する切替準備残り回転数（切替準備残りゲーム数）を設定して（Ａ５１３７）、演出残り回転数（演出残りゲーム数）と切替準備残り回転数とが一致するか否かを判定する（Ａ５１３８）。なお、切替準備残り回転数は、複数の演出モードのうちの全ての演出モードにおいて異なる値（回転数）であってもよいし、複数の演出モードのうちの何れかの演出モードにおいて同一の値（回転数）であってもよいし、複数の演出モードのうちの全ての演出モードにおいて同一の値（回転数）であってもよい。
【０５２５】
遊技制御装置１００は、演出残り回転数と切替準備残り回転数とが一致しない場合（Ａ５１３８の結果が「Ｎ」）、処理番号として特図普段処理に係る「０」を設定する（Ａ５１４１）。
【０５２６】
一方、遊技制御装置１００は、演出残り回転数と切替準備残り回転数とが一致する場合（Ａ５１３８の結果が「Ｙ」）、演出モード切替準備コマンドを演出コマンドとして準備して（Ａ５１３９）、演出コマンド設定処理（Ａ５１４０）を行った後に、処理番号として特図普段処理に係る「０」を設定する（Ａ５１４１）。演出モード切替準備コマンドは、演出モードが切り替わる数回転前（数ゲーム前）から先読み演出を行わないようにするためのコマンドであり、演出モード切替準備コマンドを演出制御装置３００に送信することによって、モードをまたいで演出に矛盾等が生じないようにすることができる。
【０５２７】
その後、特図ゲーム処理番号領域に処理番号をセーブして（Ａ５１４２）、変動図柄判別フラグ領域をクリアし（Ａ５１４３）、特図表示中処理を終了する。
【０５２８】
〔高確率変動回数更新処理〕
次に、特図表示中処理における高確率変動回数更新処理（Ａ５１２６、Ａ５１３５）の詳細について説明する。図４３は、高確率変動回数更新処理の手順を示すフローチャートである。
【０５２９】
遊技制御装置１００は、まず、特図高確率中（確変状態中）であるか否かを判定する（Ａ５２０１）。特図高確率中でない場合（Ａ５２０１の結果が「Ｎ」）、高確率変動回数更新処理を終了する。
【０５３０】
遊技制御装置１００は、特図高確率中である場合（Ａ５２０１の結果が「Ｙ」）、高確率変動回数を−１更新（１だけ減算）して（Ａ５２０２）、高確率変動回数が０となったか否かを判定する（Ａ５２０３）。高確率変動回数が０でない場合（Ａ５２０３の結果が「Ｎ」）、すなわち、次の特図変動表示ゲームでも高確率状態が継続する場合には、高確率変動回数更新処理を終了する。
【０５３１】
遊技制御装置１００は、高確率変動回数が０となった場合（Ａ５２０３の結果が「Ｙ」）、すなわち、今回の特図変動表示ゲームで高確率状態が終了する場合には、高確率報知フラグ領域をクリアして（Ａ５２０４）、高確率状態の終了に関する信号（例えば、大当り２信号をオフ）を外部情報出力データ領域にセーブする（Ａ５２０５）。
【０５３２】
次に、遊技制御装置１００は、高確率状態と時短状態の終了に関する信号（例えば、特別図柄１高確率状態信号をオフ、特別図柄２高確率状態信号をオフ、特別図柄１変動時間短縮状態信号をオフ、特別図柄２変動時間短縮状態信号をオフ、普通図柄１高確率状態信号をオフ）を試験信号出力データ領域にセーブする（Ａ５２０６）。なお、特図高確率中でも、普図は確率状態しか変化しないので、普通図柄１変動時間短縮状態信号及び普通電動役物１開放延長状態信号は常時オフされている。その後、遊技状態表示番号領域に時短なしの番号をセーブして（Ａ５２０７）、普図ゲームモードフラグ領域に普図低確率フラグをセーブする（Ａ５２０８）。
【０５３３】
そして、遊技制御装置１００は、特図ゲームモードフラグ領域に特図低確率＆時短なしフラグをセーブする（Ａ５２０９）。そして、左打ち指示に関する信号（例えば、発射位置指定信号１をオフ）を試験信号出力データ領域にセーブし（Ａ５２１０）、第１遊技状態表示部５７を消灯させるために遊技状態表示番号２領域に左打ち状態中の番号をセーブし（Ａ５２１１）、高確率変動回数更新処理を終了する。
【０５３４】
〔演出モード情報チェック処理〕
次に、特図表示中処理における演出モード情報チェック処理（Ａ５１２７、Ａ５１３６）の詳細について説明する。図４４は、演出モード情報チェック処理の手順を示すフローチャートである。なお、演出モード情報チェック処理は、特図変動表示ゲームの結果が大当り以外（小当り又ははずれ）の場合に実行される。
【０５３５】
遊技制御装置１００は、まず、次モード移行情報が更新なしコードであるか否かを判定する（Ａ５４０１）。次モード移行情報が更新なしコードである場合（Ａ５４０１の結果が「Ｙ」）は、演出モード情報チェック処理を終了する。この場合は、実行した特図変動表示ゲームの回数に応じた演出モードの変更が行われない場合であって、例えば高確率状態において次回の大当りまで継続する演出モードが選択されている場合である。
【０５３６】
また、遊技制御装置１００は、次モード移行情報が更新なしコードでない場合（Ａ５４０１の結果が「Ｎ」）は、演出モードの変更までの特図変動表示ゲームの実行可能回数である演出残り回転数を−１更新し（Ａ５４０２）、演出残り回転数が０となったか否かを判定する（Ａ５４０３）。演出残り回転数が０となっていない場合（Ａ５４０３の結果が「Ｎ」）には、演出モード情報チェック処理を終了する。また、演出残り回転数が０となった場合（Ａ５４０３の結果が「Ｙ」）、すなわち次の特図変動表示ゲームから演出モードを変更する場合は、演出モード情報アドレステーブルを設定し（Ａ５４０４）、次モード移行情報に対応するテーブルのアドレスを取得する（Ａ５４０５）。
【０５３７】
そして、遊技制御装置１００は、移行する演出モードの演出モード番号を取得し、ＲＷＭ内の演出モード番号領域にセーブして（Ａ５４０６）、移行する演出モードの演出残り回転数（初期値）を取得し、ＲＷＭ内の演出残り回転数領域にセーブして（Ａ５４０７）、移行する演出モードの次モード移行情報を取得し、ＲＷＭ内の次モード移行情報領域にセーブする（Ａ５４０８）。その後、新たに設定された演出モード番号に対応する確率情報コマンドを準備し（Ａ５４０９）、準備した確率情報コマンドが停電復旧時送信コマンド領域の値と一致するか否かを判定する（Ａ５４１０）。準備した確率情報コマンドが停電復旧時送信コマンド領域の値と一致する場合（Ａ５４１０の結果が「Ｙ」）、すなわち確率の状態が変化していない場合には、演出モード情報チェック処理を終了する。
【０５３８】
また、準備した確率情報コマンドが停電復旧時送信コマンド領域の値と一致しない場合（Ａ５４１０の結果が「Ｎ」）には、準備した確率情報コマンドを停電復旧時送信コマンド領域にセーブして（Ａ５４１１）、演出コマンド設定処理を実行する（Ａ５４１２）。  次いで、新しく設定された演出残り回転数に対応する演出回転数コマンドを演出コマンドとして準備して（Ａ５４１３）、演出コマンド設定処理を実行する（Ａ５４１４）。
【０５３９】
次に、遊技制御装置１００は、高確率変動回数に対応する高確率変動回数コマンドを演出コマンドとして準備して（Ａ５４１５）、演出コマンド設定処理（Ａ５４１６）を実行する。次いで、新たな演出モードは左打ちするモードであるか否かを判定し（Ａ５４１７）、左打ちするモードでない場合（Ａ５４１７の結果が「Ｎ」）には、演出モード情報チェック処理を終了する。また、左打ちするモードである場合（Ａ５４１７の結果が「Ｙ」）には、左打ち指示報知コマンドを演出コマンドとして準備し（Ａ５４１８）、演出コマンド設定処理を実行して（Ａ５４１９）、演出モード情報チェック処理を終了する。これにより、演出モードの切替の規定回転数前から切替を予告する演出を行うことが可能となる。このように遊技制御装置１００で演出モードを管理するようにしたことで、例えば特定の演出モードでのみ特定のリーチを発生させる等の制御が可能となり、遊技の興趣を向上することができる。
【０５４０】
〔ファンファーレ／インターバル中処理移行設定処理１〕
次に、特図表示中処理におけるファンファーレ／インターバル中処理移行設定処理１（Ａ５１２４）の詳細について説明する。図４５は、ファンファーレ／インターバル中処理移行設定処理１の手順を示すフローチャートである。
【０５４１】
遊技制御装置１００は、まず、ファンファーレ／インターバル中処理に係る処理番号である「３」を設定し（Ａ５５０１）、特図ゲーム処理番号領域に処理番号をセーブする（Ａ５５０２）。
【０５４２】
次に、遊技制御装置１００は、大当り（特別遊技状態）の開始に関する信号（例えば、大当り１信号をオン（大当り＋小当りで出力）、大当り４信号をオン（大当りで出力））を外部情報出力データ領域にセーブし（Ａ５５０３）、高確率状態と時短状態の終了に関する信号（例えば、特別図柄１高確率状態信号をオフ、特別図柄２高確率状態信号をオフ、特別図柄１変動時間短縮状態信号をオフ、特別図柄２変動時間短縮状態信号をオフ、普通図柄１高確率状態信号をオフ）を試験信号出力データ領域にセーブする（Ａ５５０４）。なお、特図高確率中でも、普図は確率状態しか変化しないので、普通図柄１変動時間短縮状態信号及び普通電動役物１開放延長状態信号は常時オフされている。その後、特別遊技状態で実行したラウンド数を管理するためのラウンド数領域をクリアし（Ａ５５０５）、遊技状態表示番号領域に時短なしの番号をセーブして（Ａ５５０６）、普図ゲームモードフラグ領域に普図低確率フラグをセーブする（Ａ５５０７）。
【０５４３】
そして、遊技制御装置１００は、変動図柄判別フラグ領域をクリアし（Ａ５５０８）、高確率状態の表示に係る遊技盤３０に設けた遊技状態表示ＬＥＤ（第３遊技状態表示部）５９を消灯させるために高確率報知フラグ領域をクリアして（Ａ５５０９）、特図ゲームモードフラグ領域に特図低確率＆時短なしフラグをセーブする（Ａ５５１０）。次に、停電復旧時に演出制御装置３００に出力されるコマンドをセーブする停電復旧時送信コマンド領域に確率情報コマンド（低確率）をセーブし（Ａ５５１１）、高確率状態で実行可能な特図変動表示ゲームの回数を管理するための高確率変動回数領域をクリアする（Ａ５５１２）。これにより高確率状態及び時短状態（普電サポート状態）が終了する。
【０５４４】
その後、遊技制御装置１００は、演出モード番号領域に演出モード１の番号をセーブし（Ａ５５１３）、演出残り回転数領域をクリアして（Ａ５５１４）、次モード移行情報領域に更新なしコードをセーブする（Ａ５５１５）。そして、右打ち指示に関する信号（例えば、発射位置指定信号１をオン）を試験信号出力データ領域にセーブし（Ａ５５１６）、右打ち中の表示ＬＥＤ（第１遊技状態表示部５７）を点灯させるため、遊技状態表示番号２領域に右打ち状態中の番号をセーブして（Ａ５５１７）、ファンファーレ／インターバル中処理移行設定処理１を終了する。これにより、特別遊技状態（大当り状態）の発生に伴い演出モードの情報が一旦クリアされることとなる。
【０５４５】
〔小当りファンファーレ中処理移行設定処理１〕
次に、特図表示中処理における小当りファンファーレ中処理移行設定処理１（Ａ５１３４）の詳細について説明する。図４６は、小当りファンファーレ中処理移行設定処理１の手順を示すフローチャートである。
【０５４６】
遊技制御装置１００は、まず、処理番号として小当りファンファーレ中処理にかかる「７」を設定して（Ａ５６０１）、当該処理番号を特図ゲーム処理番号領域にセーブする（Ａ５６０２）。
【０５４７】
次に、遊技制御装置１００は、小当りファンファーレ時間（例えば０．３秒）を特図ゲーム処理タイマ領域にセーブし（Ａ５６０３）、小当り遊技の開始に関する信号（例えば、大当り１信号をオン（大当り＋小当りで出力））を外部情報出力データ領域にセーブして（Ａ５６０４）、小当り遊技の開始に関する信号（例えば、特別図柄１小当り信号をオン）を試験信号出力データ領域にセーブする（Ａ５６０５）。
【０５４８】
次いで、遊技制御装置１００は、大入賞口不正入賞数領域をクリアして（Ａ５６０６）、大入賞口不正監視期間フラグ領域に不正監視期間外フラグをセーブする（Ａ５６０７）。次いで、右打ち指示に関する信号（発射位置指定信号１をオン）を試験信号出力データ領域にセーブし（Ａ５６０８）、右打ち中の表示ＬＥＤ（第１遊技状態表示部５７）を点灯させるため、遊技状態表示番号２領域に右打ち状態中の番号をセーブして（Ａ５６０９）、小当りファンファーレ中処理移行設定処理１を終了する。
【０５４９】
〔ファンファーレ／インターバル中処理〕
次に、特図ゲーム処理におけるファンファーレ／インターバル中処理（Ａ２６１１）の詳細について説明する。図４７は、ファンファーレ／インターバル中処理の手順を示すフローチャートである。
【０５５０】
遊技制御装置１００は、まず、特別遊技状態のラウンド数（Ｒ）を＋１更新し（Ａ５７０１）、特別遊技状態（大当り状態）のラウンド数に対応するラウンドコマンドを演出コマンドとして準備して（Ａ５７０２）、演出コマンド設定処理（Ａ５７０３）を行う。
【０５５１】
その後、遊技制御装置１００は、大入賞口動作判定テーブルを設定し（Ａ５７０４）、停止図柄番号に対応する大入賞口開放情報に応じた開放切替判定値を取得する（Ａ５７０５）。そして、特別遊技状態のラウンド数が、取得した開放切替判定値よりも大きいか否かを判定する（Ａ５７０６）。ラウンド数が開放切替判定値よりも大きい場合（Ａ５７０６の結果が「Ｙ」）、短開放用の大入賞口開放時間（例えば０．２秒）を特図ゲーム処理タイマ領域にセーブし（Ａ５７０７）、ラウンド数が開放切替判定値以下の場合（Ａ５７０６の結果が「Ｎ」）、長開放用の大入賞口開放時間（例えば２９秒）を特図ゲーム処理タイマ領域にセーブする（Ａ５７０８）。
【０５５２】
その後、遊技制御装置１００は、処理番号を大入賞口開放中処理にかかる「４」に設定し（Ａ５７０９）、処理番号を特図ゲーム処理番号領域にセーブする（Ａ５７１０）。その後、大入賞口の開放開始に関する信号（例えば、特別電動役物１作動中信号をＯＮ）を試験信号出力データ領域にセーブして（Ａ５７１１）、大入賞口への入賞数を記憶する大入賞口カウント数領域の情報をクリアする（Ａ５７１２）。そして、大入賞口ソレノイド出力データ領域にオンデータをセーブして（Ａ５７１３）、ファンファーレ／インターバル中処理を終了する。
【０５５３】
なお、本実施形態においては、大当りパターンを示す大入賞口開放情報として、大入賞口開放情報１（４Ｒ：全て短開放）、大入賞口開放情報２（１６Ｒ：全て長開放）、大入賞口開放情報３（１６Ｒ：１〜４Ｒは長開放、５〜１６Ｒは短開放）、大入賞口開放情報４（４Ｒ：全て長開放）、大入賞口開放情報５（１６Ｒ：全て長開放）、大入賞口開放情報６（１６Ｒ：１〜８Ｒは長開放、９〜１６Ｒは短開放）、大入賞口開放情報７（１６Ｒ：１〜４Ｒは長開放、５〜１６Ｒは短開放）が設定されている。
【０５５４】
従って、大入賞口動作判定テーブルには、大入賞口開放情報１データと開放切替判定値「０」とが、大入賞口開放情報２データと開放切替判定値「１６」とが、大入賞口開放情報３データと開放切替判定値「４」とが、大入賞口開放情報４データと開放切替判定値「４」とが、大入賞口開放情報５データと開放切替判定値「１６」とが、大入賞口開放情報６データと開放切替判定値「８」とが、大入賞口開放情報７データと開放切替判定値「４」とが対応付けて記憶されている。そして、ラウンド数が開放切替判定値以下である間は長開放、ラウンド数が開放切替判定値を上回ると短開放となる開放動作を行うようになっている。
【０５５５】
〔大入賞口開放中処理〕
次に、特図ゲーム処理における大入賞口開放中処理（Ａ２６１２）の詳細について説明する。図４８は、本実施形態の大入賞口開放中処理の手順を示すフローチャートである。
【０５５６】
遊技制御装置１００は、まず、実行中の特別遊技状態における現在のラウンド数とＲＷＭのラウンド数上限値領域のラウンド数上限値とを比較して現在のラウンドが最終ラウンドであるかを判定する（Ａ５９０１）。そして、最終ラウンドでない場合（Ａ５９０１の結果が「Ｎ」）、大入賞口動作判定テーブルを設定し（Ａ５９０２）、大入賞口開放情報に対応する開放切替判定値を取得して（Ａ５９０３）、特別遊技状態のラウンド数が、取得した開放切替判定値よりも大きいか否かを判定する（Ａ５９０４）。
【０５５７】
遊技制御装置１００は、ラウンド数が開放切替判定値よりも大きい場合（Ａ５９０４の結果が「Ｙ」）には、短閉鎖用の残存球処理時間（例えば１．４秒）を特図ゲーム処理タイマ領域にセーブし（Ａ５９０５）、ラウンド間のインターバルに係るインターバルコマンドを演出コマンドとして準備して（Ａ５９０７）、演出コマンド設定処理を実行する（Ａ５９１０）。
【０５５８】
遊技制御装置１００は、ラウンド数が開放切替判定値以下の場合（Ａ５９０４の結果が「Ｎ」）には、長閉鎖用の残存球処理時間（例えば１．９秒）を特図ゲーム処理タイマ領域にセーブし（Ａ５９０６）、インターバルコマンドを演出コマンドとして準備して（Ａ５９０７）、演出コマンド設定処理を実行する（Ａ５９１０）。
【０５５９】
遊技制御装置１００は、最終ラウンドである場合（Ａ５９０１の結果が「Ｙ」）、残存球処理時間（最終用）（例えば１．９秒）を特図ゲーム処理タイマ領域にセーブし（Ａ５９０８）、特別遊技状態の終了の際におけるエンディング表示画面の表示制御等に係るエンディングコマンドを演出コマンドとして準備して（Ａ５９０９）、演出コマンド設定処理を実行する（Ａ５９１０）。
【０５６０】
その後、遊技制御装置１００は、処理番号を大入賞口残存球処理に係る「５」に設定し（Ａ５９１１）、処理番号を特図ゲーム処理番号領域にセーブする（Ａ５９１２）。その後、大入賞口ソレノイド３９ｂをオフさせるためのオフデータを大入賞口ソレノイド出力データ領域にセーブし（Ａ５９１３）、大入賞口開放中処理を終了する。
【０５６１】
〔大入賞口残存球処理〕
次に、特図ゲーム処理における大入賞口残存球処理（Ａ２６１３）の詳細について説明する。図４９は、大入賞口残存球処理の手順を示すフローチャートである。
【０５６２】
遊技制御装置１００は、まず、実行中の特別遊技状態における現在のラウンド数とＲＷＭのラウンド数上限値領域のラウンド数上限値とを比較して現在のラウンドが最終ラウンドであるかを判定する（Ａ６１０１）。
【０５６３】
そして、遊技制御装置１００は、特別遊技状態における現在のラウンドが最終ラウンドでない場合（Ａ６１０１の結果が「Ｎ」）、大入賞口動作判定テーブルを設定し（Ａ６１０２）、大入賞口開放情報に対応する開放切替判定値を取得して（Ａ６１０３）、通常用のインターバル時間（例えば０．１秒）を設定する（Ａ６１０４）。
【０５６４】
次に、遊技制御装置１００は、特別遊技状態のラウンド数が、取得した開放切替判定値よりも大きいか否かを判定し（Ａ６１０５）、ラウンド数が開放切替判定値よりも大きい場合（Ａ６１０５の結果が「Ｙ」）、ステップＡ６１０９の処理に移行する。また、ラウンド数が開放切替判定値以下の場合（Ａ６１０５の結果が「Ｎ」）、大入賞口開放情報がランクダウン演出系の値であるか否かを判定する（ステップＡ６１０６）。
【０５６５】
ここで、ランクダウン演出とは、大当りラウンドが継続するか否かを報知するラウンド継続報知演出を実行し、該ラウンド継続報知演出において大当りラウンドが継続されないことを報知する演出が該当する。具体的には、大当りパターンを示す大入賞口開放情報が、大入賞口開放情報２（１６Ｒ：全て長開放）と大入賞口開放情報３（１６Ｒ：１〜４Ｒは長開放、５〜１６Ｒは短開放）との何れかが選択された場合に、大当りラウンドの１Ｒ〜３Ｒまで表示装置４１の表示画面に所定の大当りラウンド演出を表示し、４Ｒ目でラウンド継続報知演出を実行する。大入賞口開放情報が大入賞口開放情報２であれば、ラウンド継続報知演出においてラウンド継続が報知され、５Ｒ目以降のラウンドにおいても大入賞口が長開放で開放され、大入賞口開放情報が大入賞口開放情報３であれば、ラウンド継続報知演出においてラウンド非継続が報知され、５Ｒ目以降のラウンドにおいて大入賞口が短開放で開放されることとなる。
【０５６６】
遊技制御装置１００は、大入賞口開放情報がランクダウン演出系の値でない場合（Ａ６１０６の結果が「Ｎ」）、ステップＡ６１０９の処理に移行する。また、大入賞口開放情報がランクダウン演出系の値である場合（Ａ６１０６の結果が「Ｙ」）、ラウンド数が特殊演出ラウンドの値（例えば、４Ｒ）であるかを判定する（Ａ６１０７）。ラウンド数が特殊演出ラウンドの値でない場合（Ａ６１０７の結果が「Ｎ」）は、ステップＡ６１０９の処理に移行する。
【０５６７】
また、遊技制御装置１００は、ラウンド数が特殊演出ラウンドの値である場合（Ａ６１０７の結果が「Ｙ」）、例えばラウンド数が４Ｒである場合は、ランクダウン演出用のインターバル時間（例えば３．６秒）を設定して（Ａ６１０８）、ステップＡ６１０９の処理に移行する。なお、特殊ラウンド数は１種類に限らず、例えば４Ｒと８Ｒというように複数種類設けても良い。
【０５６８】
そして、遊技制御装置１００は、ステップＡ６１０４又はＡ６１０８にて設定したインターバル時間を特図ゲーム処理タイマ領域にセーブし（ステップＡ６１０９）、ファンファーレ／インターバル中処理に係る処理番号である「３」を設定する（Ａ６１１０）。次に、特図ゲーム処理番号領域に処理番号をセーブし（Ａ６１１１）、大入賞口（特別変動入賞装置３９）の開放終了に関する信号（例えば、特別電動役物１作動中信号をオフ）を試験信号出力データ領域にセーブし（Ａ６１２２）、大入賞口残存球処理を終了する。
【０５６９】
一方、遊技制御装置１００は、特別遊技状態における現在のラウンドが最終ラウンドである場合（Ａ６１０１の結果が「Ｙ」）、特別結果が導出された際の演出モードを記憶する特図ゲームモードフラグ退避領域からフラグをロードし（Ａ６１１２）、ロードしたフラグと大入賞口開放情報と停止図柄パターンとに対応するエンディング時間を設定して（Ａ６１１３）、設定したエンディング時間（例えば１．９秒）を特図ゲーム処理タイマ領域にセーブする（Ａ６１１４）。
【０５７０】
その後、遊技制御装置１００は、大当り終了処理に係る処理番号として「６」を設定し（Ａ６１１５）、処理番号を特図ゲーム処理番号領域にセーブする（Ａ６１１６）。その後、大入賞口への入賞数を記憶する大入賞口カウント数領域の情報をクリアし（Ａ６１１７）、特別遊技状態のラウンド数を記憶するラウンド数領域の情報をクリアして（Ａ６１１８）、特別遊技状態のラウンド数の上限値を記憶するラウンド数上限値領域の情報をクリアする（Ａ６１１９）。
【０５７１】
そして、遊技制御装置１００は、ラウンド数の上限値判定用のフラグを記憶するラウンド数上限値情報領域の情報をクリアし（Ａ６１２０）、大入賞口の開放情報判定用のフラグを記憶する大入賞口開放情報領域の情報をクリアして（Ａ６１２１）、大入賞口（特別変動入賞装置３９）の開放終了に関する信号（例えば、特別電動役物１作動中信号をオフ）を試験信号出力データ領域にセーブし（Ａ６１２２）、大入賞口残存球処理を終了する。
【０５７２】
〔大当り終了処理〕
次に、特図ゲーム処理における大当り終了処理（Ａ２６１４）の詳細について説明する。図５０は、大当り終了処理の手順を示すフローチャートである。
【０５７３】
遊技制御装置１００は、まず、時間短縮判定データが、時短作動データあるか否かを判定する（Ａ６２０１）。時短作動データでない場合（Ａ６２０１の結果が「Ｎ」）は、大当り終了設定処理１を実行し（Ａ６２０２）、時短作動データである場合（Ａ６２０１の結果が「Ｙ」）は、大当り終了設定処理２を実行する（Ａ６２０３）。
【０５７４】
次に、遊技制御装置１００は、演出モード情報アドレステーブルを設定し（Ａ６２０４）、変動開始時の停止図柄設定処理（特にＡ４００９、Ａ４１０９）で設定した演出モード移行情報に対応するテーブルのアドレスを取得し（Ａ６２０５）、特別遊技状態（大当り状態）の終了後に設定される演出モードの演出モード番号（演出モードの番号）を取得してセーブする（Ａ６２０６）。
【０５７５】
次に、遊技制御装置１００は、特別遊技状態の終了後に設定される演出モードの演出残り回転数（初期値）を取得してセーブし（Ａ６２０７）、特別遊技状態の終了後に設定される演出モードの次モード移行情報を取得してセーブする（Ａ６２０８）。
【０５７６】
続いて、遊技制御装置１００は、新たに設定された演出モード番号に対応する確率情報コマンドを準備し（Ａ６２０９）、準備した確率情報コマンドを停電復旧時送信コマンド領域に演出コマンドとしてセーブし（Ａ６２１０）、演出コマンド設定処理を実行する（Ａ６２１１）。
【０５７７】
ここで、確率情報コマンドには、特別遊技状態（大当り状態）の終了後における確率状態、時短（普電サポート）の有無、演出モードの情報が含まれる。確率情報コマンドとして、「高確率・時短あり」、「高確率・時短なし」の何れかに、更に演出モードの情報が含まれた複数のコマンドがある。本実施形態では、大当りが終了すると必ず確変状態になる（所謂ＳＴ状態に必ずなる）ので、確率情報コマンドとして、「高確率・時短あり・演出モードＡ」、「高確率・時短あり・演出モードＢ」、「高確率・時短あり・演出モードＣ」、「高確率・時短なし・演出モードＡ」がある。なお、この処理では使われないが、他に「低確率・時短なし・演出モードＡ」、「低確率・時短なし・演出モードＢ」、「低確率・時短なし・演出モードＣ」がある。
【０５７８】
次に、遊技制御装置１００は、演出残り回転数に対応する演出回転数コマンドを演出コマンドとして準備し（Ａ６２１２）、演出コマンド設定処理を実行する（Ａ６２１３）。そして、高確率変動回数に対応する高確率変動回数コマンドを演出コマンドとして準備し（Ａ６２１４）、演出コマンド設定処理を実行する（Ａ６２１５）。
【０５７９】
次に、遊技制御装置１００は、大当り終了後に時短（普電サポート）があるか否かを判定する（Ａ６２１６）。時短（普電サポート）がある場合（Ａ６２１６の結果が「Ｙ」）、ステップＡ６２１９の処理に移行する。時短（普電サポート）がない場合（Ａ６２１６の結果が「Ｎ」）、左打ち指示報知コマンドを演出コマンドとして準備し（Ａ６２１７）、演出コマンド設定処理を実行し（Ａ６２１８）、ステップＡ６２１９の処理に移行する。
【０５８０】
次に、遊技制御装置１００は、特図普段処理移行設定処理２を実行し（Ａ６２１９）、大当り終了処理を終了する。
【０５８１】
〔大当り終了設定処理１〕
次に、大当り終了処理における大当り終了設定処理１（Ａ６２０２）の詳細について説明する。図５１は、大当り終了設定処理１の手順を示すフローチャートである。
【０５８２】
遊技制御装置１００は、まず、時短状態なしに関する信号（例えば、大当り２信号をオフ）を外部情報出力データ領域にセーブして（Ａ６３０１）、高確率状態と時短状態なしの開始に関する信号（例えば、特別図柄１高確率状態信号をオン、特別図柄２高確率状態信号をオン、特別図柄１変動時間短縮状態信号をオフ、特別図柄２変動時間短縮状態信号をオフ、普通図柄１高確率状態信号をオフ）を試験信号出力データ領域にセーブする（Ａ６３０２）。
【０５８３】
次に、遊技状態表示番号領域に時短状態なしの番号をセーブし（Ａ６３０３）、普図ゲームモードフラグ領域に普図低確率フラグをセーブして（Ａ６３０４）、特図ゲームモードフラグ領域に特図高確率＆時短なしフラグをセーブする（Ａ６３０５）。その後、高確率変動回数領域に初期値（例えば１００回）をセーブし（Ａ６３０６）、左打ち指示に関する信号（例えば、発射位置指定信号１をオフ）を試験信号出力データ領域にセーブし（Ａ６３０７）、右打ち中の表示ＬＥＤ（第１遊技状態表示部５７）を消灯させるため、遊技状態表示番号２領域に左打ち状態中の番号をセーブして（Ａ６３０８）、大当り終了設定処理１を終了する。
【０５８４】
〔大当り終了設定処理２〕
次に、大当り終了処理における大当り終了設定処理２（Ａ６２０３）の詳細について説明する。図５２は、大当り終了設定処理２の手順を示すフローチャートである。
【０５８５】
遊技制御装置１００は、まず、時短状態の開始に関する信号（例えば、大当り２信号をオン）を外部情報出力データ領域にセーブする（Ａ６４０１）。時短状態の開始に関する信号は、大当り中から出力されているので継続する形で、外部情報出力データ領域にセーブされる。次いで、高確率状態と時短状態の開始に関する信号（例えば、特別図柄１高確率状態信号をオン、特別図柄２高確率状態信号をオン、特別図柄１変動時間短縮状態信号をオン、特別図柄２変動時間短縮状態信号をオン、普通図柄１高確率状態信号をオン）を試験信号出力データ領域にセーブする（Ａ６４０２）。
【０５８６】
次に、遊技状態表示番号領域に時短状態ありの番号をセーブし（Ａ６４０３）、普図ゲームモードフラグ領域に普図高確率フラグをセーブして（Ａ６４０４）、特図ゲームモードフラグ領域に特図高確率＆時短ありフラグをセーブする（Ａ６４０５）。その後、高確率変動回数領域に初期値（例えば１００回）をセーブして（Ａ６４０６）、大当り終了設定処理２を終了する。なお、本実施形態の場合、時短状態中は右打ちモードであるが、大当り中から右打ちモードが設定されているので、大当り終了設定処理２では右打ちに関する設定を行わない。
【０５８７】
〔特図普段処理移行設定処理２〕
図５３は、特図普段処理移行設定処理２の手順を示すフローチャートである。特図普段処理移行設定処理２は、図５０に示した大当り終了処理におけるステップＡ６２１９にて実行される。
【０５８８】
遊技制御装置１００は、まず、特図普段処理に係る処理番号として「０」を設定し（Ａ６５０１）、処理番号を特図ゲーム処理番号領域にセーブする（Ａ６５０２）。
【０５８９】
その後、遊技制御装置１００は、大当りの終了に関する信号（例えば、大当り１信号をオフ、大当り３信号をオフ、大当り４信号をオフ）を外部情報出力データ領域にセーブして（Ａ６５０３）、大当りの終了に関する信号（例えば、条件装置作動中信号をオフ、役物連続作動装置作動中信号をオフ、特別図柄１当り信号をオフ、特別図柄２当り信号をオフ）を試験信号出力データ領域にセーブする（Ａ６５０４）。
【０５９０】
続いて、遊技制御装置１００は、時間短縮判定フラグ領域の情報をクリアし（Ａ６５０５）、大当りのラウンド回数を示すラウンドＬＥＤのポインタ領域の情報をクリアして（Ａ６５０６）、演出モード移行情報領域の情報をクリアする（Ａ６５０７）。そして、特図ゲームモードフラグ退避領域の情報をクリアし（Ａ６５０８）、大入賞口不正監視期間フラグ領域に不正監視期間中フラグをセーブする（Ａ６５０９）。
【０５９１】
次に、遊技制御装置１００は、ＲＷＭの排出球数領域を０クリアし（Ａ６５１０）、排出球数の「００」表示のセグメントデータを排出球数表示部６６のセグメントに対応するセグメント領域にセーブする（Ａ６５１１）。これにより、出力処理（図１１のＡ１６１０）を介して、大当り終了の際に排出球数表示部６６において排出球数を「００」と表示することができる。
【０５９２】
また、遊技制御装置１００は、ＲＷＭの獲得球数領域を０クリアし（Ａ６５１２）、セグメントカラーナンバー領域の値を初期値（例えば赤に対応）に設定し（Ａ６５１３）、出玉率の「００」表示のセグメントデータをカラーナンバーに対応するセグメント領域（例えば赤表示領域）にセーブする（Ａ６５１４）。なお、カラーナンバーに対応しないセグメント領域（例えば緑表示領域）は０クリアする。これにより、出力処理（図１１のＡ１６１０）を介して、大当り終了の際に出玉率表示部６７において出玉率を「００」と表示することができる。その後、特図普段処理移行設定処理２を終了する。
【０５９３】
なお、大当り状態（特別遊技状態）中では、排出球数１００個当りの賞球数の合計である獲得球数（即ち出玉率）が非常に大きくなっている。このため、大当り状態終了の際に、排出球数領域（ひいては排出球数）と獲得球数領域（ひいては出玉率）を０クリアして、再度、獲得球数（即ち出玉率）の正確な計測を開始するようにしている。また、大当り状態終了の際に、排出球数表示と出玉率表示は、リセットされ「００」表示となる。しかし、役物比率は、遊技機１０の電源投入から継続して計測した方が正確であるため、大当り状態終了後も役物別獲得球数領域（ひいては役物比率）は０クリアしない。そして、役物比率表示は、リセットされず大当りの前後で継続して表示される。
【０５９４】
以上のように、ステップＡ６５１０〜Ａ６５１４の処理は、大当り終了の際（大当り終了時）に、排出球数、出玉率（賞球数の合計）、排出球数表示、及び、出玉率表示をリセットして初期値（ここでは０又は「００」）に設定するリセット手段を構成する。
【０５９５】
〔小当りファンファーレ中処理〕
次に、特図ゲーム処理における小当りファンファーレ中処理（Ａ２６１５）の詳細について説明する。図５４は、小当りファンファーレ中処理の手順を示すフローチャートである。
【０５９６】
遊技制御装置１００は、まず、処理番号として小当り中処理にかかる「８」を設定して（Ａ６７０１）、当該処理番号を特図ゲーム処理番号領域にセーブする（Ａ６７０２）。
【０５９７】
次いで、遊技制御装置１００は、小当り遊技における大入賞口の開放時間（例えば０．２秒）を特図ゲーム処理タイマ領域にセーブして（Ａ６７０３）、小当り動作の開始に関する信号（例えば、特別電動役物１作動中信号をオン）を試験信号出力データ領域にセーブする（Ａ６７０４）。次いで、特別変動入賞装置３９の開閉扉３９ｃを開放するために、大入賞口ソレノイド３９ｂをオンさせるためのオンデータを大入賞口ソレノイド出力データ領域にセーブする（Ａ６７０５）。
【０５９８】
その後、遊技制御装置１００は、大入賞口への入賞数を記憶する大入賞口カウント数領域の情報をクリアし（Ａ６７０６）、小当り中制御ポインタ領域に小当り動作初期値（例えば「０」）をセーブして（Ａ６７０７）、小当りファンファーレ中処理を終了する。
【０５９９】
〔小当り中処理〕
次に、特図ゲーム処理における小当り中処理（Ａ２６１６）の詳細について説明する。図５５は、小当り中処理の手順を示すフローチャートである。
【０６００】
遊技制御装置１００は、まず、小当り中制御ポインタの値をロードして（Ａ６８０１）、ロードした値が小当り動作終了値（例えば「６」）以上であるか否かを判定する（Ａ６８０２）。ロードした値が小当り動作終了値以上でない場合（Ａ６８０２の結果が「Ｎ」）、小当り中制御ポインタを＋１更新し（Ａ６８０３）、小当り動作移行設定処理を実行して（Ａ６８０４）、小当り中処理を終了する。
【０６０１】
一方、遊技制御装置１００は、ロードした値が小当り動作終了値以上である場合（Ａ６８０２の結果が「Ｙ」）には、特図ゲームモードフラグ退避領域からフラグをロードし（Ａ６８０５）、ロードしたフラグが特図高確率中に関するフラグであるか否かを判定する（Ａ６８０６）。これにより、特図高確率中での小当りか否かを判定する。なお、ここでは、時短状態中であるか否かは問わない。
【０６０２】
遊技制御装置１００は、ロードしたフラグが特図高確率中に関するフラグである場合（Ａ６８０６の結果が「Ｙ」）、処理番号として小当り残存球処理にかかる「９」を設定する（Ａ６８０９）。また、ロードしたフラグが特図高確率中に関するフラグでない場合（Ａ６８０６の結果が「Ｎ」）、小当り終了画面のコマンドを演出コマンドとして準備し（Ａ６８０７）、演出コマンド設定処理を実行して（Ａ６８０８）、処理番号として小当り残存球処理にかかる「９」を設定する（Ａ６８０９）。
【０６０３】
その後、遊技制御装置１００は、当該処理番号を特図ゲーム処理番号領域にセーブする（Ａ６８１０）。次いで、小当り残存球処理時間（例えば１．９秒）を特図ゲーム処理タイマ領域にセーブし（Ａ６８１１）、大入賞口ソレノイド出力データ領域にオフデータをセーブして（Ａ６８１２）、小当り中処理を終了する。
【０６０４】
〔小当り動作移行設定処理〕
次に、小当り中処理における小当り動作移行設定処理（Ａ６８０４）の詳細について説明する。図５６は、小当り動作移行設定処理の手順を示すフローチャートである。
【０６０５】
遊技制御装置１００は、まず、制御ポインタ（小当り中制御ポインタ）に応じて分岐処理を実行する（Ａ６９０１）。制御ポインタが０、２、４の場合は、制御ポインタに対応するウェイト時間（例えば１５００ｍｓｅｃ）を特図ゲーム処理タイマ領域にセーブし（Ａ６９０２）、大入賞口ソレノイド出力データ領域にオフデータをセーブして（Ａ６９０３）、小当り動作移行設定処理を終了する。
【０６０６】
一方、遊技制御装置１００は、制御ポインタが１、３、５の場合は、制御ポインタに対応する大入賞口開放時間（例えば２００ｍｓｅｃ）を特図ゲーム処理タイマ領域にセーブし（Ａ６９０４）、大入賞口ソレノイド出力データ領域にオンデータをセーブして（Ａ６９０５）、小当り動作移行設定処理を終了する。
【０６０７】
ここで、本実施形態の場合、３００ｍｓｅｃの小当りファンファーレ時間の後に、２００ｍｓｅｃの開放と１５００ｍｓｅｃの閉鎖とを交互に行い、開放の終了時及び閉鎖の終了時に小当り中制御ポインタが順次更新される。具体的には、１回目の２００ｍｓｅｃ開放の終了時（すなわち、１回目の２００ｍｓｅｃ開放から１回目の１５００ｍｓｅｃ閉鎖への切り替わり時）に小当り中制御ポインタが０に更新され、１回目の１５００ｍｓｅｃ閉鎖の終了時（すなわち、１回目の１５００ｍｓｅｃ閉鎖から２回目の２００ｍｓｅｃ開放への切り替わり時）に小当り中制御ポインタが１に更新され、２回目の２００ｍｓｅｃ開放の終了時に小当り中制御ポインタが２に更新され、２回目の１５００ｍｓｅｃ閉鎖の終了時に小当り中制御ポインタが３に更新され、３回目の２００ｍｓｅｃ開放の終了時に小当り中制御ポインタが４に更新され、３回目の１５００ｍｓｅｃ閉鎖の終了時に小当り中制御ポインタが５に更新される。そして、４回目の２００ｍｓｅｃ開放の終了時に小当り中制御ポインタが６に更新され、１９００ｍｓｅｃの小当り残存球時間と、その後の１００ｍｓｅｃの小当りエンディング時間との経過後に、小当り状態が終了する。したがって、４回目の２００ｍｓｅｃ開放の後に、２０００ｍｓｅｃ間閉鎖されるので、見た目のエンディング時間は２０００ｍｓｅｃとなる。
【０６０８】
〔小当り残存球処理〕
次に、特図ゲーム処理における小当り残存球処理（Ａ２６１７）の詳細について説明する。図５７は、小当り残存球処理の手順を示すフローチャートである。
【０６０９】
遊技制御装置１００は、まず、処理番号として小当り終了処理にかかる「１０」を設定して（Ａ７２０１）、当該処理番号を特図ゲーム処理番号領域にセーブする（Ａ７２０２）。
【０６１０】
次に、遊技制御装置１００は、小当りエンディング時間（例えば０．１秒）を特図ゲーム処理タイマ領域にセーブして（Ａ７２０３）、小当り動作の終了に関する信号（例えば、特別電動役物１作動中信号をオフ）を試験信号出力データ領域にセーブする（Ａ７２０４）。次いで、大入賞口カウント数領域の情報をクリアし（Ａ７２０５）、小当り中制御ポインタ領域の情報をクリア（例えば０クリア）して（Ａ７２０６）、小当り残存球処理を終了する。
【０６１１】
〔小当り終了処理〕
次に、特図ゲーム処理における小当り終了処理（Ａ２６１８）の詳細について説明する。図５８は、小当り終了処理の手順を示すフローチャートである。
【０６１２】
遊技制御装置１００は、まず、特図ゲームモードフラグ退避領域からフラグをロードし（Ａ７３０１）、ロードしたフラグが特図高確率中に関するフラグであるかを判定する（Ａ７３０２）。ロードしたフラグが特図高確率中に関するフラグでない場合（Ａ７３０２の結果が「Ｎ」）は、演出モード情報アドレステーブルを設定して（Ａ７３０３）、変動開始時（停止図柄設定時）に設定された演出モード移行情報に対応するテーブルのアドレスを取得する（Ａ７３０４）。
【０６１３】
そして、遊技制御装置１００は、移行する演出モードの演出モード番号を取得し、ＲＷＭ内の演出モード番号領域にセーブして（Ａ７３０５）、移行する演出モードの演出残り回転数を取得し、ＲＡＭ内の演出残り回転数領域にセーブして（Ａ７３０６）、移行する演出モードの次モード移行情報を取得し、ＲＷＭ内の次モード移行情報領域にセーブする（Ａ７３０７）。その後、演出モード番号に対応する確率情報コマンドを準備し（Ａ７３０８）、準備した確率情報コマンドが停電復旧時送信コマンド領域の値と一致するかを判定する（Ａ７３０９）。準備した確率情報コマンドが停電復旧時送信コマンド領域の値と一致する場合（Ａ７３０９の結果が「Ｙ」）は、ステップＡ７３１９の処理に移行する。
【０６１４】
また、遊技制御装置１００は、準備した確率情報コマンドが停電復旧時送信コマンド領域の値と一致しない場合（Ａ７３０９の結果が「Ｎ」）には、準備した確率情報コマンドを停電復旧時送信コマンド領域にセーブして（Ａ７３１０）、演出コマンド設定処理を実行する（Ａ７３１１）。次に、演出残り回転数に対応する演出回転数コマンドを演出コマンドとして準備して（Ａ７３１２）、演出コマンド設定処理を実行する（Ａ７３１３）。さらに、高確率変動回数に対応する高確率変動回数コマンドを演出コマンドとして準備して（Ａ７３１４）、演出コマンド設定処理を実行する（Ａ７３１５）。
【０６１５】
次に、遊技制御装置１００は、新たな演出モードは左打ちするモードであるかを判定し（Ａ７３１６）、左打ちするモードでない場合（Ａ７３１６の結果が「Ｎ」）、ステップＡ７３１９の処理に移行する。また、左打ちするモードである場合（Ａ７３１６の結果が「Ｙ」）には、左打ち指示報知コマンドを演出コマンドとして準備して（Ａ７３１７）、演出コマンド設定処理（Ａ７３１８）を行った後に、ステップＡ７３１９の処理に移行する。
【０６１６】
そして、遊技制御装置１００は、特図ゲームモードフラグ退避領域からフラグをロードし（Ａ７３１９）、ロードしたフラグが特図時短中（時短状態中）に関するフラグであるかを判定する（Ａ７３２０）。ロードしたフラグが特図時短中に関するフラグである場合（Ａ７３２０の結果が「Ｙ」）には、ステップＡ７３２３の処理に移行する。また、ロードしたフラグが特図時短中に関するフラグでない場合（Ａ７３２０の結果が「Ｎ」）、左打ち指示に関する信号（例えば、発射位置指定信号１をオフ）を試験信号出力データ領域にセーブし（Ａ７３２１）、右打ち中の表示ＬＥＤ（第１遊技状態表示部５７）を消灯させるため、遊技状態表示番号２領域に左打ち状態中の番号をセーブして（Ａ７３２２）、ステップＡ７３２３の処理に移行する。
【０６１７】
次に、遊技制御装置１００は、処理番号として特図普段処理にかかる「０」を設定して（Ａ７３２３）、当該処理番号を特図ゲーム処理番号領域にセーブする（Ａ７３２４）。小当りの終了に関する信号（例えば、大当り１信号をオフ）を外部情報出力データ領域にセーブして（Ａ７３２５）、小当りの終了に関する信号（例えば、特別図柄１小当り信号をオフ）を試験信号出力データ領域にセーブする（Ａ７３２６）。
【０６１８】
次に、遊技制御装置１００は、変動図柄判別フラグ領域の情報をクリアし（Ａ７３２７）、演出モード移行情報領域の情報をクリアして（Ａ７３２８）、特図ゲームモードフラグ退避領域の情報をクリアする（Ａ７３２９）。そして、大入賞口不正監視期間フラグ領域に不正監視期間中フラグをセーブして（Ａ７３３０）、小当り終了処理を終了する。
【０６１９】
〔演出コマンド設定処理〕
図５９は、演出制御装置３００に送信する演出コマンドを設定するための演出コマンド設定処理の手順を示すフローチャートである。この演出コマンド設定処理は、タイマ割込み処理中に実行される処理における演出コマンド設定処理に共通する処理である。
【０６２０】
遊技制御装置１００は、まず、演出用シリアル送信バッファのステータスを読み込む（Ａ７４０１）。さらに、送信バッファが満杯か否かを判定する（Ａ７４０２）。
【０６２１】
また、遊技制御装置１００は、送信バッファが満杯でない場合には（Ａ７４０２の結果が「Ｎ」）、コマンドデータ（ＭＯＤＥ（上位バイト））をシリアル送信バッファに書き込む（Ａ７４０３）。
【０６２２】
遊技制御装置１００は、送信バッファが満杯である場合には（Ａ７４０２の結果が「Ｙ」）、ステップＡ７４０１の処理に戻る。
【０６２３】
さらに、遊技制御装置１００は、演出用シリアル送信バッファのステータスを読み込み（Ａ７４０４）、送信バッファが満杯か否かを判定する（Ａ７４０５）。送信バッファが満杯である場合には（Ａ７４０５の結果が「Ｙ」）、ステップＡ７４０４の処理に戻る。
【０６２４】
また、遊技制御装置１００は、送信バッファが満杯でない場合には（Ａ７４０５の結果が「Ｎ」）、コマンドデータ（ＡＣＴＩＯＮ（下位バイト））をシリアル送信バッファに書き込んだ後（Ａ７４０６）、演出コマンド設定処理を終了する。
【０６２５】
以上のように、演出制御装置３００に対してはシリアル通信で演出コマンドを送信するようにしたことで、遊技制御装置１００の負担を軽減できるとともに、演出コマンドの解析を困難にすることができる。また、コマンドの送出タイミングが早まるとともに、データ線の本数を減らすことができる。さらに、演出制御装置３００においてもストローブ内でのコマンドの取り込みが必要なくなり、負担を軽減することができる。
【０６２６】
〔図柄変動制御処理〕
図６０に、前述の特図ゲーム処理における図柄変動制御処理（Ａ２６２０、Ａ２６２２）、後述の普図ゲーム処理における図柄変動制御処理を示した。図柄変動制御処理は、特別図柄（第１特図、第２特図等）や普通図柄（普図）の変動の制御と、特別図柄や普通図柄の表示データの設定を行う処理である。
【０６２７】
遊技制御装置１００は、まず、制御対象の図柄（例えば、第１特図、第２特図、及び普図の何れか）にかかる変動制御フラグが変動中であるかチェックし判定する（Ａ７５０１、Ａ７５０２）。本実施形態の場合、ステップＡ２６１９、ステップＡ２６２１、ステップＡ７６１４にて準備した変動制御テーブル上に、変動制御フラグ領域の下位アドレス、点滅制御タイマの初期値、変動図柄番号上限判定値、表示テーブル２（停止用）のアドレス、表示テーブル１（変動用）のアドレスが定義されている。
【０６２８】
遊技制御装置１００は、制御対象の図柄にかかる変動中フラグが変動中である場合（Ａ７５０２の結果が「Ｙ」）、制御対象の図柄に対応する図柄表示テーブル（変動用）を取得する（Ａ７５０３）。本実施形態の場合、ステップＡ２６１９、ステップＡ２６２１、ステップＡ７６１４にて準備した変動制御テーブル上に、図柄表示テーブル（変動用）のアドレスが定義されている。
【０６２９】
次に、遊技制御装置１００は、制御対象の点滅制御タイマを−１更新し（Ａ７５０４）、更新後の点滅制御タイマが０であるかを判定して（Ａ７５０５）、更新後の点滅制御タイマが０でない場合（Ａ７５０５の結果が「Ｎ」）、制御対象の変動図柄番号領域の値に対応する表示データを取得する（Ａ７５０８）。そして、取得した表示データを対象のセグメント領域にセーブして（Ａ７５１１）、図柄変動制御処理を終了する。
【０６３０】
また、更新後の点滅制御タイマが０である場合（Ａ７５０５の結果が「Ｙ」）は、対象の点滅タイマ領域に対応する点滅制御タイマ初期値をセーブし（Ａ７５０６）、制御対象の変動図柄番号を対応する範囲で＋１更新して（Ａ７５０７）、制御対象の変動図柄番号領域の値に対応する表示データを取得する（Ａ７５０８）。そして、取得した表示データを対象のセグメント領域にセーブして（Ａ７５１１）、図柄変動制御処理を終了する。
【０６３１】
一方、遊技制御装置１００は、制御対象の図柄にかかる変動中フラグが変動中でない場合（Ａ７５０２の結果が「Ｎ」）は、制御対象の図柄に対応する図柄表示テーブル（停止用）を取得する（Ａ７５０９）。本実施形態の場合、ステップＡ２６１９、ステップＡ２６２１、ステップＡ７６１４にて準備した変動制御テーブル上に、図柄表示テーブル（停止用）のアドレスが定義されている。次に、制御対象の停止図柄番号領域の値に対応する表示データを取得し（Ａ７５１０）、取得した表示データを対象のセグメント領域にセーブして（Ａ７５１１）、図柄変動制御処理を終了する。
【０６３２】
ステップＡ７５０６でセーブする点滅制御タイマ初期値は、処理対象のゲームに応じて準備されている変動制御テーブルにおいて定義された値がセーブされる。ここでは、点滅制御タイマ初期値として１００ｍｓｅｃに相当する値が定義されている。この点滅制御タイマ初期値は、一括表示装置５０において変動時間中に点灯パターンを更新する間隔である。
【０６３３】
また、ステップＡ７５０７における対応する範囲は、処理対象のゲームに応じて準備されている変動制御テーブルにおいて定義された変動図柄番号上限判定値により規定される。ステップＡ７５０７において変動図柄番号を＋１更新することで変動図柄番号上限値に達した場合は変動図柄番号を０にするようにされており、変動図柄番号は０〜（変動図柄番号上限判定値−１）の範囲で順次更新される。ステップＡ７５０８、Ａ７５１１ではこの変動図柄番号に応じた表示データ（点灯パターン）を取得して表示する設定を行うようになっており、変動図柄番号上限判定値に等しい回数の点灯パターンの更新（変更）が行われることで一巡する表示が繰り返し行われることとなる。
【０６３４】
このように処理対象のゲームに応じて準備されている変動制御テーブルにおいて点滅制御タイマ初期値と変動図柄番号上限値を定義することで、一括表示装置５０において点灯パターンを更新させる間隔や表示が一巡する更新回数をゲームごとに設定することができる。
【０６３５】
〔普図ゲーム処理〕
次に、タイマ割込み処理における普図ゲーム処理（Ａ１３１０）の詳細について説明する。図６１は、普図ゲーム処理の手順を示すフローチャートである。普図ゲーム処理では、ゲートスイッチ３４ａの入力の監視と、普図変動表示ゲームに関する処理全体の制御、普図の表示の設定等を行う。
【０６３６】
遊技制御装置１００は、まず、ゲートスイッチ３４ａからの入力を監視するゲートスイッチ監視処理を実行する（Ａ７６０１）。ゲートスイッチ監視処理の詳細については、後述する。
【０６３７】
続いて、遊技制御装置１００は、始動口２スイッチ３７ａからの入力を監視する普電入賞スイッチ監視処理を実行する（Ａ７６０２）。普電入賞スイッチ監視処理の詳細については、後述する。
【０６３８】
次に、遊技制御装置１００は、普図ゲーム処理タイマが０でなければ−１更新する（１だけ減算する）（Ａ７６０３）。なお、普図ゲーム処理タイマの最小値は０に設定されている。そして、遊技制御装置１００は、普図ゲーム処理タイマの値が０となったか否かを判定する（Ａ７６０４）。
【０６３９】
遊技制御装置１００は、普図ゲーム処理タイマの値が０である場合（Ａ７６０４の結果が「Ｙ」）、すなわち、タイムアップした又はすでにタイムアップしていた場合には、普図ゲーム処理番号に対応する処理に分岐させるために参照する普図ゲームシーケンス分岐テーブルをレジスタに設定する（Ａ７６０５）。
【０６４０】
さらに、遊技制御装置１００は、設定された普図ゲームシーケンス分岐テーブルに基づいて普図ゲーム処理番号に対応する処理の分岐先アドレスを取得する（Ａ７６０６）。そして、普図ゲーム処理番号によるサブルーチンコールを行って、普図ゲーム処理番号に応じたゲーム分岐処理を実行する（Ａ７６０７）。
【０６４１】
遊技制御装置１００は、ステップＡ７６０７にてゲーム処理番号が「０」の場合には、普図変動表示ゲームの変動開始を監視し、普図変動表示ゲームの変動開始の設定や演出の設定や、普図変動中処理を行うために必要な情報の設定等を行う普図普段処理を実行する（Ａ７６０８）。普図普段処理の詳細については、図６４にて後述する。
【０６４２】
また、遊技制御装置１００は、ステップＡ７６０７にてゲーム処理番号が「１」の場合には、普図表示中処理を行うために必要な情報の設定等を行う普図変動中処理を実行する（Ａ７６０９）。普図変動中処理の詳細については、図６６にて後述する。
【０６４３】
また、遊技制御装置１００は、ステップＡ７６０７にてゲーム処理番号が「２」の場合には、普図変動表示ゲームの結果が当りであれば、時短状態中であるか否かに応じた普電開放時間の設定や、普図当り中処理を行うために必要な情報の設定等を行う普図表示中処理を実行する（Ａ７６１０）。普図表示中処理の詳細については、図６７にて後述する。
【０６４４】
また、遊技制御装置１００は、ステップＡ７６０７にてゲーム処理番号が「３」の場合は、普図当り中処理の継続、あるいは普電残存球処理を行うために必要な情報の設定等を行う普図当り中処理を実行する（Ａ７６１１）。普図当り中処理の詳細については、図６８にて後述する。
【０６４５】
また、遊技制御装置１００は、ステップＡ７６０７にてゲーム処理番号が「４」の場合は、普図当り終了処理を行うために必要な情報の設定等を行う普電残存球処理を実行する（Ａ７６１２）。普図残存球処理の詳細については、図７０にて後述する。
【０６４６】
また、遊技制御装置１００は、ステップＡ７６０７にてゲーム処理番号が「５」の場合は、普図普段処理（Ａ７６０８）を行うために必要な情報の設定等を行う普図当り終了処理を実行する（Ａ７６１３）。普図当り終了処理の詳細については、図７１にて後述する。
【０６４７】
その後、遊技制御装置１００は、普図表示器５３による普通図柄の変動を制御するための普図変動制御テーブルを準備する（Ａ７６１４）。その後、普図表示器５３による普通図柄の変動の制御に係る図柄変動制御処理を実行し（Ａ７６１５）、普図ゲーム処理を終了する。
【０６４８】
一方、遊技制御装置１００は、普図ゲーム処理タイマの値が０でない場合（Ａ７６０４の結果が「Ｎ」）、すなわち、タイムアップしていない場合には、ステップＡ７６１４以降の処理を実行する。
【０６４９】
〔ゲートスイッチ監視処理〕
図６２は、ゲートスイッチ監視処理の手順を示すフローチャートである。ゲートスイッチ監視処理は、図６１に示した普図ゲーム処理におけるステップＡ７６０１にて実行される。
【０６５０】
遊技制御装置１００は、まず、ゲートスイッチ３４ａに入力があるか否かを判定する（Ａ７７０１）。そして、ゲートスイッチ３４ａに入力がある場合（Ａ７７０１の結果が「Ｙ」）、右打ちする遊技状態であるか否かを判定する（Ａ７７０２）。右打ちする遊技状態は、大当り状態、小当り状態、時短状態（普電サポート状態）である。右打ちする遊技状態である場合（Ａ７７０２の結果が「Ｙ」）、ステップＡ７７０５の処理に移行する。右打ちする遊技状態でない場合（Ａ７７０２の結果が「Ｎ」）、左打ち指示報知コマンド（左打ち指示コマンド）を演出コマンドとして準備し（Ａ７７０３）、演出コマンド設定処理を実行する（Ａ７７０４）。左打ち指示報知コマンドを受信した演出制御装置３００は、左打ちするよう指示する報知（警告）を表示装置４１等によって実行する。
【０６５１】
次に、遊技制御装置１００は、普図保留数を取得して当該普図保留数が上限値（例えば４）未満であるか否かを判定する（Ａ７７０５）。遊技制御装置１００は、普図保留数が上限値未満である場合には（Ａ７７０５の結果が「Ｙ」）、普図保留数を＋１更新し（Ａ７７０６）、更新後の普図保留数に対応する当り乱数格納領域のアドレスを算出する（Ａ７７０７）。そして、当り乱数を抽出してＲＷＭの当り乱数格納領域にセーブし（Ａ７７０８）、当り図柄乱数を抽出し、当り図柄乱数格納領域にセーブし（Ａ７７０９）、ゲートスイッチ監視処理を終了する。
【０６５２】
一方、遊技制御装置１００は、ゲートスイッチ３４ａに入力がない場合（Ａ７７０１の結果が「Ｎ」）、又は、普図保留数が上限値未満でないと判定された場合には（Ａ７７０５の結果が「Ｎ」）、ゲートスイッチ監視処理を終了する。
【０６５３】
〔普電入賞スイッチ監視処理〕
次に、普図ゲーム処理における普電入賞スイッチ監視処理（Ａ７６０２）の詳細について説明する。図６３は、普電入賞スイッチ監視処理の手順を示すフローチャートである。
【０６５４】
遊技制御装置１００は、まず、普図当り中か否か、すなわち、普図変動表示ゲームが当り状態となって普通変動入賞装置３７が所定回数の開放動作を実行中であるか否かを判定する（Ａ７８０１）。そして、普図当り中である場合には（Ａ７８０１の結果が「Ｙ」）、始動口２スイッチ３７ａに入力があるか否かを判定する（Ａ７８０２）。始動口２スイッチ３７ａに入力がある場合には（Ａ７８０２の結果が「Ｙ」）、普電カウンタのカウント数を＋１更新する（Ａ７８０３）。
【０６５５】
次に、遊技制御装置１００は、更新後の普電カウンタのカウント数が上限値（例えば、６）に達したか否かを判定する（Ａ７８０４）。そして、カウント数が上限値に達した場合には（Ａ７８０４の結果が「Ｙ」）、普図当り中制御ポインタ領域に当り動作終了の値（例えば、４）をセーブする（Ａ７８０５）。
【０６５６】
そして、遊技制御装置１００は、ロードしたポインタを普図当り中制御ポインタ領域にセーブする（Ａ７８０５）。最後に、普図ゲーム処理タイマをクリアし（Ａ７８０６）、普電入賞スイッチ監視処理を終了する。すなわち、普図の当り状態中に上限値以上の普電入賞があった場合には、その時点で普図当り中処理制御ポインタ領域に当り終了の値をセーブし、普通変動入賞装置３７が閉じられて普図の当り状態が途中で終了するようにする。
【０６５７】
一方、遊技制御装置１００は、普図当り中でないと判定された場合（Ａ７８０１の結果が「Ｎ」）、始動口２スイッチ３７ａに入力がないと判定された場合（Ａ７８０２の結果が「Ｎ」）、又は、カウント数が上限値に達していないと判定された場合には（Ａ７８０４の結果が「Ｎ」）、普電入賞スイッチ監視処理を終了する。
【０６５８】
〔普図普段処理〕
次に、普図ゲーム処理における普図普段処理（Ａ７６０８）の詳細について説明する。図６４は、普図普段処理の手順を示すフローチャートである。
【０６５９】
遊技制御装置１００は、まず、普図保留数が０であるか否かを判定する（Ａ７９０１）。普図保留数が０である場合には（Ａ７９０１の結果が「Ｙ」）、普図普段処理に移行するための処理番号として「０」を設定し（Ａ７９２１）、処理番号を普図ゲーム処理番号領域にセーブする（Ａ７９２２）。その後、普電不正監視期間フラグ領域に不正監視期間中フラグをセーブし（Ａ７９２３）、普図普段処理を終了する。
【０６６０】
また、遊技制御装置１００は、普図保留数が０でない場合には（Ａ７９０１の結果が「Ｎ」）、ＲＷＭの普図当り乱数格納領域（保留数１用）から当り乱数をロードし、ＲＷＭの普図当り図柄乱数格納領域(保留数１用)から当り図柄乱数をロードする（Ａ７９０２）。そして、普図当り乱数格納領域（保留数１用）と普図当り図柄乱数格納領域(保留数１用)を０クリアする（Ａ７９０３）。さらに、普図変動表示ゲームにて当り結果となる確率が通常よりも高い普図高確率中（高確率状態中）であるか否か、すなわち、時短状態（普電サポート状態）であるか否かを判定する（Ａ７９０４）。なお、高確率中の普図当り確率は２５０／２５１であり、低確率中での普図当り確率は０／２５１である。
【０６６１】
遊技制御装置１００は、普図高確率中でない場合（Ａ７９０４の結果が「Ｎ」）、普図低確率中の下限判定値である低確率下限判定値（ここでは２５１）を設定し（Ａ７９０５）、普図高確率中である場合（Ａ７９０４の結果が「Ｙ」）、普図高確率中の下限判定値である高確率下限判定値（ここでは１）を設定し（Ａ７９０６）、ステップＡ７９０７の処理に移行する。
【０６６２】
遊技制御装置１００は、当り乱数が上限判定値（ここでは２５１）以上であるか否か判定する（Ａ７９０７）。なお、ここでの上限判定値は、普図高確率中と普図低確率中とで共通する。当り乱数が上限判定値以上である場合（Ａ７９０７の結果が「Ｙ」）、即ち、はずれの場合、ステップＡ７９０９の処理に移行する。当り乱数が上限判定値未満である場合（Ａ７９０７の結果が「Ｎ」）、当り乱数が下限判定値未満であるか否かを判定する（Ａ７９０８）。
【０６６３】
遊技制御装置１００は、当り乱数が下限判定値未満である場合（Ａ７９０８の結果が「Ｙ」）、即ち、はずれの場合、当りフラグ領域にはずれ情報をセーブする（Ａ７９０９）。さらに、普図停止図柄番号としてはずれ停止図柄番号を設定し（Ａ７９１０）、はずれ図柄情報を普図停止図柄情報領域にセーブし（Ａ７９１１）、ステップＡ７９１５の処理に移行する。
【０６６４】
遊技制御装置１００は、当り乱数が下限判定値未満でない場合（Ａ７９０８の結果が「Ｎ」）、即ち、当りの場合、当りフラグ領域に当り情報をセーブし（Ａ７９１２）、ロードした当り図柄乱数に対応する当り停止図柄番号を設定し（Ａ７９１３）、当り停止図柄番号に対応する当り停止図柄情報を普図停止図柄情報領域にセーブし（Ａ７９１４）、ステップＡ７９１５の処理に移行する。なお、当り停止図柄は、数種類存在してよい。
【０６６５】
次に、遊技制御装置１００は、停止図柄番号を普図停止図柄領域にセーブし（Ａ７９１５）、停止図柄番号を試験信号出力データ領域にセーブし（Ａ７９１６）、普図当り乱数格納領域をシフトし（Ａ７９１７）、シフト後の空き領域を０クリアした後（Ａ７９１８）、普図保留数を−１更新する（Ａ７９１９）。
【０６６６】
すなわち、最も古い普図保留数１に関する普図変動表示ゲームが実行されることに伴い、普図保留数１以降に保留となっている普図保留数２〜４の順位を１つずつ繰り上げる。この処理により、普図当り乱数格納領域の普図保留数２用から普図保留数４用の値が、普図当り乱数格納領域の普図保留数１用から普図保留数３用に移動することとなる。そして、普図当り乱数格納領域の普図保留数４用の値がクリアされて、普図保留数が１デクリメントされる。
【０６６７】
次に、遊技制御装置１００は、普図変動中処理移行設定処理を実行し（Ａ７９２０）、普図普段処理を終了する。なお、普図変動中処理移行設定処理については後述する。
【０６６８】
〔普図変動中処理移行設定処理〕
図６５は、普図変動中処理移行設定処理の手順を示すフローチャートである。普図変動中処理移行設定処理は、図６４に示した普図普段処理におけるステップＡ７９２０にて実行される。
【０６６９】
遊技制御装置１００は、まず、普図変動中処理に移行するための処理番号として「１」を設定し（Ａ８１０１）、処理番号を普図ゲーム処理番号領域にセーブする（Ａ８１０２）。
【０６７０】
その後、遊技制御装置１００は、普図変動時間（例えば５００ｍｓｅｃ）を普図ゲーム処理タイマ領域にセーブする（Ａ８１０３）。ここでの普図変動時間は、普図高確率中と普図低確率中とで共通する。普図変動表示ゲームの開始に関する信号（普通図柄１変動中信号をオン）を試験信号出力データ領域にセーブし（Ａ８１０４）、普図変動表示ゲームが変動中であることを示す変動中フラグを普図変動制御フラグ領域にセーブする（Ａ８１０５）。そして、普図表示器の点滅周期のタイマの初期値である点滅制御タイマ初期値（例えば１００ｍｓｅｃ）を普図点滅制御タイマ領域にセーブし（Ａ８１０６）、普図変動中図柄番号領域に初期値（ここでは、ブランク図柄を示す「０」）をセーブし（Ａ８１０７）、その後、普図変動中処理移行設定処理を終了する。
【０６７１】
〔普図変動中処理〕
次に、普図ゲーム処理における普図変動中処理（Ａ７６０９）の詳細について説明する。図６６は、普図変動中処理の手順を示すフローチャートである。
【０６７２】
遊技制御装置１００は、まず、普図表示中処理に移行するための設定処理として処理番号を「２」に設定し（Ａ８３０１）、処理番号を普図ゲーム処理番号領域にセーブする（Ａ８３０２）。その後、遊技制御装置１００は、普図表示器における普図変動表示ゲームの結果の表示時間である普図表示時間（例えば、０．６秒）を普図ゲーム処理タイマ領域にセーブする（Ａ８３０３）。
【０６７３】
さらに、遊技制御装置１００は、普図の変動終了に関する信号（普通図柄１変動中信号をオフ）を試験信号出力データ領域にセーブする（Ａ８３０４）。そして、普図変動表示ゲームが停止中であることを示す停止フラグを普図変動制御フラグ領域にセーブし（Ａ８３０５）、普図変動中処理を終了する。
【０６７４】
〔普図表示中処理〕
次に、普図ゲーム処理における普図表示中処理（Ａ７６１０）の詳細について説明する。図６７は、普図表示中処理の手順を示すフローチャートである。
【０６７５】
遊技制御装置１００は、まず、普図普段処理にて設定された当りフラグ（当り情報又ははずれ情報）をロードし（Ａ８４０１）、ＲＷＭの当りフラグ領域をクリアする（Ａ８４０２）。そして、ロードされた当りフラグに当り情報が設定されているか否かを判定する（Ａ８４０３）。
【０６７６】
遊技制御装置１００は、当りフラグに当り情報が設定されていない場合には（Ａ８４０３の結果が「Ｎ」）、普図普段処理に移行するための処理番号として「０」を設定し（Ａ８４１４）、処理番号を普図ゲーム処理番号領域にセーブする（Ａ８４１５）。その後、普電不正監視期間フラグ領域に不正監視期間中フラグをセーブし（Ａ８４１６）、普図表示中処理を終了する。
【０６７７】
一方、遊技制御装置１００は、当りフラグに当り情報が設定されている場合には（Ａ８４０３の結果が「Ｙ」）、当り中処理設定テーブルを設定し（Ａ８４０４）、普図停止図柄情報に対応する当り開始ポインタ値（ここでは０、２、４のいずれか）を取得し、普図当り中制御ポインタ領域にセーブする（Ａ８４０５）。次いで、普図停止図柄情報に対応する普電開放時間（例えば５００ｍｓｅｃ又は１７００ｍｓｅｃ）を取得し、普図ゲーム処理タイマ領域にセーブする（Ａ８４０６）。以上の処理により時短状態中での普通変動入賞装置３７の開放態様が設定され、例えば３回の開放が可能となる。
【０６７８】
続いて、遊技制御装置１００は、普図当り中処理に移行するための処理番号として「３」を設定し（Ａ８４０７）、処理番号を普図ゲーム処理番号領域にセーブする（Ａ８４０８）。その後、普図変動表示ゲームの当りに関する信号（普通図柄１当り中信号をオン）と、普電作動開始に関する信号（普通電動役物１作動中信号をオン）を試験信号出力データ領域にセーブする（Ａ８４０９）。さらに、普電ソレノイドを駆動（オン）する信号を出力するために普電ソレノイド出力データ領域にオンデータをセーブする（Ａ８４１０）。
【０６７９】
さらに、遊技制御装置１００は、普通変動入賞装置３７への入賞数を記憶する普電カウント数領域の情報をクリアし（Ａ８４１１）、普電不正監視期間における普通変動入賞装置３７への入賞数を記憶する普電不正入賞数領域の情報をクリアする（Ａ８４１２）。最後に、普通変動入賞装置３７の不正監視期間外を規定するフラグを普電不正監視期間フラグ領域にセーブし（Ａ８４１３）、普図表示中処理を終了する。
【０６８０】
〔普図当り中処理〕
次に、普図ゲーム処理における普図当り中処理（Ａ７６１１）の詳細について説明する。図６８は、普図当り中処理の手順を示すフローチャートである。
【０６８１】
遊技制御装置１００は、まず、普図当り中制御ポインタをロードして準備し（Ａ８６０１）、ロードされた普図当り中制御ポインタの値が普図当り中制御ポインタ上限値領域の値（当り終了の値）に達したか否かを判定する（Ａ８６０２）。
【０６８２】
そして、遊技制御装置１００は、普図当り中制御ポインタの値が普図当り中制御ポインタ上限値領域の値に達していない場合には（Ａ８６０２の結果が「Ｎ」）、普図当り中制御ポインタを＋１更新する（Ａ８６０３）。さらに、普電作動移行設定処理を実行し（Ａ８６０４）、普図当り中処理を終了する。なお、普電作動移行設定処理の詳細については後述する。
【０６８３】
また、遊技制御装置１００は、普図当り中制御ポインタの値が普図当り中制御ポインタ上限値領域の値（当り終了の値）に達した場合には（Ａ８６０２の結果が「Ｙ」）、ステップＡ８６０３における普図当り中処理制御ポインタ領域を更新（＋１）する処理を実行せずに、普電作動移行設定処理を実行し（Ａ８６０４）、普図当り中処理を終了する。
【０６８４】
〔普電作動移行設定処理〕
次に、普図当り中処理における普電作動移行設定処理（Ａ８６０４）の詳細について説明する。図６９は、普電作動移行設定処理の手順を示すフローチャートである。普電作動移行設定処理は、普通変動入賞装置３７を開閉するための普電ソレノイド３７ｃの駆動制御を行う処理であり、制御ポインタの値に応じて処理を分岐するようにしている。
【０６８５】
遊技制御装置１００は、まず、制御ポインタの値に応じて処理を分岐させる（Ａ８７０１）。制御ポインタの値が０，２のいずれかであった場合には、ステップＡ８７０２の処理に移行して普通変動入賞装置３７の閉塞を制御するため、制御ポインタに対応する普通変動入賞装置３７の閉塞後のウェイト時間（例えば、２００ｍｓｅｃ）を普図ゲーム処理タイマ領域にセーブする（Ａ８７０２）。
【０６８６】
さらに、遊技制御装置１００は、普電ソレノイド３７ｃをオフさせるために普電ソレノイド出力データ領域にオフデータを設定し（Ａ８７０３）、普電作動移行設定処理を終了する。
【０６８７】
また、制御ポインタの値が１，３のいずれかであった場合には、遊技制御装置１００は、ステップＡ８７０４の処理に移行して普通変動入賞装置３７の開放を制御するため、制御ポインタに対応する普通変動入賞装置３７の開放時間である普電開放時間（例えば、１７００ｍｓｅｃ）を普図ゲーム処理タイマ領域にセーブする（Ａ８７０４）。さらに、普電ソレノイド３７ｃをオンさせるために普電ソレノイド出力データ領域にオンデータを設定し（Ａ８７０５）、普電作動移行設定処理を終了する。
【０６８８】
さらに、制御ポインタの値が４のいずれかであった場合には、遊技制御装置１００は、ステップＡ８７０６に移行して普通変動入賞装置３７の開放制御を終了して普電残存球処理（Ａ７６１２）を実行するために、処理番号として「４」を設定し（Ａ８７０６）、処理番号を普図ゲーム処理番号領域にセーブする（Ａ８７０７）。
【０６８９】
続いて、遊技制御装置１００は、普電残存球処理時間（例えば６００ｍｓｅｃ）を普図ゲーム処理タイマ領域にセーブする（Ａ８７０８）。その後、普電ソレノイド３７ｃをオフに設定するために普電ソレノイド出力データ領域にオフデータをセーブし（Ａ８７０９）、普電作動移行設定処理を終了する。
【０６９０】
〔普電残存球処理〕
次に、普図ゲーム処理における普電残存球処理（Ａ７６１２）の詳細について説明する。図７０は、普電残存球処理の手順を示すフローチャートである。
【０６９１】
遊技制御装置１００は、まず、普図当り終了処理に係る処理番号「５」を設定し（Ａ８９０１）、処理番号を普図ゲーム処理番号領域にセーブする（Ａ８９０２）。その後、普図エンディング時間（例えば、１００ｍｓｅｃ）を普図ゲーム処理タイマ領域にセーブする（Ａ８９０３）。
【０６９２】
さらに、遊技制御装置１００は、普通変動入賞装置３７の作動終了に関する信号（普通電動役物１作動中信号をオフ）を試験信号出力データ領域にセーブする（Ａ８９０４）。続いて、普通変動入賞装置３７への入賞数を計数する普電カウント数領域をクリアし（Ａ８９０５）、さらに、普図当り中制御ポインタ領域をクリアする（Ａ８９０６）。その後、普電残存球処理を終了する。
【０６９３】
〔普図当り終了処理〕
次に、普図ゲーム処理における普図当り終了処理（Ａ７６１３）の詳細について説明する。図７１は、普図当り終了処理の手順を示すフローチャートである。
【０６９４】
遊技制御装置１００は、まず、普図普段処理に係る処理番号「０」を設定し（Ａ９１０１）、さらに、処理番号を普図ゲーム処理番号領域にセーブする（Ａ９１０２）。その後、普図変動ゲームの当り終了に関する信号（普通図柄１当り中信号をオフ）を試験信号出力データ領域にセーブする（Ａ９１０３）。
【０６９５】
さらに、遊技制御装置１００は、普通変動入賞装置３７の不正監視期間を規定するフラグ（不正監視期間中フラグ）を普電不正監視期間フラグ領域にセーブし（Ａ９１０４）、その後、普図当り終了処理を終了する。
【０６９６】
〔セグメントＬＥＤ編集処理〕
次に、タイマ割込み処理におけるセグメントＬＥＤ編集処理（Ａ１３１１）の詳細について説明する。図７２は、セグメントＬＥＤ編集処理の手順を示すフローチャートである。セグメントＬＥＤ編集処理では、一括表示装置５０に設けられた特図１保留表示器５４、特図２保留表示器５５、普図保留表示器５６、第１遊技状態表示部５７、第２遊技状態表示部５８、第３遊技状態表示部５９、ラウンド表示部６０を構成するセグメントＬＥＤの駆動に関する設定等を行う。
【０６９７】
遊技制御装置１００は、まず、点滅制御タイマを＋１更新し（Ａ９２０１）、出力オンタイミングであるか否かを判定する（Ａ９２０２）。点滅制御タイマの特定ビットが１である場合に、出力オンタイミングであると判定する。本実施形態では、特定ビットはビット５であるため、１２８ｍｓの点滅周期を作ることができる（図２Ｂ参照）。
【０６９８】
遊技制御装置１００は、出力オンタイミングである場合（Ａ９２０２の結果が「Ｙ」）、普図保留数表示テーブル１を設定し（Ａ９２０３）、出力オンタイミングでない場合（Ａ９２０２の結果が「Ｎ」）、普図保留数表示テーブル２を設定し（Ａ９２０４）、普図保留数に対応する表示データを取得して普図保留表示器５６（ランプＤ１５、Ｄ１６）のセグメント領域にセーブする（Ａ９２０５）。保留数が０〜２なら、普図保留数表示テーブル１、２のどちらのテーブルでも表示データは同じになるため、普図保留表示器５６は点滅しないが、保留数が３〜４なら、普図保留数表示テーブル１の表示データと普図保留数表示テーブル２の表示データは異なるため、普図保留表示器５６は点滅する（図２Ｂ参照）。
【０６９９】
次に、遊技制御装置１００は、出力オンタイミングであるか否かを判定する（Ａ９２０６）。出力オンタイミングである場合（Ａ９２０６の結果が「Ｙ」）、特図１保留数表示テーブル１を設定し（Ａ９２０７）、出力オンタイミングでない場合（Ａ９２０６の結果が「Ｎ」）、特図１保留数表示テーブル２を設定し（Ａ９２０８）、特図１保留数に対応する表示データを取得して特図１保留表示器５４（ランプＤ１１、Ｄ１２）のセグメント領域にセーブする（Ａ９２０９）。
【０７００】
次に、遊技制御装置１００は、出力オンタイミングであるか否かを判定する（Ａ９２１０）。出力オンタイミングである場合（Ａ９２１０の結果が「Ｙ」）、特図２保留数表示テーブル１を設定し（Ａ９２１１）、出力オンタイミングでない場合（Ａ９２１０の結果が「Ｎ」）、特図２保留数表示テーブル２を設定し（Ａ９２１２）、特図２保留数に対応する表示データを取得して特図２保留表示器５５（ランプＤ１３、Ｄ１４）のセグメント領域にセーブする（Ａ９２１３）。
【０７０１】
その後、遊技制御装置１００は、ラウンド表示部６０（ランプＤ３−Ｄ７）での表示態様が規定されたラウンド表示ＬＥＤ表示テーブルを設定し（Ａ９２１４）、ラウンド表示ＬＥＤ出力ポインタに対応する表示データを取得してラウンド表示部６０のセグメント領域にセーブする（Ａ９２１５）。
【０７０２】
次に、遊技制御装置１００は、第２遊技状態表示部５８（ランプＤ９）や第３遊技状態表示部５９（ランプＤ１７）等での表示態様が規定された遊技状態表示テーブル１を設定する（Ａ９２１６）。さらに、遊技状態表示番号に対応する表示データを取得して各遊技状態表示部のセグメント領域にセーブする（Ａ９２１７）。
【０７０３】
次いで、遊技制御装置１００は、第１遊技状態表示部５７（ランプＤ８）での表示態様が規定された遊技状態表示テーブル２を設定する（Ａ９２１８）。さらに、遊技状態表示番号２に対応する表示データを取得して第１遊技状態表示部５７のセグメント領域にセーブする（Ａ９２１９）。その後、セグメントＬＥＤ編集処理を終了する。
【０７０４】
〔磁石不正監視処理〕
次に、タイマ割込み処理における磁石不正監視処理（Ａ１３１２）において行われる磁石不正監視処理の詳細について説明する。図７３は、磁石不正監視処理の手順を示すフローチャートである。磁石不正監視処理では、磁気センサスイッチ６１からの検出信号に基づき異常の有無を判定し、不正報知の開始や終了の設定等を行う。
【０７０５】
遊技制御装置１００は、まず、磁気センサスイッチ６１から出力されて第２入力ポート１２３（入力ポート２）に取り込まれる検出信号の状態から、磁石センサ（磁気センサスイッチ６１）がオン、すなわち、異常な磁気を検出した状態であるか否かを判定する（Ａ９３０１）。
【０７０６】
遊技制御装置１００は、磁石センサがオンである場合（Ａ９３０１の結果が「Ｙ」）、すなわち、異常な磁気を検出した場合には、異常な磁気の検出期間を計時する磁石不正監視タイマを＋１更新し（Ａ９３０２）、当該タイマがタイムアップしたか否かを判定する（Ａ９３０３）。
【０７０７】
遊技制御装置１００は、磁石不正監視タイマがタイムアップした場合（Ａ９３０３の結果が「Ｙ」）、すなわち、異常な磁気を一定期間継続して検出した場合には、磁石不正監視タイマをクリアし（Ａ９３０４）、磁石不正報知タイマ初期値（例えば６０秒）を磁石不正報知タイマ領域にセーブする（Ａ９３０５）。
【０７０８】
そして、遊技制御装置１００は、磁石不正報知のコマンドを演出コマンドとして準備し（Ａ９３０６）、磁石不正が発生したことを示す磁石不正発生フラグを磁石不正フラグとして準備する（Ａ９３０７）。さらに、準備した磁石不正フラグが磁石不正フラグ領域の値と一致するか否かを判定する（Ａ９３１３）。すなわち、磁気センサスイッチ６１が磁石不正監視タイマで設定した一定期間（例えば８回の割込み）連続してオンであった場合に、異常が発生していると判定するようにしている。
【０７０９】
一方、遊技制御装置１００は、磁石センサ（磁気センサスイッチ６１）がオンでない場合（Ａ９３０１の結果が「Ｎ」）、すなわち、異常な磁気を検出していない場合には、磁石不正監視タイマをクリアする（Ａ９３０８）。そして、磁石不正の報知時間を規定する磁石不正報知タイマが０でなければ−１更新する（Ａ９３０９）。なお、磁石不正報知タイマの最小値は０に設定されている。
【０７１０】
そして、遊技制御装置１００は、磁石不正報知タイマの値が０であるか否かを判定する（Ａ９３１０）。なお、磁石不正監視タイマがタイムアップしていない場合についても（Ａ９３０３の結果が「Ｎ」）、ステップＡ９３０９の処理に移行する。
【０７１１】
遊技制御装置１００は、磁石不正報知タイマの値が０でない場合（Ａ９３１０の結果が「Ｎ」）、すなわち、タイムアップしていない場合には、磁石不正監視処理を終了する。
【０７１２】
また、遊技制御装置１００は、磁石不正報知タイマの値が０である場合（Ａ９３１０の結果が「Ｙ」）、すなわち、タイムアップした又はすでにタイムアップしていた場合であって、不正報知の期間が終了した場合又は当初から不正報知が行われていない場合には、磁石不正報知終了のコマンドを演出コマンドとして準備する（Ａ９３１１）。
【０７１３】
さらに、遊技制御装置１００は、磁石不正フラグとして磁石不正解除フラグを準備し（Ａ９３１２）、準備した磁石不正フラグが磁石不正フラグ領域の値と一致するか否かを判定する（Ａ９３１３）。
【０７１４】
そして、遊技制御装置１００は、準備した磁石不正フラグが磁石不正フラグ領域の値と一致する場合には（Ａ９３１３の結果が「Ｙ」）、磁石不正監視処理を終了する。一方、準備した磁石不正フラグが磁石不正フラグ領域の値と一致しない場合には（Ａ９３１３の結果が「Ｎ」）、準備した磁石不正フラグを磁石不正フラグ領域にセーブし（Ａ９３１４）、演出コマンド設定処理を実行する（Ａ９３１５）。その後、磁石不正監視処理を終了する。
【０７１５】
〔盤電波不正監視処理〕
次に、タイマ割込み処理における盤電波不正監視処理（Ａ１３１３）の詳細について説明する。図７４は、盤電波不正監視処理の手順を示すフローチャートである。盤電波不正監視処理では、遊技盤の電波センサ６２（盤電波センサ）からの検出信号に基づき異常の有無を判定し不正報知の開始や終了の設定等を行う。
【０７１６】
遊技制御装置１００は、まず、電波センサ６２から出力されて近接Ｉ／Ｆ１２１を経由して第２入力ポート１２３（入力ポート２）に取り込まれる検出信号の状態から、電波センサ６２がオン、すなわち、異常な電波を検出した状態であるか否かを判定する（Ａ９４０１）。電波センサがオンである場合（Ａ９４０１の結果が「Ｙ」）、すなわち、異常な電波を検出した場合には、電波不正報知タイマ初期値（例えば６０秒）を電波不正報知タイマ領域にセーブする（Ａ９４０２）。
【０７１７】
そして、遊技制御装置１００は、盤電波不正報知のコマンドを演出コマンドとして準備し（Ａ９４０３）、盤電波不正が発生したことを示す盤電波不正発生フラグを盤電波不正フラグとして準備する（Ａ９４０４）。さらに、準備した盤電波不正フラグが盤電波不正フラグ領域の値と一致するか否かを判定する（Ａ９４０９）。すなわち、電波不正の場合は磁気不正の場合とは異なり、異常な電波を検出した時点で異常が発生していると判定している。
【０７１８】
一方、遊技制御装置１００は、電波センサがオンでない場合（Ａ９４０１の結果が「Ｎ」）、すなわち、異常な電波を検出していない場合には、電波不正の報知時間を規定する電波不正報知タイマが０でなければ−１更新する（Ａ９４０５）。なお、電波不正報知タイマの最小値は０に設定されている。
【０７１９】
そして、遊技制御装置１００は、電波不正報知タイマの値が０であるか否かを判定する（Ａ９４０６）。電波不正報知タイマの値が０でない場合（Ａ９４０６の結果が「Ｎ」）、すなわち、タイムアップしていない場合には、盤電波不正監視処理を終了する。
【０７２０】
また、遊技制御装置１００は、電波不正報知タイマの値が０である場合（Ａ９４０６の結果が「Ｙ」）、すなわち、タイムアップした又はすでにタイムアップしていた場合であって、不正報知の期間が終了した場合又は当初から不正報知が行われていない場合には、電波不正報知終了のコマンドを演出コマンドとして準備する（Ａ９４０７）。さらに、盤電波不正フラグとして盤電波不正解除フラグを準備し（Ａ９４０８）、準備した盤電波不正フラグが盤電波不正フラグ領域の値と一致するか否かを判定する（Ａ９４０９）。
【０７２１】
そして、遊技制御装置１００は、準備した盤電波不正フラグが盤電波不正フラグ領域の値と一致する場合には（Ａ９４０９の結果が「Ｙ」）、盤電波不正監視処理を終了する。また、値が一致しない場合には（Ａ９４０９の結果が「Ｎ」）、準備した盤電波不正フラグを盤電波不正フラグ領域にセーブし（Ａ９４１０）、演出コマンド設定処理を実行する（Ａ９４１１）。その後、盤電波不正監視処理を終了する。
【０７２２】
〔外部情報編集処理〕
次に、タイマ割込み処理における外部情報編集処理（Ａ１３１４）の詳細について説明する。図７５は、外部情報編集処理の手順を示すフローチャートである。図７５Ａは外部情報編集処理の前半部分を示し、図７５Ｂは外部情報編集処理の後半部分を示す。外部情報編集処理では、払出コマンド送信処理（Ａ１３０５）、入賞口スイッチ／状態監視処理（Ａ１３０８）、磁石不正監視処理（Ａ１３１２）、盤電波不正監視処理（Ａ１３１３）での監視結果に基づいて、情報収集端末や遊技場内部管理装置等の外部装置や試射試験装置に出力する情報を作成して出力バッファにセットする処理等を行う。
【０７２３】
遊技制御装置１００は、まず、ガラス枠開放エラーが発生中であるか否かを判定する（Ａ９５０１）。ガラス枠開放エラーが発生中でない場合（Ａ９５０１の結果が「Ｎ」）、本体枠開放エラー（前面枠開放エラー）が発生中であるか否かを判定する（Ａ９５０２）。本体枠開放エラーが発生中でない場合（Ａ９５０２の結果が「Ｎ」）、扉・枠開放信号のオフデータを外部情報出力データ領域にセーブし（Ａ９５０３）、セキュリティ信号のオフデータを外部情報出力データ領域にセーブする（Ａ９５０４）。
【０７２４】
遊技制御装置１００は、ガラス枠開放エラーが発生中である場合（Ａ９５０１の結果が「Ｙ」）、又は、本体枠開放エラーが発生中である場合（Ａ９５０２の結果が「Ｙ」）、扉・枠開放信号のオンデータを外部情報出力データ領域にセーブし（Ａ９５０５）、遊技機エラー状態信号のオンデータを試験信号出力データ領域にセーブする（Ａ９５０６）。
【０７２５】
遊技制御装置１００は、ステップＡ９５０４、Ａ９５０６の後、セキュリティ信号制御タイマが０でなければ−１更新し（Ａ９５０７）、セキュリティ信号制御タイマが０であるか否か（タイムアップしたか否か）を判定する（Ａ９５０８）。セキュリティ信号制御タイマの初期値は、初期化スイッチの操作等によりＲＡＭに記憶されたデータが初期化されたときに、所定時間（例えば２５６ｍｓｅｃ）が設定される（メイン処理のＡ１０２９）。そして、セキュリティ信号制御タイマはＲＡＭ初期化時から計時されることになる。
【０７２６】
遊技制御装置１００は、セキュリティ信号制御タイマが０でない場合（Ａ９５０８の結果が「Ｎ」）、セキュリティ信号のオンデータを外部情報出力データ領域にセーブし（Ａ９５０９）、ステップＡ９５１０の処理に移行する。即ち、ＲＡＭに記憶されたデータの初期化が行われたことが外部情報として出力される。
【０７２７】
遊技制御装置１００は、セキュリティ信号制御タイマが０である場合（Ａ９５０８の結果が「Ｙ」）、磁石不正が発生中であるか否かを判定する（Ａ９５１０）。なお、磁石不正フラグ領域に磁石不正発生フラグがセーブされている場合に、磁石不正が発生中であると判定できる。磁石不正が発生中でない場合（Ａ９５１０の結果が「Ｎ」）、さらに、盤電波不正が発生中であるか否かを判定する（Ａ９５１１）。なお、盤電波不正フラグ領域に盤電波不正発生フラグがセーブされている場合に、盤電波不正が発生中であると判定できる。
【０７２８】
遊技制御装置１００は、盤電波不正が発生中でない場合（Ａ９５１１の結果が「Ｎ」）、さらに、枠電波不正が発生中であるか否かを判定する（Ａ９５１２）。枠電波不正が発生中でない場合（Ａ９５１２の結果が「Ｎ」）、さらに、普電不正発生中であるか否かを判定する（Ａ９５１３）。普電不正発生中でない場合（Ａ９５１３の結果が「Ｎ」）、さらに、大入賞口不正が発生中であるか否か判定する（Ａ９５１４）。なお、大入賞口に関しての不正入賞発生フラグが不正フラグ領域にセーブされている場合、大入賞口不正が発生中であると判定できる。大入賞口不正が発生中でない場合（Ａ９５１４の結果が「Ｎ」）、遊技機エラー状態信号のオフデータを試験信号出力データ領域にセーブする（Ａ９５１５）。
【０７２９】
一方、遊技制御装置１００は、磁石不正が発生中である場合（Ａ９５１０の結果が「Ｙ」）、盤電波不正が発生中である場合（Ａ９５１１の結果が「Ｙ」）、枠電波不正が発生中である場合（Ａ９５１２の結果が「Ｙ」）、普電不正発生中である場合（Ａ９５１３の結果が「Ｙ」）、又は、大入賞口不正が発生中である場合（Ａ９５１４の結果が「Ｙ」）、セキュリティ信号のオンデータを外部情報出力データ領域にセーブし（Ａ９５１６）、遊技機エラー状態信号のオンデータを試験信号出力データ領域にセーブする（Ａ９５１７）。セキュリティ信号のオンデータの設定によって、セキュリティ信号が外部情報として外部装置（ホールコンピュータなど）に出力される。
【０７３０】
遊技制御装置１００は、ステップＡ９５１５、Ａ９５１７の後、払出予定の賞球数に関する情報を設定するメイン賞球信号編集処理を実行する（Ａ９５１８）。メイン賞球信号編集処理の詳細については後述する。続いて、遊技制御装置１００は、始動口の入賞信号を編集する始動口信号編集処理を実行する（Ａ９５１９）。始動口信号編集処理の詳細については後述する。
【０７３１】
次に、遊技制御装置１００は、特図変動表示ゲームの実行回数に係る情報の出力時間を制御するための図柄確定回数制御タイマが０でなければ−１更新する（Ａ９５２０）。なお、図柄確定回数制御タイマの最小値は０に設定されている。
【０７３２】
そして、遊技制御装置１００は、図柄確定回数制御タイマの値が０であるか否かを判定する（Ａ９５２１）。図柄確定回数制御タイマの値が０である場合（Ａ９５２１の結果が「Ｙ」）、すなわち、タイムアップした又はすでにタイムアップしていた場合には、図柄確定回数信号のオフデータを外部情報出力データ領域にセーブし（Ａ９５２２）、外部情報編集処理を終了する。
【０７３３】
また、遊技制御装置１００は、図柄確定回数制御タイマの値が０でない場合（Ａ９５２１の結果が「Ｎ」）、すなわち、タイムアップしていない場合には、図柄確定回数信号のオンデータを外部情報出力データ領域にセーブし（Ａ９５２３）、外部情報編集処理を終了する。
【０７３４】
〔メイン賞球信号編集処理〕
次に、外部情報編集処理におけるメイン賞球信号編集処理（Ａ９５１８）の詳細について説明する。図７６は、メイン賞球信号編集処理の手順を示すフローチャートである。メイン賞球信号編集処理は、入賞口への入賞により発生した賞球数（払出予定数）が所定数（ここでは１０個）になる毎に生成されるメイン賞球信号を外部装置に出力する処理である。
【０７３５】
遊技制御装置１００は、まず、メイン賞球信号出力制御タイマが０でなければ−１更新する（Ａ９６０１）。なお、メイン賞球信号出力制御タイマの最小値は０に設定されている。そして、遊技制御装置１００は、メイン賞球信号出力制御タイマの値が０であるか否かを判定する（Ａ９６０２）。
【０７３６】
遊技制御装置１００は、メイン賞球信号出力制御タイマの値が０である場合には（Ａ９６０２の結果が「Ｙ」）、さらに、メイン賞球信号出力回数が０であるか否かを判定する（Ａ９６０３）。
【０７３７】
そして、遊技制御装置１００は、メイン賞球信号出力回数が０でない場合には（Ａ９６０３の結果が「Ｎ」）、メイン賞球信号出力回数を−１更新し（Ａ９６０４）、メイン賞球信号出力制御タイマ領域にメイン賞球信号出力制御タイマ初期値（例えば、１２８ｍｓｅｃ）をセーブする（Ａ９６０５）。
【０７３８】
その後、遊技制御装置１００は、メイン賞球信号をオン状態にするオンデータをＲＷＭの外部情報出力データ領域にセーブし（Ａ９６０７）、メイン賞球信号編集処理を終了する。また、メイン賞球信号出力回数が０である場合には（Ａ９６０３の結果が「Ｙ」）、外部装置用のメイン賞球信号をオフ状態にするオフデータをＲＷＭの外部情報出力データ領域にセーブし（Ａ９６０８）、メイン賞球信号編集処理を終了する。
【０７３９】
一方、遊技制御装置１００は、メイン賞球信号出力制御タイマの値が０でない場合には（Ａ９６０２の結果が「Ｎ」）、メイン賞球信号出力制御タイマが出力オン区間中であるか否かを判定する（Ａ９６０６）。なお、メイン賞球信号出力制御タイマが出力オン区間中であるとは、メイン賞球信号出力制御タイマの値が所定時間（例えば６４ｍｓｅｃ）以上であることである。
【０７４０】
遊技制御装置１００は、メイン賞球信号出力制御タイマが出力オン区間中である場合には（Ａ９６０６の結果が「Ｙ」）、メイン賞球信号をオン状態にするオンデータをＲＷＭの外部情報出力データ領域にセーブする（Ａ９６０７）。また、メイン賞球信号出力制御タイマが出力オン区間中でない場合には（Ａ９６０６の結果が「Ｎ」）、外部装置用のメイン賞球信号をオフ状態にするオフデータをＲＷＭの外部情報出力データ領域にセーブして（Ａ９６０８）、メイン賞球信号編集処理を終了する。
【０７４１】
〔始動口信号編集処理〕
次に、外部情報編集処理における始動口信号編集処理（Ａ９５１９）の詳細について説明する。図７７は、始動口信号編集処理の手順を示すフローチャートである。始動口信号編集処理は、始動口１スイッチ３６ａや始動口２スイッチ３７ａの入力があった場合に、各々の入力について共通して行われる処理である。
【０７４２】
遊技制御装置１００は、まず、始動口信号出力制御タイマが０でなければ−１更新する（Ａ９７０１）。なお、始動口信号出力制御タイマの最小値は０に設定されている。そして、遊技制御装置１００は、始動口信号出力制御タイマの値が０であるか否かを判定する（Ａ９７０２）。
【０７４３】
遊技制御装置１００は、始動口信号出力制御タイマの値が０である場合には（Ａ９７０２の結果が「Ｙ」）、始動口信号出力回数が０であるか否かを判定する（Ａ９７０３）。そして、始動口信号出力回数が０でない場合には（Ａ９７０３の結果が「Ｎ」）、始動口信号出力回数を−１更新し（Ａ９７０４）、始動口信号出力制御タイマ領域に始動口信号出力制御タイマ初期値（例えば、１２８ｍｓｅｃ）をセーブする（Ａ９７０５）。
【０７４４】
その後、遊技制御装置１００は、始動口信号をオン状態にするオンデータをＲＷＭの外部情報出力データ領域にセーブし（Ａ９７０７）、始動口信号編集処理を終了する。
【０７４５】
また、遊技制御装置１００は、始動口信号出力回数が０である場合には（Ａ９７０３の結果が「Ｙ」）、外部装置用の始動口信号をオフ状態にするオフデータをＲＷＭの外部情報出力データ領域にセーブし（Ａ９７０８）、始動口信号編集処理を終了する。
【０７４６】
一方、遊技制御装置１００は、始動口信号出力制御タイマの値が０でない場合には（Ａ９７０２の結果が「Ｎ」）、始動口信号出力制御タイマが出力オン区間中であるか否かを判定する（Ａ９７０６）。なお、始動口信号出力制御タイマが出力オン区間中であることとは、始動口信号出力制御タイマの値が所定時間（例えば６４ｍｓ）以上であることである。
【０７４７】
遊技制御装置１００は、始動口信号出力制御タイマが出力オン区間中である場合には（Ａ９７０６の結果が「Ｙ」）、始動口信号をオン状態にするオンデータをＲＷＭの外部情報出力データ領域にセーブし（Ａ９７０７）、始動口信号編集処理を終了する。
【０７４８】
また、遊技制御装置１００は、始動口信号出力制御タイマが出力オン区間中でない場合には（Ａ９７０６の結果が「Ｎ」）、外部装置用の始動口信号をオフ状態にするオフデータをＲＷＭの外部情報出力データ領域にセーブし（Ａ９７０８）、始動口信号編集処理を終了する。
【０７４９】
［演出制御装置の制御］
以下に、演出制御装置３００が演出制御用プログラムによって実行する制御（処理）を説明する。
【０７５０】
〔メイン処理（演出制御装置）〕
最初に、演出制御装置３００によって実行されるメイン処理の詳細を説明する。図７８は、演出制御装置３００によって実行されるメイン処理（メインプログラム）の手順を示すフローチャートである。メイン処理は、遊技機１０に電源が投入されると主制御用マイコン３１１（演出用マイコン）によって実行される。なお、演出制御装置３００が実行する処理のフローチャートにおいて、ステップの符号（番号）は「Ｂ＊＊＊＊」と表されている。
【０７５１】
演出制御装置３００は、メイン処理の実行が開始されると、まず、割込みを禁止する（Ｂ１００１）。次にＣＰＵ３１１及びＶＤＰ３１２の初期設定を実行し（Ｂ１００２、Ｂ１００３）、割込みを許可する（Ｂ１００４）。割込みが許可されると、遊技制御装置１００から送信されたコマンドを受信するコマンド受信割込み処理を実行可能な状態となる。
【０７５２】
次に、演出制御装置３００は、表示装置４１等に表示する表示用データの生成を許可し（Ｂ１００５）、乱数生成に用いる乱数シードを設定する（Ｂ１００６）。そして、初期化すべき領域に電源投入時の初期値をセーブする（Ｂ１００７）。
【０７５３】
続いて、演出制御装置３００は、ＷＤＴ（ウォッチドックタイマ）をクリアする（Ｂ１００８）。ＷＤＴは、上述したＣＰＵ初期設定（Ｂ１００２）で起動され、ＣＰＵ３１１が正常に動作しているかどうかを監視する。ＷＤＴが一定周期を経過してもクリアされない場合は、ＷＤＴがタイムアップしてＣＰＵ３１１がリセットされる。
【０７５４】
次に、演出制御装置３００は、遊技者による演出ボタン２５の操作信号（演出ボタンスイッチ２５ａ又はタッチパネル２５ｂの信号）を検出したり、検出した信号に応じて演出内容（設定）を変更したりする演出ボタン入力処理を実行する（Ｂ１００９）。続いて、遊技者や遊技店（ホール）関係者等によるＬＥＤや液晶の輝度、音量の変更などの操作（演出ボタン２５などの操作手段の操作）を受け付けるホール・遊技者設定モード処理を実行する（Ｂ１０１０）。また、ホール・遊技者設定モードにおいて、遊技者は表示装置４１での表示や演出をカスタマイズすることができる。
【０７５５】
次に、演出制御装置３００は、演出ポイントの加算やクリアを実行する演出ポイント制御処理を実行する（Ｂ１０１１）。演出ポイントの加算対象となる演出や操作が実行されることで演出ポイントが加算される処理がされ、また、演出ポイントを次回の遊技に繰り越せるよう遊技終了時などに、例えば、演出ポイントの情報等を含む情報をＱＲコード（登録商標）として表示装置４１に表示できる。例えば、演出制御装置３００は、ホール・遊技者設定モード処理において、ＱＲコード（登録商標）を表示装置４１に表示できる。
【０７５６】
次に、演出制御装置３００は、演出乱数などの乱数を更新するための乱数更新処理を実行し（Ｂ１０１２）、遊技制御装置１００から受信した受信コマンドを解析して対応する受信コマンドチェック処理を実行する（Ｂ１０１３）。なお、受信コマンドチェック処理の詳細については、図７９にて後述する。
【０７５７】
次に、演出制御装置３００は、表示装置４１等に表示する内容（演出）に合わせて各種データの更新を行ったり、表示装置４１に表示する描画を表示フレームバッファに設定したりする演出表示編集処理を実行する（Ｂ１０１４）。このとき設定される描画データは、フレーム周期１／３０秒（約３３．３ｍｓｅｃ）以内にＶＤＰ３１２が描画を完了することができるものであれば問題なく表示装置４１の画像を更新することができる。そして、表示フレームバッファへの描画準備を完了させて描画コマンド準備終了設定を実行する（Ｂ１０１５）。
【０７５８】
続いて、演出制御装置３００は、フレーム切替タイミングであるか否かを判定する（Ｂ１０１５）。フレーム切替タイミングでない場合は（Ｂ１０１６の結果が「Ｎ」）、フレーム切替タイミングになるまでＢ１０１６の処理を繰り返し、フレーム切替タイミングである場合は（Ｂ１０１６の結果が「Ｙ」）、表示装置４１への画面描画を指示する（Ｂ１０１７）。本実施形態のフレーム周期は１／３０秒なので、例えば１／６０秒（フレーム周期の１／２）毎の周期的なＶブランク（画像更新）が２回実行されるとフレームの切り替えが行われる。なお、１／６０秒で画像を更新せず、さらに間隔を大きくしてもよい。
【０７５９】
また、演出制御装置３００は、スピーカ１９から出力される音を制御するサウンド制御処理を実行する（Ｂ１０１８）。
【０７６０】
また、演出制御装置３００は、ＬＥＤ等からなる装飾装置（盤装飾装置４６、枠装飾装置１８）を制御する装飾制御処理を実行する（Ｂ１０１９）。装飾制御処理では、例えば、ＬＥＤ等の装飾装置の発光制御を実行する。
【０７６１】
さらに、演出制御装置３００は、モータ及びソレノイドで駆動される電動役物などの演出装置（盤演出装置４４）を制御する可動体制御処理を実行する（Ｂ１０２０）。可動体制御処理では、例えば、ソレノイドを駆動して役物動作演出を実行する。
【０７６２】
そして、演出制御装置３００は、前述のＢ１０２０の処理を終えると、Ｂ１００８の処理に戻る。以降、Ｂ１００８からＢ１０２０までの処理を繰り返す。
【０７６３】
〔受信コマンドチェック処理〕
次に、図７９を参照して、上述したメイン処理（図７８）における受信コマンドチェック処理（Ｂ１０１３）の詳細について説明する。図７９は、演出制御装置３００によって実行される受信コマンドチェック処理の手順を示すフローチャートである。
【０７６４】
演出制御装置３００は、まず、遊技制御装置１００から受信したコマンド数をチェックするためにＲＡＭのコマンド受信カウンタ領域のコマンド受信カウンタの値をコマンド受信数としてロードする（Ｂ１１０１）。そして、コマンド受信数が０でないか否かを判定する（Ｂ１１０２）。コマンド受信数が０である場合、すなわち、遊技制御装置１００から受信したコマンドがない場合には（Ｂ１１０２の結果が「Ｎ」）、解析するコマンドがないので、受信コマンドチェック処理を終了する。
【０７６５】
一方、演出制御装置３００は、コマンド受信数が０でない場合、すなわち、遊技制御装置１００からコマンドを受信している場合には（Ｂ１１０２の結果が「Ｙ」）、コマンド受信カウンタ領域のコマンド受信カウンタ値をコマンド受信数分減算した後（Ｂ１１０３）、ＲＡＭの受信コマンドバッファの内容を解析用のコマンド領域にコピーする（Ｂ１１０４）。ここで、受信コマンドバッファはリングバッファなので、バッファ内の内容をコマンド領域にコピーする前にコマンド受信数を減算しても問題ない。また、コピー中に新たにコマンドを受信してもデータが上書きされることはない。
【０７６６】
そして、演出制御装置３００は、コマンド読出インデックスを０〜３１の範囲で＋１更新（１だけ加算）する（Ｂ１１０５）。受信コマンドバッファは受信したコマンドを３２個まで保存できるよう構成されている。受信したコマンドは、コマンド読出インデックス０〜３１の順に受信コマンドバッファに格納されており、ここではインデックス順に受信したコマンドを読み出して、解析用のコマンド領域にコピーする。なお、解析用のコマンド領域へのコピーが完了したタイミングで、読みだしたコマンド読出インデックスに対応する受信コマンドバッファの格納領域内はクリアされる。
【０７６７】
演出制御装置３００は、ステップＢ１１０１の処理にてロードしたコマンド受信数分のコマンドのコピーが完了したか否かを判定し（Ｂ１１０６）、コピーが完了していない場合は（Ｂ１１０６の結果が「Ｎ」）、ステップＢ１１０４からＢ１１０６の処理を繰り返す。
【０７６８】
遊技制御装置１００から送信されたコマンドを演出制御装置３００が受信すると、受信コマンドバッファに受信したコマンドの内容が保存されると同時にコマンド受信カウンタ領域のコマンド受信カウンタ値が加算更新される。受信コマンドバッファには３２個分のコマンドを保存することができるが、受信したコマンドの解析は、別途、解析用のコマンド領域で行われる。そして、解析用のコマンド領域に受信したコマンドの内容がコピーされると、受信コマンドバッファ及びコマンド受信カウンタ値はクリアされる。このように、受信コマンドバッファ内で直接解析を行わずに常に空き領域を確保しておくことで、コマンドの大量受信に備えることができる。
【０７６９】
続いて、演出制御装置３００は、コピーが完了した場合には（Ｂ１１０６の結果が「Ｙ］）、解析用のコマンド領域の受信したコマンド内容をロードし（Ｂ１１０７）、内容を解析する受信コマンド解析処理を実行する（Ｂ１１０８）。なお、受信コマンド解析処理の詳細については、次の図８０にて後述する。また、解析用のコマンド領域のアドレスを更新する（Ｂ１１０９）。その後、ステップＢ１１０１の処理にてロードしたコマンド受信数分のコマンドの解析が完了したか否かを判定し（Ｂ１１１０）、解析が完了していない場合は（Ｂ１１１０の結果が「Ｎ」）、ステップＢ１１０７からＢ１１１０の処理を繰り返す。解析が完了した場合には（Ｂ１１１０の結果が「Ｙ］）、受信コマンドチェック処理を終了する。
【０７７０】
〔受信コマンド解析処理〕
次に、図８０を参照して、前述した受信コマンドチェック処理（図７９）における受信コマンド解析処理（Ｂ１１０８）の詳細について説明する。図８０は、演出制御装置３００によって実行される受信コマンド解析処理の手順を示すフローチャートである。
【０７７１】
演出制御装置３００は、まず、受信したコマンドの上位バイトをＭＯＤＥ部、下位バイトをＡＣＴＩＯＮ部（ＡＣＴ部）として分離する（Ｂ１２０１）。遊技制御装置１００から演出制御装置３００に送信されるコマンドは、ＭＯＤＥ部（ＭＯＤＥコマンド）及びＡＣＴＩＯＮ部（ＡＣＴＩＯＮコマンド）によって構成されており、通常、コマンドの種類を示すＭＯＤＥ部から連続して送信される。従って、受信したコマンドの上位、下位はＭＯＤＥ部、ＡＣＴＩＯＮ部の順に構成される。
【０７７２】
次に、演出制御装置３００は、ＭＯＤＥ部が正常範囲であるか否かを判定する（Ｂ１２０２）。すなわち、コマンドの種類を示すＭＯＤＥ部が取り得る値（種類を示すコマンド仕様として割り当てられた値）であるか否かを判定する。そして、ＭＯＤＥ部が正常範囲である場合には（Ｂ１２０２の結果が「Ｙ」）、同様にＡＣＴＩＯＮ部が正常範囲であるか否かを判定する（Ｂ１２０３）。すなわち、コマンドの内容（具体的な演出指示等）を示すＡＣＴＩＯＮ部が取り得る値（内容を示すコマンド仕様として割り当てられた値）であるか否かを判定する。そして、ＡＣＴＩＯＮ部が正常範囲である場合には（Ｂ１２０３の結果が「Ｙ」）、さらに、ＭＯＤＥ部に対するＡＣＴＩＯＮ部は正しい組み合せか否かを判定する（Ｂ１２０４）。すなわち、ＡＣＴＩＯＮ部の値が、ＭＯＤＥ部によって特定される種類のコマンドが取り得る値であるのか否かを判定する。そして、正しい組み合せである場合には（Ｂ１２０４の結果が「Ｙ」）、Ｂ１２０５以降の処理でコマンドの系統に応じたコマンド処理を実行する。
【０７７３】
演出制御装置３００は、まず、ＭＯＤＥ部の値が変動系コマンドの範囲か否かを判定する（Ｂ１２０５）。なお、変動系コマンドは、飾り特別図柄の変動パターンを指令するコマンドであり、変動コマンド（Ａ４６０８とＡ４６０９）がある。そして、ＭＯＤＥ部が変動系コマンドを表す場合には（Ｂ１２０５の結果が「Ｙ」）、変動系コマンド処理を実行し（Ｂ１２０６）、受信コマンド解析処理を終了する。
【０７７４】
演出制御装置３００は、ＭＯＤＥ部が変動系コマンドを表していない場合には（Ｂ１２０５の結果が「Ｎ」）、次に、ＭＯＤＥ部が大当り系コマンドの範囲か否かを判定する（Ｂ１２０７）。なお、大当り系コマンドは、大当り中の演出に関する動作（ファンファーレ画面やラウンド画面の表示など）を指令するコマンドであり、例えば、ファンファーレコマンド（Ａ５１１６）、ラウンドコマンド（Ａ５７０２）、インターバルコマンド（Ａ５９０７）、エンディングコマンド（Ａ５９０９）などである。そして、ＭＯＤＥ部が大当り系コマンドを表す場合には（Ｂ１２０７の結果が「Ｙ」）、大当り系コマンド処理を実行し（Ｂ１２０８）、受信コマンド解析処理を終了する。
【０７７５】
演出制御装置３００は、ＭＯＤＥ部が大当り系コマンドを表していない場合には（Ｂ１２０７の結果が「Ｎ」）、次に、ＭＯＤＥ部が図柄系コマンドの範囲か否かを判定する（Ｂ１２０９）。なお、図柄系コマンドには、停止図柄パターンに対応する飾り特図コマンド（Ａ４０１８、Ａ４１１２）がある。そして、ＭＯＤＥ部が図柄系コマンドを表す場合には（Ｂ１２０９の結果が「Ｙ」）、図柄系コマンド処理を実行し（Ｂ１２１０）、受信コマンド解析処理を終了する。
【０７７６】
演出制御装置３００は、ＭＯＤＥ部が図柄系コマンドを表していない場合には（Ｂ１２０９の結果が「Ｎ」）、次に、ＭＯＤＥ部が単発系コマンドの範囲か否かを判定する（Ｂ１２１１）。そして、ＭＯＤＥ部が単発系コマンドを表す場合には（Ｂ１２１１の結果が「Ｙ」）、単発系コマンド処理を実行し（Ｂ１２１２）、受信コマンド解析処理を終了する。
【０７７７】
なお、演出制御装置３００は、排出球数に関するコマンド（図１８のＡ２３２３）、出玉率（獲得球数）に対応するコマンド（図１８のＡ２３０８）、役物比率の算出結果に対応するコマンド（図１８のＡ２３１７）を演出コマンド（単発系コマンド）として受信し、単発系コマンド処理において、排出球数、出玉率、役物比率を表示するための表示設定処理を行ってよい。なお、演出制御装置３００は、停電時でも記憶内容を保持可能なＦｅＲＡＭ３２３に、排出球数、出玉率、役物比率をバックアップ（記憶）してよい。
【０７７８】
その他、単発系コマンド処理において、演出制御装置３００は、例えば、以下のような処理を実行する。ＭＯＤＥ部がＲＡＭ初期化のコマンドを表す場合に、ＲＡＭ初期化の報知等を行うＲＡＭ初期化設定処理を実行する。ＭＯＤＥ部が停電復旧時のコマンドや客待ちデモコマンドを表す場合に、停電復旧のための停電復旧設定処理や、表示装置４１等に客待ちデモを表示するための客待ちデモ設定処理を実行する。ＭＯＤＥ部が飾り特図１保留数コマンドや飾り特図２保留数コマンドを表す場合に、特図１保留情報設定処理や特図２保留情報設定処理を実行する。ＭＯＤＥ部が確率情報コマンドを表す場合に、確率情報設定処理を実行する。ＭＯＤＥ部がエラー／不正系のコマンドを表す場合に、エラーや不正の報知や報知解除をするためのエラー／不正設定処理を実行する。なお、エラー／不正系のコマンドとして、例えば、不正発生コマンド（Ａ２１０８）、不正解除コマンド（Ａ２１１６）、状態オフコマンド（Ａ２４０４）、状態オンコマンド（Ａ２４０７）がある。ＭＯＤＥ部が演出モード切替用のコマンドを表す場合には、演出モード切替設定処理を実行する。
【０７７９】
演出制御装置３００は、ＭＯＤＥ部が単発系コマンドを表していない場合には（Ｂ１２１１の結果が「Ｎ」）、次に、ＭＯＤＥ部が先読み図柄系コマンドの範囲か否かを判定する（Ｂ１２１３）。先読み図柄系コマンドには、前述の先読み停止図柄コマンド（Ａ３０１４）がある。そして、ＭＯＤＥ部が先読み図柄系コマンドを表す場合には（Ｂ１２１３の結果が「Ｙ」）、先読み図柄系コマンド処理を実行し（Ｂ１２１４）、受信コマンド解析処理を終了する。
【０７８０】
演出制御装置３００は、ＭＯＤＥ部が先読み図柄系コマンドを表していない場合には（Ｂ１２１３の結果が「Ｎ」）、次に、ＭＯＤＥ部が先読み変動系コマンドの範囲か否かを判定する（Ｂ１２１５）。先読み変動系コマンドには、前述の先読み変動パターンコマンド（Ａ３０１８）がある。そして、ＭＯＤＥ部が先読み変動系コマンドを表す場合には（Ｂ１２１５の結果が「Ｙ」）、先読み変動系コマンド処理を実行し（Ｂ１２１６）、受信コマンド解析処理を終了する。
【０７８１】
一方、演出制御装置３００は、ＭＯＤＥ部が先読み変動系コマンドを表していない場合には（Ｂ１２１５の結果が「Ｎ」）、予期しないコマンド（例えば、テストモード中のみ使用するコマンド）を受信した可能性があるので、受信コマンド解析処理を終了する。また、ＭＯＤＥ部が正常範囲でない場合（Ｂ１２０２の結果が「Ｎ」）、ＡＣＴＩＯＮ部が正常範囲でない場合（Ｂ１２０３の結果が「Ｎ」）、もしくは、ＭＯＤＥ部に対するＡＣＴＩＯＮ部が正しい組合せでない場合も（Ｂ１２０４の結果が「Ｎ」）、受信コマンド解析処理を終了する。
【０７８２】
〔表示画面のレイアウト例〕
図８１は、表示装置４１の表示画面（表示部）のレイアウト例を示す図である。
【０７８３】
表示装置４１の表示画面には、排出球数を表示する排出球数表示部６９１、出玉率を表示する出玉率表示部６９２、役物比率を表示する役物比率表示部６９３が設けられる。図８１では、排出球数、出玉率、役物比率は、各々、５７、３６、５９．３の値が表示されている。
【０７８４】
なお、排出球数、出玉率、役物比率を表示装置４１の表示画面に常時表示しても邪魔になるので、例えば、ガラス枠や前面枠を開放した時にエラーメッセージ（ガラス枠開放エラー、前面枠開放エラーの表示）とともに、排出球数、出玉率、役物比率を表示するようにしてもよい。
【０７８５】
その他、遊技者等による操作を受け付けるホール・遊技者設定モード（Ｂ１０１０）で、遊技者等による選択によって、排出球数、出玉率、役物比率の表示／非表示を切り替えたり、排出球数、出玉率、役物比率のいずれを表示するか選択できるようにしてもよい。また、ホール・遊技者設定モード（Ｂ１０１０）で、遊技者等による選択によって、排出球数を表示装置４１でカウントダウン表示するかカウントアップ表示するか選択できるようにしてもよい。なお、選択は、選択肢を表示装置４１にメニュー表示して、遊技者による演出ボタン２５等の操作手段の操作により行ってよい。
【０７８６】
さらに、客待ちデモ中に、表示装置４１での排出球数、出玉率、役物比率は、非表示にしてもよい。なお、表示装置４１での客待ちデモ中に、直近（最新）の排出球数、出玉率、役物比率を表示してもよいが、この場合には、客待ちデモ中のみ表示サイズをそれ以外の場合よりも大きくすれば、遊技していない遊技店の来店者にアピールできる。
【０７８７】
表示装置４１の表示画面には、複数の変動表示領域６１０（左領域６１０ａ、右領域６１０ｂ、中領域６１０ｃ）が設けられ、左領域６１０ａでは第一特別図柄、右領域６１０ｂでは第二特別図柄、中領域６１０ｃでは第三特別図柄が変動表示される（図８１では、停止図柄が表示されている）。なお、排出球数表示部６９１、出玉率表示部６９２、役物比率表示部６９３は、変動表示領域６１０の上側に設けられるが、これに限定されない。
【０７８８】
また、排出球数、出玉率、役物比率は、変動表示領域６１０の変動表示や表示装置４１でのその他の演出の邪魔になる場合に非表示にしたり表示サイズを小さくしてよいし、変動表示が停止して停止図柄が表示された場合のみ表示したり表示サイズを大きくしてよい。
【０７８９】
また、同様に、表示装置４１の表示画面の右下隅の複数の変動表示領域６１５において、三つの飾り縮小図柄（飾り特別図柄より小さい特別図柄）が変動表示される。表示画面の中央でムービー系のリーチ演出などが行われる場合に、変動表示領域６１５において飾り縮小図柄が変動表示されてよい。また、変動表示領域６１５において、常時、飾り縮小図柄が変動表示されてもよい。変動表示領域６１５は、特図１変動表示ゲームと特図２変動表示ゲームで共通に使用される。変動表示領域６１０の大きい飾り特別図柄と、変動表示領域６１５の小さい特別図柄は、相似形でも良いし、全く異なるものでもよい。
【０７９０】
保留表示部６３０（始動記憶表示部）に表示される保留表示６３３（始動記憶表示）は、飾り特図１保留数コマンドから設定された特図１保留情報と、飾り特図２保留数コマンドから設定された特図２保留情報とに基づいて、画面描画されるものである（Ｂ１０１４−Ｂ１０１７）。保留表示６３３は、実行前の特図変動表示ゲームに係る保留（始動記憶）を示す。保留表示６３３として、特図１保留表示と特図２保留表示を入賞順（保留発生順）に保留表示部６３０に並べまとめて表示する。
【０７９１】
保留表示部６３０には、球状（円状）の保留表示６３３が、左側を低くして傾斜した樋６３５に並べた態様で表示される。さらに、実行中の特図変動表示ゲームに係る保留（消化中の保留）に対応する保留対応表示６３３ａ（変動中保留表示）が、地球儀の枠を模した保留消化領域６４０に表示される（枠内の地球として）。保留表示部６３０に表示された保留表示６３３は、特図変動表示ゲームの開始毎に、樋６３５の左側から保留消化領域６４０に移動する。
【０７９２】
さらに、表示装置４１の表示画面の右上隅には、特図１保留数を数字で表示する特図１保留数表示部６５０と、特図２保留数を数字で表示する特図２保留数表示部６６０が設けられている。
【０７９３】
表示装置４１の表示画面の中央下部において、ナビキャラ６７０が表示される。ナビキャラ６７０は、通常、消化中の保留を示す保留対応表示６３３ａ（保留消化領域６４０）に隣り合わせで隣接するように配置されている。ナビキャラ６７０は、本体６７０ａの他に、キャラクタ名の表示部分６７０ｂやメータ表示部を含む。また、ナビキャラ６７０に関連付けて、ナビキャラ６７０が発するように見せたセリフ（セリフ予告でもよい）がセリフ表示部６８０に表示される。なお、セリフは、表示するだけでなく、音声としても出力されてよい。また、ナビキャラ６７０の画面上での動作に応じて、排出球数、出玉率、役物比率を表示してよい（ナビキャラ６７０が動いて排出球数、出玉率、役物比率を表示するような演出を行う）。
【０７９４】
［第１実施形態の作用・効果］
上記の第１実施形態では、払出制御手段（払出制御装置２００等）は、遊技球が入賞領域（一般入賞口３５や始動入賞口３６）又は変動入賞装置（普通変動入賞装置３７や特別変動入賞装置３９）に入賞すると、入賞領域と変動入賞装置ごとに定められた賞球数の賞球を払い出し可能である。表示手段（役物比率表示部６８、表示装置４１等）は、払い出された賞球の合計数のうち、変動入賞装置に入賞したことによって払い出された賞球の数が占める割合（役物比率）を表示可能である。従って、遊技の興趣が向上するとともに、遊技者は変動入賞装置へ入賞し易い印象（開状態が多く発生する印象）を持つため、遊技者が継続して遊技を行う動機（指標）となる。
【０７９５】
カウント手段（ステップＡ２０１５とＡ２２１０の処理を実行する遊技制御装置１００等）は、遊技領域から排出された遊技球の数である排出球数、又は、遊技領域に発射された遊技球の数である発射球数をカウントする。表示手段（出玉率表示部６７、表示装置４１等）は、排出球数又は発射球数に対する、入賞により得られた賞球数の合計の比率（出玉率）を表示可能である。従って、遊技者に一般入賞口３５への興味と関心を抱かせることができる。そして、遊技の興趣を高めることができる。
【０７９６】
表示手段（排出球数表示部６６、出玉率表示部６７、役物比率表示部６８、表示装置４１等）は、遊技機が客待ち状態である場合に、排出球数、出玉率、役物比率を非表示の状態としてよい。即ち、遊技機が客待ち状態でない場合のみ、表示手段は、排出球数、出玉率、役物比率の表示を行ってよい。これは、遊技中の遊技者に対する特典となり、遊技機１０の稼働を上げることができる。
【０７９７】
表示手段（出玉率表示部６７、表示装置４１等）は、カウント手段によってカウントされた遊技球の数が所定個数になる毎に、当該所定個数の遊技球によって得られた賞球数の合計を表示可能である。従って、賞球数の合計として出玉率を簡易に表示できる。また、遊技者に一般入賞口３５への興味と関心を抱かせることができ、遊技の興趣を高めることができる。
【０７９８】
算出手段（入賞口スイッチ／状態監視処理を実行する遊技制御装置１００等）は、所定個数となるタイミングで各入賞領域と変動入賞装置のうちいずれか複数に同時に入賞があった場合に、各入賞領域と変動入賞装置に対して定められた優先順位に基づいて、当該複数の入賞のうちの一つの入賞によって得られた賞球数を加算して賞球数の合計を算出する。従って、特に、普電サポート状態以外の通常遊技状態と特別遊技状態において、カウント手段によってカウントされた遊技球の数が所定個数になるタイミングで、可能な限り大きな賞球数の合計（出玉率）が求められ、遊技者の遊技に対する期待感を向上できる。
【０７９９】
算出手段（入賞口スイッチ／状態監視処理を実行する遊技制御装置１００等）は、特定遊技状態（普電サポート状態）が発生したか否かに応じて、賞球数を加算する対象の入賞領域（各入賞領域又は変動入賞装置）の優先順位を変更可能である。従って、特定遊技状態（普電サポート状態）では、普通変動入賞装置３７への入賞が多いため、普通変動入賞装置３７への入賞を優先して採用し、賞球数の合計を算出できる。
【０８００】
リセット手段（ステップＡ６５１０〜Ａ６５１４の処理を実行する遊技制御装置１００等）は、特別遊技状態の終了の際に、賞球数の合計（出玉率）をリセットして初期値に設定可能である。大当り状態（特別遊技状態）中では、賞球数の合計が非常に大きくなっているが、大当り状態終了後に賞球数の合計（出玉率）の正確な計測を開始できる。また、リセット手段は、特別遊技状態の終了の際に、払い出された賞球の合計数のうち変動入賞装置に入賞したことによって払い出された賞球の数が占める割合（役物比率）はリセットせずそのまま維持する。これにより、大当り状態（特別遊技状態）に関係なく、役物比率を正確に計測できる。
【０８０１】
遊技情報出力手段（出力処理を実行する遊技制御装置１００等）は、賞球数の合計（出玉率）に関する情報と、役物比率に関する情報とを外部の装置に出力可能である。従って、試射試験装置等の外部の装置に出力した賞球数の合計（出玉率）と外部の装置で求めた賞球数の合計（出玉率）を比較して不一致が生じていないか確認できる。
【０８０２】
監視手段（入賞口スイッチ／状態監視処理を実行する遊技制御装置１００等）は、得られる賞球数の多い順に各入賞領域と前記変動入賞装置への入賞を監視して、監視している際に入賞があった場合には当該入賞の賞球数を加算して賞球数の合計を算出する。従って、可能な限り大きな賞球数の合計（出玉率）が優先的に求められ、遊技者の遊技に対する期待感を向上できる。
【０８０３】
［第２実施形態］
図８２と図８３を参照して、第２実施形態について説明する。第２実施形態では、遊技制御装置１００により表示制御が実行される排出球数表示部６６、出玉率表示部６７、役物比率表示部６８の他に、払出制御装置２００により表示制御が実行される排出球数表示部８５１、出玉率表示部８５２、役物比率表示部８５３が備えられる。なお、以下で述べる以外の構成は、第１実施形態と同様でよい。
【０８０４】
第２実施形態では、排出球数表示部６６、出玉率表示部６７、役物比率表示部６８は、第１実施形態と同様に、遊技機１０の前面の一括表示装置５０に設けられ、排出球数表示部８５１、出玉率表示部８５２、役物比率表示部８５３は、遊技機１０の裏面に設けられた払出制御装置２００に備えられる。なお、これに限られず、払出制御装置２００により表示制御される排出球数表示部８５１、出玉率表示部８５２、役物比率表示部８５３は、上皿ユニットに設けてもよい。このように、排出球数表示部８５１、出玉率表示部８５２、役物比率表示部８５３は、払出制御装置２００や上皿ユニットに設けられる場合、遊技盤３０を他の遊技盤と交換しても、廃棄されることなくそのまま使用が継続できるため、コストの削減につながる。
【０８０５】
また、排出球数表示部８５１、出玉率表示部８５２、役物比率表示部８５３は、それぞれ、排出球数表示部６６、出玉率表示部６７、役物比率表示部６８と同じく、複数（２つ又は３つ）の７セグメント型（点部分を含めると８セグメント型）の表示器（ＬＥＤランプ、表示装置）から構成される。
【０８０６】
図８２は、遊技機１０の裏面図である。遊技盤３０の裏面には、スイッチベース７３８を介して遊技を統括的に制御する遊技制御装置１００（主基板）が配設され、スイッチベース７３８の上方の制御ベース７３３を介して遊技制御装置１００から送信される演出制御指令に基づいて表示装置４１等を制御する演出制御装置３００が配設される。演出制御装置３００の後方には、演出制御装置３００の裏面及び遊技制御装置１００の裏面上部を覆う保護カバー７３７が設けられる。このように構成された遊技盤３０が前面枠１２の収納部に収納された状態では、遊技盤３０の裏面に配設された保護カバー７３７及び遊技制御装置１００は、前面枠１２の後方に突出する。
【０８０７】
前面枠１２の裏面上部には、島設備に設けられた補給装置（図示省略）から補給される遊技球を貯留するとともに、貯留した遊技球を整列させて流下させる貯留ユニット７５０が配設される。前面枠１２の一方の内側部には、貯留ユニット７５０から流下してきた遊技球を上皿２１（図１参照）に払い出す払出ユニット７９０が配設される。
【０８０８】
また、前面枠１２の裏面下部には、遊技制御装置１００から送信されるデータに基づいて払出ユニット７９０の動作を制御する払出制御装置２００と、操作ハンドル２４の回動操作に基づいて遊技球を発射する球発射装置７４２と、カードユニット（図示省略）と接続する接続端子７４３と、各種装置に電力を供給する電源装置４００とが配設される。
【０８０９】
排出球数表示部８５１、出玉率表示部８５２、役物比率表示部８５３は、払出制御装置２００（払出制御基板）の後面（背面）に配置され、排出球数表示部６６、出玉率表示部６７、役物比率表示部６８と異なり、遊技機１０の裏面側からのみ視認可能である。排出球数表示部８５１、出玉率表示部８５２、役物比率表示部８５３は、一般の遊技者に見せず、遊技店の関係者（従業員等）だけに視認可能である。なお、排出球数表示部６６、出玉率表示部６７、役物比率表示部６８は、遊技機１０の前面側からのみ視認可能となっている。
【０８１０】
なお、排出球数、出玉率、役物比率の表示を一般の遊技者に見せたくない場合には、遊技機１０の前面の排出球数表示部６６、出玉率表示部６７、役物比率表示部６８を省略できる。この場合には、遊技機１０の裏面側からのみ、排出球数表示部８５１、出玉率表示部８５２、役物比率表示部８５３によって排出球数、出玉率、役物比率の表示を確認できる。
【０８１１】
また、払出制御装置２００は、払出コマンドに基づいて、排出球数、出玉率（獲得球数、賞球数の合計）、役物比率を算出するとともに、払出制御装置２００に設けられた排出球数表示部８５１、出玉率表示部８５２、役物比率表示部８５３に表示する表示制御を行う。なお、ここでの払出コマンドには、入賞口（入賞領域）への一の入賞を単位とした払出コマンド（Ａ１７１９）とアウト球検出コマンド（Ａ２０１７）の両方を含むものとする。なお、払出制御装置２００が、遊技制御装置１００で算出した排出球数、出玉率、役物比率を受信して、払出制御装置２００に設けられた排出球数表示部８５１、出玉率表示部８５２、役物比率表示部８５３に表示する構成も可能である。
【０８１２】
払出制御装置２００は、ＣＰＵ（マイコン）やＲＡＭ等のメモリから構成され、遊技制御装置１００と同様に、排出球数を記憶する排出球数領域、排出球数１００個当りにおける獲得球数（賞球数の合計）を記憶する獲得球数領域、役物別獲得球数を記憶する役物別獲得球数領域をメモリ内に有する（図１７Ｂ参照）。排出球数、出玉率（獲得球数、賞球数の合計）、役物比率の計算方法は、第１実施形態と同じである。なお、アウト球検出コマンドは、排出球数の＋１更新に用いられる。
【０８１３】
図８３は、払出コマンド（払出数コマンド）の構成例を示す。払出コマンドは、１バイト（８ビット）で構成される。払出コマンドにおいて、最上位ビット（第１ビット）は、アウト口３０ｂへの入球があったことを示すアウト球フラグであり、第２ビットから第４ビットは、入賞口への入賞があった場合にその入賞口を特定するための入賞口情報を示し、第５ビットから第８ビットは、賞球数をそのまま示す。第２ビットから第４ビットの入賞口情報は、「００１」が一般入賞口３５を、「０１０」が始動口１（始動入賞口３６）を、「０１１」が普通変動入賞装置３７（始動口２）を、「１００」が大入賞口（大当り中に入賞）を、「１０１」が大入賞口（小当り等の大当り中以外に入賞）を示す。なお、アウト球フラグが１（オン）に設定された場合、即ちアウト口３０ｂへの入球があった場合には、賞球数は０である。第１実施形態と同じく、賞球数の合計は、獲得球数領域に記憶され、入賞口ごとの賞球数の合計は、役物別獲得球数として役物別獲得球数領域に記憶される。
【０８１４】
例えば、払出コマンドは、１６進数で表現すると、一般入賞口３５への入賞による１０個賞球は「１ＡＨ」であり、始動口１への入賞による３個賞球は「２３Ｈ」であり、始動口２への入賞による２個賞球は「３２Ｈ」であり、大入賞口への入賞による１４個賞球（大当り）は「４ＥＨ」であり、大入賞口への入賞による１４個賞球（小当り）は「５ＥＨ」であり、アウト球検出による通知（アウト球検出コマンド）は「８０Ｈ」である。
【０８１５】
［第２実施形態の作用・効果］
上記の第２実施形態では、第１実施形態と同様の作用効果を奏するとともに、払出制御装置２００の後面（背面）に配置された排出球数表示部８５１、出玉率表示部８５２、役物比率表示部８５３によって、排出球数、出玉率、役物比率が、遊技機１０の裏面側からでも視認できるようになる。
【０８１６】
〔第１実施形態と第２実施形態のその他の変形例〕
第１実施形態と第２実施形態を以下のように変形した実施形態も可能である。
【０８１７】
図８４のように、遊技制御装置１００により制御される排出球数表示部６６、出玉率表示部６７、役物比率表示部６８は、遊技機１０の前面ではなく、遊技機１０の裏面に配置されてもよい。図８４では、排出球数表示部６６、出玉率表示部６７、役物比率表示部６８は、遊技機１０の裏面に設けられる遊技制御装置１００の後面（背面）に設けられ、遊技機１０の裏面側からのみ視認可能である。この場合に、排出球数表示部６６、出玉率表示部６７、役物比率表示部６８も、一般の遊技者に見せず、遊技店の関係者（従業員等）だけに見せることができる。なお、排出球数表示部６６、出玉率表示部６７、役物比率表示部６８を遊技機１０の裏面に配置すると、一般の遊技者に対して遊技機１０の美観を損なわない可能性もある。また、排出球数表示部６６、出玉率表示部６７、役物比率表示部６８は、遊技制御装置１００の基板（主基板）上に設置される。遊技制御装置１００の基板（主基板）はケース内に開封できないように密封されていなるため（かしめられているため）、排出球数表示部６６、出玉率表示部６７、役物比率表示部６８の表示に対して不正を行うことはできない。
【０８１８】
排出球数、出玉率、役物比率は、遊技機１０の前面の一括表示装置５０に設けた表示部（排出球数表示部６６、出玉率表示部６７、役物比率表示部６８）と、遊技機１０の裏面の払出制御装置２００に設けた表示部（排出球数表示部８５１、出玉率表示部８５２、役物比率表示部８５３）と、表示装置４１のうち全部ではなく１つ又は２つのみに表示してよい。さらに、排出球数、出玉率、役物比率の全てを表示せず、少なくとも一つを表示する構成でもよい。即ち、排出球数表示部６６、出玉率表示部６７、役物比率表示部６８のいずれかを省略したり、排出球数表示部８５１、出玉率表示部８５２、役物比率表示部８５３のいずれかを省略してもよい。また、７セグメント型の表示器（ＬＥＤランプ）の数を増やして、役物比率表示部６８として、連続役物比率を表示する第１表示部と、一般的に使用されるいわゆる役物比率（全役物比率）を表示する第２表示部との２つを設けて、連続役物比率といわゆる役物比率（全役物比率）の両方を同時に表示する構成も可能である。また、初期化スイッチ（ＲＡＭクリアスイッチ）（Ａ１０１６）が押されてオンすることによって、役物比率表示部８５３において、全役物比率と連続役物比率を交互に表示切替できるようにしてもよい。
【０８１９】
さらに、排出球数表示部６６、出玉率表示部６７、役物比率表示部６８を個別に設けずに、４個の７セグメント型の表示器を横方向に並べた共通の表示器を１つだけ設けて、排出球数、出玉率、役物比率を表示する構成も可能である。このような共通の表示器では、初期化スイッチ（ＲＡＭクリアスイッチ）をオンする毎に、排出球数、出玉率、役物比率のうちいずれを表示するか順次切り替えられる。この場合、共通の表示器では、何を表示しているかを示す識別記号（アルファベット等）と一緒に排出球数、出玉率、役物比率のいずれか一つを表示する。例えば、排出球数は「ｈ５５」、出玉率は「ｄ３０」、全役物比率は「ｙ５０．８」、連続役物比率「ｒ５８．４」のように表示する。
【０８２０】
また、遊技機１０の遊技制御装置１００や払出制御装置２００のマイコン（ＣＰＵ）の内部に排出球数、出玉率、役物比率を情報として保持しておき、遊技機１０の表示部や表示装置４１では排出球数、出玉率、役物比率を一切表示せず、外部の装置（試射試験装置等）に排出球数、出玉率、役物比率を出力（又は表示）するだけでもよい（もちろん、排出球数、出玉率、役物比率を、遊技機１０の表示部や表示装置４１で表示しつつ、外部の装置に出力してもよい）。
【０８２１】
さらに、排出球数、出玉率、役物比率は、第１実施形態及び第２実施形態のように、遊技制御装置１００、払出制御装置２００、及び／又は、演出制御装置３００においてユーザプログラムによって算出する以外に、遊技制御装置１００、払出制御装置２００、及び／又は、演出制御装置３００のＣＰＵ自身に算出機能（ハード的な算出機能）を持たせて、内部レジスタにパラメータをセットすること（遊技球の発射（排出）、入賞を検知する毎に情報をセットするなど）によって、排出球数、出玉率、役物比率が自動的に算出されるようにしてもよい。そして、遊技制御装置１００、払出制御装置２００、及び／又は、演出制御装置３００から外部の装置（検査装置５００など）にハード的な算出機能（算出手段）によって算出された排出球数、出玉率、役物比率を出力してもよい。
【０８２２】
電源投入からの排出球数の総計が所定個数（例えば、５０００個）を超えた場合や、電源投入からの変動表示ゲームの実行回数が所定回数（例えば、１００）を超えた場合に、特典として出玉率、役物比率を表示する構成としてよい。このようにすれば、遊技店の開店直後などに遊技機の稼働が上昇する可能性があるし、正確な役物比率を表示できる。
【０８２３】
第１実施形態及び第２実施形態において、役物比率は、遊技機１０の電源投入から現在までの全期間での賞球数（全賞球数）に対して算出されるが、所定期間や所定回数（例えば４００回）の特図変動表示ゲームにおいて獲得した賞球数に対して計算されてもよい。例えば、所定期間は、１回分の大当りに関連する期間（大当り前の通常遊技状態から大当り終了まで）や、１回の連チャン（連荘）に関連する期間（大当り前の通常遊技状態から確変・時短（電サポ）が完全に終了するまで）であり、役物比率はこのような所定期間ごとに分けて算出されるようにしてもよい。
【０８２４】
演出制御装置３００は、払出コマンド（Ａ１７１９）とアウト球検出コマンド（Ａ２０１７）を受信して、自ら、排出球数、出玉率（獲得球数、賞球数の合計）、役物比率を計算してもよい。この場合に、演出制御装置３００は、停電時でも記憶内容を保持可能なＦｅＲＡＭ３２３に、排出球数、出玉率、役物比率の計算結果をバックアップ（記憶）してよい。このようにすれば、停電復旧後（電源投入後）にすぐに表示装置４１に排出球数、出玉率、役物比率を表示できる。また、この場合には、ホール・遊技者設定モード（Ｂ１０１０）で、遊技者等による選択によって、表示装置４１に表示する役物比率の計算方法を切り替えて、演出制御装置３００は、選択された計算方法に従って役物比率の計算し、表示装置４１に表示してよい。なお、前述のように、役物比率の計算方法は、役物比率に、大当り状態中に大入賞口に入賞したことで得られた賞球数の全賞球数に対する割合（％）だけでなく、普通変動入賞装置３７や小当り状態中の大入賞口に入賞したことで得られた賞球数の割合（％）を含めるかなどによって異なる。
【０８２５】
また、獲得球数（払出賞球数）１００個を１セット（１単位）として、１セットごとの役物による獲得球数（役物獲得球数）や役物以外の入賞口による獲得球数（入賞口獲得球数）をリングバッファに保存して、役物比率や出玉率などの算出に利用する構成が可能である。ここでの役物は、特別変動入賞装置３９（大入賞口）及び普通変動入賞装置３７（第２始動入賞口）であり、役物以外の入賞口は、一般入賞口３５と始動入賞口３６（第１始動入賞口）である。リングバッファは不正を防止するためクリア不可とし、時間や特図変動表示ゲーム回数に関係なく常に獲得球数を蓄積する。リングバッファに保存した役物獲得球数や入賞口獲得球数によって、所定期間や所定の獲得球数（払出賞球数）ごとに柔軟に役物比率や出玉率などを算出できる。
【０８２６】
なお、保存形態として、役物獲得球数と入賞口獲得球数の両者を、例えば、各１バイトずつ合計２バイトのセット（ブロック）にして、リングバッファに保存してよい。また、役物獲得球数と入賞口獲得球数のうち一方を１００から減算すれば他方を算出できるため、役物獲得球数と入賞口獲得球数のうち一方だけをリングバッファに保存してよい。さらに、役物獲得球数と入賞口獲得球数として、前述の役物（入賞口）ごとの役物別獲得球数（図１７Ｂ参照）をリングバッファに保存してもよい。
【０８２７】
リングバッファは、遊技制御装置１００（主基板）、払出制御装置２００（払出基板）、演出制御装置３００（サブ基板）の何れかに搭載したフラッシュメモリなどの不揮発性メモリに設けてよい。これにより、役物獲得球数と入賞口獲得球数を特別にバックアップする必要がなくなる。リングバッファのサイズは、例えば、６００セット分とする。球発射装置の１分間の発射球数が約１００個で出玉率１００％と仮定すると、１分間に１００個（１セット）の賞球の払い出しがあるため、６００セットなら出玉率１００％で約１０時間分の獲得球数の保存が可能になる。
【０８２８】
リングバッファに空きがある場合は、その旨を報知してもよい。演出用の表示装置４１は、画面上にリングバッファに空きがあること示す表示を出して報知してよい。この報知は、遊技中（客待ち状態以外）、客待ち状態、又は、ホール設定モードでのみ行ってよい。また、一括表示装置５０や遊技制御装置１００などに専用のＬＥＤを設け、点灯や点滅による報知を行ってよい。専用のＬＥＤを設けず、既存のＬＥＤを通常と異なる点灯態様（色や点滅）にして報知してもよい。リングバッファに空きがあることを示す空き情報を試射試験信号や外部情報信号として送信し、試射試験装置や外部装置に表示してリングバッファに空きがあることを報知してよい。その他、上スピーカ１９ａ又は下スピーカ１９ｂの音声によって、報知を行ってよい。
【０８２９】
［第３実施形態］
図８５から図９９を参照して、第３実施形態について説明する。なお、以下で述べる以外の構成は、第１実施形態又は第２実施形態と共通の構成が適用できる。
【０８３０】
第３実施形態では、大当り終了タイミング、高確率終了タイミング、及び／又は、時短終了タイミングにおいて、表示装置４１に役物比率（全役物比率（いわゆる役物比率）と連続役物比率）が表示される。また、役物比率は、所定ラウンド回数のラウンド遊技からなる特別遊技（大当り）毎に区分けした値（特別遊技終了毎にリセットして計測した値）が特別遊技に関する大当り履歴情報に含めて保存され、大当り履歴情報に含めて表示装置４１に表示可能である。
【０８３１】
〔第３実施形態の出玉性能監視処理〕
図８５は、第３実施形態に係る出玉性能監視処理の手順を示すフローチャートである。出玉性能監視処理は、入賞数カウンタ更新処理（図１７Ａ）のステップＡ２２１１にて、遊技制御装置１００によって実行される。なお、図１８の出玉性能監視処理と同じ内容のステップは、ステップ番号を同じにして説明を省略する。
【０８３２】
遊技制御装置１００は、ステップＡ２３１３において、図１７Ｂ（ＩＩＩ）に示した各役物別獲得球数領域の値の合計値（全賞球数）を算出した後、各役物獲得球数を各役物別獲得球数領域からロードする（Ａ９８０１）。ここでの各役物獲得球数は、大当り中の大入賞口への入賞による賞球数の合計、小当り中（大当り中以外）の大入賞口への入賞による賞球数の合計、普通変動入賞装置３７（始動口２）への入賞による賞球数の合計である。
【０８３３】
次に、遊技制御装置１００は、役物獲得球数に基づいて、役物比率として（役物獲得球数÷合計値）×１００（％）を算出する（Ａ９８０２）。ここで、役物比率として、いわゆる連続役物比率（大当り状態中に大入賞口に入賞したことで得られた賞球数の割合（％））と、一般的に使用されるいわゆる役物比率（全役物比率：大入賞口及び普通変動入賞装置３７に入賞したことで得られた賞球数の割合（％））の両方が算出される。連続役物比率を算出する場合に、役物獲得球数として、大当り中の大入賞口への入賞による賞球数の合計を用いる。全役物比率を算出する場合に、役物獲得球数として、大当り中の大入賞口への入賞による賞球数の合計、小当り中（大当り中以外）の大入賞口への入賞による賞球数の合計、及び、普通変動入賞装置３７（始動口２）への入賞による賞球数の合計を足し合わせたもの（総計）を用いる。なお、ここで、連続役物比率と全役物比率の他に、大入賞口比率（全賞球数のうち大当り状態中と小当り状態中に大入賞口に入賞したことで得られた賞球数の割合）など、他の役物比率を算出してもよい。
【０８３４】
続いて、遊技制御装置１００は、連続役物比率と全役物比率の算出結果うち一方の算出結果を役物比率表示部６８に表示するために、この一方の算出結果に対応するセグメントデータを、役物比率表示部６８のセグメントに対応するセグメント領域にセーブする（Ａ９８０３）。
【０８３５】
そして、遊技制御装置１００は、現在、大当り終了タイミングであるか否かを判定する（Ａ９８０４）。ここで、大当り終了タイミングは、大当り状態（特別遊技状態）が終了したと認識できるタイミングであれば種々に設定可能である。例えば、大当り終了タイミングは、残存球処理時間(最終用)が経過することによって（Ａ５９０８）、大入賞口残存球処理（図４９）で最終ラウンドであると判定され（Ａ６１０１の結果が「Ｙ」）、ステップＡ６１１２からＡ６１２２の処理が実行されたタイミング（エンディング開始時）でよい。また、大当り終了タイミングは、エンディング中や、エンディング終了時、即ちエンディング時間（Ａ６１１４）の経過時でもよい。
【０８３６】
遊技制御装置１００は、現在、大当り終了タイミングである場合（Ａ９８０４の結果が「Ｙ」）、連続役物比率と全役物比率の算出結果（Ａ９８０２）に対応するコマンドを演出コマンドとして準備し（Ａ２３１７）、演出コマンド設定処理を実行する（Ａ２３１８）。
【０８３７】
これにより、特別遊技状態が終了するタイミング（大当り終了タイミング）において、演出制御装置３００は、表示装置４１において連続役物比率と全役物比率（いわゆる役物比率）を表示できる。なお、特別遊技状態（大当り状態）中において、特別変動入賞装置３９（大入賞口）の開放によって連続役物比率と全役物比率が通常遊技状態よりも大きく変化するため、ここでの役物比率を表示しても遊技者が混乱するだけであり無駄が多い。そこで、大きく変化した直後の大当り終了タイミングで連続役物比率と全役物比率を表示している。
【０８３８】
遊技制御装置１００は、現在、大当り終了タイミングでない場合（Ａ９８０４の結果が「Ｎ」）、現在、高確率終了タイミング又は時短終了タイミングであるか否かを判定する（Ａ９８０５）。ここで、高確率終了タイミング又は時短終了タイミング（特定遊技状態終了タイミング)は、高確率状態又は時短状態（普電サポート状態）が終了したと認識できるタイミングであれば種々に設定可能である。第１実施形態のように大当りが終了すると必ず確変状態になる（所謂ＳＴ状態に必ずなる）場合には、高確率終了タイミングと時短終了タイミングとは同じタイミングであり、例えば、高確率変動回数が０となり（Ａ５２０３の結果が「Ｙ」）、ステップＡ５２０４からＡ５２１１までの処理が実行されたタイミングである。なお、第１実施形態と異なり、低確率での時短状態（普電サポート状態）が存在する機種では、高確率終了タイミングとは異なる時短終了タイミングが存在することになる。
【０８３９】
遊技制御装置１００は、現在、高確率終了タイミング又は時短終了タイミングである場合（Ａ９８０５の結果が「Ｙ」）、連続役物比率と全役物比率の算出結果（Ａ９８０２）に対応するコマンドを演出コマンドとして準備し（Ａ２３１７）、演出コマンド設定処理を実行する（Ａ２３１８）。
【０８４０】
これにより、特定遊技状態が終了するタイミング（高確率終了タイミング又は時短終了タイミング）において、演出制御装置３００は、表示装置４１において連続役物比率と全役物比率（いわゆる役物比率）を表示できる。なお、特定遊技状態中において、普電サポートによる普通変動入賞装置３７（第２始動入賞口）の開放によって連続役物比率と全役物比率の変化が通常遊技状態よりも大きくなるため、ここでの比率を表示しても遊技者が混乱するだけであり無駄が多い。そこで、大きく変化した直後の特定遊技状態終了タイミングで連続役物比率と全役物比率を表示している。
【０８４１】
遊技制御装置１００は、現在、高確率終了タイミングでも時短終了タイミングでもない場合（Ａ９８０５の結果が「Ｎ」）、ステップＡ２３１７とステップＡ２３１８の処理を実行せずに、ステップＡ２３１９に移行する。
【０８４２】
以上の処理によって、出玉性能監視処理が実行された場合（入賞が発生した場合）に、常に連続役物比率と全役物比率を算出しておき、大当り終了タイミング、高確率終了タイミング、及び、時短終了タイミング（役物比率が大きく変化した直後のタイミング）において、演出制御装置３００は、連続役物比率と全役物比率を表示装置４１に表示できる。なお、大当り終了タイミング、高確率終了タイミング、及び、時短終了タイミングのいずれかのみにおいて、連続役物比率と全役物比率が表示装置４１に表示される構成としてもよい。
【０８４３】
なお、大当り終了設定処理１（図５１）が実行された場合に高確率且つ時短なし（普電サポートなし）の潜伏確変状態となるが、大当り終了後に潜伏確変状態となり所定回数の特図変動表示ゲームが実行された場合には、連続役物比率と全役物比率の算出結果（Ａ９８０２）に対応するコマンドを演出コマンドとして準備し（Ａ２３１７）、演出コマンド設定処理を実行する構成としてもよい（Ａ２３１８）。
【０８４４】
図８６は、第３実施形態に係る出玉性能監視処理の変形例を示すフローチャートである。
【０８４５】
図８６では、ステップＡ９８０４、Ａ９８０５と、ステップＡ２３１３、Ａ９８０１−Ａ９８０３の順序が入れ替わっており、大当り終了タイミング、高確率終了タイミング、及び、時短終了タイミングでのみ、連続役物比率と全役物比率を算出し（Ａ９８０２）、算出結果に対応するコマンドを演出コマンドとして準備し（Ａ２３１７）、演出コマンド設定処理を実行する。図８６では、出玉性能監視処理が実行された場合に、常に連続役物比率と全役物比率が算出されるわけではなく、計算の負荷が減少する。
【０８４６】
以上のように、大当り終了タイミング、高確率終了タイミング、及び、時短終了タイミング（役物比率が大きく変化した直後のタイミング）において、連続役物比率と全役物比率が算出され、演出制御装置３００は、連続役物比率と全役物比率を表示装置４１に表示できる。なお、大当り終了タイミング、高確率終了タイミング、及び、時短終了タイミングのいずれかのみにおいて、連続役物比率と全役物比率が算出され、表示装置４１に表示される構成としてもよい。
【０８４７】
〔第３実施形態の特図普段処理移行設定処理２〕
図８７は、第３実施形態に係る特図普段処理移行設定処理２の手順を示すフローチャートである。特図普段処理移行設定処理２は、大当り終了処理（図５０）のステップＡ６２１９にて、遊技制御装置１００によって実行される。なお、図５３の特図普段処理移行設定処理２と同じ内容のステップは、ステップ番号を同じにして説明を省略する。
【０８４８】
大当り終了の際に、ステップＡ６５１０からＡ６５１４において、遊技制御装置１００は、排出球数領域と獲得球数領域を０クリア（リセット）し、排出球数と出玉率の表示を初期表示（「００」）にする設定を行う。
【０８４９】
次に、遊技制御装置１００は、全ての役物別獲得球数領域を０クリア（リセット）し（Ａ６５１５）、役物比率の初期表示「００．０」のセグメントデータを役物比率表示部６８のセグメントに対応するセグメント領域にセーブする（Ａ６５１６）。これにより、出力処理（図１１のＡ１６１０）を介して、大当り終了の際に役物比率表示部６８において役物比率を「００．０」と表示することができる。
【０８５０】
また、特別遊技（大当り）が終了する度に全ての役物別獲得球数領域が０クリアされるため、各役物別獲得球数領域は、前回の特別遊技の終了時（初回の特別遊技終了前は遊技機１０の電源投入時）からの賞球数を記憶する。従って、ステップＡ９８０２によって算出される役物比率（連続役物比率と全役物比率）や、ステップＡ２３１８によって演出制御装置３００に送信される役物比率（連続役物比率と全役物比率）は、所定ラウンド回数のラウンド遊技からなる特別遊技毎に区分けされた役物比率（特別遊技毎にリセットして計測された役物比率）となる。即ち、特別遊技（大当り）毎に区分けされた役物比率は、１つの特別遊技の終了時から（初回の特別遊技終了前は遊技機１０の電源投入時から）、次の特別遊技の終了時又は特定遊技状態（高確率状態や時短状態）の終了時までの期間における賞球数に対して算出された役物比率である。
【０８５１】
役物比率（連続役物比率と全役物比率）は基準値（例えば、連続役物比率で６０％、全役物比率で７０％）以下にすることが規則等で要請されているが、遊技機１０の電源投入から現在までの全期間での賞球数に対する役物比率は、遊技機１０の稼働時間が長くならないと安定しない。例えば、稼働時間が短い間に特別遊技（大当り）が発生して役物比率が基準値を超えた場合に、全期間での賞球数に対する役物比率が異常値を示していると遊技者等に誤判断されてしまう可能性がある。
【０８５２】
一方、特別遊技毎に区分けされた役物比率は、不安定な値であり、基準値から大きく離れた値になり得ることが予めわかっている。そこで、全期間での役物比率ではなく、最初から、特別遊技毎に区分けされた役物比率を算出して表示装置４１に表示しておくことにより、遊技者等は、基準値以外に自身の知識や情報に基づいて役物比率が異常値であるか否か判断することになり、誤判断が少なくなる。
【０８５３】
なお、第１実施形態と第２実施形態と同様に、図５３の特図普段処理移行設定処理２（ステップＡ６５１５とＡ６５１６がない）を実行して、遊技制御装置１００は、遊技機１０の電源投入から現在までの全期間での賞球数（獲得球数）に対して役物比率を算出する構成としてもよい。また、ＲＷＭ内に、各役物別獲得球数領域の役物獲得球数を累積して記憶する領域を各役物別獲得球数領域に対応して設けて、遊技制御装置１００は、遊技機１０の電源投入から現在までの全期間での賞球数（獲得球数）に対する役物比率を、特別遊技（大当り）毎に区分けされた役物比率と共に算出する構成としてもよい。
【０８５４】
〔単発系コマンド処理〕
図８８は、第３実施形態に係る単発系コマンド処理の手順を示すフローチャートである。単発系コマンド処理は、受信コマンド解析処理（図８０）のステップＢ１２１２にて、演出制御装置３００によって実行される。
【０８５５】
演出制御装置３００は、まず、ＭＯＤＥ部が遊技機の種類を示す機種指定コマンドを表すか否かを判定する（Ｂ１３０１）。そして、ＭＯＤＥ部が機種指定コマンドを表す場合には（Ｂ１３０１の結果が「Ｙ」）、遊技機の種類を設定する機種設定処理を実行し（Ｂ１３０２）、単発系コマンド処理を終了する。
【０８５６】
演出制御装置３００は、ＭＯＤＥ部が機種指定コマンドを表していない場合には（Ｂ１３０１の結果が「Ｎ」）、次に、ＭＯＤＥ部がＲＡＭ初期化のコマンドを表すか否かを判定する（Ｂ１３０３）。そして、ＭＯＤＥ部がＲＡＭ初期化のコマンドを表す場合には（Ｂ１３０３の結果が「Ｙ」）、ＲＡＭ初期化の報知等を行うＲＡＭ初期化設定処理を実行し（Ｂ１３０４）、単発系コマンド処理を終了する。
【０８５７】
演出制御装置３００は、ＭＯＤＥ部がＲＡＭ初期化のコマンドを表していない場合には（Ｂ１３０３の結果が「Ｎ」）、次に、ＭＯＤＥ部が停電復旧時のコマンドを表すか否かを判定する（Ｂ１３０５）。そして、ＭＯＤＥ部が停電復旧時のコマンドを表す場合には（Ｂ１３０５の結果が「Ｙ」）、停電復旧設定処理を実行し（Ｂ１３０６）、単発系コマンド処理を終了する。
【０８５８】
演出制御装置３００は、ＭＯＤＥ部が停電復旧時のコマンドを表していない場合には（Ｂ１３０５の結果が「Ｎ」）、次に、ＭＯＤＥ部が客待ちデモコマンドを表すか否かを判定する（Ｂ１３０７）。そして、ＭＯＤＥ部が客待ちデモコマンドを表す場合には（Ｂ１３０７の結果が「Ｙ」）、客待ちデモ設定処理を実行し（Ｂ１３０８）、単発系コマンド処理を終了する。
【０８５９】
演出制御装置３００は、ＭＯＤＥ部が客待ちデモコマンドを表していない場合には（Ｂ１３０７の結果が「Ｎ」）、次に、ＭＯＤＥ部が飾り特図１保留数コマンド（Ａ３２０７）を表すか否かを判定する（Ｂ１３０９）。そして、ＭＯＤＥ部が飾り特図１保留数コマンドを表す場合には（Ｂ１３０９の結果が「Ｙ」）、特図１保留情報設定処理を実行し（Ｂ１３１０）、単発系コマンド処理を終了する。
【０８６０】
演出制御装置３００は、ＭＯＤＥ部が飾り特図１保留数コマンドを表していない場合には（Ｂ１３０９の結果が「Ｎ」）、次に、ＭＯＤＥ部が飾り特図２保留数コマンド（Ａ３２０３）を表すか否かを判定する（Ｂ１３１１）。そして、ＭＯＤＥ部が飾り特図２保留数コマンドを表す場合には（Ｂ１３１１の結果が「Ｙ」）、特図２保留情報設定処理を実行し（Ｂ１３１２）、単発系コマンド処理を終了する。
【０８６１】
演出制御装置３００は、ＭＯＤＥ部が飾り特図２保留数コマンドを表していない場合には（Ｂ１３１１の結果が「Ｎ」）、次に、ＭＯＤＥ部が確率情報コマンドを表すか否かを判定する（Ｂ１３１３）。そして、ＭＯＤＥ部が確率情報コマンドを表す場合には（Ｂ１３１３の結果が「Ｙ」）、確率情報設定処理を実行し（Ｂ１３１４）、単発系コマンド処理を終了する。
【０８６２】
演出制御装置３００は、ＭＯＤＥ部が確率情報コマンドを表していない場合には（Ｂ１３１３の結果が「Ｎ」）、次に、ＭＯＤＥ部がエラー／不正系のコマンドを表すか否かを判定する（Ｂ１３１５）。なお、エラー／不正系のコマンドとして、例えば、不正発生コマンド（Ａ２１０８）、不正解除コマンド（Ａ２１１６）、状態オフコマンド（Ａ２４０４）、状態オンコマンド（Ａ２４０７）がある。そして、ＭＯＤＥ部がエラー／不正系のコマンドを表す場合には（Ｂ１３１５の結果が「Ｙ」）、エラーや不正の報知や報知解除をするためのエラー／不正設定処理を実行し（Ｂ１３１６）、単発系コマンド処理を終了する。
【０８６３】
演出制御装置３００は、ＭＯＤＥ部がエラー／不正系のコマンドを表していない場合には（Ｂ１３１５の結果が「Ｎ」）、次に、ＭＯＤＥ部が演出モード切替用のコマンド（例えば、Ａ５１３９の演出モード切替準備コマンド）を表すか否かを判定する（Ｂ１３１７）。そして、ＭＯＤＥ部が演出モード切替用のコマンドを表す場合には（Ｂ１３１７の結果が「Ｙ」）、演出モード切替設定処理を実行し（Ｂ１３１８）、単発系コマンド処理を終了する。
【０８６４】
演出制御装置３００は、ＭＯＤＥ部が演出モード切替用のコマンドを表していない場合には（Ｂ１３１７の結果が「Ｎ」）、次に、ＭＯＤＥ部がカウントのコマンド（Ａ３１０７、Ａ３１１１の大入賞口カウントコマンド）を表すか否かを判定する（Ｂ１３１９）。そして、ＭＯＤＥ部がカウントのコマンドを表す場合には（Ｂ１３１９の結果が「Ｙ」）、カウント情報設定処理を実行し（Ｂ１３２０）、単発系コマンド処理を終了する。カウント情報設定処理の詳細は、後述する。
【０８６５】
演出制御装置３００は、ＭＯＤＥ部がカウントのコマンドを表していない場合には（Ｂ１３１９の結果が「Ｎ」）、次に、ＭＯＤＥ部が賞球に関する情報（Ａ２３１７の役物比率の算出結果に対応するコマンド）を表すか否かを判定する（Ｂ１３２１）。そして、ＭＯＤＥ部が賞球に関する情報を表す場合には（Ｂ１３２１の結果が「Ｙ」）、役物比率設定処理を実行し（Ｂ１３２２）、単発系コマンド処理を終了する。役物比率設定処理の詳細は、後述する。
【０８６６】
演出制御装置３００は、ＭＯＤＥ部が賞球に関する情報を表していない場合には（Ｂ１３２１の結果が「Ｎ」）、次に、ＭＯＤＥ部が図柄停止のコマンドを表すか否かを判定する（Ｂ１３２３）。なお、図柄停止のコマンドには、例えば、特図１の図柄停止コマンドと特図２の図柄停止コマンドがある。そして、ＭＯＤＥ部が図柄停止のコマンドを表す場合には（Ｂ１３２３の結果が「Ｙ」）、演出制御装置３００は、次に、ＭＯＤＥ部のコマンドが正常なコマンドであるか否かを判定する（Ｂ１３２４）。
【０８６７】
ＭＯＤＥ部のコマンドが正常なコマンドである場合には（Ｂ１３２４の結果が「Ｙ」）、演出制御装置３００は、対応する特図の停止態様を設定し（Ｂ１３２５）、全図柄が停止した後に遊技状態フラグを通常状態に設定して（Ｂ１３２６）、単発系コマンド処理を終了する。Ｂ１３２６の処理では、一例として、遊技状態フラグを通常状態に設定しているが、本処理が実行されるタイミングによって、遊技状態フラグは、「変動中」「大当り中」「小当り中」のフラグが設定される。
【０８６８】
一方、ＭＯＤＥ部が図柄停止のコマンドを表していない場合（Ｂ１３２３の結果が「Ｎ」）、または、ＭＯＤＥ部のコマンドが正常ではない場合（Ｂ１３２４の結果が「Ｎ」）には、演出制御装置３００は、単発系コマンド処理を終了する。
【０８６９】
〔カウント情報設定処理〕
次に、図８９を参照して、前述した単発系コマンド処理（図８８）におけるカウント情報設定処理（Ｂ１３２０）の詳細について説明する。図８９は、演出制御装置３００によって実行されるカウント情報設定処理の手順を示すフローチャートである。カウント情報設定処理は、特別遊技状態における獲得出玉数をカウントするものであり、単発系のコマンドとして受信したコマンドのうち、ＭＯＤＥ部がカウントを表す場合に実行される。
【０８７０】
演出制御装置３００は、まず、受信したカウントのコマンド（大入賞口カウントコマンド）が正常なコマンドであるか否かを判定する（Ｂ１４０１）。コマンドが正常である場合には（Ｂ１４０１の結果が「Ｙ」）、演出制御装置３００は、次に、現在の遊技機１０が大当り動作中（大当り状態中）であるか否かを判定する（Ｂ１４０２）。
【０８７１】
大当り動作中である場合には（Ｂ１４０２の結果が「Ｙ」）、演出制御装置３００は、現在のラウンド中のカウント数を＋１更新して、獲得出玉数に大入賞口の賞球数（ここでは１４）を加算する（Ｂ１４０３、Ｂ１４０４）。なお、大当りのエンディングが終了する時点で、獲得出玉数は０クリアされる。獲得出玉数は、ＲＡＭ内（例えばＲＡＭ３２２内）の出玉数領域に保存される。
【０８７２】
次に、演出制御装置３００は、出玉数表示の更新設定を行い（Ｂ１４０５）、カウント情報設定処理を終了する。出玉数表示として、獲得出玉数を表示装置４１等に表示する。
【０８７３】
一方、受信したコマンドが正常ではない場合（Ｂ１４０１の結果が「Ｎ」）、又は現在の遊技機１が大当り動作中ではない場合には（Ｂ１４０２の結果が「Ｎ」）、カウント情報設定処理を終了する。
【０８７４】
〔役物比率設定処理〕
次に、図９０を参照して、前述した単発系コマンド処理（図８８）における役物比率設定処理（Ｂ１３２２）の詳細について説明する。図９０は、演出制御装置３００によって実行される役物比率設定処理の手順を示すフローチャートである。役物比率設定処理は、全役物比率（いわゆる役物比率）と連続役物比率を保存し、これらを表示設定するものであり、演出制御装置３００が単発系のコマンドとして賞球に関する情報（Ａ２３１７の役物比率の算出結果に対応するコマンド）を受信した場合に実行される。
【０８７５】
演出制御装置３００は、まず、受信した賞球に関する情報のコマンドが正常なコマンドであるか否かを判定する（Ｂ１５０１）。コマンドが正常でない場合には（Ｂ１５０１の結果が「Ｎ」）、役物比率設定処理を終了する。
【０８７６】
演出制御装置３００は、コマンドが正常である場合（Ｂ１５０１の結果が「Ｙ」）、受信したコマンドが全役物比率の算出結果に対応するか否か判定する（Ｂ１５０２）。受信したコマンドが全役物比率の算出結果に対応しない場合（Ｂ１５０２の結果が「Ｎ」）、ステップＢ１５０５の処理に移行する。受信したコマンドが全役物比率の算出結果に対応する場合（Ｂ１５０２の結果が「Ｙ」）、全役物比率をＲＡＭ内に保存し（Ｂ１５０３）、全役物比率を表示装置４１に表示するための表示設定を実行する（Ｂ１５０４）。
【０８７７】
次に、演出制御装置３００は、受信したコマンドが連続役物比率の算出結果に対応するか否か判定する（Ｂ１５０５）。受信したコマンドが連続役物比率の算出結果に対応しない場合（Ｂ１５０５の結果が「Ｎ」）、役物比率設定処理を終了する。受信したコマンドが連続役物比率の算出結果に対応する場合（Ｂ１５０５の結果が「Ｙ」）、連続役物比率をＲＡＭ内に保存し（Ｂ１５０６）、連続役物比率を表示装置４１に表示するための表示設定を実行し（Ｂ１５０７）、役物比率設定処理を終了する。
【０８７８】
なお、大当り終了タイミングで受信した全役物比率と連続役物比率は、大当り終了タイミングでの獲得出玉数（大当り中の最終的な獲得出玉数）と共に、１つのセットとして、ＲＡＭ内（例えばＲＡＭ３２２内）の大当り履歴領域に保存される（Ｂ１５０３、Ｂ１５０６）。なお、大当り履歴領域には、遊技機１０の電源投入から発生した大当りの順に、大当り履歴１、大当り履歴２、大当り履歴３、・・・が保存されており、大当り履歴毎に、全役物比率と連続役物比率と獲得出玉数がセットになって保存されている。また、全役物比率と連続役物比率は、表示設定（Ｂ１５０４、Ｂ１５０７）によって、大当り終了タイミングにおいて、大当り履歴として表示装置４１に表示される。大当り終了タイミングにおいて表示される役物比率は、ある１つの特別遊技の終了時（初回の特別遊技終了前は遊技機１０の電源投入時）から、次の特別遊技（大当り）の終了時までの期間に得た賞球数に対して算出される役物比率である。
【０８７９】
また、ＲＡＭ内において、高確率終了タイミングや時短終了タイミングにおいて略同じタイミングで受信した全役物比率と連続役物比率は１つのセット（ペア）として関連付けて保存される。また、全役物比率と連続役物比率は、表示設定（Ｂ１５０４、Ｂ１５０７）によって、高確率終了タイミング、及び、時短終了タイミングにおいて同時に表示装置４１に表示される。高確率終了タイミングや時短終了タイミングにおいて表示される役物比率は、前回の特別遊技の終了時から、特定遊技状態（高確率状態や時短状態）が終了するまでの期間に得た賞球数に対して算出される役物比率である。
【０８８０】
〔図柄系コマンド処理〕
次に、図９１を参照して、第３実施形態に係る図柄系コマンド処理の詳細について説明する。図柄系コマンド処理は、受信コマンド解析処理（図８０）のステップＢ１２１０で実行される。図９１は、演出制御装置３００によって実行される図柄系コマンド処理の手順を示すフローチャートである。
【０８８１】
演出制御装置３００は、受信した図柄系コマンド（飾り特図１コマンド又は飾り特図２コマンド）のＭＯＤＥ部に対応する特図種別を設定する（Ｂ１８０１）。特図種別は、特図１又は特図２である。そして、図柄系コマンドのＭＯＤＥ部とＡＣＴＩＯＮ部（ＡＣＴ部）の組合せに対応する図柄種別を設定し、ＲＡＭ内の所定領域にセーブする（Ｂ１８０２）。ここで、特図１と特図２では、図柄の振分け割合が変わるので、ＭＯＤＥ毎にテーブルを使用して、図柄種別を設定する。なお、本実施形態において、図柄種別は、はずれ図柄や、４Ｒ確変大当り図柄、１６Ｒ確変大当り図柄などがある。
【０８８２】
〔変動系コマンド処理〕
次に、図９２を参照して、第３実施形態に係る変動系コマンド処理の詳細について説明する。変動系コマンド処理は、受信コマンド解析処理（図８０）におけるステップＢ１２０６において実行される。図９２は、演出制御装置３００によって実行される変動系コマンド処理の手順を示すフローチャートである。
【０８８３】
演出制御装置３００は、受信した変動系コマンド（変動コマンド）の特図種別（特図１又は特図２）が未確定であるか否かを判定する（Ｂ１９０１）。特図種別が未確定である場合（Ｂ１９０１の結果が「Ｙ」）、変動系コマンド処理を終了する。特図種別が未確定でない場合（Ｂ１９０１の結果が「Ｎ」）、受信した変動系コマンドと図柄系コマンドの組合せをチェックし（Ｂ１９０２）、変動系コマンドと図柄種別が不整合であるか否かを判定する（Ｂ１９０３）。ここで、不整合とは、はずれの変動系コマンドを受信したのに大当り図柄の図柄系コマンドを受信していた場合など、演出を行う上で矛盾してしまうことである。変動系コマンドと図柄種別が不整合である場合（Ｂ１９０３の結果が「Ｙ」）、変動系コマンド処理を終了する。
【０８８４】
演出制御装置３００は、変動系コマンドと図柄種別が不整合でない場合（Ｂ１９０３の結果が「Ｎ」）、変動系コマンド（変動コマンド）から変動パターン種別を判別し（Ｂ１９０４）、変動中の演出である変動演出を設定する変動演出設定処理を実行する（Ｂ１９０５）。なお、同じ変動系コマンドに対して、複数の演出が存在する。続いて、遊技状態（Ｐ機状態）を示す遊技状態フラグに特図変動中を設定し（Ｂ１９０６）、連続演出等の先読み演出回数が０でなければ−１更新する（Ｂ１９０７）。そして、特図変動回数を＋１更新し（Ｂ１９０８）、変動系コマンド処理を終了する。なお、特図変動回数は、遊技機１０の電源投入からの特図変動表示ゲームの実行回数（スタート数）であり、更新後の特図変動回数は、ＲＡＭ内（例えばＲＡＭ３２２内）の特図変動回数領域に保存される。
【０８８５】
〔大当り系コマンド処理〕
次に、図９３を参照して、第３実施形態に係る大当り系コマンド処理の詳細について説明する。大当り系コマンド処理は、受信コマンド解析処理（図８０）におけるステップＢ１２０８において実行される。図９３は、演出制御装置３００によって実行される大当り系コマンド処理の手順を示すフローチャートである。
【０８８６】
演出制御装置３００は、まず、受信した大当り系コマンドのＭＯＤＥ部がファンファーレを表すか否かを判定する（Ｂ２１０１）。大当り系コマンドのＭＯＤＥ部がファンファーレを表す場合（Ｂ２１０１の結果が「Ｙ」）、即ち、大当り系コマンドがファンファーレコマンドである場合、ファンファーレ演出を設定するためのファンファーレ演出設定処理を実行する（Ｂ２１０２）。なお、ファンファーレコマンドには、今回の大当りのラウンド数上限値の情報が含まれている。続いて、現在の遊技機１０の遊技状態（Ｐ機状態）を示す遊技状態フラグにファンファーレ中を設定し（Ｂ２１０３）、大当り系コマンド処理を終了する。なお、ラウンド数上限値は、図柄系コマンド（停止図柄パターンに対応する飾り特図コマンド）から判定される図柄種別からも得ることができる。
【０８８７】
演出制御装置３００は、受信した大当り系コマンドのＭＯＤＥ部がファンファーレを表さない場合には（Ｂ２１０１の結果が「Ｎ」）、大当り系コマンドのＭＯＤＥ部がラウンドを表すか否かを判定する（Ｂ２１０４）。ＭＯＤＥ部がラウンドを表す場合（Ｂ２１０４の結果が「Ｙ」）、即ち、大当り系コマンドがラウンドコマンドである場合、演出制御装置３００は、ラウンド演出設定処理を実行し、現在の遊技機１０の遊技状態（Ｐ機状態）を示す遊技状態フラグにラウンド中を設定し（Ｂ２１０５、Ｂ２１０６）、大当り系コマンド処理を終了する。
【０８８８】
受信した大当り系コマンドのＭＯＤＥ部がラウンドを表さない場合には（Ｂ２１０４の結果が「Ｎ」）、演出制御装置３００は、大当り系コマンドのＭＯＤＥ部がインターバルを表すか否かを判定する（Ｂ２１０７）。ＭＯＤＥ部がインターバルを表す場合（Ｂ２１０７の結果が「Ｙ」）、即ち、大当り系コマンドがインターバルコマンドである場合、演出制御装置３００は、インターバル演出設定処理を実行し、現在の遊技機１０の遊技状態（Ｐ機状態）を示す遊技状態フラグにインターバル中を設定し（Ｂ２１０８、Ｂ２１０９）、大当り系コマンド処理を終了する。
【０８８９】
受信した大当り系コマンドのＭＯＤＥ部がインターバルを表さない場合には（Ｂ２１０７の結果が「Ｎ」）、演出制御装置３００は、大当り系コマンドのＭＯＤＥ部がエンディングを表すか否かを判定する（Ｂ２１１０）。ＭＯＤＥ部がエンディングを表す場合（Ｂ２１１０の結果が「Ｙ」）、即ち、大当り系コマンドがエンディングコマンドである場合、演出制御装置３００は、役物比率と大当り中の獲得出玉数に対応する演出ポイントを加算する際の演出表示としてポイント加算演出表示を設定する（Ｂ２１１１）。なお、ポイント加算演出表示では、例えば、表示装置４１にキャラクタを出現させる。
【０８９０】
続いて、演出制御装置３００は、役物比率（全役物比率と連続役物比率の両方またはいずれか）に対応したエンディング演出を設定するためのエンディング演出設定処理を実行し（Ｂ２１１２）、現在の遊技機１０の遊技状態（Ｐ機状態）を示す遊技状態フラグにエンディング中を設定し（Ｂ２１１３）、大当り系コマンド処理を終了する。なお、エンディング演出を最終的な獲得出玉数にも対応させて設定してもよい。
【０８９１】
なお、受信した大当り系コマンドのＭＯＤＥ部がエンディングを表さない場合には（Ｂ２１１０の結果が「Ｎ」）、演出制御装置３００は、いずれの処理も実行せずに、大当り系コマンド処理を終了する。
【０８９２】
〔演出ポイント制御処理〕
次に、図９４を参照して、第３実施形態に係る演出ポイント制御処理の詳細について説明する。演出ポイント制御処理は、メイン処理（図７８）におけるステップＢ１０１１において実行される。図９４は、演出制御装置３００によって実行される演出ポイント制御処理の手順を示すフローチャートである。なお、演出ポイントには、過去の遊技から現在までに獲得したポイントの累計である所有ポイントと、今回の遊技中（所定期間）に獲得したポイントである遊技中獲得ポイントがある。
【０８９３】
演出制御装置３００は、まず、演出ポイント対象（演出ポイントを付与する対象）の先読み演出が実行されたか否かを判定する（Ｂ２５０１）。なお、先読み演出は、先読み図柄系コマンドと先読み変動系コマンドに基づいて実行される演出であって、連続演出（連続予告）、保留変化予告、先読みゾーン予告などの演出である。演出ポイント対象の先読み演出が実行されていない場合（Ｂ２５０１の結果が「Ｎ」）、ステップＢ２５０４の処理に移行する。演出ポイント対象の先読み演出が実行された場合（Ｂ２５０１の結果が「Ｙ」）、所有ポイント数に演出に対応するポイントを加算し（Ｂ２５０２）、遊技中獲得ポイント数に演出に対応するポイントを加算する（Ｂ２５０３）。
【０８９４】
次に、演出制御装置３００は、演出ポイント対象の変動演出が実行されたか否かを判定する（Ｂ２５０４）。ここで、変動演出は、現在実行中の特図変動表示ゲームの結果に関連する演出（予告演出等）である。演出ポイント対象の変動演出が実行されていない場合
（Ｂ２５０４の結果が「Ｎ」）、ステップＢ２５０７の処理に移行する。演出ポイント対象の変動演出が実行された場合（Ｂ２５０４の結果が「Ｙ」）、所有ポイント数に演出に対応するポイントを加算し（Ｂ２５０５）、遊技中獲得ポイント数に演出に対応するポイントを加算する（Ｂ２５０６）。
【０８９５】
続いて、演出制御装置３００は、演出ポイント対象となる入力条件が成立したか否かを判定する（Ｂ２５０７）。演出ポイントが付与される演出ポイント対象の演出ボタン操作があった場合、この入力条件が成立したと判定される。演出ポイント対象となる入力条件が成立していない場合（Ｂ２５０７の結果が「Ｎ」）、ステップＢ２５１０の処理に移行する。演出ポイント対象となる入力条件が成立した場合（Ｂ２５０７の結果が「Ｙ」）、所有ポイント数に入力（ここでは演出ボタン操作）に対応するポイントを加算し（Ｂ２５０８）、遊技中獲得ポイント数に入力（ここでは演出ボタン操作）に対応するポイントを加算する（Ｂ２５０９）。
【０８９６】
その後、演出制御装置３００は、大当りのエンディングでの加算タイミングであるか否かを判定する（Ｂ２５１０）。大当りのエンディングでの加算タイミングでない場合（Ｂ２５１０の結果が「Ｎ」）、ステップＢ２５１３の処理に移行する。大当りのエンディングでの加算タイミングである場合（Ｂ２５１０の結果が「Ｙ」）、所有ポイント数に役物比率（全役物比率と連続役物比率の両方またはいずれか）と今回の大当りにおける獲得出玉数に対応するポイントを加算し（Ｂ２５１１）、遊技中獲得ポイント数に役物比率（全役物比率と連続役物比率の両方またはいずれか）と今回の大当りにおける獲得出玉数に対応するポイントを加算する（Ｂ２５１２）。
【０８９７】
次に、演出制御装置３００は、遊技中獲得ポイント数に関してキャラクタレベルアップ条件が成立したか否かを判定する（Ｂ２５１３）。例えば、遊技中獲得ポイント数が所定値以上の場合にキャラクタレベルアップ条件が成立したと判定できる。キャラクタレベルアップ条件が成立していない場合（Ｂ２５１３の結果が「Ｎ」）、ステップＢ２５１６の処理に移行する。遊技中獲得ポイント数に関してキャラクタレベルアップ条件が成立した場合（Ｂ２５１３の結果が「Ｙ」）、キャラクタの態様（例えばコスチューム）に対応するキャラクタレベル（Ｌｖ）を更新し（Ｂ２５１４）、キャラクタの態様のレベルアップ（態様変化）に関連するキャラクタレベルアップ演出の描画設定を行う（Ｂ２５１５）。なお、キャラクタレベルアップ演出は、前述のナビキャラ６７０のレベルアップでもよいし、ナビキャラ６７０以外のキャラクタの態様のレベルアップに使用されるものでよい。
【０８９８】
続いて、演出制御装置３００は、パスワード入力によるポイント復活条件が成立したか否かを判定する（Ｂ２５１６）。パスワード入力は、例えば、演出ボタン２５の操作による入力であり、パスワードは携帯端末連動サービスによって携帯端末（携帯電話等）によって取得できる。ポイント復活条件は、例えば、パスワードが正しいものであることである。ポイント復活条件が成立していない場合（Ｂ２５１６の結果が「Ｎ」）、ステップＢ２５１９に移行する。ポイント復活条件が成立している場合（Ｂ２５１６の結果が「Ｙ」）、所有ポイント数をパスワード内容に対応した値に設定し（Ｂ２５１７）、パスワード内容に対応するキャラクタレベル（Ｌｖ）や演出カスタマイズ情報を復元する（Ｂ２５１８）。なお、演出カスタマイズ情報は機種毎の情報である。
【０８９９】
次に、演出制御装置３００は、二次元コードを表示装置４１に描画するための二次元コード描画操作があった否かを判定する（Ｂ２５１９）。例えば、二次元コード描画操作は、演出ボタン２５の所定操作（タッチパネルへの操作や押下操作など）である。二次元コード描画操作がない場合（Ｂ２５１９の結果が「Ｎ」）、演出ポイント制御処理を終了する。二次元コード描画操作があった場合（Ｂ２５２０の結果が「Ｙ」）、所有ポイント数、キャラクタＬｖ、演出カスタマイズ情報に基づいてパスワードを生成し（Ｂ２５２０）、生成したパスワードに対応する二次元コードの描画設定を行う（Ｂ２５２１）。その後、演出ポイント制御処理を終了する。
【０９００】
〔ホール・遊技者設定モード処理〕
まず、図９５を参照して、前述したメイン処理（図７８）における第３実施形態に係るホール・遊技者設定モード処理（Ｂ１０１０）の詳細について説明する。図９５は、演出制御装置３００によって実行されるホール・遊技者設定モード処理の手順を示すフローチャートである。ホール・遊技者設定モード処理によって、ホール（遊技店）の係員等が遊技機１０の各種設定を行えるホール設定モード、又は、遊技者が遊技機１０の各種設定を行える遊技者設定モードを起動させることができる。
【０９０１】
演出制御装置３００は、まず、ホール設定モード中であるか否か判定する（Ｂ２７０１）。後述のホール設定モード中フラグが設定されている場合に、ホール設定モード中であると判定できる。ホール設定モード中である場合に（Ｂ２７０１の結果が「Ｙ」）、Ｂ２７０６−Ｂ２７１６の処理を行って、ホール（遊技店）の係員等による演出ボタン２５（演出ボタンスイッチ２５ａ、タッチパネル２５ｂ）の操作に基づいて、各種設定や各種調整を行う。
【０９０２】
演出制御装置３００は、ホール設定モード中でない場合に（Ｂ２７０１の結果が「Ｎ」）、遊技者設定モード中であるか否か判定する（Ｂ２７０２）。後述の遊技者設定モード中フラグが設定されている場合に、遊技者設定モード中であると判定できる。遊技者設定モード中である場合に（Ｂ２７０２の結果が「Ｙ」）、Ｂ２７２０−Ｂ２７２５の処理を行って、遊技者による演出ボタン２５の操作に基づいて各種設定や各種調整を行う。
【０９０３】
演出制御装置３００は、遊技者設定モード中でない場合に（Ｂ２７０２の結果が「Ｎ」）、ホール設定モード開始条件が成立したか否か判定する（Ｂ２７０３）。例えば、客待ち中に、ホール設定モードに入るための演出ボタン２５の操作が操作信号として演出ボタン入力処理（Ｂ１００９）で検出された場合などに、ホール設定モード開始条件が成立したと判定できる。なお、客待ち中とは、例えば、前述の客待ち状態中のことであり、表示装置４１に客待ち用の映像（客待ちデモ）が表示されるような客待ちデモ状態を含む。ホール設定モード開始条件が成立していない場合に（Ｂ２７０３の結果が「Ｎ」）、Ｂ２７１７の処理を実行する。
【０９０４】
演出制御装置３００は、ホール設定モード開始条件が成立した場合に（Ｂ２７０３の結果が「Ｙ」）、ホール設定モードにおける表示装置４１に対する画面描画（ホール設定画面の描画）を開始するための画面描画開始設定を行う（Ｂ２７０４）。そして、ホール設定モード中フラグを設定する（Ｂ２７０５）。
【０９０５】
次に、演出制御装置３００は、ホールの係員等による演出ボタン２５の操作に基づいて、上スピーカ１９ａ及び下スピーカ１９ｂの音量を調整するホール音量調整処理（Ｂ２７０６）、枠装飾装置１８や盤装飾装置４６のＬＥＤの輝度を調整するホールＬＥＤ輝度調整処理（Ｂ２７０７）、表示装置４１の表示部（液晶ディスプレイ等）の輝度を調整する液晶輝度調整処理（Ｂ２７０８）、省電力の設定を行う省電力設定処理（Ｂ２７０９）を実行する。
【０９０６】
次に、演出制御装置３００は、ロゴ役物の発行色等を設定するロゴカラー設定処理を実行する（Ｂ２７１０）。そして、設定確定操作入力があったか否か判定する（Ｂ２７１１）。演出ボタン２５の設定確定操作による操作信号が演出ボタン入力処理（Ｂ１００９）で検出された場合に、設定確定操作入力があったと判定できる。設定確定操作入力がない場合に（Ｂ２７１１の結果が「Ｎ」）、ホール・遊技者設定モード処理を終了する。
【０９０７】
演出制御装置３００は、設定確定操作入力があった場合に（Ｂ２７１１の結果が「Ｙ」）、工場出荷時の設定で確定したか否か判定する（Ｂ２７１２）。設定確定操作以外に演出ボタン２５の操作がなかった場合に、工場出荷時の設定で確定したと判定できる。工場出荷時の設定で確定しなかった場合に（Ｂ２７１２の結果が「Ｎ」）、Ｂ２７１４の処理に進む。工場出荷時の設定で確定した場合に（Ｂ２７１２の結果が「Ｙ」）、工場出荷時の設定で各種設定や各種調整を行う工場出荷時設定処理を実行する（Ｂ２７１３）。工場出荷時の設定は、ＲＯＭ３２１等のメモリに記憶されているデフォルトの設定である。次に、Ｂ２７０６−Ｂ２７１０やＢ２７１３で決定された音量や各種輝度などのホール設定データ（又はホール調整データ）をバックアップメモリ（例えばＦｅＲＡＭ３２３）に書き込む（Ｂ２７１４）。
【０９０８】
次に、演出制御装置３００は、ホール設定モードにおける表示装置４１に対する画面描画を終了するための画面描画終了設定を行う（Ｂ２７１５）。そして、ホール設定モード中フラグをクリアする（Ｂ２７１６）。
【０９０９】
演出制御装置３００は、ホール設定モード開始条件が成立していない場合に（Ｂ２７０３の結果が「Ｎ」）、遊技者設定モード開始条件が成立したか否か判定する（Ｂ２７１７）。客待ち中において、遊技者設定モードに入るための演出ボタン２５の操作が操作信号として演出ボタン入力処理（Ｂ１００９）で検出された場合などに、遊技者設定モード開始条件が成立したと判定できる。なお、客待ち中とは、例えば、前述の客待ち状態中のことであり、表示装置４１に客待ち用の映像（客待ちデモ）が表示されるような客待ちデモ状態を含む。遊技者設定モード開始条件が成立していない場合に（Ｂ２７１７の結果が「Ｎ」）、ホール・遊技者設定モード処理を終了する。
【０９１０】
演出制御装置３００は、遊技者設定モード開始条件が成立した場合に（Ｂ２７１７の結果が「Ｙ」）、遊技者設定モードにおける表示装置４１に対する画面描画を開始するための画面描画開始設定を行う（Ｂ２７１８）。なお、この画面描画によって、各種選択をするためのメニュー表示と役物比率（連続役物比率と全役物比率）が、音量調整のための音量調整表示（ゲージ、メータ等）、ＬＥＤ輝度調整のための輝度調整表示（ゲージ、メータ等）などと共に、表示装置４１に表示される。そして、遊技者設定モード中フラグを設定する（Ｂ２７１９）。
【０９１１】
次に、演出制御装置３００は、遊技者による演出ボタン２５の操作に基づいて、上スピーカ１０ａ及び下スピーカ１０ｂの音量を調整する遊技者音量調整処理（Ｂ２７２０）と、枠装飾装置１８や盤装飾装置４６のＬＥＤの輝度を調整する遊技者ＬＥＤ輝度調整処理（Ｂ２７２１）を実行する。
【０９１２】
次に、演出制御装置３００は、遊技者による演出ボタン２５等の操作に基づいて演出をカスタマイズ（個別設定）する演出カスタマイズ処理を実行する（Ｂ２７２２）。そして、設定確定操作入力があったか否か判定する（Ｂ２７２３）。設定確定操作入力がない場合に（Ｂ２７２３の結果が「Ｎ」）、ホール・遊技者設定モード処理を終了する。設定確定操作入力があった場合に（Ｂ２７２３の結果が「Ｙ」）、遊技者設定モードにおける表示装置４１に対する画面描画を終了するための画面描画終了設定を行う（Ｂ２７２４）。そして、遊技者設定モード中フラグをクリアする（Ｂ２７２５）。なお、Ｂ２７２０−Ｂ２７２１で決定された音量や輝度などの遊技者設定データ（又は遊技者調整データ）は、消えてもよいため、バックアップメモリに書き込まない。
【０９１３】
なお、上記において、一旦ホール設定モード又は遊技者設定モードに入った後の描画更新設定（メニュー表示におけるハイライト項目の更新など)は、演出ボタン入力処理（Ｂ１００９）の方で行うものとする。
【０９１４】
［画面遷移］
図９６Ａと図９６Ｂは、第３実施形態において、表示装置４１の表示画面を時系列で示した画面遷移図であり、遊技全体の画面遷移の一例である。
【０９１５】
図９６Ａの（ア）は、特図変動表示ゲームを開始する直前の表示画面である。複数の変動表示領域６１０（左領域６１０ａ、右領域６１０ｂ、中領域６１０ｃ）には、前回の特図変動表示ゲームのはずれ停止図柄が表示されている。また、四角形枠の保留消化領域６４０が表示画面の中央下部に表示される。
【０９１６】
第３実施形態において、保留表示部６３０（始動記憶表示部）は、第１始動記憶を第１保留表示（第１始動記憶表示）として表示する第１保留表示部６３０ａと、第２始動記憶を第２保留表示（第２始動記憶表示）として表示する第２保留表示部６３０ｂからなる。第１保留表示部６３０ａに第１保留表示として保留表示６３３が３つ表示されている。第２保留表示部６３０ｂには、現時点で、保留表示６３３は表示されていない。なお、保留表示６３３ｂ（黒）は、保留変化予告により通常態様から色が変化した保留表示である。
【０９１７】
表示装置４１の表示画面の右上隅の特図１保留数表示部６５０と特図２保留数表示部６６０には、それぞれ、特図１保留数を示す数字「３」と特図２保留数を示す数字「０」が表示されている。
【０９１８】
（イ）は、特図変動表示ゲームを開始するタイミングでの表示画面である。保留消化領域６４０に第１保留表示部６３０ａの右端の保留表示６３３が移動するような演出が行われる。以後、実行中の特図変動表示ゲームに係る保留（この特図変動表示ゲームの実行権利となっていた始動記憶）を示す保留対応表示６３３ａ（変動中保留表示）が、保留消化領域６４０に表示されることになる。そして、飾り特別図柄の変動（↓↓↓）が変動表示領域６１０で開始し、同時に、飾り縮小図柄の変動（↓↓↓）が変動表示領域６１５で開始する。また、特図１保留数表示部６５０において、特図１保留数を示す数字が「２」に減少する。なお、特図変動表示ゲームの結果が大当りの場合に、変動表示領域６１５と変動表示領域６１０の停止結果（停止図柄）は共通の態様（共通の数字）となるが、はずれの場合には、共通の態様でなくててよい。
【０９１９】
その後、（ウ）では、左領域６１０ａと右領域６１０ｂにおいて、同一の飾り特別図柄（識別情報）が停止して、リーチが発生している。そして、種々のリーチ演出が実行された後、（エ）では、大当りの停止図柄が表示され、以降、特別遊技状態（大当り状態）において、所定ラウンド回数（ここでは１６回）だけ特別変動入賞装置３９の開閉回数が繰り返されることによって、所定ラウンド回数分のラウンド遊技が実行される。
【０９２０】
（オ）は、大当り状態（特別遊技状態）中の途中の８Ｒの表示画面を示す。ここで、大当りラウンド演出が行われるとともに、大当り状態中に獲得した獲得出玉数（図８９のＢ１４０４、Ｂ１４０５）が大入賞口への入賞が発生する度に更新されて表示されている。（カ）は、最終ラウンド（１６Ｒ）の画面を示す。
【０９２１】
図９６Ｂの（キ）は、大当り状態終了の際のエンディング中における表示装置４１の表示画面を示す。エンディング中に、大当り履歴として、大当り中に獲得した獲得出玉数と、大当り終了タイミングで演出制御装置３００が受信した全役物比率と連続役物比率が、大当り履歴表示部７６０に表示されている。大当り履歴表示部７６０は、役物比率を表示する役物比率表示領域８００を含む。なお、全役物比率は、一般的に使用されるいわゆる役物比率であるため、「役物比率」と表示されている。ここで表示される役物比率は、１つの特別遊技の終了時（初回の特別遊技終了前は遊技機１０の電源投入時）から次の特別遊技（大当り）が終了するまでの期間に得た賞球数に対して算出される役物比率であるが、遊技機１０の電源投入から各特別遊技の終了までの全期間に得た賞球数に対して算出される役物比率でもよい。
【０９２２】
また、大当り履歴（履歴情報）は、直近の３つ（ここでは、大当り履歴１、大当り履歴２、大当り履歴３）が表示されているが、大当り履歴を大当り履歴表示部７６０に何個表示するかは、遊技者設定モードで遊技者が設定可能である。大当り履歴（獲得出玉数、全役物比率、連続役物比率）は、他の表示と重ならないように表示されるか、重なっても前面側に優先して表示される。なお、全役物比率と連続役物比率を数字ではなく、円グラフや棒グラフで表示することも可能である。
【０９２３】
また、大当り中の獲得出玉数と役物比率に応じた演出ポイントを加算する際のポイント加算演出として、例えば、表示装置４１にキャラクタ７７０を出現させるとともに、キャラクタ７７０のセリフを表示するセリフ表示部７７０ａに、獲得出玉数と演出ポイントの加算値（ここでは１００ポイント）が表示される。キャラクタ７７０やその形態は、演出ポイントの加算値（ひいては獲得出玉数と役物比率）に応じて設定されてよい。
【０９２４】
さらに、エンディング中に実行されるエンディング演出（図９３のＢ２１１２）として、流れ星が流れるような演出（装飾）が表示されている。エンディング演出（背景含む）は、獲得出玉数などの賞球に関連する情報や役物比率に応じて、設定されてよい。役物比率に応じた演出によって、役物比率さらには遊技機の状態を判断可能となるとともに、遊技の興趣が向上する。なお、エンディング演出は、遊技盤３０のセンターケース４０の近傍に設けられているＬＥＤ（盤装飾装置４６）を役物比率に応じた色（例えば、「緑」、「黄」、「青」の順に役物比率が低くなる）で発光させる装飾演出を含んでよい。また、役物比率が低いほど、大当りまでに消化した特図変動表示ゲームの回数が多い可能性があるため、労をねぎらうために、遊技者に対して良い印象を与えるエンディング演出が設定されてよい。また、獲得出玉数が大きいほど、讃えるために遊技者に対して良い印象を与えるエンディング演出が設定されてよい。なお、エンディング演出以外の演出（例えば変動演出）を役物比率に応じて設定する構成も可能である。
【０９２５】
（ク）では、大当り状態終了後に特定遊技状態（高確率状態又は時短状態）「ＲＵＳＨ」が発生した場合の表示画面を示す。（ケ）では、特定遊技状態において、特図１特図変動表示ゲーム又は特図２特図変動表示ゲームが実行されている。第１保留表示部６３０ａに第１保留表示として保留表示６３３が１つ表示されている。第２保留表示部６３０ｂには、第２保留表示として保留表示６３３が２つ表示されている。
【０９２６】
（コ）では、特定遊技状態（高確率状態又は時短状態）「ＲＵＳＨ」の終了の際における表示装置４１の表示画面を示す。特定遊技状態終了タイミング（高確率終了タイミング又は時短終了タイミング）において演出制御装置３００が受信した全役物比率と連続役物比率が、役物比率表示領域８００に表示されている。特定遊技状態終了タイミングは、例えば、高確率変動回数が０となるタイミングである。ここで表示される役物比率は、１つの特別遊技の終了時から特定遊技状態が終了するまでの期間に得た賞球数に対して算出される役物比率であるが、遊技機１０の電源投入から特定遊技状態が終了するまでの全期間に得た賞球数に対して算出される役物比率でもよい。また、この特定遊技状態終了タイミングにおいて、役物比率に応じた演出を実行してもよい。
【０９２７】
なお、全役物比率は、一般的に使用されるいわゆる役物比率であるため、「役物比率」と表示されている。全役物比率と連続役物比率は、他の表示と重ならないように表示されるか、重なっても前面側に優先して表示される。なお、全役物比率と連続役物比率を数字ではなく、円グラフや棒グラフで表示することも可能である。その後、通常遊技状態に移行する。
【０９２８】
図９７は、図９６Ｂの（キ）に対応し、大当り状態終了の際のエンディングにおける表示装置４１の表示画面の他の例を示す。図９７では、獲得出玉数と全役物比率と連続役物比率に追加して、遊技機１０の電源投入からの特図変動表示ゲームの実行回数であるスタート数（図９２のＢ１９０８の特図変動回数）が、大当り履歴表示部７６０に表示されている。これにより、遊技者等は、基準値以外にスタート数に基づいて役物比率が異常値であるか否か判断することになり、誤判断が少なくなる。例えば、スタート数が少ない場合（例えば図９７では１０）に大当りが発生していれば、役物比率が基準値（例えば、連続役物比率で６０％、全役物比率で７０％）を超えても、異常でないと判断できる。
【０９２９】
なお、この場合に、大当り終了タイミングで受信した全役物比率と連続役物比率は、大当り終了タイミングでの獲得出玉数とスタート数と共に、１つのセットとして、ＲＡＭ内（例えばＲＡＭ３２２内）の大当り履歴領域に保存される（Ｂ１５０３、Ｂ１５０６）。
【０９３０】
また、図９７では、全役物比率と連続役物比率が遊技者に馴染みのないものである可能性があるため、ナビキャラ６７０が登場して、セリフ表示部６８０に全役物比率と連続役物比率の説明や定義が表示されている。これにより、遊技者が役物比率に興味を抱くことになる。
【０９３１】
なお、図９６Ｂの（コ）においても、特定遊技状態（高確率状態又は時短状態）「ＲＵＳＨ」の終了の際における表示装置４１の表示画面で、全役物比率と連続役物比率に追加して、スタート数を役物比率表示領域８００に表示してもよい。
【０９３２】
［客待ち中の表示画面］
図９８は、客待ち中の遊技者設定モード（図９５のＢ２７１８）での表示画面の一例を示す。大当り履歴が大当り履歴表示部７６０に表示される。連続役物比率と全役物比率（「役物比率」と表示）が、大当り履歴表示部７６０内の役物比率表示領域８００に表示される。音量調整のための音量調整表示８１０（ゲージ）とＬＥＤ輝度調整のための輝度調整表示８１５（ゲージ）が、表示画面に表示されている。
【０９３３】
なお、演出制御装置３００は、客待ち中（客待ち状態中）にのみ連続役物比率と全役物比率を表示装置４１の表示画面に表示し、客待ち中以外の状態、即ち、客待ちデモ中でない状態や遊技球の発射中の状態では、連続役物比率と全役物比率を表示装置４１の表示画面に表示しない構成としてもよい。つまり、役物比率設定処理（図９０）のＢ１５０４、Ｂ１５０７を省略する構成も可能である。
【０９３４】
さらに、表示装置４１の表示画面において、メニュー表示として、大当り履歴の表示個数を選択する第１選択部８２０と、役物比率の表示内容（表示態様）を選択する第２選択部８２５が表示されている。第１選択部８２０により、ＲＡＭ内の大当り履歴領域に保存された大当り履歴（獲得出玉数、全役物比率（役物比率）、連続役物比率、スタート数のセット）のうち何個の大当り履歴（図９６Ｂ、図９７、図９８では３つ）を表示するか選択できる。第２選択部８２５により、全役物比率と連続役物比率のいずれか又は両方を表示するか選択できる。
【０９３５】
遊技者は、演出ボタン２５のタッチパネル２５ｂでの上下方向の指の動き（タッチ箇所の動き）によるタッチ操作を行い、設定する対象を選択する。このタッチ操作によって、ハイライト表示等の特定表示態様（音量調整表示８１０の黒枠参照）で表示される設定対象の項目（設定項目）が、選択される。即ち、ハイライト表示等の特定表示態様で表示される項目が、タッチ操作によって変更されていく。なお、メニュー表示としての第１選択部８２０と第２選択部８２５などにおけるハイライト項目の更新は、演出ボタン入力処理（Ｂ１００９）で実行される。なお、左右方向の指の動き（タッチ箇所の動き）によるタッチ操作で、音量や明るさの値の選択（図９５のＢ２７２０、Ｂ２７２１）を行う。また、タッチパネル２５ｂの中央部にタッチすることによって、表示された値やキャラクタの選択が確定するようにしてよい（図９５のＢ２７２３等）。また、上下方向又は左右方向の指の動きを促すように、演出ボタン２５のＬＥＤ６９０部が点灯されてよい。
【０９３６】
このように、客待ち中の遊技者設定モードでは、メニュー表示によって、遊技者は、大当り履歴の表示個数や役物比率の表示内容（表示態様）を選択できる。また、客待ち中の遊技者設定モードでは、音量調整表示８１０（ゲージ）と輝度調整表示８１５（ゲージ）が表示され、遊技者の好みの音量や明るさに調整できる。
【０９３７】
［サブ表示装置］
図９９は、サブ表示装置８３０を備えた遊技盤３０を示す。上記では、表示装置４１の表示画面で、全役物比率と連続役物比率等を表示する例を示したが、図９９に示すように動作可能なサブ表示装置８３０（可動役物）に全役物比率と連続役物比率等を表示する構成も可能である。なお、サブ表示装置８３０（可動役物）は、盤演出装置４４として、演出制御装置３００によって動作が制御される。
【０９３８】
サブ表示装置８３０は、通常位置では、上部演出ユニット４０ｃの裏側の空間に収容されて正面視で大部分が視認できないが、動作位置では、表示装置４１の前側に移動して全部が正面視で視認できる。そして、大当り終了タイミング、高確率終了タイミング、及び、時短終了タイミングにおいて、演出制御装置３００は、サブ表示装置８３０を動作位置に動作させ、サブ表示装置８３０において連続役物比率と全役物比率を表示する。従って、大当り終了タイミング、高確率終了タイミング、及び、時短終了タイミングにおいて、遊技者は、サブ表示装置８３０に表示された連続役物比率と全役物比率に注目することになる。
【０９３９】
［第３実施形態の作用・効果］
上記の第３実施形態では、遊技制御手段（遊技制御装置１００）は、賞球に関連する情報を演出制御手段（演出制御装置３００）に送信する。演出制御手段（演出制御装置３００）は、払出制御手段（払出制御装置２００等）によって払い出された賞球の合計数のうち、変動入賞装置に入賞したことによって払い出された賞球の数が占める割合である役物比率を表示手段（例えば、表示装置４１又はサブ表示装置８３０）に表示可能である。なお、賞球に関連する情報は、役物比率の算出結果そのものや、役物比率の算出するための情報（役物比率の元となる賞球数）などである。
【０９４０】
従って、役物比率に関する表示によって遊技機の状態（変動入賞装置に入賞し易いか、一般入賞口３５等に入賞し易いかなど）を判断可能となる。また、遊技の興趣が向上するとともに、遊技者は変動入賞装置へ入賞し易い印象（開状態が多く発生する印象）を持つため、遊技者が継続して遊技を行う動機（指標）となる。さらに、役物比率が低い場合には一般入賞口３５等への入賞が比較的多いため、表示手段に役物比率を表示することによって、遊技者は一般入賞口３５にも関心を持つことになり、遊技の興趣が向上する。
【０９４１】
演出制御手段（演出制御装置３００）は、所定回数分（例えば３回）の特別遊技に関する履歴情報（大当り履歴）を表示手段（例えば、表示装置４１又はサブ表示装置８３０）に表示可能である。この場合、所定ラウンド回数のラウンド遊技からなる特別遊技毎に区分けした役物比率を履歴情報に含めて表示可能である。ここで、特別遊技毎に区分けした役物比率は、特別遊技の終了毎にリセットして計測した役物比率を含む。
【０９４２】
従って、全期間での役物比率ではなく、特別遊技毎に区分けされた役物比率（不安定な値となることが予めわかっている）を算出して表示手段に表示しておくことにより、遊技者等は、基準値以外に自身の知識や情報に基づいて役物比率が異常値であるか否か判断することを促され、誤判断が少なくなる。
【０９４３】
また、遊技制御手段（遊技制御装置１００）は、所定の条件を満たすと所定回数（例えば１００回）の特図変動表示ゲームの間、特定遊技（高確率状態や時短状態）を発生させてよい。さらに、遊技制御手段（遊技制御装置１００）は、役物比率の算出を行い、算出された役物比率を賞球に関する情報として、特別遊技又は前記特定遊技が終了した際に演出制御手段（演出制御装置３００）に送信してよい。この場合、役物比率が大きく変化した直後のタイミング（特別遊技又は前記特定遊技が終了したタイミング）において、役物比率を表示できる。また、算出された役物比率をそのまま演出制御手段（演出制御装置３００）に送信して表示手段に表示すると、遊技制御手段（遊技制御装置１００）から演出制御装置３００への送信の回数が最小限になり、送信負荷が減少する。
【０９４４】
［第４実施形態］
図１００から図１０６を参照して、第４実施形態について説明する。なお、以下で述べる以外の構成は、第１実施形態から第３実施形態までのいずれかの実施形態と共通の構成が適用できる。
【０９４５】
第４実施形態は第３実施形態をベースとするものであるが、第３実施形態と異なり、演出制御装置３００は、払出コマンド（図１０１）（払出コマンド（Ａ１７１９）とアウト球検出コマンド（Ａ２０１７）の両方を含む）を受信して、自ら、役物比率（連続役物比率と全役物比率）を算出する。さらに、演出制御装置３００は、一般入賞口３５の賞球数合計や入賞回数を算出（計数）したり、一般入賞口比率を算出してもよい。なお、一般入賞口比率は、全賞球数（賞球の合計数）のうち、一般入賞口３５に入賞したことで得られた賞球数の割合である。図８５の出玉性能監視処理のうち、役物比率の算出結果を演出制御装置３００に送信する処理（ステップＡ９８０４、Ａ９８０５、Ａ２３１７、Ａ２３１８）は不要なため、第４実施形態では実行されない。
【０９４６】
図１００は、第４実施形態に係る排出球数領域、獲得球数領域、役物別獲得球数領域について説明する図である。排出球数領域、獲得球数領域、役物別獲得球数領域は、遊技制御装置１００のＲＷＭ（リードライトメモリ：ＲＡＭやＥＥＰＲＯＭ等）に設けられる。排出球数領域、獲得球数領域に関しては、第１実施形態の図１７Ｂと同じであるが、役物別獲得球数領域に関して、一般入賞口３５に関して、２つの領域、即ち、左の一般入賞口３５への入賞による賞球数の合計を記憶する領域と、右の一般入賞口３５への入賞による賞球数の合計を記憶する領域とが、設けられている。これにより、遊技制御装置１００は、左右別々に一般入賞口３５の賞球数の合計を算出（計数）できる。
【０９４７】
図１０１は、第４実施形態に係る払出コマンドを示す図である。第４実施形態に係る払出コマンド（図１０１）は、第２実施形態の図８３の払出コマンドと異なり、一般入賞口３５への入賞による払出コマンドが、左右の一般入賞口に対応して２種類ある。例えば、入賞口情報は、「０００」が左一般入賞口３５を示し、「００１」が右一般入賞口３５を示し、払出コマンドは、１６進数で表現すると、左一般入賞口３５への入賞による１０個賞球は「０ＡＨ」であり、右一般入賞口３５への入賞による１０個賞球は「１ＡＨ」である。
【０９４８】
第４実施形態において、遊技制御装置１００は、払出制御装置２００だけでなく、演出制御装置３００にも、図１０１の払出コマンドを送信する。遊技制御装置１００は、払出コマンド送信処理（図１２）のステップＡ１７１９において、払出制御装置２００へ送信する払出コマンドだけでなく、演出制御装置３００へ送信する払出コマンドを演出コマンドとして準備し、その後、払出コマンド送信処理において演出コマンド設定処理（図５９）を実行する構成とする。同様に、遊技制御装置１００は、入賞口スイッチ／状態監視処理（図１５Ａ）のステップＡ２０１７において、払出制御装置２００へ送信するアウト球検出コマンドだけでなく、演出制御装置３００へ送信するアウト球検出コマンドを演出コマンドとして準備し、その後、入賞口スイッチ／状態監視処理において演出コマンド設定処理（図５９）を実行する構成とする。なお、演出制御装置３００へ送信する払出コマンドとアウト球検出コマンドには、賞球に関する情報であることを表すＭＯＤＥ部が付与される。
【０９４９】
また、第４実施形態において、演出制御装置３００は、払出コマンド（図１０１）から取得した役物獲得球数を記憶する役物別獲得球数領域を図１００（ＩＩＩ）と同様にＲＡＭ内（例えばＲＡＭ３２２内）に有する。
【０９５０】
〔単発系コマンド処理〕
図１０２は、第４実施形態に係る単発系コマンド処理の手順を示すフローチャートである。単発系コマンド処理は、受信コマンド解析処理（図８０）のステップＢ１２１２にて、演出制御装置３００によって実行される。なお、第３実施形態に係る単発系コマンド処理（図８８）と同じ処理には同じステップ番号を付して説明を省略する。
【０９５１】
なお、第４実施形態に係る図１０２の賞球に関する情報は、遊技制御装置１００から送信される図１０１の払出コマンドであり、第３実施形態に係る図８８の賞球に関する情報が、役物比率の算出結果に対応するコマンドであることとは異なっている。
【０９５２】
演出制御装置３００は、ＭＯＤＥ部が図柄停止のコマンドを表していない場合には（Ｂ１３２３の結果が「Ｎ」）、ＭＯＤＥ部が高確率変動回数に対応する高確率変動回数コマンドを表すか否かを判定する（Ｂ１３２７）。ＭＯＤＥ部が高確率変動回数コマンドを表わす場合（Ｂ１３２７の結果が「Ｙ」）、演出制御装置３００は、高確率（時短）終了処理を実行して（Ｂ１３２８）、単発系コマンド処理を終了する。ＭＯＤＥ部が高確率変動回数コマンドを表していない場合（Ｂ１３２７の結果が「Ｎ」）、演出制御装置３００は、そのまま単発系コマンド処理を終了する。
【０９５３】
〔役物比率設定処理〕
図１０３は、第４実施形態に係る役物比率設定処理の手順を示すフローチャートである。役物比率設定処理は、単発系コマンド処理（図１０３）のステップＢ１３２２にて、演出制御装置３００によって実行される。
【０９５４】
第４実施形態に係る役物比率設定処理において、演出制御装置３００は、払出コマンドに示された賞球数に基づいて、演出制御装置３００のＲＡＭ内の役物別獲得球数領域に役物獲得球数を加算・累積する。そして、全役物比率と連続役物比率の他、左右一般入賞口比率を算出、保存する。役物比率設定処理は、演出制御装置３００が賞球に関する情報として払出コマンド（図１０１）を受信した場合に実行される。
【０９５５】
演出制御装置３００は、まず、受信した払出コマンド（図１０１）が正常なコマンドであるか否かを判定する（Ｂ３００１）。払出コマンドが正常ではない場合（Ｂ３００１の結果が「Ｎ」）、役物比率設定処理を終了する。払出コマンドが正常である場合（Ｂ３００１の結果が「Ｙ」）、演出制御装置３００のＲＡＭ内において、払出コマンド（即ち、払出コマンドに示された入賞口情報）に対応する役物別獲得球数領域の値に、払出コマンドに示された賞球数を加算する（Ｂ３００２）。次に、各役物別獲得球数領域の値から全役物比率と連続役物比率を算出して、ＲＡＭ内の全役物比率領域と連続役物比率領域に保存する（Ｂ３００３）。
【０９５６】
なお、遊技機１０の電源投入から現在までの全期間で役物獲得球数（役物別賞球数）を役物別獲得球数領域に加算、累積する場合に、演出制御装置３００は、遊技機１０の電源投入から現在までの全期間での賞球数（獲得球数）に対する役物比率を算出できる。特別遊技（大当り）が終了する度に全ての役物別獲得球数領域（演出制御装置３００のＲＡＭ内にある）を０クリア（リセット）する場合、演出制御装置３００は、前回の特別遊技の終了時から（初回の特別遊技終了前は遊技機１０の電源投入時から）現在までの期間での役物比率を算出できる。
【０９５７】
続いて、演出制御装置３００は、左右の一般入賞口用の役物別獲得球数領域の値から左一般入賞口比率と右一般入賞口比率を算出して、ＲＡＭ内の左一般入賞口比率領域と右一般入賞口比率領域に保存する（Ｂ３００４）。ここで、左一般入賞口比率と右一般入賞口比率は、それぞれ、全賞球数のうち、左と右の一般入賞口３５に入賞したことで得られた賞球数の割合である。なお、全賞球数は、全ての役物別獲得球数領域の値の合計である。
【０９５８】
演出制御装置３００は、遊技機１０の電源投入から現在までの全期間での一般入賞口比率を算出できる。特別遊技（大当り）が終了する度に全ての役物別獲得球数領域（演出制御装置３００のＲＡＭ内にある）を０クリアする場合、演出制御装置３００は、前回の特別遊技の終了時から（初回の特別遊技終了前は遊技機１０の電源投入時から）現在までの期間での一般入賞口比率を算出できる。
【０９５９】
また、ステップＢ３００４において、左一般入賞口比率と右一般入賞口比率を足し合わせて一般入賞口比率を算出してもよい。さらに、左右の一般入賞口比率に加えて、一般入賞口以外の各入賞口（始動口１、始動口２、大入賞口）の入賞口比率を算出して、ＲＡＭ内の対応する領域に保存してもよい。ここで、入賞口比率は、全賞球数のうち、該当する入賞口に入賞したことで得られた賞球数の割合である。
【０９６０】
次に、演出制御装置３００は、ステップＢ３００２で賞球数が加算された役物別獲得球数領域が、左又は右の一般入賞口３５の賞球用であるか否かを判定する（Ｂ３００５）。即ち、左又は右の一般入賞口３５に入賞があったか否かを判定する。加算された役物別獲得球数領域が、一般入賞口３５の賞球用でない場合（Ｂ３００５の結果が「Ｎ」）、即ち、左又は右の一般入賞口３５に入賞がなかった場合、役物比率設定処理を終了する。
【０９６１】
演出制御装置３００は、加算された役物別獲得球数領域が、一般入賞口３５の賞球用である場合（Ｂ３００５の結果が「Ｙ」）、即ち、左又は右の一般入賞口３５に入賞があった場合、ステップＢ３００２で加算された役物別獲得球数領域の値を表示設定する（Ｂ３００６）。ここで、加算された役物別獲得球数領域は、左一般入賞口３５に入賞があった場合に左一般入賞口３５の賞球用の役物別獲得球数領域であり、右一般入賞口３５に入賞があった場合に右一般入賞口３５の賞球用の役物別獲得球数領域である。加算された役物別獲得球数領域の値は、左又は右の一般入賞口３５への入賞による賞球数の合計である。なお、一方の一般入賞口３５だけに入賞があった場合でも、両方の一般入賞口３５の役物別獲得球数領域の値を表示設定するようにしてもよい。また、ここで、左又は右の一般入賞口３５の賞球数の合計だけでなく、左又は右の一般入賞口３５への入賞回数又は全一般入賞口３５への入賞回数を計数して、表示設定する構成も可能である。
【０９６２】
以上により、一般入賞口３５に入賞があり一般入賞口用の役物別獲得球数領域の値に賞球数が加算された場合に、少なくとも今回入賞があった一般入賞口３５の賞球数合計（獲得球数）が表示装置４１（又は、図９９のサブ表示装置８３０）に表示できる。
【０９６３】
演出制御装置３００は、遊技機１０の電源投入から現在までの全期間での一般入賞口３５の賞球数合計を表示できる。特別遊技（大当り）が終了する度に全ての役物別獲得球数領域（演出制御装置３００のＲＡＭ内にある）を０クリアする場合、演出制御装置３００は、前回の特別遊技の終了時から（初回の特別遊技終了前は遊技機１０の電源投入時から）現在までの期間での一般入賞口３５の賞球数合計を表示できる。
【０９６４】
続いて、一般入賞口３５への入賞に対応して演出を行う演出設定を実行し（Ｂ３００７）、役物比率設定処理を終了する。一般入賞口３５への入賞に対応する演出として、一般入賞口３５近傍に設けられたＬＥＤ（盤装飾装置４６）が発光したり、スピーカから音が出力されたり、可動役物（盤演出装置４４）が動作する。この演出により、遊技の興趣を高めることができるとともに、遊技者の一般入賞口３５への関心が増加する。
【０９６５】
なお、演出制御装置３００は、一般入賞口３５以外の各入賞口（始動口１、始動口２、大入賞口）の役物別獲得球数領域が加算された場合にも、加算された役物別獲得球数領域の値を表示設定してもよい。これにより、表示装置４１（又は、図９９のサブ表示装置８３０）に、各入賞口の賞球数合計（獲得球数）を表示できる。
【０９６６】
さらに、役物比率設定処理において、演出制御装置３００は、払出コマンドに基づいて、排出球数、出玉率も算出してよい。この場合に、演出制御装置３００は、排出球数を記憶する排出球数領域、賞球数の合計（獲得球数）を記憶する獲得球数領域をＲＡＭ内に有する。なお、排出球数は払出コマンド（図１０１）を受信した回数に相当し、出玉率は、全賞球数の排出球数に対する比率（割合）％である。
【０９６７】
また、演出制御装置３００は、ＦｅＲＡＭ３２３に、役物比率設定処理における算出結果（役物別獲得球数領域の値、役物比率、一般入賞口比率など）をバックアップするようにしてよい。
【０９６８】
〔高確率（時短）終了処理〕
図１０４は、第４実施形態に係る高確率（時短）終了処理の手順を示すフローチャートである。高確率（時短）終了処理は、単発系コマンド処理（図１０３）のステップＢ１３２８にて、演出制御装置３００によって実行される。
【０９６９】
演出制御装置３００は、まず、受信した高確率変動回数コマンドが正常なコマンドであるか否かを判定する（Ｂ３２０１）。高確率変動回数コマンドが正常ではない場合（Ｂ３２０１の結果が「Ｎ」）、高確率（時短）終了処理を終了する。高確率変動回数コマンドが正常である場合（Ｂ３２０１の結果が「Ｙ」）、高確率変動回数が０であるか否かを判定する（Ｂ３２０２）。なお、本実施形態では、高確率変動回数は、時短変動回数にもなっている。
【０９７０】
演出制御装置３００は、高確率変動回数（時短変動回数）が０でない場合（Ｂ３２０２の結果が「Ｎ」）、そのまま高確率（時短）終了処理を終了する。一方、高確率変動回数（時短変動回数）が０である場合（Ｂ３２０２の結果が「Ｙ」）、役物比率（連続役物比率と全役物比率）と左右の一般入賞口比率の表示設定を実行して、高確率（時短）終了処理を終了する。なお、左右の一般入賞口比率の和を一般入賞口比率として表示設定してもよい。
【０９７１】
このようにして、演出制御装置３００は、払出コマンドを受信する度に常に役物比率（連続役物比率と全役物比率）と左右一般入賞口比率を算出しておき、高確率終了タイミング、及び、時短終了タイミングにおいて、表示装置４１やサブ表示装置８３０において役物比率と左右一般入賞口比率を表示できる。
【０９７２】
〔大当り系コマンド処理〕
図１０５は、第４実施形態に係る大当り系コマンド処理の手順を示すフローチャートである。大当り系コマンド処理は、受信コマンド解析処理（図８０）におけるステップＢ１２０８において実行される。なお、第３実施形態の大当り系コマンド処理（図９３）と同じ内容のステップは、ステップ番号を同じにして説明を省略する。
【０９７３】
演出制御装置３００は、大当り系コマンドのＭＯＤＥ部がエンディングを表すか否かを判定する（Ｂ２１１０）。ＭＯＤＥ部がエンディングを表す場合（Ｂ２１１０の結果が「Ｙ」）、即ち、大当り系コマンドがエンディングコマンドである場合、演出制御装置３００は、役物比率と大当り中の獲得出玉数に対応する演出ポイントを加算する際の演出表示としてポイント加算演出表示を設定する（Ｂ２１１１）。
【０９７４】
次に、演出制御装置３００は、最終的な獲得出玉数を役物比率（連続役物比率と全役物比率）と左右一般入賞口比率と共に、１セットの大当り履歴として、ＲＡＭ内の大当り履歴領域に保存する（Ｂ３４０１）。そして、エンディング演出を設定するためのエンディング演出設定処理を実行する（Ｂ３４０２）。エンディング演出設定処理において、エンディング演出の一環として、役物比率（連続役物比率と全役物比率）と左右一般入賞口比率の表示の設定も実行される。なお、左右の一般入賞口比率の和を一般入賞口比率として表示設定してもよい。エンディング演出は、最終的な獲得出玉数、役物比率、左右一般入賞口比率に対応させて設定してもよい。
【０９７５】
このようにして、演出制御装置３００は、払出コマンドを受信する度に常に役物比率（連続役物比率と全役物比率）と左右一般入賞口比率を算出しておき、大当り終了タイミング（エンディング）において、表示装置４１やサブ表示装置８３０において役物比率と左右一般入賞口比率を表示できる。
【０９７６】
なお、演出制御装置３００は、大当り終了タイミング、高確率終了タイミング、及び、時短終了タイミングにおいてのみ、役物比率と左右一般入賞口比率を算出して、表示装置４１やサブ表示装置８３０において役物比率と左右一般入賞口比率を表示する構成も可能である。
【０９７７】
［画面遷移］
図１０６Ａと図１０６Ｂは、第４実施形態において、表示装置４１の表示画面を時系列で示した画面遷移図であり、遊技全体の画面遷移の一例である。図１０６Ａ（ア）−（カ）と図１０６Ｂ（キ）−（コ）は、各々、図９６Ａ（ア）−（カ）と図９６Ｂ（キ）−（コ）に対応するため、以下で説明する構成以外は、図１０６Ａと図１０６Ｂと同じである。
【０９７８】
図１０６Ａの（ウ）では、左一般入賞口３５に入賞があったため、左一般入賞口３５の賞球用の役物別獲得球数領域（演出制御装置３００のＲＡＭ内）の値が表示される（図１０３のＢ３００６）。即ち、左一般入賞口３５への入賞により獲得した賞球数の合計が、賞球数合計表示「左一般入賞口賞球合計１２２個」によって表示されている。ここで、左一般入賞口３５への入賞回数を表示する構成も可能である。また、賞球数合計表示は、他の演出（ここではリーチ演出）と重ならないように表示されているが、表示範囲が他の演出に重なり邪魔になる時は、賞球数合計表示は表示されなくてもよい。
【０９７９】
なお、一般入賞口以外の各入賞口（始動口１、始動口２）に入賞があった場合にも、各入賞口への入賞により獲得した賞球数の合計や、入賞回数を表示してもよい。
【０９８０】
図１０６Ｂの（キ）では、図９６Ｂの（キ）の大当り履歴表示部７６０において、左右の一般入賞口比率を表示する一般入賞口比率表示領域８４２が設けられ、大当り終了タイミング（エンディング）で一般入賞口比率表示領域８４２に左右の一般入賞口比率が表示される。なお、１つの大当り履歴中に、獲得出玉数と役物比率（連続役物比率と全役物比率）と左右一般入賞口比率が含まれて保存されている（図１０６のＢ３４０１）。また、連続役物比率の表示は、省略しているが、表示されてよい。さらに、客待ち中の遊技者設定モード（図９８）において、メニュー表示（第２選択部８２５）によって、一般入賞口比率を表示するか否か選択できる構成としてもよい。
【０９８１】
一般入賞口比率は、遊技機１０の電源投入から各特別遊技の終了までの全期間に一般入賞口への入賞により得た賞球数に対して算出されたものでもよいし、１つの特別遊技の終了時から（初回の特別遊技終了前は遊技機１０の電源投入時から）、次の特別遊技の終了までの期間に一般入賞口への入賞により得た賞球数に対して算出されたものでもよい。
【０９８２】
図１０６Ｂの（ケ）では、右一般入賞口３５に入賞があったため、右一般入賞口３５の賞球用の役物別獲得球数領域（演出制御装置３００のＲＡＭ内）の値が表示される（図１０３のＢ３００６）。即ち、右一般入賞口３５への入賞により獲得した賞球数の合計が、賞球数合計表示「右一般入賞口賞球合計１５２個」によって表示されている。ここで、右一般入賞口３５への入賞回数を表示する構成も可能である。
【０９８３】
図１０６Ｂの（コ）では、特定遊技状態（高確率状態又は時短状態）の終了の際に、役物比率に加えて、一般入賞口比率表示領域８４２において、左右の一般入賞口比率を表示される。なお、連続役物比率の表示は省略しているが、表示されてよい。一般入賞口比率は、遊技機１０の電源投入から特定遊技状態の終了までの全期間に一般入賞口への入賞により得た賞球数に対して算出されたものでもよいし、特別遊技の終了時から（初回の特別遊技終了前は遊技機１０の電源投入時から）特定遊技状態の終了までの期間に一般入賞口への入賞により得た賞球数に対して算出されたものでもよい。
【０９８４】
［第４実施形態の作用・効果］
上記の第４実施形態では、遊技制御手段（遊技制御装置１００）は、賞球に関連する情報として、払出コマンド（図１０１）を演出制御手段（演出制御装置３００）に送信する。演出制御手段（演出制御装置３００）は、払出コマンド（図１０１）を受信して、自ら役物比率を算出して、表示手段（表示装置４１又はサブ表示装置８３０）に表示可能である。従って、役物比率に関する表示によって遊技機の状態（変動入賞装置に入賞し易いか、一般入賞口３５等に入賞し易いかなど）を判断可能となる。また、役物比率が低い場合には一般入賞口３５等への入賞が比較的多いため、表示手段に役物比率を表示することによって、遊技者は一般入賞口３５にも関心を持つことになる。
【０９８５】
さらに、演出制御手段（演出制御装置３００）は、受信した払出コマンドから一般入賞口比率を算出して表示手段に表示可能である。このため、遊技者はさらに一般入賞口３５にも関心を持つことになる。また、一般入賞口３５に入賞があった場合に、受信した払出コマンドから一般入賞口３５の賞球数合計や入賞回数を算出して表示手段に表示できる。これにより、遊技者の一般入賞口３５への関心が増加する。
【０９８６】
［第５実施形態］
図１０７と図１０８を参照して、第５実施形態について説明する。なお、以下で述べる以外の構成は、第１実施形態から第４実施形態までの実施形態と共通の構成でよい。
【０９８７】
図１０７は、第５実施形態に係る遊技盤の正面図である。図１０７では、図２Ａの遊技盤に対して、一括表示装置５０の排出球数表示部６６、出玉率表示部６７、役物比率表示部６８が削除されている一方、一括表示装置５０に第１役物比率警告表示部８４４（第１表示器）と第２役物比率警告表示部８４６（第２表示器）が設けられている。
【０９８８】
なお、演出制御装置３００は、排出球数、出玉率、及び／又は、役物比率の具体的な数値を、図８１、図９６−図９８のように表示装置４１に表示する。この場合、演出制御装置３００は、客待ち中（客待ち状態中）にのみ役物比率を表示装置４１の表示画面に表示し、客待ち中以外の状態、即ち、客待ちデモ中でない状態や遊技球の発射中の状態では、役物比率を表示装置４１の表示画面に表示しない構成としてもよい。つまり、図９０のステップＢ１５０４、Ｂ１５０７、図１０４の高確率（時短）終了処理、図１０５のステップＢ３４０２における役物比率の表示設定等を省略する構成も可能である。
【０９８９】
第１警告報知部としての第１役物比率警告表示部８４４は、一つのＬＥＤ（発光部）から構成され、全役物比率が基準値（所定値７０％）を超えた場合に点灯して、全役物比率が基準値を超えたことを示す警告表示を実行する。第２警告報知部としての第２役物比率警告表示部８４６は、一つのＬＥＤ（発光部）から構成され、連続役物比率が基準値（所定値６０％）を超えた場合に点灯して、連続役物比率が基準値を超えたことを示す警告表示を実行する。
【０９９０】
排出球数表示部６６、出玉率表示部６７、役物比率表示部６８は、数値を表示するため７セグメント型の表示器から構成され高コストとなるが、排出球数表示部６６、出玉率表示部６７、役物比率表示部６８をなくして、第１役物比率警告表示部８４４（ＬＥＤ）と第２役物比率警告表示部８４６（ＬＥＤ）を設けたため、コストが低下する。また、一括表示装置５０の第１役物比率警告表示部８４４と第２役物比率警告表示部８４６は、試射試験機関での検査の対象となる遊技制御装置１００（主基板）により制御されるため、表示の信頼性が担保される。
【０９９１】
なお、第１役物比率警告表示部８４４と第２役物比率警告表示部８４６は、遊技機１０の裏面に設けられる遊技制御装置１００の後面（背面）に設けられ、遊技機１０の裏面側からのみ視認可能としてもよい。そして、第１役物比率警告表示部８４４と第２役物比率警告表示部８４６は、遊技制御装置１００の基板（主基板）上に設置されてよい。この場合に、遊技制御装置１００の基板（主基板）はケース内に開封できないように密封されていなるため（かしめられているため）、第１役物比率警告表示部８４４と第２役物比率警告表示部８４６の表示に対して不正を行うことができなくなる。
【０９９２】
また、役物比率の警告表示を常時表示せずに、例えば、ガラス枠や前面枠を開放した時にエラーメッセージ（ガラス枠開放エラー、前面枠開放エラーの表示）とともに、役物比率の警告を表示するようにしてもよい。
【０９９３】
〔出玉性能監視処理〕
図１０８は、第５実施形態に係る出玉性能監視処理の手順を示すフローチャートである。出玉性能監視処理は、入賞数カウンタ更新処理（図１７Ａ）のステップＡ２２１１にて、遊技制御装置１００によって実行される。図１０８は、図８５のステップＡ９８０３をステップＡ９８０３ａ、Ａ９８０３ｂに置き換えたものである。なお、図８５の出玉性能監視処理と同じ内容のステップは、ステップ番号を同じにして説明を省略する。
【０９９４】
遊技制御装置１００は、役物獲得球数に基づいて、全役物比率と連続役物比率の両方を算出した後（Ａ９８０１、Ａ９８０２）、算出結果が基準値を超えた場合に警告表示を設定する（Ａ９８０３ａ）。全役物比率の算出結果が基準値（７０％）を超えた場合に、第１役物比率警告表示部８４４（ＬＥＤ）を点灯させる警告表示を設定する。連続役物比率の算出結果が基準値（６０％）を超えた場合に、第２役物比率警告表示部８４６（ＬＥＤ）を点灯させる警告表示を設定する。全役物比率と連続役物比率の算出結果がそれぞれの基準値を超えた場合には、第１役物比率警告表示部８４４（ＬＥＤ）と第２役物比率警告表示部８４６（ＬＥＤ）の両方を点灯させる警告表示を設定する。
【０９９５】
次に、遊技制御装置１００は、警告表示に対応するセグメントデータをセグメント領域にセーブする。これによって、警告表示を行う場合には、第１役物比率警告表示部８４４及び／又は第２役物比率警告表示部８４６が点灯する。
【０９９６】
なお、第１役物比率警告表示部８４４と第２役物比率警告表示部８４６に追加して、第２実施形態と同様に、払出制御装置２００により表示制御が実行される第１役物比率警告表示部と第２役物比率警告表示部が払出制御装置２００にも設けられてもよい。払出制御装置２００は、払出コマンドに基づいて、役物比率を算出し、役物比率の算出結果が基準値を超えた場合に、第１役物比率警告表示部と第２役物比率警告表示部を点灯させる。第１役物比率警告表示部と第２役物比率警告表示部は、上皿ユニットに設けてもよい。
【０９９７】
また、表示装置４１の表示画面に警告報知部（第１役物比率警告表示部８４４及び／又は第２役物比率警告表示部８４６）を設けて、役物比率が基準値（所定値）を超えた場合に、表示装置４１の警告報知部に、役物比率が基準値を超えたことを示す警告表示を表示してよい。この場合、演出制御装置３００は、払出コマンド（図１０１）に基づいて自ら算出した役物比率、又は、遊技制御装置１００から受信した役物比率が、基準値を超えたか否か判定し、役物比率が基準値を超えた場合に表示装置４１の警告報知部に警告表示を表示する。さらに、上スピーカ１９ａ及び／又は下スピーカ１９ｂを警告報知部として使用し、演出制御装置３００は、役物比率が基準値を超えた場合に、警告報知部からの音声によって報知する構成も可能である。また、役物比率が基準値を超えた場合に、外部情報端子７１を介して外部装置（ホールコンピュータなど）に、役物比率が基準値を超えたことを報知してもよい。
【０９９８】
［第５実施形態の作用・効果］
上記の第５実施形態では、遊技制御手段（遊技制御装置１００）は、役物比率が所定値を超えた場合に、役物比率が所定値を超えたことを報知可能である。このように、役物比率が所定値を超えたことが報知（表示）された場合には、役物比率に関する報知（表示）によって遊技機の状態（変動入賞装置に入賞し易いか、一般入賞口３５等に入賞し易いかなど）を判断可能となる。また、役物比率が所定値を超えたことが報知された場合、一般入賞口３５等への入賞が少ない可能性があるため、遊技者は一般入賞口３５にも関心を持つことになり、遊技の興趣が向上する。
【０９９９】
警告表示手段（第１役物比率警告表示部８４４及び／又は第２役物比率警告表示部８４６）は、遊技制御手段（遊技制御装置１００）によって制御されて役物比率が所定値を超えたことを表示可能である。警告表示手段は例えば１つのＬＥＤから構成できるが、役物比率の数値を直接表示する表示器（役物比率表示部６８）が不要となり、コストが削減できる。なお、遊技制御手段（遊技制御装置１００）は、賞球に関連する情報を演出制御手段（演出制御装置３００）に送信し、演出制御手段（演出制御装置３００）は、役物比率を表示手段にも表示可能である。従って、遊技者等は、数値で役物比率を確認できるが、演出制御手段（演出制御装置３００）によって制御される表示手段は通常の遊技機に備わっているものであり、大きなコストの増加はない。
【１０００】
演出制御手段（演出制御装置３００）は、客待ち中（客待ち状態中）にのみ役物比率を表示手段（表示装置４１又はサブ表示装置８３０）の表示画面に表示してよい。この場合に、使用する遊技機（遊技台）を選択中の遊技者等のみに役物比率を示し、遊技中は役物比率を表示しない。従って、遊技中の表示装置４１の演出に対して役物比率の表示が邪魔になるようなことがない。また、演出制御手段（演出制御装置３００）の制御が簡単な構成となる。
【１００１】
また、演出制御手段（演出制御装置３００）は、所定回数分（例えば３回）の特別遊技に関する履歴情報（大当り履歴）を表示手段（例えば、表示装置４１又はサブ表示装置８３０）に表示可能である。この場合、所定ラウンド回数のラウンド遊技からなる特別遊技毎に区分けした役物比率を履歴情報に含めて表示可能である。ここで、特別遊技毎に区分けした役物比率は、特別遊技の終了毎にリセットして計測した役物比率を含む。
【１００２】
従って、全期間での役物比率ではなく、特別遊技毎に区分けされた役物比率（不安定な値となることが予めわかっている）を算出して表示手段に表示しておくことにより、遊技者等は、基準値以外に自身の知識や情報に基づいて役物比率が異常値であるか否か判断しようとし、誤判断が少なくなる。
【１００３】
［第６実施形態］
図１０９から図１１３を参照して、第６実施形態について説明する。なお、以下で述べる以外の構成は、第１実施形態から第５実施形態までの実施形態と共通の構成でよい。
【１００４】
第６実施形態において、特別変動入賞装置３９の大入賞口への一回の大当りラウンドにおける入賞回数である大入賞口カウント数が、上限値（例えば９）を超えて第１閾値（例えば１０〜１１）に達した場合に、超過入賞（いわゆるオーバー入賞）が発生したことを報知する第１オーバー入賞報知を行う。さらに、大入賞口カウント数が第１閾値を超えて第２閾値（例えば１２、第１閾値が１０であれば１１でも可）に達した場合に、異常な超過入賞を警告するための第２オーバー入賞報知を行う。第２オーバー入賞報知は、第１オーバー入賞報知とは異なる態様の報知である。即ち、第６実施形態において、大入賞口カウント数に応じて２段階でオーバー入賞報知を実行する。
【１００５】
〔オーバー入賞報知処理〕
図１０９は、第６実施形態に係るオーバー入賞報知処理の手順を示すフローチャートである。
【１００６】
オーバー入賞報知処理は、特別変動入賞装置３９の大入賞口への遊技球の入賞が発生する度に演出制御装置３００によって実行されるものである。オーバー入賞報知処理は、前述の単発系コマンド処理（図８８、図１０２）のステップＢ１３１９において、大入賞口への入賞に関する情報としてカウントのコマンド（大入賞口カウントコマンド）を受信した場合に、カウント情報設定処理（Ｂ１３２０：図８９）内で現在のラウンド中のカウント数（大入賞口カウント数）が＋１更新された後（ステップＢ１４０３の後）に実行されるものでよい。なお、大入賞口カウント数は、１回の開状態（開放状態、ラウンド）における大入賞口への入賞回数を意味する。また、大入賞口カウント数は、一回の大当りラウンドにおいて、大入賞口への入賞に関する情報の演出制御装置３００での受信回数又は遊技制御装置１００からの送信回数に等しくなる。
【１００７】
また、オーバー入賞報知処理は、単発系コマンド処理（図１０２）のステップＢ１３２１において賞球に関する情報（遊技球の入賞に関する情報）として払出コマンド（図８３、図１０１）を受信した場合に、役物比率設定処理（Ｂ１３２２：図１０３）内で実行されるものでよい。即ち、カウント情報設定処理（図８９）でのカウント数に代えて、現在のラウンド中の大入賞口への入賞に対応する払出コマンドの受信回数を大入賞口カウント数として使用することもできる。
【１００８】
なお、第６実施形態においても、第４実施形態と同様に、遊技制御装置１００は、払出制御装置２００だけでなく、演出制御装置３００にも、払出コマンド（図１０１）を送信する。即ち、遊技制御装置１００は、払出コマンド送信処理（図１２）のステップＡ１７１９において演出制御装置３００へ送信する払出コマンドを準備して、演出コマンド設定処理（図５９）を実行するものとする。
【１００９】
オーバー入賞報知処理において、演出制御装置３００は、まず、大入賞口カウント数（カウント数）の＋１更新があったか否か、即ち、大入賞口へ入賞があったか否かを判定する（Ｂ３８０１）。大入賞口カウント数の＋１更新がなかった場合、即ち、大入賞口へ入賞がなかった場合（Ｂ３８０１の結果が「Ｎ」）、オーバー入賞報知処理を終了する。なお、一回の大当りラウンドが終了する度に、大入賞口カウント数は０クリアされる。
【１０１０】
演出制御装置３００は、大入賞口カウント数の＋１更新があった場合、即ち、大入賞口へ入賞があった場合（Ｂ３８０１の結果が「Ｙ」）、大入賞口カウント数が第１閾値以上であるか否かを判定する（Ｂ３８０２）。なお、第１閾値は、大入賞口カウント数の上限値（例えば９）より大きい値（例えば１０〜１１）である。大入賞口カウント数が第１閾値以上でない場合（Ｂ３８０２の結果が「Ｎ」）、オーバー入賞報知処理を終了する。
【１０１１】
演出制御装置３００は、大入賞口カウント数が第１閾値以上である場合（Ｂ３８０２の結果が「Ｙ」）、オーバー入賞による出玉数を示すオーバー入賞出玉数（超過入賞出玉数）に大入賞口の賞球数（ここでは１４）を加算する（Ｂ３８０３）。なお、オーバー入賞出玉数は、１回の大当り中（所定遊技状態中）にオーバー入賞によって払い出された賞球数の合計となる。大当りのエンディングが終了する時点で、オーバー入賞出玉数は０クリアされる。
【１０１２】
次に、演出制御装置３００は、大入賞口カウント数が第２閾値以上であるか否かを判定する（Ｂ３８０４）。第２閾値は、大入賞口カウント数の第１閾値より大きい値（例えば１２、第１閾値が１０であれば１１でも可）であり、後述のようにホール・遊技者設定モード処理によって、ホール（遊技店）の係員等のホール関係者が変更可能である。
【１０１３】
大入賞口カウント数が第２閾値以上でない場合（Ｂ３８０４の結果が「Ｎ」）、即ち、大入賞口カウント数が第１閾値以上で第２閾値未満の場合、大入賞口カウント数が上限値（例えば９）を超えたこと（即ちオーバー入賞の発生）を報知する第１オーバー入賞報知を実行する（Ｂ３８０５）。なお、ステップＢ３８０５の処理は第１報知手段を構成する。また、上限値は、特別変動入賞装置３９（大入賞口）が閉鎖を開始する大入賞口カウント数である。
【１０１４】
一方、演出制御装置３００は、大入賞口カウント数が第２閾値以上である場合（Ｂ３８０４の結果が「Ｙ」）、即ち、大入賞口カウント数が第１閾値を超えてさらに第２閾値（例えば１２）に達した場合、異常なオーバー入賞（超過入賞）であることを報知警告するための第２オーバー入賞報知を実行する（Ｂ３８０６）。なお、ステップＢ３８０６の処理は第２報知手段を構成する。
【１０１５】
なお、遊技者が通常の遊技を行っていても、偶然に大入賞口カウント数が第１閾値に到達することはある。また、大当りラウンド中の演出として、特別変動入賞装置３９の上部に配置した滞留部に遊技球を所定期間滞留させて、その後に滞留部を開放して遊技球を特別変動入賞装置３９に一気に落下させるような構成の遊技機が存在するが、このような構成を有する場合には、大入賞口カウント数は第１閾値に比較的容易に到達する。しかし、第２閾値には、遊技者が特殊な打法として変則打ちを行うか、又は、糸を付けた遊技球を特別変動入賞装置３９に侵入させて大入賞口へ出し入れを繰り返し行うような不正を行わないと到達することが困難である。
【１０１６】
〔オーバー入賞報知態様〕
図１１０Ａは、第１オーバー入賞報知と第２オーバー入賞報知の報知態様の一例を示すテーブルである。例えば、第１オーバー入賞報知及び第２オーバー入賞報知は、報知方法として音声及び／又は画像表示を用いて実行される。
【１０１７】
第１オーバー入賞報知において、演出制御装置３００は、上スピーカ１９ａ及び下スピーカ１９ｂからキャラクタＡの音声（例えば「すごいね！」）を流し、表示装置４１にキャラクタＡとそのセリフ（例えば「すごいね！」）を画像表示する。第２オーバー入賞報知において、演出制御装置３００は、上スピーカ１９ａ及び下スピーカ１９ｂからキャラクタＢの音声（例えば「コラー！」）を流し、表示装置４１にキャラクタＢとそのセリフ（例えば「コラー！」）を画像表示する。キャラクタＡとキャラクタＢは、異なるキャラクタであり、例えば、キャラクタＡ、Ｂは、各々、演出のモチーフ（題材）における主人公とその敵のキャラクタでよい。
【１０１８】
このように、第２オーバー入賞報知は、第１オーバー入賞報知は異なる態様の報知であり、第１オーバー入賞報知が快適な印象を遊技者に与えるのに対して、第２オーバー入賞報知は、不快な印象を遊技者に与えて警告となる。
【１０１９】
なお、音声として、声ではなく単純な音や音楽を用いてもよい。例えば、第１オーバー入賞報知として祝福音（遊技者に快い感情を生じさせる音）で報知し、第２オーバー入賞報知として警告音（遊技者に不快な感情を生じさせる音）で報知してもよい。
【１０２０】
図１１０Ｂは、第１オーバー入賞報知と第２オーバー入賞報知の報知態様の他の例として、大入賞口内を照らすＬＥＤの発光態様を示すテーブルである。第１オーバー入賞報知及び第２オーバー入賞報知は、報知方法として音声、画像表示の他、又は、音声、画像表示に追加して、大入賞口内を照らすＬＥＤの発光を用いて実行されてもよい。大入賞口内を照らすＬＥＤは、盤装飾装置４６の一つとして、特別変動入賞装置３９に設けられる。
【１０２１】
演出制御装置３００は、第１オーバー入賞報知において、オーバー入賞を祝福する意味で、大入賞口内を照らすＬＥＤを黄色に発光させ、第２オーバー入賞報知において、オーバー入賞を警告する意味で、大入賞口内を照らすＬＥＤを赤色に発光させる。なお、大入賞口内を照らすＬＥＤは、通常、白色で発光している。他の発光態様では、第１オーバー入賞報知又は第２オーバー入賞報知として、このＬＥＤをそれぞれ異なる態様で点滅させることもできる。
【１０２２】
［画面遷移］
図１１１は、第６実施形態において、表示装置４１の表示画面を時系列で示した画面遷移図であり、大当りラウンド中から大当り終了時（エンディング時）の画面遷移の一例である。
【１０２３】
図１１１の（サ）は、図９６Ａの（オ）と同じであり、大当りの第８ラウンド（８Ｒ）の画面を示す。
【１０２４】
（シ）では、第８ラウンド（８Ｒ）において、大入賞口カウント数が大入賞口の閉塞が開始する上限値を超えて第１閾値（例えば１０）に達したため、第１オーバー入賞報知が実行されている。第１オーバー入賞報知において、表示装置４１にキャラクタＡ（蛙）とそのセリフ（例えば「すごいね！」）が表示されている。同時に、上スピーカ１９ａ及び下スピーカ１９ｂが、キャラクタＡの音声（例えば「すごいね！」）を発する。なお、第１オーバー入賞報知における表示や音声として、大入賞口カウント数が第１閾値に達したことをより直接的に報知してもよい（例えば「すごいね！１０個達成！」）。
【１０２５】
（ス）では、第８ラウンドにおいて、大入賞口カウント数が第１閾値を超えて第２閾値（例えば１１）に達したため、第２オーバー入賞報知が実行されている。第２オーバー入賞報知において、表示装置４１にキャラクタＢ（蛇）とそのセリフ（例えば「コラー！」）が表示されている。同時に、上スピーカ１９ａ及び下スピーカ１９ｂが、キャラクタＢの音声（例えば「コラー！」）を発する。なお、第２オーバー入賞報知における表示や音声として、大入賞口カウント数が第２閾値に達したことをより直接的に報知してもよい（例えば「１１個は多すぎだよ。コラー！」）。
【１０２６】
図１１１の（セ）は、図９６Ａの（カ）と同じであり、大当りの最終ラウンド（１６Ｒ）の画面を示す。
【１０２７】
図１１１の（ソ）は、図９６Ｂの（キ）に対応するが、特別遊技状態（大当り）終了の際のエンディング中の表示装置４１において、１回の大当り中に大入賞口へのオーバー入賞によって獲得した出玉数（賞球数）が、凄腕出玉数として「２２４両」と表示されている。なお、ここで「両」は個数を意味するが、「両」は個数を反映するものであれば正確に個数に対応しなくてもよい。例えば、「両」を２個単位として、「１１２両」と表示することも可能である。
【１０２８】
なお、オーバー入賞によって獲得した出玉数（賞球数）を表示することによって、遊技者はオーバー入賞を多数発生させることができたという優越感を持つことができ、遊技の興趣が向上する。また、ホール係員等のホール関係者は、オーバー入賞によって獲得した出玉数が極端に大きいことを確認した場合に、遊技者が変則打ちをしている可能性や不正行為を行っている可能性があるので、当該遊技者を注意対象者としてマークすることができる。
【１０２９】
また、（ソ）のエンディング画面において、取得出玉数が「２０１６両」と表示されているが、１４個賞球×９カウント（カウント数上限値）×１６ラウンド＝２０１６個に相当するものである。即ち、取得出玉数は、１回の大当りで最終的に獲得した獲得出玉数（２２４０個）から、オーバー入賞によって獲得した出玉数（凄腕出玉数）を減算したものである。さらに、大当り中に一般入賞口３５への入賞によって獲得した出玉数（賞球数）が、「おまけ」として表示されている。ここでは、１０個賞球×１Ｒ当り約３回入賞×１６Ｒ＝４８０個が、一般入賞口３５への入賞によって獲得した出玉数として例示されている。
【１０３０】
なお、図１１１の（ソ）では、図９６Ｂの（キ）で記載を省略した、遊技者に右打ちするように指示する報知である右打ち表示（「右打ちだ！→」）がエンディング中にも実行されている。ここで、右打ち表示は、遊技者の操作部への操作（操作ハンドル２４の回動操作量を大きくすること）に関する情報であるため、他の表示よりも優先して前面側に表示されている。ここで、遊技者の操作に関する情報としての右打ち表示は濃く表示し、他の表示は薄く表示してもよいし、他の表示と右打ち表示の表示範囲が重なる場合には、他の表示を表示しなくてもよい。また、他の表示と右打ち表示の表示範囲が重なる場合には、それらの表示を交互に表示するようにしてもよい。すなわち、種々の表示が混在した場合に表示すべき情報を予め設定した優先順位に基づいて表示することで、遊技者が表示内容を誤認しないようにすることができる。また、他の表示は、流れ星が流れるような演出画像表示やセリフ表示部７７０ａ内の表示であるが、キャラクタ７７０や大当り履歴表示部７６０内の表示も含んでよい。
【１０３１】
図１１１の（タ）は、図９６Ｂの（ク）に対応し、大当り状態終了後に特定遊技状態（高確率状態又は時短状態）「ＲＵＳＨ」が発生した場合の表示画面を示す。（ソ）に引き続き右打ち表示が実行されている。
【１０３２】
〔ホール・遊技者設定モード処理〕
図１１２は、第６実施形態に係るホール・遊技者設定モード処理（図７８のＢ１０１０）の手順を示すフローチャートである。図１１２では、第３実施形態のホール・遊技者設定モード処理（図９５）に対して、オーバー入賞設定処理（Ｂ４００１）が追加されているが、他のステップは同じであり同じステップ番号を付して説明を省略する。
【１０３３】
例えば、所定のタイミングで演出ボタン２５の所定の操作が行われたり、遊技機１０の裏側の所定のスイッチが操作された場合に、ホール設定モード開始条件が成立して（Ｂ２７０３の結果が「Ｙ」）、ホール設定モード（Ｂ２７０４−Ｂ２７１６）に入ることができる。
【１０３４】
演出制御装置３００は、ホールＬＥＤ輝度調整処理（Ｂ２７０７）に続いて、オーバー入賞設定処理（Ｂ４００１）を実行し、その後に液晶輝度調整処理（Ｂ２７０８）を実行する。オーバー入賞設定処理において、異常なオーバー入賞（超過入賞）であることを報知警告するための第２閾値を設定する。
【１０３５】
［ホール設定モードの表示画面］
図１１３は、ホール設定モードにおける表示装置４１の表示画面の一例を示す図である。画面描画開始設定（Ｂ２７０４）による画面描画によって、各種調整を行うための各種調整表示（メータ、ゲージ等）や各種選択をするためのメニュー表示などが、表示装置４１に表示される。
【１０３６】
各種調整表示には、音量の選択設定のための音量設定表示８６１、ＬＥＤ輝度の選択設定のための輝度設定表示８６３、第２閾値の選択設定のためのオーバー入賞警告設定表示８６５、液晶輝度（表示装置４１の輝度）の選択設定のための液晶輝度設定表示８６７がある。メニュー表示には、省電力の選択設定を行うための省電力設定表示８６９、ロゴ役物の発行色等を選択設定するためのロゴカラー設定表示８７１、選択設定を確定するために選択されて操作者の設定確定操作（演出ボタン２５を押す操作）があると設定を確定する設定確定操作表示８７３、工場出荷時の設定にするか否かの選択設定を行うための工場出荷時設定表示８７５がある。
【１０３７】
その他、ホール設定モードにおける表示画面には、演出ボタン２５の操作方法を示唆する操作方法表示８７７や、特図変動表示ゲームの第４図柄の設定を行う第４図柄設定表示８７９が表示される。なお、第４図柄（第四特別図柄）は、飾り特図変動表示ゲームにおいて、表示装置４１での左（第一特別図柄）、右（第二特別図柄）、中（第三特別図柄）の図柄以外の飾り特別図柄（識別情報）として、点灯表示と消灯表示の繰り返し（点滅）などによって変動して、特図変動表示ゲームの実行中であることを示す。第４図柄の変動表示は、表示装置４１やそれ以外のサブ表示装置、又は、ＬＥＤランプで表示される。
【１０３８】
オーバー入賞警告設定表示８６５は、デフォルトでメータが１目盛（１段階）だけ表示され、第２閾値のデフォルト値を示す。第１閾値は、遊技機１０の機種（スペック）に応じて異なるため、第２閾値のデフォルト値も遊技機１０の機種（スペック）に応じて異なる。演出制御装置３００は、受信した機種指定コマンド（機種情報）に応じて、第２閾値のデフォルト値と第１閾値を機種設定処理（図８８又は図１０２のＢ１３０２）において設定できる。このように、第２閾値のデフォルト値が遊技機１０の機種に応じた値となるため、第２閾値の選択設定が簡便にできる。
【１０３９】
例えば、オーバー入賞の第１閾値が１０であれば、第２閾値のデフォルト値は１１である。操作者（特に、遊技店の係員）は、演出ボタン２５の上下方向のタッチ操作によってオーバー入賞警告設定表示８６５を特定表示態様（ハイライト表示（黒枠参照））で表示させ、演出ボタン２５の左右方向のタッチ操作によって、第２閾値の値を増減させる。演出ボタン２５を右方向にタッチ操作すると、オーバー入賞警告設定表示８６５において、表示されるメータが２目盛（２段階）に増えて、メータの横に第２閾値が１２と表示される。メータは１〜５目盛（１〜５段階）で調整できる。演出ボタン２５の上下方向のタッチ操作によって設定確定操作表示８７３が選択されて、演出ボタン２５の設定確定操作（演出ボタン２５を押す操作）が行われると、選択された第２閾値が確定する。このようにして、第２閾値を遊技店（ホール）側の意向に応じて柔軟に設定（変更）できることとなる。
【１０４０】
以上の第６実施形態の変形例として、次のような構成も可能である。
【１０４１】
オーバー入賞が発生する度にオーバー入賞報知（第１オーバー入賞報知又は第２オーバー入賞報知）が実行される構成としたが、大入賞口カウント数が第１閾値又は第２閾値に達した際（直後）にのみオーバー入賞報知が実行され、大入賞口カウント数が第１閾値と第２閾値以外の場合ではオーバー入賞報知が実行されない構成としてもよい。
【１０４２】
所定回数のラウンド遊技からなる特別遊技状態において、特定のラウンド（特定のラウンド遊技）でのみ第１オーバー入賞報知又は第２オーバー入賞報知を実行する構成としてもよい。特に、最終ラウンドでは、エンディングまでの時間が少ないため、エンディングと重ならないように、第１オーバー入賞報知又は第２オーバー入賞報知を実行しなくてもよい。
【１０４３】
また、遊技制御装置１００から払出コマンド（図８３、図１０１）を外部装置としての遊技場内部管理装置（ホールコンピュータ）に送信し、外部装置において図１０９のオーバー入賞報知処理を実行することもできる。この場合には、外部装置において、第１オーバー入賞報知を必ずしも実行する必要はないが、第２オーバー入賞報知を実行する。
【１０４４】
さらに、第６実施形態のオーバー入賞報知を、大入賞口のオーバー入賞のみならず、普通変動入賞装置３７（第２始動入賞口）のオーバー入賞に適用することもできる。例えば、所定遊技状態（特定遊技状態、普電サポート状態など）において、演出制御装置３００は、普通変動入賞装置３７の一回の開放中に、第２始動入賞口への入賞回数が基準値（例えば２個）より大きい第１閾値（例えば３個）に達した場合に第１オーバー入賞報知を実行し、さらに第２閾値（例えば４個）に達した場合に第２オーバー入賞報知を実行してよい。なお、演出制御装置３００は、遊技制御装置１００から払出コマンド（図８３、図１０１）を受信することにより、普通変動入賞装置３７（第２始動入賞口）への入賞回数をカウント数としてカウントすることができ、図１０９のオーバー入賞報知処理を適用できる。これにより、普通変動入賞装置３７に関しても、２段階で異なるオーバー入賞報知を実行し、遊技の興趣を高めつつ、異常な超過入賞（オーバー入賞）に対して警告することができる。
【１０４５】
［第６実施形態の作用・効果］
上記の第６実施形態では、遊技機１０は、ゲーム（特図変動表示ゲームや普図変動表示ゲーム）の結果が所定の結果となった場合に遊技者に有利な所定遊技状態（特別遊技状態や特定遊技状態（普電サポート状態））を発生可能である。変動入賞装置（特別変動入賞装置３９や普通変動入賞装置３７）は、所定遊技状態において開状態（開放状態、動作状態）となり、当該開状態において閉状態（非開放状態、非動作状態）よりも遊技球の入賞が容易になる。検出手段（カウントスイッチ３９ａ（大入賞口スイッチ）や始動口２スイッチ３７ａ）は、変動入賞装置への遊技球の入賞を検出する。
【１０４６】
さらに、遊技制御手段（遊技制御装置１００）は、検出手段によって変動入賞装置への遊技球の入賞が検出された場合に、遊技球の入賞に関する情報（大入賞口カウントコマンドや払出コマンド）を演出制御手段（演出制御装置３００）へ送信する。演出制御手段（演出制御装置３００）の第１報知手段（図１０９のＢ３８０５）は、変動入賞装置への遊技球の入賞回数（又は、遊技球の入賞に関する情報の送信回数）が、１回の開状態において第１閾値に達した場合に、第１超過入賞報知（第１オーバー入賞報知）を実行する。演出制御手段（演出制御装置３００）の第２報知手段（図１０９のＢ３８０６）は、変動入賞装置への遊技球の入賞回数が、１回の開状態において第１閾値より大きい第２閾値に達した場合に、第２超過入賞報知（第２オーバー入賞報知）を実行する。例えば、第２超過入賞報知の報知態様は、第１超過入賞報知の報知態様と異なり、警告となってよい。
【１０４７】
変動入賞装置への遊技球の入賞回数が、上限値（規定回数、基準値）や第１閾値を超えて第２閾値以上になった場合に、入賞回数が異常に大きく偶然の可能性が低い。しかし、上記の構成によって、このような異常な超過入賞（オーバー入賞）が生じた場合に、第２超過入賞報知（第２オーバー入賞報知）によって警告することができる。
【１０４８】
また、第６実施形態において、演出制御手段（演出制御装置３００）は、遊技者が操作可能な操作手段（演出ボタン２５）への操作（タッチ操作など）に応じて、第２閾値を変更可能である。従って、警告を行う第２閾値を遊技店（ホール）の意向に応じて簡便に変更できることとなる。
【１０４９】
さらに、第６実施形態において、演出制御手段（演出制御装置３００）は、１回の所定遊技状態（特別遊技状態や特定遊技状態）において、変動入賞装置への入賞回数が第１閾値以上である場合に払い出された賞球数を合計し（図１０９のＢ３８０３）、当該所定遊技状態が終了するタイミングでこの賞球数の合計を表示手段（表示装置４１）に表示する。従って、遊技者はオーバー入賞を当該所定遊技状態においてどのくらい発生させることができか知ることができ、遊技の興趣が向上する。また、ホール係員等のホール関係者は、オーバー入賞によって獲得した出玉数を示す当該合計数が極端に大きい場合に、遊技者が変則打ちをしている可能性や不正行為を行っている可能性を認識できる。
【１０５０】
［第７実施形態］
図１１４と図１１５を参照して、第７実施形態について説明する。なお、以下で述べる以外の構成は、第１実施形態から第６実施形態までの実施形態と共通の構成でよい。
【１０５１】
第７実施形態において、演出制御装置３００は、前述の変動演出設定処理（図９２のＢ１９０５）によって、変動中の演出（変動演出）として飾り特図変動表示ゲームの演出態様を、仮停止態様（揺れ変動）を含むように設定する。なお、演出制御装置３００が実行する変動演出設定処理（図９２のＢ１９０５）等は、仮停止実行手段を構成する。
【１０５２】
図１１４は、第７実施形態による飾り特図変動表示ゲームにおける各飾り特別図柄（識別情報：左図柄、右図柄、中図柄）の動き状態を説明するタイミングチャートである。飾り特図変動表示ゲームの開始時において、左図柄８９１（第一特別図柄）、右図柄８９２（第二特別図柄）、中図柄８９３（第三特別図柄）が全て変動を開始する。そして、変動開始から所定時間Ｔａ経過後に、左図柄８９１が仮停止して、仮停止した左図柄（第１停止図柄）が振動動作によって揺れる揺れ変動を行う。この揺れ変動は、その後、右図柄８９２が停止したときにリーチ状態となる可能性があることを予告する予告演出となる。例えば、リーチが発生することなく飾り特図変動表示ゲームが停止する場合と比較して、左図柄８９１が仮停止した後の揺れ変動の揺れ幅（動作幅）を大きくすることで、リーチが発生する可能性があることを遊技者に報知するようにしている。
【１０５３】
次に、変動開始から所定時間Ｔｂ経過後に、右図柄８９２が仮停止してリーチ状態となり、仮停止した左図柄８９１と仮停止した右図柄８９２（第２停止図柄）の両方が振動動作によって揺れる揺れ変動を行う。その後、変動開始から所定時間Ｔｃ経過後に、中図柄８９３が仮停止して図柄確定待ち状態になり、仮停止した左図柄８９１、仮停止した右図柄８９２、及び、仮停止した中図柄８９３（第３停止図柄）が振動動作によって揺れる揺れ変動を行う。そして、変動開始から所定時間Ｔｄ経過後に、揺れ変動が終了し三つの停止図柄が完全に停止して図柄が確定し、飾り特図変動表示ゲームの結果（停止図柄）が大当り結果（特別結果態様）又ははずれ結果に確定する。
【１０５４】
なお、図柄が確定しない場合には、所定時間Ｔｄ経過前に再変動が開始して擬似連続予告となるようにしてもよい。特に、擬似連続予告では、中図柄８９３として再変動図柄が仮停止してもよい。擬似連続予告（擬似連続演出）では、飾り特別図柄を特別結果態様以外の停止態様で仮停止（擬似的に停止）させてその後に擬似変動（再変動）させることを繰り返して、複数回の変動表示ゲームが連続して行われているかのような演出を行う。
【１０５５】
図柄が確定する図柄確定タイミングＴｄ以降、確定した飾り特別図柄を表示しておく時間（期間）が図柄停止表示時間となる（例えばＴｄから次の飾り特図変動表示ゲームが開始するまでの時間などで、例えば６００ｍｓｅｃ）。なお、本実施形態では、中図柄８９３が仮停止する中図柄停止タイミングＴｃから図柄確定タイミングＴｄまでの図柄確定待ち状態の時間（Ｔｄ−Ｔｃ）は、図柄停止表示時間より長く設定される。このため、図柄確定待ち状態で、再変動する期待感を遊技者に十分抱かせることができる。
【１０５６】
図１１５は、第７実施形態において、表示装置４１の表示画面を時系列で示した画面遷移図であり、（ナ）の１つの図柄の仮停止（リーチ予告状態）から（ニ）のリーチ発生を経て、（ヌ）の三つの図柄の仮停止（図柄確定待ち状態）までの飾り特図変動表示ゲームの様子を示す画面遷移の一例である。
【１０５７】
図１１５の（ナ）は、所定時間Ｔａの経過直後に相当し、１回目の仮停止状態として、左図柄８９１のみが揺れ変動によって仮停止してリーチ予告を開始する。このリーチ予告時において、仮停止した左図柄８９１は、大きな動作幅Ｖ１（第１動作幅）で揺れ変動（振動動作）を行っている。左図柄８９１の動作幅（振幅）が大きいため、遊技者は注目して、右図柄８９２がどのような図柄で仮停止すればリーチとなるか十分に知ることができる。
【１０５８】
なお、左図柄８９１は、基準位置を中心にして、上下方向（縦方向）内でのみ揺れ変動を行っているが、代わりに、左右方向（横方向）内でのみ大きな動作幅（振幅）Ｗ１の揺れ変動を行ってもよい。左右方向の動作幅Ｗ１は、上下方向の動作幅Ｖ１と同じでもよいし、異なってもよい。また、左図柄８９１は、上下方向及び左右方向の両方で振動する場合に、上下方向及び左右方向での振動の位相を同位相又は逆位相にして斜め方向に揺れ変動を行ってもよい。さらに、左図柄８９１は、上下方向及び左右方向での振動の位相を同位相又は逆位相からずらして、円状又は楕円状に動くこともできる。
【１０５９】
図１１５の（ニ）は、所定時間Ｔｂの経過直後に相当し、２回目の仮停止状態として、右図柄８９２が左図柄８９１に続いて仮停止してリーチが発生する。ここでは、仮停止した左図柄８９１と仮停止した右図柄８９２が第２動作幅（Ｖ２又はＷ２）で振動して揺れ変動を行う。左図柄８９１と右図柄８９２は、揺れ変動で動作しているため、完全に止まっていない仮停止状態であることを遊技者に報知できる。
【１０６０】
仮停止した左図柄８９１と仮停止した右図柄８９２の揺れ変動の態様（各図柄の揺れ変動の方向や動作幅など）は、同じでもよいし、異なってもよい。同じであれば、左図柄８９１と右図柄８９２の協調感により遊技の興趣が高まるし、異なる場合には遊技者に驚きを与えることができる。
【１０６１】
このリーチ発生時での図柄の上下方向における動作幅Ｖ２（又は左右方向における動作幅Ｗ２）は、（ナ）のリーチ予告時での図柄の上下方向における動作幅Ｖ１（又は左右方向における動作幅Ｗ１）よりも小さい（Ｖ１＞Ｖ２、Ｗ１＞Ｗ２）。従って、（ニ）における揺れ変動は、ムービー等のリーチ演出の邪魔にならない。
【１０６２】
図１１５の（ヌ）は、所定時間Ｔｃの経過直後に相当し、３回目の仮停止状態として、中図柄８９３も、左図柄８９１と右図柄８９２に続いて仮停止して、３つの図柄が揺れ変動を開始する。ここでは、仮停止した左図柄８９１、仮停止した右図柄８９２、及び、仮停止した中図柄８９３が、第３動作幅（Ｖ３又はＷ３）で振動して揺れ変動を行う。仮停止した全図柄の揺れ変動の態様（各図柄の揺れ変動の方向や動作幅など）は、同じでもよいし、それぞれ異なってもよい。また、第３動作幅は、特図変動表示ゲームが特別結果（大当り）になるか否かに応じて設定してよい。例えば、第３動作幅は、飾り特図変動表示ゲームの結果がはずれの場合に、大当りの場合よりも大きくなるように設定してよい。即ち、この場合、はずれの場合でも再変動が行われる期待感を高めて遊技の興趣を向上できる。
【１０６３】
この図柄確定待ち状態での図柄の上下方向における動作幅Ｖ３（又は左右方向における動作幅Ｗ３）は、（ナ）のリーチ予告時での図柄の上下方向における動作幅Ｖ１（又は左右方向における動作幅Ｗ１）よりも小さく（Ｖ１＞Ｖ３、Ｗ１＞Ｗ３）、さらに、（ニ）のリーチ発生時での図柄の上下方向における動作幅Ｖ２（又は左右方向における動作幅Ｗ２）以下である（Ｖ２≧Ｖ３、Ｗ２≧Ｗ３）。
【１０６４】
以上のように、仮停止実行手段（変動演出設定処理等）は、第１仮停止（先の仮停止）の後に、仮停止する識別情報の数が第１仮停止よりも多くなる第２仮停止（後の仮停止）を実行し、第１仮停止における識別情報の振動する幅を、第２仮停止における識別情報の振動する幅より大きく設定可能である。なお、第１仮停止（先の仮停止）は、先に実行される仮停止であり、第２仮停止（後の仮停止）が２回目の仮停止（図１１５の（ニ））なら１回目の仮停止（図１１５の（ナ））に対応する。第１仮停止は、第２仮停止が３回目の仮停止（図１１５の（ヌ））なら１回目又は２回目の仮停止（図１１５の（ナ）（ニ））に対応する。
【１０６５】
以上のように、第７実施形態は、以下の発明を具体化したものである。
【１０６６】
（１）複数の識別情報（飾り特別図柄）を変動表示する変動表示ゲーム(飾り特図変動表示ゲーム)を表示可能な表示装置と、前記表示装置における前記変動表示ゲームの表示を制御可能な演出制御手段を備えた遊技機において、
前記演出制御手段は、前記表示装置において少なくとも１つの識別情報を振動させて表示する仮停止を、１回の変動表示ゲームにおいて複数回実行することが可能な仮停止実行手段を備え（図９２のＢ１９０５、図１１４、図１１５）、
前記仮停止実行手段は、第１仮停止（例えば図１１５の（ナ））の後に、仮停止する識別情報の数が前記第１仮停止よりも多くなる第２仮停止（例えば図１１５の（ニ）又は（ヌ））を実行し、前記第１仮停止における識別情報の振動する幅（振幅Ｖ１）を、前記第２仮停止における識別情報の振動する幅（振幅Ｖ２又はＶ３）より大きく設定可能であることを特徴とする遊技機。
【１０６７】
（２）前記演出制御手段は、前記表示装置において、仮停止と当該仮停止後の擬似変動とを繰り返す擬似連続演出を実行可能であることを特徴とする（１）に記載の遊技機。
【１０６８】
（３）前記演出制御手段は、仮停止における識別情報の振動する幅を、前記変動表示ゲームが特別結果（大当り）になるか否かに応じて設定することを特徴とする（１）又は（２）に記載の遊技機。
【１０６９】
［第７実施形態の作用・効果］
上記の第７実施形態では、識別情報の振動する幅が、先に実行される第１仮停止（例えば図１１５の（ナ））よりも、第１仮停止の後に実行される第２仮停止（例えば図１１５の（ニ）又は（ヌ））で小さくなる。従って、飾り特図変動表示ゲームに終了（識別情報の確定）に向けて、仮停止状態における識別情報の振動する幅を段階的に小さくでき、これまでにない斬新な演出を行うことができ、遊技の興趣が向上する。なお、従来の遊技機では、仮停止状態における識別情報の振動する幅について考慮されず、遊技の興趣について改善の余地があった。
【１０７０】
〔第７実施形態の変形例１〕
図１１６と図１１７を参照して、第７実施形態の変形例１について説明する。図１１６は、変形例１による飾り特図変動表示ゲームにおける各飾り特別図柄の動き状態を説明するタイミングチャートである。図１１７は、変形例１において、表示装置４１の表示画面を時系列で示した画面遷移図である。なお、図１１７の（ニ）と（ヌ）は、図１１５の（ニ）と（ヌ）と同じである。
【１０７１】
第７実施形態の変形例１では、リーチがＳＰリーチに発展する例を示す。図１１７（ニ）のように、変動開始からの時間Ｔｂａで、右図柄８９２が仮停止してリーチ状態となる。その後、時間Ｔｂｂにおいて、リーチはＳＰリーチに発展する。ＳＰリーチ発展後において、表示装置４１の表示画面の中央でＳＰリーチ演出（ムービー等）を表示するため、図１１７（ネ）のように、左図柄８９１と右図柄８９２が、各々、左上と右上の隅に移動する。そして、隅に移動した左図柄８９１と右図柄８９２は、数字部分だけを残して他を消去するように通常態様から特殊態様に変更され、仮停止状態で揺れ変動を行う。即ち、隅に位置した左図柄８９１と右図柄８９２は、通常サイズの通常態様（図１１７（ニ））よりも縮小した縮小サイズの特殊態様で表示されて仮停止している。その後、図１１７（ヌ）のように、中図柄仮停止タイミングＴｃにおいて、ＳＰリーチが終了して仮停止した３つの図柄が振動して揺れ変動を行う。ここでは、左図柄８９１と右図柄８９２は、通常サイズに復帰している。
【１０７２】
ここで、演出制御装置３００が実行する変動演出設定処理（図９２のＢ１９０５）等は、識別情報（飾り特別図柄）を通常態様から特殊態様に変更することが可能な識別情報変更手段を構成する。そして、識別情報変更手段（変動演出設定処理等）は、識別情報が特殊態様に変更される前に第１仮停止（先の仮停止）を実行し、識別情報が特殊態様に変更された後に第２仮停止（後の仮停止）を実行する。従って、第１仮停止と第２仮停止の間の時間で、識別情報（飾り特別図柄）の変更によって遊技の興趣を高めることができるし、表示画面に特別な演出（ＳＰリーチ演出等）を表示するスペースを空けることができる。
【１０７３】
ところで、本変形例では、第１仮停止（先の仮停止）は２回目の仮停止（図１１７の（ニ））に対応し、第２仮停止（後の仮停止）は３回目の仮停止（図１１７の（ヌ））に対応している。しかし、これに限られず、第１仮停止（先の仮停止）を１回目の仮停止（図１１５の（ナ））に対応させ、第２仮停止（後の仮停止）を２回目又は３回目の仮停止（図１１７の（ニ）（ヌ））に対応させてもよい。
【１０７４】
なお、図柄確定待ち状態の時間（Ｔｄ−Ｔｃ）は、時間Ｔｂａから時間Ｔｂｂまでの時間（Ｔｂｂ−Ｔｂａ）よりも長く設定される。このため、図柄確定待ち状態で、再変動する期待感を遊技者に十分抱かせることができる。
【１０７５】
また、図１１６において、仮停止した左図柄８９１、仮停止した右図柄８９２、及び／又は、仮停止した中図柄８９３の揺れ変動における動作幅（Ｖ１、Ｖ２、Ｗ１、Ｗ２、Ｖ３、Ｗ３）が大きいほど、揺れ変動の継続する時間（期間）を短く設定してもよい。逆に、揺れ変動における動作幅が小さいほど、揺れ変動の継続する時間（期間）を長く設定してもよい。例えば、揺れ変動における動作幅に反比例させて、揺れ変動の継続する時間を長くする。即ち、揺れ変動の変動動作が大きいときは、飾り特別図柄の揺れ変動が続くという遊技者の期待感が高いため、逆に揺れ変動の時間は短く設定する。揺れ変動の変動動作が小さいときは、揺れ変動が続く期待感が低くなるため、逆に揺れ変動の時間を長く設定する。これにより、図柄確定タイミングを適宜調整して、大当り遊技者の大当りへの期待をじらしつつ、大当りの期待感を持続させることができる。
【１０７６】
〔第７実施形態の変形例２〕
図１１８と図１１９を参照して、第７実施形態の変形例２について説明する。図１１８は、変形例２による飾り特図変動表示ゲームにおける各飾り特別図柄の動き状態を説明するタイミングチャートであり、（Ａ）は、特図変動表示ゲームの結果が大当りになる当り変動の場合を示し、（Ｂ）は、特図変動表示ゲームの結果がはずれになるはずれ変動の場合を示す。図１１９は、変形例２において、図柄確定待ち状態における表示装置４１の表示画面であり、（ヌ―１）は飾り特図変動表示ゲームの結果が大当りとなる場合を示し、（ヌ―２）は、飾り特図変動表示ゲームの結果がはずれとなる場合を示す。なお、図１１９の（ヌ―１）と（ヌ―２）は、図１１５の（ヌ）に対応する。
【１０７７】
特図変動表示ゲームの結果が大当りになる場合よりもはずれになる場合の方が、中図柄が仮停止してから図柄確定タイミングとなるまでの揺れ変動の動作時間（図柄確定待ち状態の期間）を長くし、且つ／又は、この動作時間において揺れ変動の動作幅を大きくしても良い。従って、はずれの場合でも再変動が行われる期待感を高めて遊技の興趣を向上できる。
【１０７８】
即ち、図１１８のように、特図変動表示ゲームの結果が大当りになる場合とはずれになる場合の図柄確定タイミングをそれぞれ時間Ｔｄａ、Ｔｄｂとすると、はずれになる場合の図柄確定待ち状態の期間（Ｔｄｂ−Ｔｃ）は、大当りになる場合の図柄確定待ち状態の期間（Ｔｄａ−Ｔｃ）よりも長くしてよい。図１１９の（ヌ―１）と（ヌ―２）のように、図柄確定待ち状態において、仮停止した図柄の揺れ変動の動作幅は、はずれになる場合の動作幅Ｖ４、Ｗ４の方が、大当りになる場合の動作幅Ｖ３、Ｗ３よりも大きくしてよい（Ｖ４＞Ｖ３、Ｗ４＞Ｗ３）。なお、はずれになる場合の動作幅Ｖ４、Ｗ４は、リーチ状態における動作幅Ｖ２、Ｗ２より大きくてもよいし（Ｖ４＞Ｖ２、Ｗ４＞Ｗ２）、リーチ状態における動作幅Ｖ２、Ｗ２以下でもよい（Ｖ４≦Ｖ２、Ｗ４≦Ｗ２）。
【１０７９】
なお、図１２０の（ヌ―３）（ヌ―４）のように、変形例２を、再抽選なしの大当りの場合と、再抽選ありの大当りの場合に適用してもよい。即ち、図１１９の（ヌ―１）（ヌ―２）の大当りの場合とはずれの場合をそれぞれ再抽選なしの大当りと再抽選ありの大当りの場合に置き換えて、変形例２を適用してもよい。なお、再抽選とは、例えば、一度仮停止させた通常大当り図柄（又は確変大当り図柄）を、再抽選に当選した場合に再変動させて確変大当り図柄（又は通常大当り図柄）に変更することなどをいう。
【１０８０】
図１２０の（ヌ―３）では、確変大当り図柄が例えば「七、七、七」と表示され、図１２０の（ヌ―４）では、通常大当り図柄が例えば「二、二、二」と表示されている。図柄確定待ち状態において、仮停止した図柄の揺れ変動の動作幅は、再抽選ありの大当りの場合の動作幅Ｖ４、Ｗ４の方が、再抽選なしの大当りの場合の動作幅Ｖ３、Ｗ３よりも大きくしてよい（Ｖ４＞Ｖ３、Ｗ４＞Ｗ３）。これにより、再抽選ありの大当りの場合に、再抽選による再変動の可能性を遊技者に報知することができる。
【１０８１】
なお、本発明は、以上説明した実施形態に限定されることなく、その技術的思想の範囲内において種々の変形や変更が可能であり、それらも本発明の技術的範囲に含まれることが明白である。例えば、複数の実施形態の組合せることも可能である。また、パチンコ機以外のパチスロ機等の遊技機（例えば役物比率や出玉率が定義できるもの）にも本発明を適用可能である。本発明の範囲は特許請求の範囲によって示され、特許請求の範囲と均等の意味及び内容の範囲でのすべての変更が含まれることが意図される。
【符号の説明】
【１０８２】
１０    遊技機
３０    遊技盤
３０ｂ  アウト口
３２    遊技領域
３５    一般入賞口
３６    第１始動入賞口（第１始動入賞領域）
３７    普通変動入賞装置（第２始動入賞領域）
３９    特別変動入賞装置
４１    表示装置
５０    一括表示装置（ＬＥＤ）
６５    アウト球検出スイッチ
６６    排出球数表示部
６７    出玉率表示部
６８    役物比率表示部
１００    遊技制御装置（主基板）
２００    払出制御装置（払出制御基板）
３００    演出制御装置（サブ基板）
４００    電源装置
７６０    大当り履歴表示部
８００    役物比率表示領域
８３０    サブ表示装置
８４２    一般入賞口比率表示領域
８４４    第１役物比率警告表示部
８４６    第２役物比率警告表示部
８６５    オーバー入賞警告設定表示
【図１】
2018019999.tif 000003
【図２Ａ】
2018019999.tif 000004
【図２Ｂ】
2018019999.tif 000005
【図２Ｃ】
2018019999.tif 000006
【図２Ｄ】
2018019999.tif 000007
【図３】
2018019999.tif 000008
【図４】
2018019999.tif 000009
【図５Ａ】
2018019999.tif 000010
【図５Ｂ】
2018019999.tif 000011
【図６】
2018019999.tif 000012
【図７】
2018019999.tif 000013
【図８】
2018019999.tif 000014
【図９】
2018019999.tif 000015
【図１０】
2018019999.tif 000016
【図１１】
2018019999.tif 000017
【図１２】
2018019999.tif 000018
【図１３】
2018019999.tif 000019
【図１４】
2018019999.tif 000020
【図１５Ａ】
2018019999.tif 000021
【図１５Ｂ】
2018019999.tif 000022
【図１５Ｃ】
2018019999.tif 000023
【図１６】
2018019999.tif 000024
【図１７Ａ】
2018019999.tif 000025
【図１７Ｂ】
2018019999.tif 000026
【図１８】
2018019999.tif 000027
【図１９】
2018019999.tif 000028
【図２０】
2018019999.tif 000029
【図２１】
2018019999.tif 000030
【図２２】
2018019999.tif 000031
【図２３】
2018019999.tif 000032
【図２４】
2018019999.tif 000033
【図２５】
2018019999.tif 000034
【図２６】
2018019999.tif 000035
【図２７】
2018019999.tif 000036
【図２８】
2018019999.tif 000037
【図２９】
2018019999.tif 000038
【図３０】
2018019999.tif 000039
【図３１】
2018019999.tif 000040
【図３２】
2018019999.tif 000041
【図３３】
2018019999.tif 000042
【図３４】
2018019999.tif 000043
【図３５】
2018019999.tif 000044
【図３６】
2018019999.tif 000045
【図３７】
2018019999.tif 000046
【図３８】
2018019999.tif 000047
【図３９】
2018019999.tif 000048
【図４０】
2018019999.tif 000049
【図４１】
2018019999.tif 000050
【図４２Ａ】
2018019999.tif 000051
【図４２Ｂ】
2018019999.tif 000052
【図４３】
2018019999.tif 000053
【図４４】
2018019999.tif 000054
【図４５】
2018019999.tif 000055
【図４６】
2018019999.tif 000056
【図４７】
2018019999.tif 000057
【図４８】
2018019999.tif 000058
【図４９】
2018019999.tif 000059
【図５０】
2018019999.tif 000060
【図５１】
2018019999.tif 000061
【図５２】
2018019999.tif 000062
【図５３】
2018019999.tif 000063
【図５４】
2018019999.tif 000064
【図５５】
2018019999.tif 000065
【図５６】
2018019999.tif 000066
【図５７】
2018019999.tif 000067
【図５８】
2018019999.tif 000068
【図５９】
2018019999.tif 000069
【図６０】
2018019999.tif 000070
【図６１】
2018019999.tif 000071
【図６２】
2018019999.tif 000072
【図６３】
2018019999.tif 000073
【図６４】
2018019999.tif 000074
【図６５】
2018019999.tif 000075
【図６６】
2018019999.tif 000076
【図６７】
2018019999.tif 000077
【図６８】
2018019999.tif 000078
【図６９】
2018019999.tif 000079
【図７０】
2018019999.tif 000080
【図７１】
2018019999.tif 000081
【図７２】
2018019999.tif 000082
【図７３】
2018019999.tif 000083
【図７４】
2018019999.tif 000084
【図７５Ａ】
2018019999.tif 000085
【図７５Ｂ】
2018019999.tif 000086
【図７６】
2018019999.tif 000087
【図７７】
2018019999.tif 000088
【図７８】
2018019999.tif 000089
【図７９】
2018019999.tif 000090
【図８０】
2018019999.tif 000091
【図８１】
2018019999.tif 000092
【図８２】
2018019999.tif 000093
【図８３】
2018019999.tif 000094
【図８４】
2018019999.tif 000095
【図８５】
2018019999.tif 000096
【図８６】
2018019999.tif 000097
【図８７】
2018019999.tif 000098
【図８８】
2018019999.tif 000099
【図８９】
2018019999.tif 000100
【図９０】
2018019999.tif 000101
【図９１】
2018019999.tif 000102
【図９２】
2018019999.tif 000103
【図９３】
2018019999.tif 000104
【図９４】
2018019999.tif 000105
【図９５】
2018019999.tif 000106
【図９６Ａ】
2018019999.tif 000107
【図９６Ｂ】
2018019999.tif 000108
【図９７】
2018019999.tif 000109
【図９８】
2018019999.tif 000110
【図９９】
2018019999.tif 000111
【図１００】
2018019999.tif 000112
【図１０１】
2018019999.tif 000113
【図１０２】
2018019999.tif 000114
【図１０３】
2018019999.tif 000115
【図１０４】
2018019999.tif 000116
【図１０５】
2018019999.tif 000117
【図１０６Ａ】
2018019999.tif 000118
【図１０６Ｂ】
2018019999.tif 000119
【図１０７】
2018019999.tif 000120
【図１０８】
2018019999.tif 000121
【図１０９】
2018019999.tif 000122
【図１１０Ａ】
2018019999.tif 000123
【図１１０Ｂ】
2018019999.tif 000124
【図１１１】
2018019999.tif 000125
【図１１２】
2018019999.tif 000126
【図１１３】
2018019999.tif 000127
【図１１４】
2018019999.tif 000128
【図１１５】
2018019999.tif 000129
【図１１６】
2018019999.tif 000130
【図１１７】
2018019999.tif 000131
【図１１８】
2018019999.tif 000132
【図１１９】
2018019999.tif 000133
【図１２０】
2018019999.tif 000134